【手続補正書】
【提出日】平成29年2月17日(2017.2.17)
【手続補正１】
【補正対象書類名】明細書
【補正対象項目名】１４３９
【補正方法】変更
【補正の内容】
【１４３９】
本出願を通して引用された特許及び特許出願をはじめとする全ての参照の内容が、全体として参照により本明細書に取り込まれる。これらの参照の適切な構成成分及び方法を、本発明及びその実施形態に向けて選択されてもよい。さらに、背景の節で認識された構成成分及び方法は、本開示と一体であり、本発明の範囲内にある本開示の他の箇所に記載された構成成分及び方法と併せて、又はそれらの代わりに用いることができる。
本発明の実施形態として、例えば以下を挙げることができる。
(1)  対象が活性な結核（ＴＢ）を有するか否かを決定する方法であって、
前記対象から得られた試料中の、表１に列挙する１又は複数のマーカーのレベルを測定することと；
対象試料中の１又は複数のマーカーのレベルを、対照試料中の１又は複数のマーカーのレベルと比較することとを含み、前記対象試料中の１又は複数のマーカーのレベルと前記対照試料中の１又は複数のマーカーのレベルの差が、前記対象が活性なＴＢを有することを示す、前記方法。
(2)  活性な結核（ＴＢ）を有する対象における治療の有効性を監視する方法であって、
前記治療の開始前に、前記対象から得られた第１の試料中の、表１に列挙する１又は複数のマーカーのレベルを測定することと；
前記治療の少なくとも一部が投与された後に前記対象から得られた第２の試料中の、表１に列挙する１又は複数のマーカーのレベルを測定することと；
前記第１の試料中の前記１又は複数のマーカーのレベルを前記第２の試料中の前記１又は複数のマーカーのレベルと比較することとを含み、前記第１の試料中の前記１又は複数のマーカーのレベルと前記第２の試料中の前記１又は複数のマーカーのレベルの差が、前記治療が有効であることを示す、前記方法。
(3)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の表１に列挙する１又は複数のマーカーのレベル及び／又は活性に与える影響を測定することと；
対照試料中の、本発明の１又は複数のマーカーのレベル及び／又は活性と比較して、アリコート中の表１に列挙する１又は複数のマーカーのレベル及び／又は活性を調節する化合物のライブラリーのメンバーを選択し、それによって、活性なＴＢを有する対象を治療するために有用な化合物を同定することを含む、前記方法。
(4)  活性な結核（ＴＢ）を有する対象を治療する方法であって、表１に列挙する１又は複数のマーカーのいずれかのレベル及び／又は活性を調節する剤の有効量を前記対象に投与し、それによって前記対象を治療することを含む、前記方法。
(5)  前記対象試料中のレベルは、質量分析により測定される、(1)〜(4)のいずれかに記載の方法。
(6)  前記質量分析が、マトリックス支援レーザー脱離／飛行時間（ＭＡＬＤＩ／ＴＯＦ）質量分析、液体クロマトグラフィー四重イオントラップエレクトロスプレー（ＬＣＱ−ＭＳ）、又は表面増強レーザー脱離イオン化／飛行時間（ＳＥＬＤＩ／ＴＯＦ）質量分析である、(5)に記載の方法。
(7)  前記対象試料中のレベルは、免疫測定により測定される、(1)〜(4)のいずれかに記載の方法。
(8)  前記対象から得られた前記試料は、液体試料である、(1)〜(7)のいずれかに記載の方法。
(9)  前記対象から得られた前記試料は、組織試料である、(1)〜(8)のいずれかに記載の方法。
(10)  前記マーカーのレベルは、該マーカーの発現レベル及び／又は活性である、(1)〜(9)のいずれかに記載の方法。
(11)  前記対象は、ＨＩＶ陰性（ＨＩＶ−）である、(1)〜(10)のいずれかに記載の方法。
(12)前記対象は、ＨＩＶ陽性（ＨＩＶ＋）である、(1)〜(11)のいずれかに記載の方法。
(13)  前記対象が北アメリカ又は欧州に居住する、(1)〜(12)のいずれかに記載の方法。
(14)  前記１又は複数のマーカーは、APOE, SELL, TNXB, COMP, LUM, PGLYRP2, HABP2, LRG1, QSOX1, S100A8, APOC3, LCP1, VASN, PFN1, IGFBP6, LRG1, PGLYRP2, APOA4, BCHE, PI16, SEPP1, APOA1, IGFALS, CD14, TAGLN2, CPN2, APOC1, PEPD, GP1BA及びPTGDSから成る群より選ばれる(1)〜(13)のいずれかに記載の方法。
(15)  CPB2, GP1BA, GP5, GPX3, PROCR, VWF, ATRN, CD14, DBH, SELL, VCAM1, S100A8,S100A9, CD163, CPN1, FCN3, HIST2H2BE, KNG1, MASP1, MASP2, PROS1,YWHAZ, CA1, ORM1, PDLIM1, PGLYRP2, LCAT, LPA, PCSK9, PON1, PTGDS, APOA1, APOA4, APOC1, APOC3, APOE, ANPEP, BCHE, BTD, CDH5, CLEC3B, CLU, CNTN1, ECM1, GPLD1, HABP2, HGFAC, HYOU1, IGFALS, IGFBP3, IGFBP6, LCP1, LGALS3BP, LUM, MINPP1, MST1, NCAM1, NID1, PEPD, PFN1, PRG4, QSOX1, SEPP1, SHBG, SPARC, TGFBI, THBS1, TLN1, TNXB, VASN, VTN, YWHAE, CA2, CKM, CNDP1, COMP, IGF2, LRG1, PI16, PRDX2, PTPRG, SPP2, TAGLN2, ZYX, MTB81, MTB51, CACNA2D1, CPN2及びMAN1A1から成る群より選ばれる１又は複数のマーカーのレベルを測定することをさらに含む(14)に記載の方法。
(16)  対象が活性な結核（ＴＢ）を有するか否かを決定する方法であって、
前記対象から得られた試料中の、CD14のレベル及びAPOEのレベルを測定することと；
対象試料中のCD14のレベル及びAPOEのレベルを、対照試料中のCD14のレベル及びAPOEのレベルと比較することとを含み、前記対象試料中のCD14のレベル及びAPOEのレベルと前記対照試料中のCD14のレベル及びAPOEのレベルとの差が、前記対象が活性なＴＢを有することを示す、前記方法。
(17)  活性な結核（ＴＢ）を有する対象における治療の有効性を監視する方法であって、
前記治療の開始前に、前記対象から得られた第１の試料中の、CD14のレベル及びAPOEのレベルを測定することと；
前記治療の少なくとも一部が投与された後に前記対象から得られた第２の試料中の、CD14のレベル及びAPOEのレベルを測定することと；
前記第１の試料中のCD14のレベル及びAPOEのレベルを前記第２の試料中のCD14のレベル及びAPOEのレベルと比較することとを含み、前記第１の試料中のCD14のレベル及びAPOEのレベルと前記第２の試料中のCD14のレベル及びAPOEのレベルの差が、前記治療が有効であることを示す、前記方法。
(18)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性並びにAPOEのレベル及び／又は活性に与える影響を測定することと；
対照試料中の、CD14のレベル及び／又は活性並びにAPOEのレベル及び／又は活性と比較して、アリコート中のCD14のレベル及び／又は活性並びにAPOEのレベル及び／又は活性を調節する化合物のライブラリーのメンバーを選択し、それによって、活性なＴＢを有する対象を治療するために有用な化合物を同定することを含む、前記方法。
(19)  活性な結核（ＴＢ）を有する対象を治療する方法であって、CD14のレベル及び／又は活性並びにAPOEのレベル及び／又は活性を調節する剤の有効量を前記対象に投与し、それによって前記対象を治療することを含む、前記方法。
(20)  対象が活性な結核（ＴＢ）を有するか否かを決定する方法であって、
前記対象から得られた試料中の、PEPDのレベル及びSELLのレベルを測定することと；
対象試料中のPEPDのレベル及びSELLのレベルを、対照試料中のPEPDのレベル及びSELLのレベルと比較することとを含み、前記対象試料中のPEPDのレベル及びSELLのレベルと前記対照試料中のPEPDのレベル及びSELLのレベルとの差が、前記対象が活性なＴＢを有することを示す、前記方法。
(21)  活性な結核（ＴＢ）を有する対象における治療の有効性を監視する方法であって、
前記治療の開始前に、前記対象から得られた第１の試料中の、PEPDのレベル及びSELLのレベルを測定することと；
前記治療の少なくとも一部が投与された後に前記対象から得られた第２の試料中の、PEPDのレベル及びSELLのレベルを測定することと；
前記第１の試料中のPEPDのレベル及びSELLのレベルを前記第２の試料中のPEPDのレベル及びSELLのレベルと比較することとを含み、前記第１の試料中のPEPDのレベル及びSELLのレベルと前記第２の試料中のPEPDのレベル及びSELLのレベルの差が、前記治療が有効であることを示す、前記方法。
(22)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPEPDのレベル及び／又は活性並びにSELLのレベル及び／又は活性に与える影響を測定することと；
対照試料中の、PEPDのレベル及び／又は活性並びにSELLのレベル及び／又は活性と比較して、アリコート中のPEPDのレベル及び／又は活性並びにSELLのレベル及び／又は活性を調節する化合物のライブラリーのメンバーを選択し、それによって、活性なＴＢを有する対象を治療するために有用な化合物を同定することを含む、前記方法。
(23)  活性な結核（ＴＢ）を有する対象を治療する方法であって、PEPDのレベル及び／又は活性並びにSELLのレベル及び／又は活性を調節する剤の有効量を前記対象に投与し、それによって前記対象を治療することを含む、前記方法。
(24)  対象が活性な結核（ＴＢ）を有するか否かを決定する方法であって、
前記対象から得られた試料中の、PEPDのレベル、TNXBのレベル、及びSELLのレベルを測定することと；
対象試料中のPEPDのレベル、TNXBのレベル、及びSELLのレベルを、対照試料中のPEPDのレベル、TNXBのレベル、及びSELLのレベルと比較することとを含み、前記対象試料中のPEPDのレベル、TNXBのレベル、及びSELLのレベルと前記対照試料中のPEPDのレベル、TNXBのレベル、及びSELLのレベルとの差が、前記対象が活性なＴＢを有することを示す、前記方法。
(25)  活性な結核（ＴＢ）を有する対象における治療の有効性を監視する方法であって、
前記治療の開始前に、前記対象から得られた第１の試料中の、PEPDのレベル、TNXBのレベル、及びSELLのレベルを測定することと；
前記治療の少なくとも一部が投与された後に前記対象から得られた第２の試料中の、PEPDのレベル、TNXBのレベル、及びSELLのレベルを測定することと；
PEPDのレベル、TNXBのレベル、及びSELLのレベルを前記第２の試料中のPEPDのレベル、TNXBのレベル、及びSELLのレベルと比較することとを含み、前記第１の試料中のPEPDのレベル、TNXBのレベル、及びSELLのレベルと前記第２の試料中のPEPDのレベル、TNXBのレベル、及びSELLのレベルの差が、前記治療が有効であることを示す、前記方法。
(26)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、TNXBのレベル及び／又は活性、並びにSELLのレベル及び／又は活性に与える影響を測定することと；
対照試料中の、PEPDのレベル及び／又は活性、TNXBのレベル及び／又は活性、並びにSELLのレベル及び／又は活性と比較して、アリコート中のPEPDのレベル及び／又は活性、TNXBのレベル、並びにSELLのレベルを調節する化合物のライブラリーのメンバーを選択し、それによって、活性なＴＢを有する対象を治療するために有用な化合物を同定することを含む、前記方法。
(27)  活性な結核（ＴＢ）を有する対象を治療する方法であって、PEPDのレベル及び／又は活性、TNXBのレベル及び／又は活性、並びにSELLのレベル及び／又は活性を調節する剤の有効量を前記対象に投与し、それによって前記対象を治療することを含む、前記方法。
(28)  対象が活性な結核（ＴＢ）を有するか否かを決定する方法であって、
前記対象から得られた試料中の、PEPDのレベル、COMPのレベル、及びSELLのレベルを測定することと；
対象試料中のPEPDのレベル、COMPのレベル、及びSELLのレベルを、対照試料中のPEPDのレベル、COMPのレベル、及びSELLのレベルと比較することとを含み、前記対象試料中のPEPDのレベル、COMPのレベル、及びSELLのレベルと前記対照試料中のPEPDのレベル、COMPのレベル、及びSELLのレベルとの差が、前記対象が活性なＴＢを有することを示す、前記方法。
(29)  活性な結核（ＴＢ）を有する対象における治療の有効性を監視する方法であって、
前記治療の開始前に、前記対象から得られた第１の試料中の、PEPDのレベル、COMPのレベル、及びSELLのレベルを測定することと；
前記治療の少なくとも一部が投与された後に前記対象から得られた第２の試料中の、PEPDのレベル、COMPのレベル、及びSELLのレベルを測定することと；
PEPDのレベル、COMPのレベル、及びSELLのレベルを前記第２の試料中のPEPDのレベル、COMPのレベル、及びSELLのレベルと比較することとを含み、前記第１の試料中のPEPDのレベル、COMPのレベル、及びSELLのレベルと前記第２の試料中のPEPDのレベル、COMPのレベル、及びSELLのレベルの差が、前記治療が有効であることを示す、前記方法。
(30)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、COMPのレベル及び／又は活性、並びにSELLのレベル及び／又は活性に与える影響を測定することと；
対照試料中の、PEPDのレベル及び／又は活性、COMPのレベル及び／又は活性、並びにSELLのレベル及び／又は活性と比較して、アリコート中のPEPDのレベル及び／又は活性、COMPのレベル、並びにSELLのレベルを調節する化合物のライブラリーのメンバーを選択し、それによって、活性なＴＢを有する対象を治療するために有用な化合物を同定することを含む、前記方法。
(31)  活性な結核（ＴＢ）を有する対象を治療する方法であって、PEPDのレベル及び／又は活性、COMPのレベル及び／又は活性、並びにSELLのレベル及び／又は活性を調節する剤の有効量を前記対象に投与し、それによって前記対象を治療することを含む、前記方法。
(32)  対象が活性な結核（ＴＢ）を有するか否かを決定する方法であって、
前記対象から得られた試料中の、PEPDのレベル、QSOX1のレベル、及びSELLのレベルを
測定することと；
対象試料中のPEPDのレベル、QSOX1のレベル、及びSELLのレベルを、対照試料中のPEPD
のレベル、QSOX1のレベル、及びSELLのレベルと比較することとを含み、前記対象試料中
のPEPDのレベル、QSOX1のレベル、及びSELLのレベルと前記対照試料中のPEPDのレベル、QSOX1のレベル、及びSELLのレベルとの差が、前記対象が活性なＴＢを有することを示す、前記方法。
(33)  活性な結核（ＴＢ）を有する対象における治療の有効性を監視する方法であって、
前記治療の開始前に、前記対象から得られた第１の試料中の、PEPDのレベル、QSOX1の
レベル、及びSELLのレベルを測定することと；
前記治療の少なくとも一部が投与された後に前記対象から得られた第２の試料中の、PEPDのレベル、QSOX1のレベル、及びSELLのレベルを測定することと；
PEPDのレベル、QSOX1のレベル、及びSELLのレベルを前記第２の試料中のPEPDのレベル
、QSOX1のレベル、及びSELLのレベルと比較することとを含み、前記第１の試料中のPEPD
のレベル、QSOX1のレベル、及びSELLのレベルと前記第２の試料中のPEPDのレベル、QSOX1のレベル、及びSELLのレベルの差が、前記治療が有効であることを示す、前記方法。
(34)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、QSOX1のレベル及び／又は活性、並びにSELLのレベル及び／又は活性に与える影響を測定することと；
対照試料中の、PEPDのレベル及び／又は活性、QSOX1のレベル及び／又は活性、並びにSELLのレベル及び／又は活性と比較して、アリコート中のPEPDのレベル及び／又は活性、QSOX1のレベル、並びにSELLのレベルを調節する化合物のライブラリーのメンバーを選択し、それによって、活性なＴＢを有する対象を治療するために有用な化合物を同定することを含む、前記方法。
(35)  活性な結核（ＴＢ）を有する対象を治療する方法であって、PEPDのレベル及び／又は活性、QSOX1のレベル及び／又は活性、並びにSELLのレベル及び／又は活性を調節する剤の有効量を前記対象に投与し、それによって前記対象を治療することを含む、前記方法。
(36)  対象が活性な結核（ＴＢ）を有するか否かを決定する方法であって、
前記対象から得られた試料中の、PEPDのレベル、CD14のレベル、及びSELLのレベルを測定することと；
対象試料中のPEPDのレベル、CD14のレベル、及びSELLのレベルを、対照試料中のPEPDのレベル、CD14のレベル、及びSELLのレベルと比較することとを含み、前記対象試料中のPEPDのレベル、CD14のレベル、及びSELLのレベルと前記対照試料中のPEPDのレベル、CD14のレベル、及びSELLのレベルとの差が、前記対象が活性なＴＢを有することを示す、前記方法。
(37)  活性な結核（ＴＢ）を有する対象における治療の有効性を監視する方法であって、
前記治療の開始前に、前記対象から得られた第１の試料中の、PEPDのレベル、CD14のレベル、及びSELLのレベルを測定することと；
前記治療の少なくとも一部が投与された後に前記対象から得られた第２の試料中の、PEPDのレベル、CD14のレベル、及びSELLのレベルを測定することと；
PEPDのレベル、CD14のレベル、及びSELLのレベルを前記第２の試料中のPEPDのレベル、CD14のレベル、及びSELLのレベルと比較することとを含み、前記第１の試料中のPEPDのレベル、CD14のレベル、及びSELLのレベルと前記第２の試料中のPEPDのレベル、CD14のレベル、及びSELLのレベルの差が、前記治療が有効であることを示す、前記方法。
(38)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、CD14のレベル及び／又は活性、並びにSELLのレベル及び／又は活性に与える影響を測定することと；
対照試料中の、PEPDのレベル及び／又は活性、CD14のレベル及び／又は活性、並びにSELLのレベル及び／又は活性と比較して、アリコート中のPEPDのレベル及び／又は活性、CD14のレベル、並びにSELLのレベルを調節する化合物のライブラリーのメンバーを選択し、それによって、活性なＴＢを有する対象を治療するために有用な化合物を同定することを含む、前記方法。
(39)  活性な結核（ＴＢ）を有する対象を治療する方法であって、PEPDのレベル及び／又は活性、CD14のレベル及び／又は活性、並びにSELLのレベル及び／又は活性を調節する剤の有効量を前記対象に投与し、それによって前記対象を治療することを含む、前記方法。
(40)  対象が活性な結核（ＴＢ）を有するか否かを決定する方法であって、
前記対象から得られた試料中の、PEPDのレベル、SEPP1のレベル、及びSELLのレベルを測定することと；
対象試料中のPEPDのレベル、SEPP1のレベル、及びSELLのレベルを、対照試料中のPEPDのレベル、SEPP1のレベル、及びSELLのレベルと比較することとを含み、前記対象試料中のPEPDのレベル、SEPP1のレベル、及びSELLのレベルと前記対照試料中のPEPDのレベル、SEPP1のレベル、及びSELLのレベルとの差が、前記対象が活性なＴＢを有することを示す、前記方法。
(41)  活性な結核（ＴＢ）を有する対象における治療の有効性を監視する方法であって、
前記治療の開始前に、前記対象から得られた第１の試料中の、PEPDのレベル、SEPP1のレベル、及びSELLのレベルを測定することと；
前記治療の少なくとも一部が投与された後に前記対象から得られた第２の試料中の、PEPDのレベル、SEPP1のレベル、及びSELLのレベルを測定することと；
PEPDのレベル、SEPP1のレベル、及びSELLのレベルを前記第２の試料中のPEPDのレベル、SEPP1のレベル、及びSELLのレベルと比較することとを含み、前記第１の試料中のPEPDのレベル、SEPP1のレベル、及びSELLのレベルと前記第２の試料中のPEPDのレベル、SEPP1のレベル、及びSELLのレベルの差が、前記治療が有効であることを示す、前記方法。
(42)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、SEPP1のレベル及び／又は活性、並びにSELLのレベル及び／又は活性に与える影響を測定することと；
対照試料中の、PEPDのレベル及び／又は活性、SEPP1のレベル及び／又は活性、並びにSELLのレベル及び／又は活性と比較して、アリコート中のPEPDのレベル及び／又は活性、SEPP1のレベル、並びにSELLのレベルを調節する化合物のライブラリーのメンバーを選択し、それによって、活性なＴＢを有する対象を治療するために有用な化合物を同定することを含む、前記方法。
(43)  活性な結核（ＴＢ）を有する対象を治療する方法であって、PEPDのレベル及び／又は活性、SEPP1のレベル及び／又は活性、並びにSELLのレベル及び／又は活性を調節する剤の有効量を前記対象に投与し、それによって前記対象を治療することを含む、前記方法。
(44)  対象が活性な結核（ＴＢ）を有するか否かを決定する方法であって、
前記対象から得られた試料中の、PEPDのレベル、LUMのレベル、及びSELLのレベルを測定することと；
対象試料中のPEPDのレベル、LUMのレベル、及びSELLのレベルを、対照試料中のPEPDのレベル、LUMのレベル、及びSELLのレベルと比較することとを含み、前記対象試料中のPEPDのレベル、LUMのレベル、及びSELLのレベルと前記対照試料中のPEPDのレベル、LUMのレベル、及びSELLのレベルとの差が、前記対象が活性なＴＢを有することを示す、前記方法。
(45)  活性な結核（ＴＢ）を有する対象における治療の有効性を監視する方法であって、
前記治療の開始前に、前記対象から得られた第１の試料中の、PEPDのレベル、LUMのレベル、及びSELLのレベルを測定することと；
前記治療の少なくとも一部が投与された後に前記対象から得られた第２の試料中の、PEPDのレベル、LUMのレベル、及びSELLのレベルを測定することと；
PEPDのレベル、LUMのレベル、及びSELLのレベルを前記第２の試料中のPEPDのレベル、LUMのレベル、及びSELLのレベルと比較することとを含み、前記第１の試料中のPEPDのレベル、LUMのレベル、及びSELLのレベルと前記第２の試料中のPEPDのレベル、LUMのレベル、及びSELLのレベルの差が、前記治療が有効であることを示す、前記方法。
(46)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPEPDのレベル及び／又は活性、LUMのレベル及び／又は活性、並びにSELLのレベル及び／又は活性に与える影響を測定することと；
対照試料中の、PEPDのレベル及び／又は活性、LUMのレベル及び／又は活性、並びにSELLのレベル及び／又は活性と比較して、アリコート中のPEPDのレベル及び／又は活性、LUMのレベル、並びにSELLのレベルを調節する化合物のライブラリーのメンバーを選択し、それによって、活性なＴＢを有する対象を治療するために有用な化合物を同定することを含む、前記方法。
(47)  活性な結核（ＴＢ）を有する対象を治療する方法であって、PEPDのレベル及び／又は活性、LUMのレベル及び／又は活性、並びにSELLのレベル及び／又は活性を調節する剤の有効量を前記対象に投与し、それによって前記対象を治療することを含む、前記方法。
(48)  対象が活性な結核（ＴＢ）を有するか否かを決定する方法であって、
前記対象から得られた試料中の、SEPP1のレベル、TNXBのレベル、及びSELLのレベルを測定することと；
対象試料中のSEPP1のレベル、TNXBのレベル、及びSELLのレベルを、対照試料中のSEPP1のレベル、TNXBのレベル、及びSELLのレベルと比較することとを含み、前記対象試料中のSEPP1のレベル、TNXBのレベル、及びSELLのレベルと前記対照試料中のSEPP1のレベル、TNXBのレベル、及びSELLのレベルとの差が、前記対象が活性なＴＢを有することを示す、前記方法。
(49)  活性な結核（ＴＢ）を有する対象における治療の有効性を監視する方法であって、
前記治療の開始前に、前記対象から得られた第１の試料中の、SEPP1のレベル、TNXBのレベル、及びSELLのレベルを測定することと；
前記治療の少なくとも一部が投与された後に前記対象から得られた第２の試料中の、SEPP1のレベル、TNXBのレベル、及びSELLのレベルを測定することと；
SEPP1のレベル、TNXBのレベル、及びSELLのレベルを前記第２の試料中のSEPP1のレベル、TNXBのレベル、及びSELLのレベルと比較することとを含み、前記第１の試料中のSEPP1のレベル、TNXBのレベル、及びSELLのレベルと前記第２の試料中のSEPP1のレベル、TNXBのレベル、及びSELLのレベルの差が、前記治療が有効であることを示す、前記方法。
(50)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のSEPP1のレベル及び／又は活性、TNXBのレベル及び／又は活性、並びにSELLのレベル及び／又は活性に与える影響を測定することと；
対照試料中の、SEPP1のレベル及び／又は活性、TNXBのレベル及び／又は活性、並びにSELLのレベル及び／又は活性と比較して、アリコート中のSEPP1のレベル及び／又は活性、TNXBのレベル、並びにSELLのレベルを調節する化合物のライブラリーのメンバーを選択し、それによって、活性なＴＢを有する対象を治療するために有用な化合物を同定することを含む、前記方法。
(51)  活性な結核（ＴＢ）を有する対象を治療する方法であって、SEPP1のレベル及び／又は活性、TNXBのレベル及び／又は活性、並びにSELLのレベル及び／又は活性を調節する剤の有効量を前記対象に投与し、それによって前記対象を治療することを含む、前記方法。
(52)  対象が活性な結核（ＴＢ）を有するか否かを決定する方法であって、
前記対象から得られた試料中の、APOC1のレベル、QSOX1のレベル、及びSELLのレベルを測定することと；
対象試料中のAPOC1のレベル、QSOX1のレベル、及びSELLのレベルを、対照試料中のAPOC1のレベル、QSOX1のレベル、及びSELLのレベルと比較することとを含み、前記対象試料中のAPOC1のレベル、QSOX1のレベル、及びSELLのレベルと前記対照試料中のAPOC1のレベル、QSOX1のレベル、及びSELLのレベルとの差が、前記対象が活性なＴＢを有することを示す、前記方法。
(53)  活性な結核（ＴＢ）を有する対象における治療の有効性を監視する方法であって、
前記治療の開始前に、前記対象から得られた第１の試料中の、APOC1のレベル、QSOX1のレベル、及びSELLのレベルを測定することと；
前記治療の少なくとも一部が投与された後に前記対象から得られた第２の試料中の、APOC1のレベル、QSOX1のレベル、及びSELLのレベルを測定することと；
APOC1のレベル、QSOX1のレベル、及びSELLのレベルを前記第２の試料中のAPOC1のレベル、QSOX1のレベル、及びSELLのレベルと比較することとを含み、前記第１の試料中のAPOC1のレベル、QSOX1のレベル、及びSELLのレベルと前記第２の試料中のAPOC1のレベル、QSOX1のレベル、及びSELLのレベルの差が、前記治療が有効であることを示す、前記方法。
(54)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のAPOC1のレベル及び／又は活性、QSOX1のレベル及び／又は活性、並びにSELLのレベル及び／又は活性に与える影響を測定することと；
対照試料中の、APOC1のレベル及び／又は活性、QSOX1のレベル及び／又は活性、並びにSELLのレベル及び／又は活性と比較して、アリコート中のAPOC1のレベル及び／又は活性、QSOX1のレベル、並びにSELLのレベルを調節する化合物のライブラリーのメンバーを選択し、それによって、活性なＴＢを有する対象を治療するために有用な化合物を同定することを含む、前記方法。
(55)  活性な結核（ＴＢ）を有する対象を治療する方法であって、APOC1のレベル及び／又は活性、QSOX1のレベル及び／又は活性、並びにSELLのレベル及び／又は活性を調節する剤の有効量を前記対象に投与し、それによって前記対象を治療することを含む、前記方法。
(56)  対象が活性な結核（ＴＢ）を有するか否かを決定する方法であって、
前記対象から得られた試料中の、TNXBのレベル、QSOX1のレベル、及びSELLのレベルを測定することと；
対象試料中のTNXBのレベル、QSOX1のレベル、及びSELLのレベルを、対照試料中のTNXBのレベル、QSOX1のレベル、及びSELLのレベルと比較することとを含み、前記対象試料中のTNXBのレベル、QSOX1のレベル、及びSELLのレベルと前記対照試料中のTNXBのレベル、QSOX1のレベル、及びSELLのレベルとの差が、前記対象が活性なＴＢを有することを示す、前記方法。
(57)  活性な結核（ＴＢ）を有する対象における治療の有効性を監視する方法であって、  前記治療の開始前に、前記対象から得られた第１の試料中の、TNXBのレベル、QSOX1のレベル、及びSELLのレベルを測定することと；
前記治療の少なくとも一部が投与された後に前記対象から得られた第２の試料中の、TNXBのレベル、QSOX1のレベル、及びSELLのレベルを測定することと；
TNXBのレベル、QSOX1のレベル、及びSELLのレベルを前記第２の試料中のTNXBのレベル、QSOX1のレベル、及びSELLのレベルと比較することとを含み、前記第１の試料中のTNXBのレベル、QSOX1のレベル、及びSELLのレベルと前記第２の試料中のTNXBのレベル、QSOX1のレベル、及びSELLのレベルの差が、前記治療が有効であることを示す、前記方法。
(58)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のTNXBのレベル及び／又は活性、QSOX1のレベル及び／又は活性、並びにSELLのレベル及び／又は活性に与える影響を測定することと；
対照試料中の、TNXBのレベル及び／又は活性、QSOX1のレベル及び／又は活性、並びにSELLのレベル及び／又は活性と比較して、アリコート中のTNXBのレベル及び／又は活性、QSOX1のレベル、並びにSELLのレベルを調節する化合物のライブラリーのメンバーを選択し、それによって、活性なＴＢを有する対象を治療するために有用な化合物を同定することを含む、前記方法。
(59)  活性な結核（ＴＢ）を有する対象を治療する方法であって、TNXBのレベル及び／又は活性、QSOX1のレベル及び／又は活性、並びにSELLのレベル及び／又は活性を調節する剤の有効量を前記対象に投与し、それによって前記対象を治療することを含む、前記方法。
(60)  対象が活性な結核（ＴＢ）を有するか否かを決定する方法であって、
前記対象から得られた試料中の、COMPのレベル、SEPP1のレベル、及びSELLのレベルを測定することと；
対象試料中のCOMPのレベル、SEPP1のレベル、及びSELLのレベルを、対照試料中のCOMPのレベル、SEPP1のレベル、及びSELLのレベルと比較することとを含み、前記対象試料中のCOMPのレベル、SEPP1のレベル、及びSELLのレベルと前記対照試料中のCOMPのレベル、SEPP1のレベル、及びSELLのレベルとの差が、前記対象が活性なＴＢを有することを示す、前記方法。
(61)  活性な結核（ＴＢ）を有する対象における治療の有効性を監視する方法であって、  前記治療の開始前に、前記対象から得られた第１の試料中の、COMPのレベル、SEPP1のレベル、及びSELLのレベルを測定することと；
前記治療の少なくとも一部が投与された後に前記対象から得られた第２の試料中の、COMPのレベル、SEPP1のレベル、及びSELLのレベルを測定することと；
COMPのレベル、SEPP1のレベル、及びSELLのレベルを前記第２の試料中のCOMPのレベル、SEPP1のレベル、及びSELLのレベルと比較することとを含み、前記第１の試料中のCOMPのレベル、SEPP1のレベル、及びSELLのレベルと前記第２の試料中のCOMPのレベル、SEPP1のレベル、及びSELLのレベルの差が、前記治療が有効であることを示す、前記方法。
(62)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のCOMPのレベル及び／又は活性、SEPP1のレベル及び／又は活性、並びにSELLのレベル及び／又は活性に与える影響を測定することと；
対照試料中の、COMPのレベル及び／又は活性、SEPP1のレベル及び／又は活性、並びにSELLのレベル及び／又は活性と比較して、アリコート中のCOMPのレベル及び／又は活性、SEPP1のレベル、並びにSELLのレベルを調節する化合物のライブラリーのメンバーを選択し、それによって、活性なＴＢを有する対象を治療するために有用な化合物を同定することを含む、前記方法。
(63)  活性な結核（ＴＢ）を有する対象を治療する方法であって、COMPのレベル及び／又は活性、SEPP1のレベル及び／又は活性、並びにSELLのレベル及び／又は活性を調節する剤の有効量を前記対象に投与し、それによって前記対象を治療することを含む、前記方法。
(64)  対象が活性な結核（ＴＢ）を有するか否かを決定する方法であって、
前記対象から得られた試料中の、LUMのレベル、SEPP1のレベル、及びSELLのレベルを測定することと；
対象試料中のLUMのレベル、SEPP1のレベル、及びSELLのレベルを、対照試料中のLUMのレベル、SEPP1のレベル、及びSELLのレベルと比較することとを含み、前記対象試料中のLUMのレベル、SEPP1のレベル、及びSELLのレベルと前記対照試料中のLUMのレベル、SEPP1のレベル、及びSELLのレベルとの差が、前記対象が活性なＴＢを有することを示す、前記方法。
(65)  活性な結核（ＴＢ）を有する対象における治療の有効性を監視する方法であって、
前記治療の開始前に、前記対象から得られた第１の試料中の、LUMのレベル、SEPP1のレベル、及びSELLのレベルを測定することと；
前記治療の少なくとも一部が投与された後に前記対象から得られた第２の試料中の、LUMのレベル、SEPP1のレベル、及びSELLのレベルを測定することと；
LUMのレベル、SEPP1のレベル、及びSELLのレベルを前記第２の試料中のLUMのレベル、SEPP1のレベル、及びSELLのレベルと比較することとを含み、前記第１の試料中のLUMのレベル、SEPP1のレベル、及びSELLのレベルと前記第２の試料中のLUMのレベル、SEPP1のレベル、及びSELLのレベルの差が、前記治療が有効であることを示す、前記方法。
(66)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のLUMのレベル及び／又は活性、SEPP1のレベル及び／又は活性、並びにSELLのレベル及び／又は活性に与える影響を測定することと；
対照試料中の、LUMのレベル及び／又は活性、SEPP1のレベル及び／又は活性、並びにSELLのレベル及び／又は活性と比較して、アリコート中のLUMのレベル及び／又は活性、SEPP1のレベル、並びにSELLのレベルを調節する化合物のライブラリーのメンバーを選択し、それによって、活性なＴＢを有する対象を治療するために有用な化合物を同定することを含む、前記方法。
(67)  活性な結核（ＴＢ）を有する対象を治療する方法であって、LUMのレベル及び／又は活性、SEPP1のレベル及び／又は活性、並びにSELLのレベル及び／又は活性を調節する剤の有効量を前記対象に投与し、それによって前記対象を治療することを含む、前記方法。
(68)  対象が活性な結核（ＴＢ）を有するか否かを決定する方法であって、
前記対象から得られた試料中の、QSOX1のレベル、SEPP1のレベル、及びSELLのレベルを測定することと；
対象試料中のQSOX1のレベル、SEPP1のレベル、及びSELLのレベルを、対照試料中のQSOX1のレベル、SEPP1のレベル、及びSELLのレベルと比較することとを含み、前記対象試料中のQSOX1のレベル、SEPP1のレベル、及びSELLのレベルと前記対照試料中のQSOX1のレベル、SEPP1のレベル、及びSELLのレベルとの差が、前記対象が活性なＴＢを有することを示す、前記方法。
(69)  活性な結核（ＴＢ）を有する対象における治療の有効性を監視する方法であって、
前記治療の開始前に、前記対象から得られた第１の試料中の、QSOX1のレベル、SEPP1のレベル、及びSELLのレベルを測定することと；
前記治療の少なくとも一部が投与された後に前記対象から得られた第２の試料中の、QSOX1のレベル、SEPP1のレベル、及びSELLのレベルを測定することと；
QSOX1のレベル、SEPP1のレベル、及びSELLのレベルを前記第２の試料中のQSOX1のレベル、SEPP1のレベル、及びSELLのレベルと比較することとを含み、前記第１の試料中のQSOX1のレベル、SEPP1のレベル、及びSELLのレベルと前記第２の試料中のQSOX1のレベル、SEPP1のレベル、及びSELLのレベルの差が、前記治療が有効であることを示す、前記方法。
(70)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のQSOX1のレベル及び／又は活性、SEPP1のレベル及び／又は活性、並びにSELLのレベル及び／又は活性に与える影響を測定することと；
対照試料中の、QSOX1のレベル及び／又は活性、SEPP1のレベル及び／又は活性、並びにSELLのレベル及び／又は活性と比較して、アリコート中のQSOX1のレベル及び／又は活性、SEPP1のレベル、並びにSELLのレベルを調節する化合物のライブラリーのメンバーを選択し、それによって、活性なＴＢを有する対象を治療するために有用な化合物を同定することを含む、前記方法。
(71)  活性な結核（ＴＢ）を有する対象を治療する方法であって、QSOX1のレベル及び／又は活性、SEPP1のレベル及び／又は活性、並びにSELLのレベル及び／又は活性を調節する剤の有効量を前記対象に投与し、それによって前記対象を治療することを含む、前記方法。
(72)  対象が活性な結核（ＴＢ）を有するか否かを決定する方法であって、
前記対象から得られた試料中の、APOC1のレベル、CD14のレベル、及びPEPDのレベルを測定することと；
対象試料中のAPOC1のレベル、CD14のレベル、及びPEPDのレベルを、対照試料中のAPOC1のレベル、CD14のレベル、及びPEPDのレベルと比較することとを含み、前記対象試料中のAPOC1のレベル、CD14のレベル、及びPEPDのレベルと前記対照試料中のAPOC1のレベル、CD14のレベル、及びPEPDのレベルとの差が、前記対象が活性なＴＢを有することを示す、前記方法。
(73)  活性な結核（ＴＢ）を有する対象における治療の有効性を監視する方法であって、
前記治療の開始前に、前記対象から得られた第１の試料中の、APOC1のレベル、CD14のレベル、及びPEPDのレベルを測定することと；
前記治療の少なくとも一部が投与された後に前記対象から得られた第２の試料中の、APOC1のレベル、CD14のレベル、及びPEPDのレベルを測定することと；
APOC1のレベル、CD14のレベル、及びPEPDのレベルを前記第２の試料中のAPOC1のレベル、CD14のレベル、及びPEPDのレベルと比較することとを含み、前記第１の試料中のAPOC1のレベル、CD14のレベル、及びPEPDのレベルと前記第２の試料中のAPOC1のレベル、CD14のレベル、及びPEPDのレベルの差が、前記治療が有効であることを示す、前記方法。
(74)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のAPOC1のレベル及び／又は活性、CD14のレベル及び／又は活性、並びにPEPDのレベル及び／又は活性に与える影響を測定することと；
対照試料中の、APOC1のレベル及び／又は活性、CD14のレベル及び／又は活性、並びにPEPDのレベル及び／又は活性と比較して、アリコート中のAPOC1のレベル及び／又は活性、CD14のレベル、並びにPEPDのレベルを調節する化合物のライブラリーのメンバーを選択し、それによって、活性なＴＢを有する対象を治療するために有用な化合物を同定することを含む、前記方法。
(75)  活性な結核（ＴＢ）を有する対象を治療する方法であって、APOC1のレベル及び／又は活性、CD14のレベル及び／又は活性、並びにPEPDのレベル及び／又は活性を調節する剤の有効量を前記対象に投与し、それによって前記対象を治療することを含む、前記方法。
(76)  対象が活性な結核（ＴＢ）を有するか否かを決定する方法であって、
前記対象から得られた試料中の、APOC1のレベル、COMPのレベル、及びSELLのレベルを測定することと；
対象試料中のAPOC1のレベル、COMPのレベル、及びSELLのレベルを、対照試料中のAPOC1のレベル、COMPのレベル、及びSELLのレベルと比較することとを含み、前記対象試料中のAPOC1のレベル、COMPのレベル、及びSELLのレベルと前記対照試料中のAPOC1のレベル、COMPのレベル、及びSELLのレベルとの差が、前記対象が活性なＴＢを有することを示す、前記方法。
(77)  活性な結核（ＴＢ）を有する対象における治療の有効性を監視する方法であって、
前記治療の開始前に、前記対象から得られた第１の試料中の、APOC1のレベル、COMPのレベル、及びSELLのレベルを測定することと；
前記治療の少なくとも一部が投与された後に前記対象から得られた第２の試料中の、APOC1のレベル、COMPのレベル、及びSELLのレベルを測定することと；
APOC1のレベル、COMPのレベル、及びSELLのレベルを前記第２の試料中のAPOC1のレベル、COMPのレベル、及びSELLのレベルと比較することとを含み、前記第１の試料中のAPOC1のレベル、COMPのレベル、及びSELLのレベルと前記第２の試料中のAPOC1のレベル、COMPのレベル、及びSELLのレベルの差が、前記治療が有効であることを示す、前記方法。
(78)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のAPOC1のレベル及び／又は活性、COMPのレベル及び／又は活性、並びにSELLのレベル及び／又は活性に与える影響を測定することと；
対照試料中の、APOC1のレベル及び／又は活性、COMPのレベル及び／又は活性、並びにSELLのレベル及び／又は活性と比較して、アリコート中のAPOC1のレベル及び／又は活性、COMPのレベル、並びにSELLのレベルを調節する化合物のライブラリーのメンバーを選択し、それによって、活性なＴＢを有する対象を治療するために有用な化合物を同定することを含む、前記方法。
(79)  活性な結核（ＴＢ）を有する対象を治療する方法であって、APOC1のレベル及び／又は活性、COMPのレベル及び／又は活性、並びにSELLのレベル及び／又は活性を調節する剤の有効量を前記対象に投与し、それによって前記対象を治療することを含む、前記方法。
(80)  対象が活性な結核（ＴＢ）を有するか否かを決定する方法であって、
前記対象から得られた試料中の、APOC1のレベル、CD14のレベル、及びQSOX1のレベルを測定することと；
対象試料中のAPOC1のレベル、CD14のレベル、及びQSOX1のレベルを、対照試料中のAPOC1のレベル、CD14のレベル、及びQSOX1のレベルと比較することとを含み、前記対象試料中のAPOC1のレベル、CD14のレベル、及びQSOX1のレベルと前記対照試料中のAPOC1のレベル、CD14のレベル、及びQSOX1のレベルとの差が、前記対象が活性なＴＢを有することを示す、前記方法。
(81)  活性な結核（ＴＢ）を有する対象における治療の有効性を監視する方法であって、
前記治療の開始前に、前記対象から得られた第１の試料中の、APOC1のレベル、CD14のレベル、及びQSOX1のレベルを測定することと；
前記治療の少なくとも一部が投与された後に前記対象から得られた第２の試料中の、APOC1のレベル、CD14のレベル、及びQSOX1のレベルを測定することと；
APOC1のレベル、CD14のレベル、及びQSOX1のレベルを前記第２の試料中のAPOC1のレベル、CD14のレベル、及びQSOX1のレベルと比較することとを含み、前記第１の試料中のAPOC1のレベル、CD14のレベル、及びQSOX1のレベルと前記第２の試料中のAPOC1のレベル、CD14のレベル、及びQSOX1のレベルの差が、前記治療が有効であることを示す、前記方法。
(82)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のAPOC1のレベル及び／又は活性、CD14のレベル及び／又は活性、並びにQSOX1のレベル及び／又は活性に与える影響を測定することと；
対照試料中の、APOC1のレベル及び／又は活性、CD14のレベル及び／又は活性、並びにQSOX1のレベル及び／又は活性と比較して、アリコート中のAPOC1のレベル及び／又は活性、CD14のレベル、並びにQSOX1のレベルを調節する化合物のライブラリーのメンバーを選択し、それによって、活性なＴＢを有する対象を治療するために有用な化合物を同定することを含む、前記方法。
(83)  活性な結核（ＴＢ）を有する対象を治療する方法であって、APOC1のレベル及び／又は活性、CD14のレベル及び／又は活性、並びにQSOX1のレベル及び／又は活性を調節する剤の有効量を前記対象に投与し、それによって前記対象を治療することを含む、前記方法。
(84)  対象が活性な結核（ＴＢ）を有するか否かを決定する方法であって、
前記対象から得られた試料中の、APOC1のレベル、PEPDのレベル、及びSELLのレベルを測定することと；
対象試料中のAPOC1のレベル、PEPDのレベル、及びSELLのレベルを、対照試料中のAPOC1のレベル、PEPDのレベル、及びSELLのレベルと比較することとを含み、前記対象試料中のAPOC1のレベル、PEPDのレベル、及びSELLのレベルと前記対照試料中のAPOC1のレベル、PEPDのレベル、及びSELLのレベルとの差が、前記対象が活性なＴＢを有することを示す、前記方法。
(85)  活性な結核（ＴＢ）を有する対象における治療の有効性を監視する方法であって、
前記治療の開始前に、前記対象から得られた第１の試料中の、APOC1のレベル、PEPDのレベル、及びSELLのレベルを測定することと；
前記治療の少なくとも一部が投与された後に前記対象から得られた第２の試料中の、APOC1のレベル、PEPDのレベル、及びSELLのレベルを測定することと；
APOC1のレベル、PEPDのレベル、及びSELLのレベルを前記第２の試料中のAPOC1のレベル、PEPDのレベル、及びSELLのレベルと比較することとを含み、前記第１の試料中のAPOC1のレベル、PEPDのレベル、及びSELLのレベルと前記第２の試料中のAPOC1のレベル、PEPDのレベル、及びSELLのレベルの差が、前記治療が有効であることを示す、前記方法。
(86)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のAPOC1のレベル及び／又は活性、PEPDのレベル及び／又は活性、並びにSELLのレベル及び／又は活性に与える影響を測定することと；
対照試料中の、APOC1のレベル及び／又は活性、PEPDのレベル及び／又は活性、並びにSELLのレベル及び／又は活性と比較して、アリコート中のAPOC1のレベル及び／又は活性、PEPDのレベル、並びにSELLのレベルを調節する化合物のライブラリーのメンバーを選択し、それによって、活性なＴＢを有する対象を治療するために有用な化合物を同定することを含む、前記方法。
(87)  活性な結核（ＴＢ）を有する対象を治療する方法であって、APOC1のレベル及び／又は活性、PEPDのレベル及び／又は活性、並びにSELLのレベル及び／又は活性を調節する剤の有効量を前記対象に投与し、それによって前記対象を治療することを含む、前記方法。
(88)  対象が活性な結核（ＴＢ）を有するか否かを決定する方法であって、
前記対象から得られた試料中の、CD14のレベル、APOEのレベル、及びSELLのレベルを測定することと；
対象試料中のCD14のレベル、APOEのレベル、及びSELLのレベルを、対照試料中のCD14のレベル、APOEのレベル、及びSELLのレベルと比較することとを含み、前記対象試料中のCD14のレベル、APOEのレベル、及びSELLのレベルと前記対照試料中のCD14のレベル、APOEのレベル、及びSELLのレベルとの差が、前記対象が活性なＴＢを有することを示す、前記方法。
(89)  活性な結核（ＴＢ）を有する対象における治療の有効性を監視する方法であって、
前記治療の開始前に、前記対象から得られた第１の試料中の、CD14のレベル、APOEのレベル、及びSELLのレベルを測定することと；
前記治療の少なくとも一部が投与された後に前記対象から得られた第２の試料中の、CD14のレベル、APOEのレベル、及びSELLのレベルを測定することと；
CD14のレベル、APOEのレベル、及びSELLのレベルを前記第２の試料中のCD14のレベル、APOEのレベル、及びSELLのレベルと比較することとを含み、前記第１の試料中のCD14のレベル、APOEのレベル、及びSELLのレベルと前記第２の試料中のCD14のレベル、APOEのレベル、及びSELLのレベルの差が、前記治療が有効であることを示す、前記方法。
(90)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のCD14のレベル及び／又は活性、APOEのレベル及び／又は活性、並びにSELLのレベル及び／又は活性に与える影響を測定することと；
対照試料中の、CD14のレベル及び／又は活性、APOEのレベル及び／又は活性、並びにSELLのレベル及び／又は活性と比較して、アリコート中のCD14のレベル及び／又は活性、APOEのレベル、並びにSELLのレベルを調節する化合物のライブラリーのメンバーを選択し、それによって、活性なＴＢを有する対象を治療するために有用な化合物を同定することを含む、前記方法。
(91)  活性な結核（ＴＢ）を有する対象を治療する方法であって、CD14のレベル及び／又は活性、APOEのレベル及び／又は活性、並びにSELLのレベル及び／又は活性を調節する剤の有効量を前記対象に投与し、それによって前記対象を治療することを含む、前記方法。
(92)  対象が活性な結核（ＴＢ）を有するか否かを決定する方法であって、
前記対象から得られた試料中の、GP1BAのレベル、PEPDのレベル、SELLのレベル、及びTNXBのレベルを測定することと；
対象試料中のGP1BAのレベル、PEPDのレベル、SELLのレベル、及びTNXBのレベルを、対照試料中のGP1BAのレベル、PEPDのレベル、SELLのレベル、及びTNXBのレベルと比較することとを含み、前記対象試料中のGP1BAのレベル、PEPDのレベル、SELLのレベル、及びTNXBのレベルと前記対照試料中のGP1BAのレベル、PEPDのレベル、SELLのレベル、及びTNXBのレベルとの差が、前記対象が活性なＴＢを有することを示す、前記方法。
(93)  活性な結核（ＴＢ）を有する対象における治療の有効性を監視する方法であって、
前記治療の開始前に、前記対象から得られた第１の試料中の、GP1BAのレベル、PEPDのレベル、SELLのレベル、及びTNXBのレベルを測定することと；
前記治療の少なくとも一部が投与された後に前記対象から得られた第２の試料中の、GP1BAのレベル、PEPDのレベル、SELLのレベル、及びTNXBのレベルを測定することと；
前記第１の試料中のGP1BAのレベル、PEPDのレベル、SELLのレベル、及びTNXBのレベルを前記第２の試料中のGP1BAのレベル、PEPDのレベル、SELLのレベル、及びTNXBのレベルと比較することとを含み、前記第１の試料中のGP1BAのレベル、PEPDのレベル、SELLのレベル、及びTNXBのレベルと前記第２の試料中のGP1BAのレベル、PEPDのレベル、SELLのレベル、及びTNXBのレベルの差が、前記治療が有効であることを示す、前記方法。
(94)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、PEPDのレベル及び／又は活性、SELLのレベル及び／又は活性、並びにTNXBのレベル及び／又は活性に与える影響を測定することと；
対照試料中の、GP1BAのレベル及び／又は活性、PEPDのレベル及び／又は活性、SELLのレベル及び／又は活性、並びにTNXBのレベル及び／又は活性と比較して、アリコート中のGP1BAのレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(95)  活性な結核（ＴＢ）を有する対象を治療する方法であって、GP1BAの発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(96)  対象が活性な結核（ＴＢ）を有するか否かを決定する方法であって、
前記対象から得られた試料中の、COMPのレベル、PEPDのレベル、SELLのレベル、及びTNXBのレベルを測定することと；
対象試料中のCOMPのレベル、PEPDのレベル、SELLのレベル、及びTNXBのレベルを、対照試料中のCOMPのレベル、PEPDのレベル、SELLのレベル、及びTNXBのレベルと比較することとを含み、前記対象試料中のCOMPのレベル、PEPDのレベル、SELLのレベル、及びTNXBのレベルと前記対照試料中のCOMPのレベル、PEPDのレベル、SELLのレベル、及びTNXBのレベルとの差が、前記対象が活性なＴＢを有することを示す、前記方法。
(97)  活性な結核（ＴＢ）を有する対象における治療の有効性を監視する方法であって、
前記治療の開始前に、前記対象から得られた第１の試料中の、COMPのレベル、PEPDのレベル、SELLのレベル、及びTNXBのレベルを測定することと；
前記治療の少なくとも一部が投与された後に前記対象から得られた第２の試料中の、COMPのレベル、PEPDのレベル、SELLのレベル、及びTNXBのレベルを測定することと；
前記第１の試料中のCOMPのレベル、PEPDのレベル、SELLのレベル、及びTNXBのレベルを前記第２の試料中のCOMPのレベル、PEPDのレベル、SELLのレベル、及びTNXBのレベルと比較することとを含み、前記第１の試料中のCOMPのレベル、PEPDのレベル、SELLのレベル、及びTNXBのレベルと前記第２の試料中のCOMPのレベル、PEPDのレベル、SELLのレベル、及びTNXBのレベルの差が、前記治療が有効であることを示す、前記方法。
(98)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、SELLのレベル及び／又は活性、並びにTNXBのレベル及び／又は活性に与える影響を測定することと；
対照試料中の、COMPのレベル及び／又は活性、PEPDのレベル及び／又は活性、SELLのレベル及び／又は活性、並びにTNXBのレベル及び／又は活性と比較して、アリコート中のCOMPのレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(99)  活性な結核（ＴＢ）を有する対象を治療する方法であって、COMPの発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(100)  対象が活性な結核（ＴＢ）を有するか否かを決定する方法であって、
前記対象から得られた試料中の、COMPのレベル、PEPDのレベル、SELLのレベル、及びQSOX1のレベルを測定することと；
対象試料中のCOMPのレベル、PEPDのレベル、SELLのレベル、及びQSOX1のレベルを、対照試料中のCOMPのレベル、PEPDのレベル、SELLのレベル、及びQSOX1のレベルと比較することとを含み、前記対象試料中のCOMPのレベル、PEPDのレベル、SELLのレベル、及びQSOX1のレベルと前記対照試料中のCOMPのレベル、PEPDのレベル、SELLのレベル、及びQSOX1のレベルとの差が、前記対象が活性なＴＢを有することを示す、前記方法。
(101)  活性な結核（ＴＢ）を有する対象における治療の有効性を監視する方法であって、
前記治療の開始前に、前記対象から得られた第１の試料中の、COMPのレベル、PEPDのレベル、SELLのレベル、及びQSOX1のレベルを測定することと；
前記治療の少なくとも一部が投与された後に前記対象から得られた第２の試料中の、COMPのレベル、PEPDのレベル、SELLのレベル、及びQSOX1のレベルを測定することと；
前記第１の試料中のCOMPのレベル、PEPDのレベル、SELLのレベル、及びQSOX1のレベルを前記第２の試料中のCOMPのレベル、PEPDのレベル、SELLのレベル、及びQSOX1のレベルと比較することとを含み、前記第１の試料中のCOMPのレベル、PEPDのレベル、SELLのレベル、及びQSOX1のレベルと前記第２の試料中のCOMPのレベル、PEPDのレベル、SELLのレベル、及びQSOX1のレベルの差が、前記治療が有効であることを示す、前記方法。
(102)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、SELLのレベル及び／又は活性、並びにQSOX1のレベル及び／又は活性に与える影響を測定することと；
対照試料中の、COMPのレベル及び／又は活性、PEPDのレベル及び／又は活性、SELLのレベル及び／又は活性、並びにQSOX1のレベル及び／又は活性と比較して、アリコート中のCOMPのレベル及び／又は活性、PEPDのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(103)  活性な結核（ＴＢ）を有する対象を治療する方法であって、COMPの発現及び／又は活性、PEPDのレベル及び／又は活性、SELLのレベル及び／又は活性、並びにQSOX1のレベル及び／又は活性を調節する剤の有効量を前記対象に投与し、それによって前記対象を治療することを含む、前記方法。
(104)  対象が活性な結核（ＴＢ）を有するか否かを決定する方法であって、
前記対象から得られた試料中の、COMPのレベル、PEPDのレベル、SELLのレベル、及びLUMのレベルを測定することと；
対象試料中のCOMPのレベル、PEPDのレベル、SELLのレベル、及びLUMのレベルを、対照試料中のCOMPのレベル、PEPDのレベル、SELLのレベル、及びLUMのレベルと比較することとを含み、前記対象試料中のCOMPのレベル、PEPDのレベル、SELLのレベル、及びLUMのレベルと前記対照試料中のCOMPのレベル、PEPDのレベル、SELLのレベル、及びLUMのレベルとの差が、前記対象が活性なＴＢを有することを示す、前記方法。
(105)  活性な結核（ＴＢ）を有する対象における治療の有効性を監視する方法であって、
前記治療の開始前に、前記対象から得られた第１の試料中の、COMPのレベル、PEPDのレベル、SELLのレベル、及びLUMのレベルを測定することと；
前記治療の少なくとも一部が投与された後に前記対象から得られた第２の試料中の、COMPのレベル、PEPDのレベル、SELLのレベル、及びLUMのレベルを測定することと；
前記第１の試料中のCOMPのレベル、PEPDのレベル、SELLのレベル、及びLUMのレベルを前記第２の試料中のCOMPのレベル、PEPDのレベル、SELLのレベル、及びLUMのレベルと比較することとを含み、前記第１の試料中のCOMPのレベル、PEPDのレベル、SELLのレベル、及びLUMのレベルと前記第２の試料中のCOMPのレベル、PEPDのレベル、SELLのレベル、及びLUMのレベルの差が、前記治療が有効であることを示す、前記方法。
(106)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、SELLのレベル及び／又は活性、並びにLUMのレベル及び／又は活性に与える影響を測定することと；
対照試料中の、COMPのレベル及び／又は活性、PEPDのレベル及び／又は活性、SELLのレベル及び／又は活性、並びにLUMのレベル及び／又は活性と比較して、アリコート中のCOMPのレベル及び／又は活性、PEPDのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(107)  活性な結核（ＴＢ）を有する対象を治療する方法であって、COMPの発現及び／又は活性、PEPDのレベル及び／又は活性、SELLのレベル及び／又は活性、並びにLUMのレベル及び／又は活性を調節する剤の有効量を前記対象に投与し、それによって前記対象を治療することを含む、前記方法。
(108)  対象が活性な結核（ＴＢ）を有するか否かを決定する方法であって、
前記対象から得られた試料中の、CD14のレベル、PEPDのレベル、SELLのレベル、及びTNXBのレベルを測定することと；
対象試料中のCD14のレベル、PEPDのレベル、SELLのレベル、及びTNXBのレベルを、対照試料中のCD14のレベル、PEPDのレベル、SELLのレベル、及びTNXBのレベルと比較することとを含み、前記対象試料中のCD14のレベル、PEPDのレベル、SELLのレベル、及びTNXBのレベルと前記対照試料中のCD14のレベル、PEPDのレベル、SELLのレベル、及びTNXBのレベルとの差が、前記対象が活性なＴＢを有することを示す、前記方法。
(109)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びTNXBのレベルを測定することと；
前記治療の少なくとも一部が投与された後に前記対象から得られた第２の試料中の、CD14のレベル、PEPDのレベル、SELLのレベル、及びTNXBのレベルを測定することと；
前記第１の試料中のCD14のレベル、PEPDのレベル、SELLのレベル、及びTNXBのレベルを前記第２の試料中のCD14のレベル、PEPDのレベル、SELLのレベル、及びTNXBのレベルと比較することとを含み、前記第１の試料中のCD14のレベル、PEPDのレベル、SELLのレベル、及びTNXBのレベルと前記第２の試料中のCD14のレベル、PEPDのレベル、SELLのレベル、及びTNXBのレベルの差が、前記治療が有効であることを示す、前記方法。
(110)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにTNXBのレベル及び／又は活性に与える影響を測定することと；
対照試料中の、CD14のレベル及び／又は活性、PEPDのレベル及び／又は活性、SELLのレベル及び／又は活性、並びにTNXBのレベル及び／又は活性と比較して、アリコート中のCD14のレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(111)  活性な結核（ＴＢ）を有する対象を治療する方法であって、CD14の発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(112)  対象が活性な結核（ＴＢ）を有するか否かを決定する方法であって、
前記対象から得られた試料中の、CD14のレベル、PEPDのレベル、SELLのレベル、及びSEPP1のレベルを測定することと；
対象試料中のCD14のレベル、PEPDのレベル、SELLのレベル、及びSEPP1のレベルを、対照試料中のCD14のレベル、PEPDのレベル、SELLのレベル、及びSEPP1のレベルと比較することとを含み、前記対象試料中のCD14のレベル、PEPDのレベル、SELLのレベル、及びSEPP1のレベルと前記対照試料中のCD14のレベル、PEPDのレベル、SELLのレベル、及びSEPP1のレベルとの差が、前記対象が活性なＴＢを有することを示す、前記方法。
(113)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びSEPP1のレベルを測定することと；
前記治療の少なくとも一部が投与された後に前記対象から得られた第２の試料中の、CD14のレベル、PEPDのレベル、SELLのレベル、及びSEPP1のレベルを測定することと；
前記第１の試料中のCD14のレベル、PEPDのレベル、SELLのレベル、及びSEPP1のレベルを前記第２の試料中のCD14のレベル、PEPDのレベル、SELLのレベル、及びSEPP1のレベルと比較することとを含み、前記第１の試料中のCD14のレベル、PEPDのレベル、SELLのレベル、及びSEPP1のレベルと前記第２の試料中のCD14のレベル、PEPDのレベル、SELLのレベル、及びSEPP1のレベルの差が、前記治療が有効であることを示す、前記方法。
(114)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにSEPP1のレベル及び／又は活性に与える影響を測定することと；
対照試料中の、CD14のレベル及び／又は活性、PEPDのレベル及び／又は活性、SELLのレベル及び／又は活性、並びにSEPP1のレベル及び／又は活性と比較して、アリコート中のCD14のレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(115)  活性な結核（ＴＢ）を有する対象を治療する方法であって、CD14の発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(116)  対象が活性な結核（ＴＢ）を有するか否かを決定する方法であって、
前記対象から得られた試料中の、CD14のレベル、PEPDのレベル、SELLのレベル、及びQSOX1のレベルを測定することと；
対象試料中のCD14のレベル、PEPDのレベル、SELLのレベル、及びQSOX1のレベルを、対照試料中のCD14のレベル、PEPDのレベル、SELLのレベル、及びQSOX1のレベルと比較することとを含み、前記対象試料中のCD14のレベル、PEPDのレベル、SELLのレベル、及びQSOX1のレベルと前記対照試料中のCD14のレベル、PEPDのレベル、SELLのレベル、及びQSOX1のレベルとの差が、前記対象が活性なＴＢを有することを示す、前記方法。
(117)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びQSOX1のレベルを測定することと；
前記治療の少なくとも一部が投与された後に前記対象から得られた第２の試料中の、CD14のレベル、PEPDのレベル、SELLのレベル、及びQSOX1のレベルを測定することと；
前記第１の試料中のCD14のレベル、PEPDのレベル、SELLのレベル、及びQSOX1のレベルを前記第２の試料中のCD14のレベル、PEPDのレベル、SELLのレベル、及びQSOX1のレベルと比較することとを含み、前記第１の試料中のCD14のレベル、PEPDのレベル、SELLのレベル、及びQSOX1のレベルと前記第２の試料中のCD14のレベル、PEPDのレベル、SELLのレベル、及びQSOX1のレベルの差が、前記治療が有効であることを示す、前記方法。
(118)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにQSOX1のレベル及び／又は活性に与える影響を測定することと；
対照試料中の、CD14のレベル及び／又は活性、PEPDのレベル及び／又は活性、SELLのレベル及び／又は活性、並びにQSOX1のレベル及び／又は活性と比較して、アリコート中のCD14のレベル及び／又は活性、PEPDのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(119)  活性な結核（ＴＢ）を有する対象を治療する方法であって、CD14の発現及び／又は活性、PEPDのレベル及び／又は活性、SELLのレベル及び／又は活性、並びにQSOX1のレベル及び／又は活性を調節する剤の有効量を前記対象に投与し、それによって前記対象を治療することを含む、前記方法。
(120)  対象が活性な結核（ＴＢ）を有するか否かを決定する方法であって、
前記対象から得られた試料中の、COMPのレベル、PEPDのレベル、SELLのレベル、及びGP1BAのレベルを測定することと；
対象試料中のCOMPのレベル、PEPDのレベル、SELLのレベル、及びGP1BAのレベルを、対照試料中のCOMPのレベル、PEPDのレベル、SELLのレベル、及びGP1BAのレベルと比較することとを含み、前記対象試料中のCOMPのレベル、PEPDのレベル、SELLのレベル、及びGP1BAのレベルと前記対照試料中のCOMPのレベル、PEPDのレベル、SELLのレベル、及びGP1BAのレベルとの差が、前記対象が活性なＴＢを有することを示す、前記方法。
(121)  活性な結核（ＴＢ）を有する対象における治療の有効性を監視する方法であって、
前記治療の開始前に、前記対象から得られた第１の試料中の、COMPのレベル、PEPDのレベル、SELLのレベル、及びGP1BAのレベルを測定することと；
前記治療の少なくとも一部が投与された後に前記対象から得られた第２の試料中の、COMPのレベル、PEPDのレベル、SELLのレベル、及びGP1BAのレベルを測定することと；
前記第１の試料中のCOMPのレベル、PEPDのレベル、SELLのレベル、及びGP1BAのレベルを前記第２の試料中のCOMPのレベル、PEPDのレベル、SELLのレベル、及びGP1BAのレベルと比較することとを含み、前記第１の試料中のCOMPのレベル、PEPDのレベル、SELLのレベル、及びGP1BAのレベルと前記第２の試料中のCOMPのレベル、PEPDのレベル、SELLのレベル、及びGP1BAのレベルの差が、前記治療が有効であることを示す、前記方法。
(122)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、SELLのレベル及び／又は活性、並びにGP1BAのレベル及び／又は活性に与える影響を測定することと；
対照試料中の、COMPのレベル及び／又は活性、PEPDのレベル及び／又は活性、SELLのレベル及び／又は活性、並びにGP1BAのレベル及び／又は活性と比較して、アリコート中のCOMPのレベル及び／又は活性、PEPDのレベル及び／又は活性、SELLのレベル及び／又は活性、並びにGP1BAのレベル及び／又は活性を調節する化合物のライブラリーのメンバーを選択し、それによって、活性なＴＢを有する対象を治療するために有用な化合物を同定することを含む、前記方法。
(123)  活性な結核（ＴＢ）を有する対象を治療する方法であって、COMPの発現及び／又は活性、PEPDのレベル及び／又は活性、SELLのレベル及び／又は活性、並びにGP1BAのレベル及び／又は活性を調節する剤の有効量を前記対象に投与し、それによって前記対象を治療することを含む、前記方法。
(124)  対象が活性な結核（ＴＢ）を有するか否かを決定する方法であって、
前記対象から得られた試料中の、APOC1のレベル、PEPDのレベル、SELLのレベル、及びCOMPのレベルを測定することと；
対象試料中のAPOC1のレベル、PEPDのレベル、SELLのレベル、及びCOMPのレベルを、対照試料中のAPOC1のレベル、PEPDのレベル、SELLのレベル、及びCOMPのレベルと比較することとを含み、前記対象試料中のAPOC1のレベル、PEPDのレベル、SELLのレベル、及びCOMPのレベルと前記対照試料中のAPOC1のレベル、PEPDのレベル、SELLのレベル、及びCOMPのレベルとの差が、前記対象が活性なＴＢを有することを示す、前記方法。
(125)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びCOMPのレベルを測定することと；
前記治療の少なくとも一部が投与された後に前記対象から得られた第２の試料中の、APOC1のレベル、PEPDのレベル、SELLのレベル、及びCOMPのレベルを測定することと；
前記第１の試料中のAPOC1のレベル、PEPDのレベル、SELLのレベル、及びCOMPのレベルを前記第２の試料中のAPOC1のレベル、PEPDのレベル、SELLのレベル、及びCOMPのレベルと比較することとを含み、前記第１の試料中のAPOC1のレベル、PEPDのレベル、SELLのレベル、及びCOMPのレベルと前記第２の試料中のAPOC1のレベル、PEPDのレベル、SELLのレベル、及びCOMPのレベルの差が、前記治療が有効であることを示す、前記方法。
(126)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は
活性、PEPDのレベル及び／又は活性、SELLのレベル及び／又は活性、並びにCOMPのレベル及び／又は活性に与える影響を測定することと；
対照試料中の、APOC1のレベル及び／又は活性、PEPDのレベル及び／又は活性、SELLのレベル及び／又は活性、並びにCOMPのレベル及び／又は活性と比較して、アリコート中のAPOC1のレベル及び／又は活性、PEPDのレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(127)  活性な結核（ＴＢ）を有する対象を治療する方法であって、APOC1の発現及び／又は活性、PEPDのレベル及び／又は活性、SELLのレベル及び／又は活性、並びにCOMPのレベル及び／又は活性を調節する剤の有効量を前記対象に投与し、それによって前記対象を治療することを含む、前記方法。
(128)  対象が活性な結核（ＴＢ）を有するか否かを決定する方法であって、
前記対象から得られた試料中の、LUMのレベル、PEPDのレベル、SELLのレベル、及びTNXBのレベルを測定することと；
対象試料中のLUMのレベル、PEPDのレベル、SELLのレベル、及びTNXBのレベルを、対照試料中のLUMのレベル、PEPDのレベル、SELLのレベル、及びTNXBのレベルと比較することとを含み、前記対象試料中のLUMのレベル、PEPDのレベル、SELLのレベル、及びTNXBのレベルと前記対照試料中のLUMのレベル、PEPDのレベル、SELLのレベル、及びTNXBのレベルとの差が、前記対象が活性なＴＢを有することを示す、前記方法。
(129)  活性な結核（ＴＢ）を有する対象における治療の有効性を監視する方法であって、
前記治療の開始前に、前記対象から得られた第１の試料中の、LUMのレベル、PEPDのレベル、SELLのレベル、及びTNXBのレベルを測定することと；
前記治療の少なくとも一部が投与された後に前記対象から得られた第２の試料中の、LUMのレベル、PEPDのレベル、SELLのレベル、及びTNXBのレベルを測定することと；
前記第１の試料中のLUMのレベル、PEPDのレベル、SELLのレベル、及びTNXBのレベルを前記第２の試料中のLUMのレベル、PEPDのレベル、SELLのレベル、及びTNXBのレベルと比較することとを含み、前記第１の試料中のLUMのレベル、PEPDのレベル、SELLのレベル、及びTNXBのレベルと前記第２の試料中のLUMのレベル、PEPDのレベル、SELLのレベル、及びTNXBのレベルの差が、前記治療が有効であることを示す、前記方法。
(130)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、PEPDのレベル及び／又は活性、SELLのレベル及び／又は活性、並びにTNXBのレベル及び／又は活性に与える影響を測定することと；
対照試料中の、LUMのレベル及び／又は活性、PEPDのレベル及び／又は活性、SELLのレベル及び／又は活性、並びにTNXBのレベル及び／又は活性と比較して、アリコート中のLUMのレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(131)  活性な結核（ＴＢ）を有する対象を治療する方法であって、LUMの発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(132)  対象が活性な結核（ＴＢ）を有するか否かを決定する方法であって、
前記対象から得られた試料中の、APOC1のレベル、PEPDのレベル、SELLのレベル、及びCD14のレベルを測定することと；
対象試料中のAPOC1のレベル、PEPDのレベル、SELLのレベル、及びCD14のレベルを、対照試料中のAPOC1のレベル、PEPDのレベル、SELLのレベル、及びCD14のレベルと比較することとを含み、前記対象試料中のAPOC1のレベル、PEPDのレベル、SELLのレベル、及びCD14のレベルと前記対照試料中のAPOC1のレベル、PEPDのレベル、SELLのレベル、及びCD14のレベルとの差が、前記対象が活性なＴＢを有することを示す、前記方法。
(133)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びCD14のレベルを測定することと；
前記治療の少なくとも一部が投与された後に前記対象から得られた第２の試料中の、APOC1のレベル、PEPDのレベル、SELLのレベル、及びCD14のレベルを測定することと；
前記第１の試料中のAPOC1のレベル、PEPDのレベル、SELLのレベル、及びCD14のレベルを前記第２の試料中のAPOC1のレベル、PEPDのレベル、SELLのレベル、及びCD14のレベルと比較することとを含み、前記第１の試料中のAPOC1のレベル、PEPDのレベル、SELLのレベル、及びCD14のレベルと前記第２の試料中のAPOC1のレベル、PEPDのレベル、SELLのレベル、及びCD14のレベルの差が、前記治療が有効であることを示す、前記方法。
(134)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、PEPDのレベル及び／又は活性、SELLのレベル及び／又は活性、並びにCD14のレベル及び／又は活性に与える影響を測定することと；
対照試料中の、APOC1のレベル及び／又は活性、PEPDのレベル及び／又は活性、SELLのレベル及び／又は活性、並びにCD14のレベル及び／又は活性と比較して、アリコート中のAPOC1のレベル及び／又は活性、PEPDのレベル及び／又は活性、SELLのレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(135)  活性な結核（ＴＢ）を有する対象を治療する方法であって、APOC1の発現及び／又は活性、PEPDのレベル及び／又は活性、SELLのレベル及び／又は活性、並びにCD14のレベル及び／又は活性を調節する剤の有効量を前記対象に投与し、それによって前記対象を治療することを含む、前記方法。
(136)  対象が活性な結核（ＴＢ）を有するか否かを決定する方法であって、
前記対象から得られた試料中の、COMPのレベル、PEPDのレベル、SELLのレベル、及びSEPP1のレベルを測定することと；
対象試料中のCOMPのレベル、PEPDのレベル、SELLのレベル、及びSEPP1のレベルを、対照試料中のCOMPのレベル、PEPDのレベル、SELLのレベル、及びSEPP1のレベルと比較することとを含み、前記対象試料中のCOMPのレベル、PEPDのレベル、SELLのレベル、及びSEPP1のレベルと前記対照試料中のCOMPのレベル、PEPDのレベル、SELLのレベル、及びSEPP1のレベルとの差が、前記対象が活性なＴＢを有することを示す、前記方法。
(137)  活性な結核（ＴＢ）を有する対象における治療の有効性を監視する方法であって、
前記治療の開始前に、前記対象から得られた第１の試料中の、COMPのレベル、PEPDのレベル、SELLのレベル、及びSEPP1のレベルを測定することと；
前記治療の少なくとも一部が投与された後に前記対象から得られた第２の試料中の、COMPのレベル、PEPDのレベル、SELLのレベル、及びSEPP1のレベルを測定することと；
前記第１の試料中のCOMPのレベル、PEPDのレベル、SELLのレベル、及びSEPP1のレベルを前記第２の試料中のCOMPのレベル、PEPDのレベル、SELLのレベル、及びSEPP1のレベルと比較することとを含み、前記第１の試料中のCOMPのレベル、PEPDのレベル、SELLのレベル、及びSEPP1のレベルと前記第２の試料中のCOMPのレベル、PEPDのレベル、SELLのレベル、及びSEPP1のレベルの差が、前記治療が有効であることを示す、前記方法。
(138)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、SELLのレベル及び／又は活性、並びにSEPP1のレベル及び／又は活性に与える影響を測定することと；
対照試料中の、COMPのレベル及び／又は活性、PEPDのレベル及び／又は活性、SELLのレベル及び／又は活性、並びにSEPP1のレベル及び／又は活性と比較して、アリコート中のCOMPのレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(139)  活性な結核（ＴＢ）を有する対象を治療する方法であって、COMPの発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(140)  対象が活性な結核（ＴＢ）を有するか否かを決定する方法であって、
前記対象から得られた試料中の、QSOX1のレベル、PEPDのレベル、SELLのレベル、及びTNXBのレベルを測定することと；
対象試料中のQSOX1のレベル、PEPDのレベル、SELLのレベル、及びTNXBのレベルを、対照試料中のQSOX1のレベル、PEPDのレベル、SELLのレベル、及びTNXBのレベルと比較することとを含み、前記対象試料中のQSOX1のレベル、PEPDのレベル、SELLのレベル、及びTNXBのレベルと前記対照試料中のQSOX1のレベル、PEPDのレベル、SELLのレベル、及びTNXBのレベルとの差が、前記対象が活性なＴＢを有することを示す、前記方法。
(141)  活性な結核（ＴＢ）を有する対象における治療の有効性を監視する方法であって、
前記治療の開始前に、前記対象から得られた第１の試料中の、QSOX1のレベル、PEPDのレベル、SELLのレベル、及びTNXBのレベルを測定することと；
前記治療の少なくとも一部が投与された後に前記対象から得られた第２の試料中の、QSOX1のレベル、PEPDのレベル、SELLのレベル、及びTNXBのレベルを測定することと；
前記第１の試料中のQSOX1のレベル、PEPDのレベル、SELLのレベル、及びTNXBのレベルを前記第２の試料中のQSOX1のレベル、PEPDのレベル、SELLのレベル、及びTNXBのレベルと比較することとを含み、前記第１の試料中のQSOX1のレベル、PEPDのレベル、SELLのレベル、及びTNXBのレベルと前記第２の試料中のQSOX1のレベル、PEPDのレベル、SELLのレベル、及びTNXBのレベルの差が、前記治療が有効であることを示す、前記方法。
(142)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、PEPDのレベル及び／又は活性、SELLのレベル及び／又は活性、並びにTNXBのレベル及び／又は活性に与える影響を測定することと；
対照試料中の、QSOX1のレベル及び／又は活性、PEPDのレベル及び／又は活性、SELLのレベル及び／又は活性、並びにTNXBのレベル及び／又は活性と比較して、アリコート中のQSOX1のレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(143)  活性な結核（ＴＢ）を有する対象を治療する方法であって、QSOX1の発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(144)  対象が活性な結核（ＴＢ）を有するか否かを決定する方法であって、
前記対象から得られた試料中の、LUMのレベル、PEPDのレベル、SELLのレベル、及びSEPP1のレベルを測定することと；
対象試料中のLUMのレベル、PEPDのレベル、SELLのレベル、及びSEPP1のレベルを、対照試料中のLUMのレベル、PEPDのレベル、SELLのレベル、及びSEPP1のレベルと比較することとを含み、前記対象試料中のLUMのレベル、PEPDのレベル、SELLのレベル、及びSEPP1のレベルと前記対照試料中のLUMのレベル、PEPDのレベル、SELLのレベル、及びSEPP1のレベルとの差が、前記対象が活性なＴＢを有することを示す、前記方法。
(145)  活性な結核（ＴＢ）を有する対象における治療の有効性を監視する方法であって、
前記治療の開始前に、前記対象から得られた第１の試料中の、LUMのレベル、PEPDのレベル、SELLのレベル、及びSEPP1のレベルを測定することと；
前記治療の少なくとも一部が投与された後に前記対象から得られた第２の試料中の、LUMのレベル、PEPDのレベル、SELLのレベル、及びSEPP1のレベルを測定することと；
前記第１の試料中のLUMのレベル、PEPDのレベル、SELLのレベル、及びSEPP1のレベルを前記第２の試料中のLUMのレベル、PEPDのレベル、SELLのレベル、及びSEPP1のレベルと比較することとを含み、前記第１の試料中のLUMのレベル、PEPDのレベル、SELLのレベル、及びSEPP1のレベルと前記第２の試料中のLUMのレベル、PEPDのレベル、SELLのレベル、及びSEPP1のレベルの差が、前記治療が有効であることを示す、前記方法。
(146)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、PEPDのレベル及び／又は活性、SELLのレベル及び／又は活性、並びにSEPP1のレベル及び／又は活性に与える影響を測定することと；
対照試料中の、LUMのレベル及び／又は活性、PEPDのレベル及び／又は活性、SELLのレベル及び／又は活性、並びにSEPP1のレベル及び／又は活性と比較して、アリコート中のLUMのレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(147)  活性な結核（ＴＢ）を有する対象を治療する方法であって、LUMの発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(148)  対象が活性な結核（ＴＢ）を有するか否かを決定する方法であって、
前記対象から得られた試料中の、CD14のレベル、PEPDのレベル、SELLのレベル、及びCOMPのレベルを測定することと；
対象試料中のCD14のレベル、PEPDのレベル、SELLのレベル、及びCOMPのレベルを、対照試料中のCD14のレベル、PEPDのレベル、SELLのレベル、及びCOMPのレベルと比較することとを含み、前記対象試料中のCD14のレベル、PEPDのレベル、SELLのレベル、及びCOMPのレベルと前記対照試料中のCD14のレベル、PEPDのレベル、SELLのレベル、及びCOMPのレベルとの差が、前記対象が活性なＴＢを有することを示す、前記方法。
(149)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びCOMPのレベルを測定することと；
前記治療の少なくとも一部が投与された後に前記対象から得られた第２の試料中の、CD14のレベル、PEPDのレベル、SELLのレベル、及びCOMPのレベルを測定することと；
前記第１の試料中のCD14のレベル、PEPDのレベル、SELLのレベル、及びCOMPのレベルを前記第２の試料中のCD14のレベル、PEPDのレベル、SELLのレベル、及びCOMPのレベルと比較することとを含み、前記第１の試料中のCD14のレベル、PEPDのレベル、SELLのレベル、及びCOMPのレベルと前記第２の試料中のCD14のレベル、PEPDのレベル、SELLのレベル、及びCOMPのレベルの差が、前記治療が有効であることを示す、前記方法。
(150)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにCOMPのレベル及び／又は活性に与える影響を測定することと；
対照試料中の、CD14のレベル及び／又は活性、PEPDのレベル及び／又は活性、SELLのレベル及び／又は活性、並びにCOMPのレベル及び／又は活性と比較して、アリコート中のCD14のレベル及び／又は活性、PEPDのレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(151)  活性な結核（ＴＢ）を有する対象を治療する方法であって、CD14の発現及び／又は活性、PEPDのレベル及び／又は活性、SELLのレベル及び／又は活性、並びにCOMPのレベル及び／又は活性を調節する剤の有効量を前記対象に投与し、それによって前記対象を治療することを含む、前記方法。
(152)  対象が活性な結核（ＴＢ）を有するか否かを決定する方法であって、
前記対象から得られた試料中の、SEPP1のレベル、PEPDのレベル、SELLのレベル、及びTNXBのレベルを測定することと；
対象試料中のSEPP1のレベル、PEPDのレベル、SELLのレベル、及びTNXBのレベルを、対照試料中のSEPP1のレベル、PEPDのレベル、SELLのレベル、及びTNXBのレベルと比較することとを含み、前記対象試料中のSEPP1のレベル、PEPDのレベル、SELLのレベル、及びTNXBのレベルと前記対照試料中のSEPP1のレベル、PEPDのレベル、SELLのレベル、及びTNXBのレベルとの差が、前記対象が活性なＴＢを有することを示す、前記方法。
(153)  活性な結核（ＴＢ）を有する対象における治療の有効性を監視する方法であって、
前記治療の開始前に、前記対象から得られた第１の試料中の、SEPP1のレベル、PEPDのレベル、SELLのレベル、及びTNXBのレベルを測定することと；
前記治療の少なくとも一部が投与された後に前記対象から得られた第２の試料中の、SEPP1のレベル、PEPDのレベル、SELLのレベル、及びTNXBのレベルを測定することと；
前記第１の試料中のSEPP1のレベル、PEPDのレベル、SELLのレベル、及びTNXBのレベルを前記第２の試料中のSEPP1のレベル、PEPDのレベル、SELLのレベル、及びTNXBのレベルと比較することとを含み、前記第１の試料中のSEPP1のレベル、PEPDのレベル、SELLのレベル、及びTNXBのレベルと前記第２の試料中のSEPP1のレベル、PEPDのレベル、SELLのレベル、及びTNXBのレベルの差が、前記治療が有効であることを示す、前記方法。
(154)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のSEPP1のレベル及び／又は活性、PEPDのレベル及び／又は活性、SELLのレベル及び／又は活性、並びにTNXBのレベル及び／又は活性に与える影響を測定することと；
対照試料中の、SEPP1のレベル及び／又は活性、PEPDのレベル及び／又は活性、SELLのレベル及び／又は活性、並びにTNXBのレベル及び／又は活性と比較して、アリコート中のSEPP1のレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(155)  活性な結核（ＴＢ）を有する対象を治療する方法であって、SEPP1の発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(156)  対象が活性な結核（ＴＢ）を有するか否かを決定する方法であって、
前記対象から得られた試料中の、CD14のレベル、PEPDのレベル、SELLのレベル、及びGP1BAのレベルを測定することと；
対象試料中のCD14のレベル、PEPDのレベル、SELLのレベル、及びGP1BAのレベルを、対照試料中のCD14のレベル、PEPDのレベル、SELLのレベル、及びGP1BAのレベルと比較することとを含み、前記対象試料中のCD14のレベル、PEPDのレベル、SELLのレベル、及びGP1BAのレベルと前記対照試料中のCD14のレベル、PEPDのレベル、SELLのレベル、及びGP1BAのレベルとの差が、前記対象が活性なＴＢを有することを示す、前記方法。
(157)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びGP1BAのレベルを測定することと；
前記治療の少なくとも一部が投与された後に前記対象から得られた第２の試料中の、CD14のレベル、PEPDのレベル、SELLのレベル、及びGP1BAのレベルを測定することと；
前記第１の試料中のCD14のレベル、PEPDのレベル、SELLのレベル、及びGP1BAのレベルを前記第２の試料中のCD14のレベル、PEPDのレベル、SELLのレベル、及びGP1BAのレベル、及びGP1BAのレベルと前記第２の試料中のCD14のレベル、PEPDのレベル、SELLのレベル、及びGP1BAのレベルの差が、前記治療が有効であることを示す、前記方法。
(158)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにGP1BAのレベル及び／又は活性に与える影響を測定することと；
対照試料中の、CD14のレベル及び／又は活性、PEPDのレベル及び／又は活性、SELLのレベル及び／又は活性、並びにGP1BAのレベル及び／又は活性と比較して、アリコート中のCD14のレベル及び／又は活性、PEPDのレベル及び／又は活性、SELLのレベル及び／又は活性、並びにGP1BAのレベル及び／又は活性を調節する化合物のライブラリーのメンバーを選択し、それによって、活性なＴＢを有する対象を治療するために有用な化合物を同定することを含む、前記方法。
(159)  活性な結核（ＴＢ）を有する対象を治療する方法であって、CD14の発現及び／又は活性、PEPDのレベル及び／又は活性、SELLのレベル及び／又は活性、並びにGP1BAのレベル及び／又は活性を調節する剤の有効量を前記対象に投与し、それによって前記対象を治療することを含む、前記方法。
(160)  対象が活性な結核（ＴＢ）を有するか否かを決定する方法であって、
前記対象から得られた試料中の、APOC1のレベル、PEPDのレベル、SELLのレベル、及びTNXBのレベルを測定することと；
対象試料中のAPOC1のレベル、PEPDのレベル、SELLのレベル、及びTNXBのレベルを、対照試料中のAPOC1のレベル、PEPDのレベル、SELLのレベル、及びTNXBのレベルと比較することとを含み、前記対象試料中のAPOC1のレベル、PEPDのレベル、SELLのレベル、及びTNXBのレベルと前記対照試料中のAPOC1のレベル、PEPDのレベル、SELLのレベル、及びTNXBのレベルとの差が、前記対象が活性なＴＢを有することを示す、前記方法。
(161)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びTNXBのレベルを測定することと；
前記治療の少なくとも一部が投与された後に前記対象から得られた第２の試料中の、APOC1のレベル、PEPDのレベル、SELLのレベル、及びTNXBのレベルを測定することと；
前記第１の試料中のAPOC1のレベル、PEPDのレベル、SELLのレベル、及びTNXBのレベルを前記第２の試料中のAPOC1のレベル、PEPDのレベル、SELLのレベル、及びTNXBのレベルと比較することとを含み、前記第１の試料中のAPOC1のレベル、PEPDのレベル、SELLのレベル、及びTNXBのレベルと前記第２の試料中のAPOC1のレベル、PEPDのレベル、SELLのレベル、及びTNXBのレベルの差が、前記治療が有効であることを示す、前記方法。
(162)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、PEPDのレベル及び／又は活性、SELLのレベル及び／又は活性、並びにTNXBのレベル及び／又は活性に与える影響を測定することと；
対照試料中の、APOC1のレベル及び／又は活性、PEPDのレベル及び／又は活性、SELLのレベル及び／又は活性、並びにTNXBのレベル及び／又は活性と比較して、アリコート中のAPOC1のレベル及び／又は活性、PEPDのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(163)  活性な結核（ＴＢ）を有する対象を治療する方法であって、APOC1の発現及び／又は活性、PEPDのレベル及び／又は活性、SELLのレベル及び／又は活性、並びにTNXBのレベル及び／又は活性を調節する剤の有効量を前記対象に投与し、それによって前記対象を治療することを含む、前記方法。
(164)  対象が活性な結核（ＴＢ）を有するか否かを決定する方法であって、
前記対象から得られた試料中の、QSOX1のレベル、PEPDのレベル、SELLのレベル、及びSEPP1のレベルを測定することと；
対象試料中のQSOX1のレベル、PEPDのレベル、SELLのレベル、及びSEPP1のレベルを、対照試料中のQSOX1のレベル、PEPDのレベル、SELLのレベル、及びSEPP1のレベルと比較することとを含み、前記対象試料中のQSOX1のレベル、PEPDのレベル、SELLのレベル、及びSEPP1のレベルと前記対照試料中のQSOX1のレベル、PEPDのレベル、SELLのレベル、及びSEPP1のレベルとの差が、前記対象が活性なＴＢを有することを示す、前記方法。
(165)  活性な結核（ＴＢ）を有する対象における治療の有効性を監視する方法であって、
前記治療の開始前に、前記対象から得られた第１の試料中の、QSOX1のレベル、PEPDのレベル、SELLのレベル、及びSEPP1のレベルを測定することと；
前記治療の少なくとも一部が投与された後に前記対象から得られた第２の試料中の、QSOX1のレベル、PEPDのレベル、SELLのレベル、及びSEPP1のレベルを測定することと；
前記第１の試料中のQSOX1のレベル、PEPDのレベル、SELLのレベル、及びSEPP1のレベルを前記第２の試料中のQSOX1のレベル、PEPDのレベル、SELLのレベル、及びSEPP1のレベルと比較することとを含み、前記第１の試料中のQSOX1のレベル、PEPDのレベル、SELLのレベル、及びSEPP1のレベルと前記第２の試料中のQSOX1のレベル、PEPDのレベル、SELLのレベル、及びSEPP1のレベルの差が、前記治療が有効であることを示す、前記方法。
(166)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、PEPDのレベル及び／又は活性、SELLのレベル及び／又は活性、並びにSEPP1のレベル及び／又は活性に与える影響を測定することと；
対照試料中の、QSOX1のレベル及び／又は活性、PEPDのレベル及び／又は活性、SELLのレベル及び／又は活性、並びにSEPP1のレベル及び／又は活性と比較して、アリコート中のQSOX1のレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(167)  活性な結核（ＴＢ）を有する対象を治療する方法であって、QSOX1の発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(168)  対象が活性な結核（ＴＢ）を有するか否かを決定する方法であって、
前記対象から得られた試料中の、CD14のレベル、PEPDのレベル、SELLのレベル、及びLUMのレベルを測定することと；
対象試料中のCD14のレベル、PEPDのレベル、SELLのレベル、及びLUMのレベルを、対照試料中のCD14のレベル、PEPDのレベル、SELLのレベル、及びLUMのレベルと比較することとを含み、前記対象試料中のCD14のレベル、PEPDのレベル、SELLのレベル、及びLUMのレベルと前記対照試料中のCD14のレベル、PEPDのレベル、SELLのレベル、及びLUMのレベルとの差が、前記対象が活性なＴＢを有することを示す、前記方法。
(169)  活性な結核（ＴＢ）を有する対象における治療の有効性を監視する方法であって、
前記治療の開始前に、前記対象から得られた第１の試料中の、CD14のレベル、PEPDのレベル、SELLのレベル、及びLUMのレベルを測定することと；
前記治療の少なくとも一部が投与された後に前記対象から得られた第２の試料中の、CD14のレベル、PEPDのレベル、SELLのレベル、及びLUMのレベルを測定することと；
前記第１の試料中のCD14のレベル、PEPDのレベル、SELLのレベル、及びLUMのレベルを前記第２の試料中のCD14のレベル、PEPDのレベル、SELLのレベル、及びLUMのレベルと比較することとを含み、前記第１の試料中のCD14のレベル、PEPDのレベル、SELLのレベル、及びLUMのレベルと前記第２の試料中のCD14のレベル、PEPDのレベル、SELLのレベル、及びLUMのレベルの差が、前記治療が有効であることを示す、前記方法。
(170)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、SELLのレベル及び／又は活性、並びにLUMのレベル及び／又は活性に与える影響を測定することと；
対照試料中の、CD14のレベル及び／又は活性、PEPDのレベル及び／又は活性、SELLのレベル及び／又は活性、並びにLUMのレベル及び／又は活性と比較して、アリコート中のCD14のレベル及び／又は活性、PEPDのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(171)  活性な結核（ＴＢ）を有する対象を治療する方法であって、CD14の発現及び／又は活性、PEPDのレベル及び／又は活性、SELLのレベル及び／又は活性、並びにLUMのレベル及び／又は活性を調節する剤の有効量を前記対象に投与し、それによって前記対象を治療することを含む、前記方法。
(172)  対象が活性な結核（ＴＢ）を有するか否かを決定する方法であって、
前記対象から得られた試料中の、QSOX1のレベル、PEPDのレベル、SELLのレベル、及びLUMのレベルを測定することと；
対象試料中のQSOX1のレベル、PEPDのレベル、SELLのレベル、及びLUMのレベルを、対照試料中のQSOX1のレベル、PEPDのレベル、SELLのレベル、及びLUMのレベルと比較することとを含み、前記対象試料中のQSOX1のレベル、PEPDのレベル、SELLのレベル、及びLUMのレベルと前記対照試料中のQSOX1のレベル、PEPDのレベル、SELLのレベル、及びLUMのレベルとの差が、前記対象が活性なＴＢを有することを示す、前記方法。
(173)  活性な結核（ＴＢ）を有する対象における治療の有効性を監視する方法であって、
前記治療の開始前に、前記対象から得られた第１の試料中の、QSOX1のレベル、PEPDのレベル、SELLのレベル、及びLUMのレベルを測定することと；
前記治療の少なくとも一部が投与された後に前記対象から得られた第２の試料中の、QSOX1のレベル、PEPDのレベル、SELLのレベル、及びLUMのレベルを測定することと；
前記第１の試料中のQSOX1のレベル、PEPDのレベル、SELLのレベル、及びLUMのレベルを前記第２の試料中のQSOX1のレベル、PEPDのレベル、SELLのレベル、及びLUMのレベルと比較することとを含み、前記第１の試料中のQSOX1のレベル、PEPDのレベル、SELLのレベル、及びLUMのレベルと前記第２の試料中のQSOX1のレベル、PEPDのレベル、SELLのレベル、及びLUMのレベルの差が、前記治療が有効であることを示す、前記方法。
(174)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、PEPDのレベル及び／又は活性、SELLのレベル及び／又は活性、並びにLUMのレベル及び／又は活性に与える影響を測定することと；
対照試料中の、QSOX1のレベル及び／又は活性、PEPDのレベル及び／又は活性、SELLのレベル及び／又は活性、並びにLUMのレベル及び／又は活性と比較して、アリコート中のQSOX1のレベル及び／又は活性、PEPDのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(175)  活性な結核（ＴＢ）を有する対象を治療する方法であって、QSOX1の発現及び／又は活性、PEPDのレベル及び／又は活性、SELLのレベル及び／又は活性、並びにLUMのレベル及び／又は活性を調節する剤の有効量を前記対象に投与し、それによって前記対象を治療することを含む、前記方法。
(176)  対象が活性な結核（ＴＢ）を有するか否かを決定する方法であって、
前記対象から得られた試料中の、APOC1のレベル、COMPのレベル、SELLのレベル、及びSEPP1のレベルを測定することと；
対象試料中のAPOC1のレベル、COMPのレベル、SELLのレベル、及びSEPP1のレベルを、対照試料中のAPOC1のレベル、COMPのレベル、SELLのレベル、及びSEPP1のレベルと比較することとを含み、前記対象試料中のAPOC1のレベル、COMPのレベル、SELLのレベル、及びSEPP1のレベルと前記対照試料中のAPOC1のレベル、COMPのレベル、SELLのレベル、及びSEPP1のレベルとの差が、前記対象が活性なＴＢを有することを示す、前記方法。
(177)  活性な結核（ＴＢ）を有する対象における治療の有効性を監視する方法であって、
前記治療の開始前に、前記対象から得られた第１の試料中の、APOC1のレベル、COMPのレベル、SELLのレベル、及びSEPP1のレベルを測定することと；
前記治療の少なくとも一部が投与された後に前記対象から得られた第２の試料中の、APOC1のレベル、COMPのレベル、SELLのレベル、及びSEPP1のレベルを測定することと；
前記第１の試料中のAPOC1のレベル、COMPのレベル、SELLのレベル、及びSEPP1のレベルを前記第２の試料中のAPOC1のレベル、COMPのレベル、SELLのレベル、及びSEPP1のレベルと比較することとを含み、前記第１の試料中のAPOC1のレベル、COMPのレベル、SELLのレベル、及びSEPP1のレベルと前記第２の試料中のAPOC1のレベル、COMPのレベル、SELLのレベル、及びSEPP1のレベルの差が、前記治療が有効であることを示す、前記方法。
(178)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、COMPのレベル及び／又は活性、SELLのレベル及び／又は活性、並びにSEPP1のレベル及び／又は活性に与える影響を測定することと；
対照試料中の、APOC1のレベル及び／又は活性、COMPのレベル及び／又は活性、SELLのレベル及び／又は活性、並びにSEPP1のレベル及び／又は活性と比較して、アリコート中のAPOC1のレベル及び／又は活性、COMPのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(179)  活性な結核（ＴＢ）を有する対象を治療する方法であって、APOC1の発現及び／又は活性、COMPのレベル及び／又は活性、SELLのレベル及び／又は活性、並びにSEPP1のレベル及び／又は活性を調節する剤の有効量を前記対象に投与し、それによって前記対象を治療することを含む、前記方法。
(180)  対象が活性な結核（ＴＢ）を有するか否かを決定する方法であって、
前記対象から得られた試料中の、GP1BAのレベル、PEPDのレベル、SELLのレベル、及びQSOX1のレベルを測定することと；
対象試料中のGP1BAのレベル、PEPDのレベル、SELLのレベル、及びQSOX1のレベルを、対照試料中のGP1BAのレベル、PEPDのレベル、SELLのレベル、及びQSOX1のレベルと比較することとを含み、前記対象試料中のGP1BAのレベル、PEPDのレベル、SELLのレベル、及びQSOX1のレベルと前記対照試料中のGP1BAのレベル、PEPDのレベル、SELLのレベル、及びQSOX1のレベルとの差が、前記対象が活性なＴＢを有することを示す、前記方法。
(181)  活性な結核（ＴＢ）を有する対象における治療の有効性を監視する方法であって、
前記治療の開始前に、前記対象から得られた第１の試料中の、GP1BAのレベル、PEPDのレベル、SELLのレベル、及びQSOX1のレベルを測定することと；
前記治療の少なくとも一部が投与された後に前記対象から得られた第２の試料中の、GP1BAのレベル、PEPDのレベル、SELLのレベル、及びQSOX1のレベルを測定することと；
前記第１の試料中のGP1BAのレベル、PEPDのレベル、SELLのレベル、及びQSOX1のレベルを前記第２の試料中のGP1BAのレベル、PEPDのレベル、SELLのレベル、及びQSOX1のレベルと比較することとを含み、前記第１の試料中のGP1BAのレベル、PEPDのレベル、SELLのレベル、及びQSOX1のレベルと前記第２の試料中のGP1BAのレベル、PEPDのレベル、SELLのレベル、及びQSOX1のレベルの差が、前記治療が有効であることを示す、前記方法。
(182)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、PEPDのレベル及び／又は活性、SELLのレベル及び／又は活性、並びにQSOX1のレベル及び／又は活性に与える影響を測定することと；
対照試料中の、GP1BAのレベル及び／又は活性、PEPDのレベル及び／又は活性、SELLのレベル及び／又は活性、並びにQSOX1のレベル及び／又は活性と比較して、アリコート中のGP1BAのレベル及び／又は活性、PEPDのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(183)  活性な結核（ＴＢ）を有する対象を治療する方法であって、GP1BAの発現及び／又は活性、PEPDのレベル及び／又は活性、SELLのレベル及び／又は活性、並びにQSOX1のレベル及び／又は活性を調節する剤の有効量を前記対象に投与し、それによって前記対象を治療することを含む、前記方法。
(184)  対象が活性な結核（ＴＢ）を有するか否かを決定する方法であって、
前記対象から得られた試料中の、APOC1のレベル、PEPDのレベル、SELLのレベル、及びLUMのレベルを測定することと；
対象試料中のAPOC1のレベル、PEPDのレベル、SELLのレベル、及びLUMのレベルを、対照試料中のAPOC1のレベル、PEPDのレベル、SELLのレベル、及びLUMのレベルと比較することとを含み、前記対象試料中のAPOC1のレベル、PEPDのレベル、SELLのレベル、及びLUMのレベルと前記対照試料中のAPOC1のレベル、PEPDのレベル、SELLのレベル、及びLUMのレベルとの差が、前記対象が活性なＴＢを有することを示す、前記方法。
(185)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びLUMのレベルを測定することと；
前記治療の少なくとも一部が投与された後に前記対象から得られた第２の試料中の、APOC1のレベル、PEPDのレベル、SELLのレベル、及びLUMのレベルを測定することと；
前記第１の試料中のAPOC1のレベル、PEPDのレベル、SELLのレベル、及びLUMのレベルを前記第２の試料中のAPOC1のレベル、PEPDのレベル、SELLのレベル、及びLUMのレベルと比較することとを含み、前記第１の試料中のAPOC1のレベル、PEPDのレベル、SELLのレベル、及びLUMのレベルと前記第２の試料中のAPOC1のレベル、PEPDのレベル、SELLのレベル、及びLUMのレベルの差が、前記治療が有効であることを示す、前記方法。
(186)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、PEPDのレベル及び／又は活性、SELLのレベル及び／又は活性、並びにLUMのレベル及び／又は活性に与える影響を測定することと；
対照試料中の、APOC1のレベル及び／又は活性、PEPDのレベル及び／又は活性、SELLのレベル及び／又は活性、並びにLUMのレベル及び／又は活性と比較して、アリコート中のAPOC1のレベル及び／又は活性、PEPDのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(187)  活性な結核（ＴＢ）を有する対象を治療する方法であって、APOC1の発現及び／又は活性、PEPDのレベル及び／又は活性、SELLのレベル及び／又は活性、並びにLUMのレベル及び／又は活性を調節する剤の有効量を前記対象に投与し、それによって前記対象を治療することを含む、前記方法。
(188)  対象が活性な結核（ＴＢ）を有するか否かを決定する方法であって、
前記対象から得られた試料中の、APOC1のレベル、PEPDのレベル、SELLのレベル、及びQSOX1のレベルを測定することと；
対象試料中のAPOC1のレベル、PEPDのレベル、SELLのレベル、及びQSOX1のレベルを、対照試料中のAPOC1のレベル、PEPDのレベル、SELLのレベル、及びQSOX1のレベルと比較することとを含み、前記対象試料中のAPOC1のレベル、PEPDのレベル、SELLのレベル、及びQSOX1のレベルと前記対照試料中のAPOC1のレベル、PEPDのレベル、SELLのレベル、及びQSOX1のレベルとの差が、前記対象が活性なＴＢを有することを示す、前記方法。
(189)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びQSOX1のレベルを測定することと；
前記治療の少なくとも一部が投与された後に前記対象から得られた第２の試料中の、APOC1のレベル、PEPDのレベル、SELLのレベル、及びQSOX1のレベルを測定することと；
前記第１の試料中のAPOC1のレベル、PEPDのレベル、SELLのレベル、及びQSOX1のレベルを前記第２の試料中のAPOC1のレベル、PEPDのレベル、SELLのレベル、及びQSOX1のレベルと比較することとを含み、前記第１の試料中のAPOC1のレベル、PEPDのレベル、SELLのレベル、及びQSOX1のレベルと前記第２の試料中のAPOC1のレベル、PEPDのレベル、SELLのレベル、及びQSOX1のレベルの差が、前記治療が有効であることを示す、前記方法。
(190)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、PEPDのレベル及び／又は活性、SELLのレベル及び／又は活性、並びにQSOX1のレベル及び／又は活性に与える影響を測定することと；
対照試料中の、APOC1のレベル及び／又は活性、PEPDのレベル及び／又は活性、SELLのレベル及び／又は活性、並びにQSOX1のレベル及び／又は活性と比較して、アリコート中のAPOC1のレベル及び／又は活性、PEPDのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(191)  活性な結核（ＴＢ）を有する対象を治療する方法であって、APOC1の発現及び／又は活性、PEPDのレベル及び／又は活性、SELLのレベル及び／又は活性、並びにQSOX1のレベル及び／又は活性を調節する剤の有効量を前記対象に投与し、それによって前記対象を治療することを含む、前記方法。
(192)  対象が活性な結核（ＴＢ）を有するか否かを決定する方法であって、
前記対象から得られた試料中の、APOC1のレベル、PEPDのレベル、SELLのレベル、及びSEPP1のレベルを測定することと；
対象試料中のAPOC1のレベル、PEPDのレベル、SELLのレベル、及びSEPP1のレベルを、対照試料中のAPOC1のレベル、PEPDのレベル、SELLのレベル、及びSEPP1のレベルと比較することとを含み、前記対象試料中のAPOC1のレベル、PEPDのレベル、SELLのレベル、及びSEPP1のレベルと前記対照試料中のAPOC1のレベル、PEPDのレベル、SELLのレベル、及びSEPP1のレベルとの差が、前記対象が活性なＴＢを有することを示す、前記方法。
(193)  活性な結核（ＴＢ）を有する対象における治療の有効性を監視する方法であって、
前記治療の開始前に、前記対象から得られた第１の試料中の、APOC1のレベル、PEPDのレベル、SELLのレベル、及びSEPP1のレベルを測定することと；
前記治療の少なくとも一部が投与された後に前記対象から得られた第２の試料中の、APOC1のレベル、PEPDのレベル、SELLのレベル、及びSEPP1のレベルを測定することと；
前記第１の試料中のAPOC1のレベル、PEPDのレベル、SELLのレベル、及びSEPP1のレベルを前記第２の試料中のAPOC1のレベル、PEPDのレベル、SELLのレベル、及びSEPP1のレベルと比較することとを含み、前記第１の試料中のAPOC1のレベル、PEPDのレベル、SELLのレベル、及びSEPP1のレベルと前記第２の試料中のAPOC1のレベル、PEPDのレベル、SELLのレベル、及びSEPP1のレベルの差が、前記治療が有効であることを示す、前記方法。
(194)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、PEPDのレベル及び／又は活性、SELLのレベル及び／又は活性、並びにSEPP1のレベル及び／又は活性に与える影響を測定することと；
対照試料中の、APOC1のレベル及び／又は活性、PEPDのレベル及び／又は活性、SELLのレベル及び／又は活性、並びにSEPP1のレベル及び／又は活性と比較して、アリコート中のAPOC1のレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(195)  活性な結核（ＴＢ）を有する対象を治療する方法であって、APOC1の発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(196)  対象が活性な結核（ＴＢ）を有するか否かを決定する方法であって、
前記対象から得られた試料中の、QSOX1のレベル、APOC1のレベル、SELLのレベル、及びCOMPのレベルを測定することと；
対象試料中のQSOX1のレベル、APOC1のレベル、SELLのレベル、及びCOMPのレベルを、対照試料中のQSOX1のレベル、APOC1のレベル、SELLのレベル、及びCOMPのレベルと比較することとを含み、前記対象試料中のQSOX1のレベル、APOC1のレベル、SELLのレベル、及びCOMPのレベルと前記対照試料中のQSOX1のレベル、APOC1のレベル、SELLのレベル、及びCOMPのレベルとの差が、前記対象が活性なＴＢを有することを示す、前記方法。
(197)  活性な結核（ＴＢ）を有する対象における治療の有効性を監視する方法であって、
前記治療の開始前に、前記対象から得られた第１の試料中の、QSOX1のレベル、APOC1のレベル、SELLのレベル、及びCOMPのレベルを測定することと；
前記治療の少なくとも一部が投与された後に前記対象から得られた第２の試料中の、QSOX1のレベル、APOC1のレベル、SELLのレベル、及びCOMPのレベルを測定することと；
前記第１の試料中のQSOX1のレベル、APOC1のレベル、SELLのレベル、及びCOMPのレベルを前記第２の試料中のQSOX1のレベル、APOC1のレベル、SELLのレベル、及びCOMPのレベルと比較することとを含み、前記第１の試料中のQSOX1のレベル、APOC1のレベル、SELLのレベル、及びCOMPのレベルと前記第２の試料中のQSOX1のレベル、APOC1のレベル、SELLのレベル、及びCOMPのレベルの差が、前記治療が有効であることを示す、前記方法。
(198)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、APOC1のレベル及び／又は活性、SELLのレベル及び／又は活性、並びにCOMPのレベル及び／又は活性に与える影響を測定することと；
対照試料中の、QSOX1のレベル及び／又は活性、APOC1のレベル及び／又は活性、SELLのレベル及び／又は活性、並びにCOMPのレベル及び／又は活性と比較して、アリコート中のQSOX1のレベル及び／又は活性、APOC1のレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(199)  活性な結核（ＴＢ）を有する対象を治療する方法であって、QSOX1の発現及び／又は活性、APOC1のレベル及び／又は活性、SELLのレベル及び／又は活性、並びにCOMPのレベル及び／又は活性を調節する剤の有効量を前記対象に投与し、それによって前記対象を治療することを含む、前記方法。
(200)  対象が活性な結核（ＴＢ）を有するか否かを決定する方法であって、
前記対象から得られた試料中の、CD14のレベル、APOC1のレベル、SELLのレベル、及びQSOX1のレベルを測定することと；
対象試料中のCD14のレベル、APOC1のレベル、SELLのレベル、及びQSOX1のレベルを、対照試料中のCD14のレベル、APOC1のレベル、SELLのレベル、及びQSOX1のレベルと比較することとを含み、前記対象試料中のCD14のレベル、APOC1のレベル、SELLのレベル、及びQSOX1のレベルと前記対照試料中のCD14のレベル、APOC1のレベル、SELLのレベル、及びQSOX1のレベルとの差が、前記対象が活性なＴＢを有することを示す、前記方法。
(201)  活性な結核（ＴＢ）を有する対象における治療の有効性を監視する方法であって、
前記治療の開始前に、前記対象から得られた第１の試料中の、CD14のレベル、APOC1のレベル、SELLのレベル、及びQSOX1のレベルを測定することと；
前記治療の少なくとも一部が投与された後に前記対象から得られた第２の試料中の、CD14のレベル、APOC1のレベル、SELLのレベル、及びQSOX1のレベルを測定することと；
前記第１の試料中のCD14のレベル、APOC1のレベル、SELLのレベル、及びQSOX1のレベルを前記第２の試料中のCD14のレベル、APOC1のレベル、SELLのレベル、及びQSOX1のレベルと比較することとを含み、前記第１の試料中のCD14のレベル、APOC1のレベル、SELLのレベル、及びQSOX1のレベルと前記第２の試料中のCD14のレベル、APOC1のレベル、SELLのレベル、及びQSOX1のレベルの差が、前記治療が有効であることを示す、前記方法。
(202)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOC1のレベル及び／又は活性、SELLのレベル及び／又は活性、並びにQSOX1のレベル及び／又は活性に与える影響を測定することと；
対照試料中の、CD14のレベル及び／又は活性、APOC1のレベル及び／又は活性、SELLのレベル及び／又は活性、並びにQSOX1のレベル及び／又は活性と比較して、アリコート中のCD14のレベル及び／又は活性、APOC1のレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(203)  活性な結核（ＴＢ）を有する対象を治療する方法であって、CD14の発現及び／又は活性、APOC1のレベル及び／又は活性、SELLのレベル及び／又は活性、並びにQSOX1のレベル及び／又は活性を調節する剤の有効量を前記対象に投与し、それによって前記対象を治療することを含む、前記方法。
(204)  対象が活性な結核（ＴＢ）を有するか否かを決定する方法であって、
前記対象から得られた試料中の、QSOX1のレベル、APOC1のレベル、SELLのレベル、及びSEPP1のレベルを測定することと；
対象試料中のQSOX1のレベル、APOC1のレベル、SELLのレベル、及びSEPP1のレベルを、
対照試料中のQSOX1のレベル、APOC1のレベル、SELLのレベル、及びSEPP1のレベルと比較することとを含み、前記対象試料中のQSOX1のレベル、APOC1のレベル、SELLのレベル、及びSEPP1のレベルと前記対照試料中のQSOX1のレベル、APOC1のレベル、SELLのレベル、及びSEPP1のレベルとの差が、前記対象が活性なＴＢを有することを示す、前記方法。
(205)  活性な結核（ＴＢ）を有する対象における治療の有効性を監視する方法であって、
前記治療の開始前に、前記対象から得られた第１の試料中の、QSOX1のレベル、APOC1のレベル、SELLのレベル、及びSEPP1のレベルを測定することと；
前記治療の少なくとも一部が投与された後に前記対象から得られた第２の試料中の、QSOX1のレベル、APOC1のレベル、SELLのレベル、及びSEPP1のレベルを測定することと；
前記第１の試料中のQSOX1のレベル、APOC1のレベル、SELLのレベル、及びSEPP1のレベルを前記第２の試料中のQSOX1のレベル、APOC1のレベル、SELLのレベル、及びSEPP1のレベルと比較することとを含み、前記第１の試料中のQSOX1のレベル、APOC1のレベル、SELLのレベル、及びSEPP1のレベルと前記第２の試料中のQSOX1のレベル、APOC1のレベル、SELLのレベル、及びSEPP1のレベルの差が、前記治療が有効であることを示す、前記方法。
(206)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、APOC1のレベル及び／又は活性、SELLのレベル及び／又は活性、並びにSEPP1のレベル及び／又は活性に与える影響を測定することと；
対照試料中の、QSOX1のレベル及び／又は活性、APOC1のレベル及び／又は活性、SELLのレベル及び／又は活性、並びにSEPP1のレベル及び／又は活性と比較して、アリコート中のQSOX1のレベル及び／又は活性、APOC1のレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(207)  活性な結核（ＴＢ）を有する対象を治療する方法であって、QSOX1の発現及び／又は活性、APOC1のレベル及び／又は活性、SELLのレベル及び／又は活性、並びにSEPP1のレベル及び／又は活性を調節する剤の有効量を前記対象に投与し、それによって前記対象を治療することを含む、前記方法。
(208)  対象が活性な結核（ＴＢ）を有するか否かを決定する方法であって、
前記対象から得られた試料中の、APOC1のレベル、LUMのレベル、SELLのレベル、及びQSOX1のレベルを測定することと；
対象試料中のAPOC1のレベル、LUMのレベル、SELLのレベル、及びQSOX1のレベルを、対照試料中のAPOC1のレベル、LUMのレベル、SELLのレベル、及びQSOX1のレベルと比較することとを含み、前記対象試料中のAPOC1のレベル、LUMのレベル、SELLのレベル、及びQSOX1のレベルと前記対照試料中のAPOC1のレベル、LUMのレベル、SELLのレベル、及びQSOX1のレベルとの差が、前記対象が活性なＴＢを有することを示す、前記方法。
(209)  活性な結核（ＴＢ）を有する対象における治療の有効性を監視する方法であって、
前記治療の開始前に、前記対象から得られた第１の試料中の、APOC1のレベル、LUMのレベル、SELLのレベル、及びQSOX1のレベルを測定することと；
前記治療の少なくとも一部が投与された後に前記対象から得られた第２の試料中の、APOC1のレベル、LUMのレベル、SELLのレベル、及びQSOX1のレベルを測定することと；
前記第１の試料中のAPOC1のレベル、LUMのレベル、SELLのレベル、及びQSOX1のレベルを前記第２の試料中のAPOC1のレベル、LUMのレベル、SELLのレベル、及びQSOX1のレベルと比較することとを含み、前記第１の試料中のAPOC1のレベル、LUMのレベル、SELLのレベル、及びQSOX1のレベルと前記第２の試料中のAPOC1のレベル、LUMのレベル、SELLのレベル、及びQSOX1のレベルの差が、前記治療が有効であることを示す、前記方法。
(210)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、LUMのレベル及び／又は活性、SELLのレベル及び／又は活性、並びにQSOX1のレベル及び／又は活性に与える影響を測定することと；
対照試料中の、APOC1のレベル及び／又は活性、LUMのレベル及び／又は活性、SELLのレベル及び／又は活性、並びにQSOX1のレベル及び／又は活性と比較して、アリコート中のAPOC1のレベル及び／又は活性、LUMのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(211)  活性な結核（ＴＢ）を有する対象を治療する方法であって、APOC1の発現及び／又は活性、LUMのレベル及び／又は活性、SELLのレベル及び／又は活性、並びにQSOX1のレベル及び／又は活性を調節する剤の有効量を前記対象に投与し、それによって前記対象を治療することを含む、前記方法。
(212)  対象が活性な結核（ＴＢ）を有するか否かを決定する方法であって、
前記対象から得られた試料中の、GP1BAのレベル、CD14のレベル、SELLのレベル、及びQSOX1のレベルを測定することと；
対象試料中のGP1BAのレベル、CD14のレベル、SELLのレベル、及びQSOX1のレベルを、対照試料中のGP1BAのレベル、CD14のレベル、SELLのレベル、及びQSOX1のレベルと比較することとを含み、前記対象試料中のGP1BAのレベル、CD14のレベル、SELLのレベル、及びQSOX1のレベルと前記対照試料中のGP1BAのレベル、CD14のレベル、SELLのレベル、及びQSOX1のレベルとの差が、前記対象が活性なＴＢを有することを示す、前記方法。
(213)  活性な結核（ＴＢ）を有する対象における治療の有効性を監視する方法であって、
前記治療の開始前に、前記対象から得られた第１の試料中の、GP1BAのレベル、CD14のレベル、SELLのレベル、及びQSOX1のレベルを測定することと；
前記治療の少なくとも一部が投与された後に前記対象から得られた第２の試料中の、GP1BAのレベル、CD14のレベル、SELLのレベル、及びQSOX1のレベルを測定することと；
前記第１の試料中のGP1BAのレベル、CD14のレベル、SELLのレベル、及びQSOX1のレベルを前記第２の試料中のGP1BAのレベル、CD14のレベル、SELLのレベル、及びQSOX1のレベルと比較することとを含み、前記第１の試料中のGP1BAのレベル、CD14のレベル、SELLのレベル、及びQSOX1のレベルと前記第２の試料中のGP1BAのレベル、CD14のレベル、SELLのレベル、及びQSOX1のレベルの差が、前記治療が有効であることを示す、前記方法。
(214)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、CD14のレベル及び／又は活性、SELLのレベル及び／又は活性、並びにQSOX1のレベル及び／又は活性に与える影響を測定することと；
対照試料中の、GP1BAのレベル及び／又は活性、CD14のレベル及び／又は活性、SELLのレベル及び／又は活性、並びにQSOX1のレベル及び／又は活性と比較して、アリコート中のGP1BAのレベル及び／又は活性、CD14のレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(215)  活性な結核（ＴＢ）を有する対象を治療する方法であって、GP1BAの発現及び／又は活性、CD14のレベル及び／又は活性、SELLのレベル及び／又は活性、並びにQSOX1のレベル及び／又は活性を調節する剤の有効量を前記対象に投与し、それによって前記対象を治療することを含む、前記方法。
(216)  対象が活性な結核（ＴＢ）を有するか否かを決定する方法であって、
前記対象から得られた試料中の、GP1BAのレベル、PEPDのレベル、SELLのレベル、及びLUMのレベルを測定することと；
対象試料中のGP1BAのレベル、PEPDのレベル、SELLのレベル、及びLUMのレベルを、対照試料中のGP1BAのレベル、PEPDのレベル、SELLのレベル、及びLUMのレベルと比較することとを含み、前記対象試料中のGP1BAのレベル、PEPDのレベル、SELLのレベル、及びLUMのレベルと前記対照試料中のGP1BAのレベル、PEPDのレベル、SELLのレベル、及びLUMのレベルとの差が、前記対象が活性なＴＢを有することを示す、前記方法。
(217)  活性な結核（ＴＢ）を有する対象における治療の有効性を監視する方法であって、
前記治療の開始前に、前記対象から得られた第１の試料中の、GP1BAのレベル、PEPDのレベル、SELLのレベル、及びLUMのレベルを測定することと；
前記治療の少なくとも一部が投与された後に前記対象から得られた第２の試料中の、GP1BAのレベル、PEPDのレベル、SELLのレベル、及びLUMのレベルを測定することと；
前記第１の試料中のGP1BAのレベル、PEPDのレベル、SELLのレベル、及びLUMのレベルを前記第２の試料中のGP1BAのレベル、PEPDのレベル、SELLのレベル、及びLUMのレベルと比較することとを含み、前記第１の試料中のGP1BAのレベル、PEPDのレベル、SELLのレベル、及びLUMのレベルと前記第２の試料中のGP1BAのレベル、PEPDのレベル、SELLのレベル、及びLUMのレベルの差が、前記治療が有効であることを示す、前記方法。
(218)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、PEPDのレベル及び／又は活性、SELLのレベル及び／又は活性、並びにLUMのレベル及び／又は活性に与える影響を測定することと；
対照試料中の、GP1BAのレベル及び／又は活性、PEPDのレベル及び／又は活性、SELLのレベル及び／又は活性、並びにLUMのレベル及び／又は活性と比較して、アリコート中のGP1BAのレベル及び／又は活性、PEPDのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(219)  活性な結核（ＴＢ）を有する対象を治療する方法であって、GP1BAの発現及び／又は活性、PEPDのレベル及び／又は活性、SELLのレベル及び／又は活性、並びにLUMのレベル及び／又は活性を調節する剤の有効量を前記対象に投与し、それによって前記対象を治療することを含む、前記方法。
(220)  対象が活性な結核（ＴＢ）を有するか否かを決定する方法であって、
前記対象から得られた試料中の、APOC1のレベル、TNXBのレベル、SELLのレベル、及びQSOX1のレベルを測定することと；
対象試料中のAPOC1のレベル、TNXBのレベル、SELLのレベル、及びQSOX1のレベルを、対照試料中のAPOC1のレベル、TNXBのレベル、SELLのレベル、及びQSOX1のレベルと比較することとを含み、前記対象試料中のAPOC1のレベル、TNXBのレベル、SELLのレベル、及びQSOX1のレベルと前記対照試料中のAPOC1のレベル、TNXBのレベル、SELLのレベル、及びQSOX1のレベルとの差が、前記対象が活性なＴＢを有することを示す、前記方法。
(221)  活性な結核（ＴＢ）を有する対象における治療の有効性を監視する方法であって、
前記治療の開始前に、前記対象から得られた第１の試料中の、APOC1のレベル、TNXBのレベル、SELLのレベル、及びQSOX1のレベルを測定することと；
前記治療の少なくとも一部が投与された後に前記対象から得られた第２の試料中の、APOC1のレベル、TNXBのレベル、SELLのレベル、及びQSOX1のレベルを測定することと；
前記第１の試料中のAPOC1のレベル、TNXBのレベル、SELLのレベル、及びQSOX1のレベルを前記第２の試料中のAPOC1のレベル、TNXBのレベル、SELLのレベル、及びQSOX1のレベルと比較することとを含み、前記第１の試料中のAPOC1のレベル、TNXBのレベル、SELLのレベル、及びQSOX1のレベルと前記第２の試料中のAPOC1のレベル、TNXBのレベル、SELLのレベル、及びQSOX1のレベルの差が、前記治療が有効であることを示す、前記方法。
(222)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、TNXBのレベル及び／又は活性、SELLのレベル及び／又は活性、並びにQSOX1のレベル及び／又は活性に与える影響を測定することと；
対照試料中の、APOC1のレベル及び／又は活性、TNXBのレベル及び／又は活性、SELLのレベル及び／又は活性、並びにQSOX1のレベル及び／又は活性と比較して、アリコート中のAPOC1のレベル及び／又は活性、TNXBのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(223)  活性な結核（ＴＢ）を有する対象を治療する方法であって、APOC1の発現及び／又は活性、TNXBのレベル及び／又は活性、SELLのレベル及び／又は活性、並びにQSOX1のレベル及び／又は活性を調節する剤の有効量を前記対象に投与し、それによって前記対象を治療することを含む、前記方法。
(224)  対象が活性な結核（ＴＢ）を有するか否かを決定する方法であって、
前記対象から得られた試料中の、GP1BAのレベル、PEPDのレベル、SELLのレベル、及びSEPP1のレベルを測定することと；
対象試料中のGP1BAのレベル、PEPDのレベル、SELLのレベル、及びSEPP1のレベルを、対照試料中のGP1BAのレベル、PEPDのレベル、SELLのレベル、及びSEPP1のレベルと比較することとを含み、前記対象試料中のGP1BAのレベル、PEPDのレベル、SELLのレベル、及びSEPP1のレベルと前記対照試料中のGP1BAのレベル、PEPDのレベル、SELLのレベル、及びSEPP1のレベルとの差が、前記対象が活性なＴＢを有することを示す、前記方法。
(225)  活性な結核（ＴＢ）を有する対象における治療の有効性を監視する方法であって、
前記治療の開始前に、前記対象から得られた第１の試料中の、GP1BAのレベル、PEPDのレベル、SELLのレベル、及びSEPP1のレベルを測定することと；
前記治療の少なくとも一部が投与された後に前記対象から得られた第２の試料中の、GP1BAのレベル、PEPDのレベル、SELLのレベル、及びSEPP1のレベルを測定することと；
前記第１の試料中のGP1BAのレベル、PEPDのレベル、SELLのレベル、及びSEPP1のレベルを前記第２の試料中のGP1BAのレベル、PEPDのレベル、SELLのレベル、及びSEPP1のレベルと比較することとを含み、前記第１の試料中のGP1BAのレベル、PEPDのレベル、SELLのレベル、及びSEPP1のレベルと前記第２の試料中のGP1BAのレベル、PEPDのレベル、SELLのレベル、及びSEPP1のレベルの差が、前記治療が有効であることを示す、前記方法。
(226)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、PEPDのレベル及び／又は活性、SELLのレベル及び／又は活性、並びにSEPP1のレベル及び／又は活性に与える影響を測定することと；
対照試料中の、GP1BAのレベル及び／又は活性、PEPDのレベル及び／又は活性、SELLのレベル及び／又は活性、並びにSEPP1のレベル及び／又は活性と比較して、アリコート中のGP1BAのレベル及び／又は活性、PEPDのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(227)  活性な結核（ＴＢ）を有する対象を治療する方法であって、GP1BAの発現及び／又は活性、PEPDのレベル及び／又は活性、SELLのレベル及び／又は活性、並びにSEPP1のレベル及び／又は活性を調節する剤の有効量を前記対象に投与し、それによって前記対象を治療することを含む、前記方法。
(228)  対象が活性な結核（ＴＢ）を有するか否かを決定する方法であって、
前記対象から得られた試料中の、QSOX1のレベル、SEPP1のレベル、SELLのレベル、及びTNXBのレベルを測定することと；
対象試料中のQSOX1のレベル、SEPP1のレベル、SELLのレベル、及びTNXBのレベルを、対照試料中のQSOX1のレベル、SEPP1のレベル、SELLのレベル、及びTNXBのレベルと比較することとを含み、前記対象試料中のQSOX1のレベル、SEPP1のレベル、SELLのレベル、及びTNXBのレベルと前記対照試料中のQSOX1のレベル、SEPP1のレベル、SELLのレベル、及びTNXBのレベルとの差が、前記対象が活性なＴＢを有することを示す、前記方法。
(229)  活性な結核（ＴＢ）を有する対象における治療の有効性を監視する方法であって、
前記治療の開始前に、前記対象から得られた第１の試料中の、QSOX1のレベル、SEPP1のレベル、SELLのレベル、及びTNXBのレベルを測定することと；
前記治療の少なくとも一部が投与された後に前記対象から得られた第２の試料中の、QSOX1のレベル、SEPP1のレベル、SELLのレベル、及びTNXBのレベルを測定することと；
前記第１の試料中のQSOX1のレベル、SEPP1のレベル、SELLのレベル、及びTNXBのレベルを前記第２の試料中のQSOX1のレベル、SEPP1のレベル、SELLのレベル、及びTNXBのレベルと比較することとを含み、前記第１の試料中のQSOX1のレベル、SEPP1のレベル、SELLのレベル、及びTNXBのレベルと前記第２の試料中のQSOX1のレベル、SEPP1のレベル、SELLのレベル、及びTNXBのレベルの差が、前記治療が有効であることを示す、前記方法。
(230)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、SEPP1のレベル及び／又は活性、SELLのレベル及び／又は活性、並びにTNXBのレベル及び／又は活性に与える影響を測定することと；
対照試料中の、QSOX1のレベル及び／又は活性、SEPP1のレベル及び／又は活性、SELLのレベル及び／又は活性、並びにTNXBのレベル及び／又は活性と比較して、アリコート中のQSOX1のレベル及び／又は活性、SEPP1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(231)  活性な結核（ＴＢ）を有する対象を治療する方法であって、QSOX1の発現及び／又は活性、SEPP1のレベル及び／又は活性、SELLのレベル及び／又は活性、並びにTNXBのレベル及び／又は活性を調節する剤の有効量を前記対象に投与し、それによって前記対象を治療することを含む、前記方法。
(232)  対象が活性な結核（ＴＢ）を有するか否かを決定する方法であって、
前記対象から得られた試料中の、LUMのレベル、SEPP1のレベル、SELLのレベル、及びQSOX1のレベルを測定することと；
対象試料中のLUMのレベル、SEPP1のレベル、SELLのレベル、及びQSOX1のレベルを、対照試料中のLUMのレベル、SEPP1のレベル、SELLのレベル、及びQSOX1のレベルと比較することとを含み、前記対象試料中のLUMのレベル、SEPP1のレベル、SELLのレベル、及びQSOX1のレベルと前記対照試料中のLUMのレベル、SEPP1のレベル、SELLのレベル、及びQSOX1のレベルとの差が、前記対象が活性なＴＢを有することを示す、前記方法。
(233)  活性な結核（ＴＢ）を有する対象における治療の有効性を監視する方法であって、
前記治療の開始前に、前記対象から得られた第１の試料中の、LUMのレベル、SEPP1のレベル、SELLのレベル、及びQSOX1のレベルを測定することと；
前記治療の少なくとも一部が投与された後に前記対象から得られた第２の試料中の、LUMのレベル、SEPP1のレベル、SELLのレベル、及びQSOX1のレベルを測定することと；
前記第１の試料中のLUMのレベル、SEPP1のレベル、SELLのレベル、及びQSOX1のレベルを前記第２の試料中のLUMのレベル、SEPP1のレベル、SELLのレベル、及びQSOX1のレベルと比較することとを含み、前記第１の試料中のLUMのレベル、SEPP1のレベル、SELLのレベル、及びQSOX1のレベルと前記第２の試料中のLUMのレベル、SEPP1のレベル、SELLのレベル、及びQSOX1のレベルの差が、前記治療が有効であることを示す、前記方法。
(234)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、SEPP1のレベル及び／又は活性、SELLのレベル及び／又は活性、並びにQSOX1のレベル及び／又は活性に与える影響を測定することと；
対照試料中の、LUMのレベル及び／又は活性、SEPP1のレベル及び／又は活性、SELLのレベル及び／又は活性、並びにQSOX1のレベル及び／又は活性と比較して、アリコート中のLUMのレベル及び／又は活性、SEPP1のレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(235)  活性な結核（ＴＢ）を有する対象を治療する方法であって、LUMの発現及び／又は活性、SEPP1のレベル及び／又は活性、SELLのレベル及び／又は活性、並びにQSOX1のレベル及び／又は活性を調節する剤の有効量を前記対象に投与し、それによって前記対象を治療することを含む、前記方法。
(236)  対象が活性な結核（ＴＢ）を有するか否かを決定する方法であって、
前記対象から得られた試料中の、COMPのレベル、GP1BAのレベル、SELLのレベル、及びSEPP1のレベルを測定することと；
対象試料中のCOMPのレベル、GP1BAのレベル、SELLのレベル、及びSEPP1のレベルを、対照試料中のCOMPのレベル、GP1BAのレベル、SELLのレベル、及びSEPP1のレベルと比較することとを含み、前記対象試料中のCOMPのレベル、GP1BAのレベル、SELLのレベル、及びSEPP1のレベルと前記対照試料中のCOMPのレベル、GP1BAのレベル、SELLのレベル、及びSEPP1のレベルとの差が、前記対象が活性なＴＢを有することを示す、前記方法。
(237)  活性な結核（ＴＢ）を有する対象における治療の有効性を監視する方法であって、
前記治療の開始前に、前記対象から得られた第１の試料中の、COMPのレベル、GP1BAのレベル、SELLのレベル、及びSEPP1のレベルを測定することと；
前記治療の少なくとも一部が投与された後に前記対象から得られた第２の試料中の、COMPのレベル、GP1BAのレベル、SELLのレベル、及びSEPP1のレベルを測定することと；
前記第１の試料中のCOMPのレベル、GP1BAのレベル、SELLのレベル、及びSEPP1のレベルを前記第２の試料中のCOMPのレベル、GP1BAのレベル、SELLのレベル、及びSEPP1のレベルと比較することとを含み、前記第１の試料中のCOMPのレベル、GP1BAのレベル、SELLのレベル、及びSEPP1のレベルと前記第２の試料中のCOMPのレベル、GP1BAのレベル、SELLのレベル、及びSEPP1のレベルの差が、前記治療が有効であることを示す、前記方法。
(238)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、GP1BAのレベル及び／又は活性、SELLのレベル及び／又は活性、並びにSEPP1のレベル及び／又は活性に与える影響を測定することと；
対照試料中の、COMPのレベル及び／又は活性、GP1BAのレベル及び／又は活性、SELLのレベル及び／又は活性、並びにSEPP1のレベル及び／又は活性と比較して、アリコート中のCOMPのレベル及び／又は活性、GP1BAのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(239)  活性な結核（ＴＢ）を有する対象を治療する方法であって、COMPの発現及び／又は活性、GP1BAのレベル及び／又は活性、SELLのレベル及び／又は活性、並びにSEPP1のレベル及び／又は活性を調節する剤の有効量を前記対象に投与し、それによって前記対象を治療することを含む、前記方法。
(240)  対象が活性な結核（ＴＢ）を有するか否かを決定する方法であって、
前記対象から得られた試料中の、APOC1のレベル、GP1BAのレベル、SELLのレベル、及びPEPDのレベルを測定することと；
対象試料中のAPOC1のレベル、GP1BAのレベル、SELLのレベル、及びPEPDのレベルを、対照試料中のAPOC1のレベル、GP1BAのレベル、SELLのレベル、及びPEPDのレベルと比較することとを含み、前記対象試料中のAPOC1のレベル、GP1BAのレベル、SELLのレベル、及びPEPDのレベルと前記対照試料中のAPOC1のレベル、GP1BAのレベル、SELLのレベル、及びPEPDのレベルとの差が、前記対象が活性なＴＢを有することを示す、前記方法。
(241)  活性な結核（ＴＢ）を有する対象における治療の有効性を監視する方法であって、
前記治療の開始前に、前記対象から得られた第１の試料中の、APOC1のレベル、GP1BAのレベル、SELLのレベル、及びPEPDのレベルを測定することと；
前記治療の少なくとも一部が投与された後に前記対象から得られた第２の試料中の、APOC1のレベル、GP1BAのレベル、SELLのレベル、及びPEPDのレベルを測定することと；
前記第１の試料中のAPOC1のレベル、GP1BAのレベル、SELLのレベル、及びPEPDのレベルを前記第２の試料中のAPOC1のレベル、GP1BAのレベル、SELLのレベル、及びPEPDのレベルと比較することとを含み、前記第１の試料中のAPOC1のレベル、GP1BAのレベル、SELLのレベル、及びPEPDのレベルと前記第２の試料中のAPOC1のレベル、GP1BAのレベル、SELLのレベル、及びPEPDのレベルの差が、前記治療が有効であることを示す、前記方法。
(242)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、GP1BAのレベル及び／又は活性、SELLのレベル及び／又は活性、並びにPEPDのレベル及び／又は活性に与える影響を測定することと；
対照試料中の、APOC1のレベル及び／又は活性、GP1BAのレベル及び／又は活性、SELLのレベル及び／又は活性、並びにPEPDのレベル及び／又は活性と比較して、アリコート中のAPOC1のレベル及び／又は活性、GP1BAのレベル及び／又は活性、SELLのレベル及び／又は活性、並びにPEPDのレベル及び／又は活性を調節する化合物のライブラリーのメンバーを選択し、それによって、活性なＴＢを有する対象を治療するために有用な化合物を同定することを含む、前記方法。
(243)  活性な結核（ＴＢ）を有する対象を治療する方法であって、APOC1の発現及び／又は活
性、GP1BAのレベル及び／又は活性、SELLのレベル及び／又は活性、並びにPEPDのレベル及び／又は活性を調節する剤の有効量を前記対象に投与し、それによって前記対象を治療することを含む、前記方法。
(244)  対象が活性な結核（ＴＢ）を有するか否かを決定する方法であって、
前記対象から得られた試料中の、COMPのレベル、SEPP1のレベル、SELLのレベル、及びQSOX1のレベルを測定することと；
対象試料中のCOMPのレベル、SEPP1のレベル、SELLのレベル、及びQSOX1のレベルを、対照試料中のCOMPのレベル、SEPP1のレベル、SELLのレベル、及びQSOX1のレベルと比較することとを含み、前記対象試料中のCOMPのレベル、SEPP1のレベル、SELLのレベル、及びQSOX1のレベルと前記対照試料中のCOMPのレベル、SEPP1のレベル、SELLのレベル、及びQSOX1のレベルとの差が、前記対象が活性なＴＢを有することを示す、前記方法。
(245)  活性な結核（ＴＢ）を有する対象における治療の有効性を監視する方法であって、
前記治療の開始前に、前記対象から得られた第１の試料中の、COMPのレベル、SEPP1のレベル、SELLのレベル、及びQSOX1のレベルを測定することと；
前記治療の少なくとも一部が投与された後に前記対象から得られた第２の試料中の、COMPのレベル、SEPP1のレベル、SELLのレベル、及びQSOX1のレベルを測定することと；
前記第１の試料中のCOMPのレベル、SEPP1のレベル、SELLのレベル、及びQSOX1のレベルを前記第２の試料中のCOMPのレベル、SEPP1のレベル、SELLのレベル、及びQSOX1のレベルと比較することとを含み、前記第１の試料中のCOMPのレベル、SEPP1のレベル、SELLのレベル、及びQSOX1のレベルと前記第２の試料中のCOMPのレベル、SEPP1のレベル、SELLのレベル、及びQSOX1のレベルの差が、前記治療が有効であることを示す、前記方法。
(246)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、SEPP1のレベル及び／又は活性、SELLのレベル及び／又は活性、並びにQSOX1のレベル及び／又は活性に与える影響を測定することと；
対照試料中の、COMPのレベル及び／又は活性、SEPP1のレベル及び／又は活性、SELLのレベル及び／又は活性、並びにQSOX1のレベル及び／又は活性と比較して、アリコート中のCOMPのレベル及び／又は活性、SEPP1のレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(247)  活性な結核（ＴＢ）を有する対象を治療する方法であって、COMPの発現及び／又は活性、SEPP1のレベル及び／又は活性、SELLのレベル及び／又は活性、並びにQSOX1のレベル及び／又は活性を調節する剤の有効量を前記対象に投与し、それによって前記対象を治療することを含む、前記方法。
(248)  対象が活性な結核（ＴＢ）を有するか否かを決定する方法であって、
前記対象から得られた試料中の、COMPのレベル、SEPP1のレベル、SELLのレベル、及びLUMのレベルを測定することと；
対象試料中のCOMPのレベル、SEPP1のレベル、SELLのレベル、及びLUMのレベルを、対照試料中のCOMPのレベル、SEPP1のレベル、SELLのレベル、及びLUMのレベルと比較することとを含み、前記対象試料中のCOMPのレベル、SEPP1のレベル、SELLのレベル、及びLUMのレベルと前記対照試料中のCOMPのレベル、SEPP1のレベル、SELLのレベル、及びLUMのレベルとの差が、前記対象が活性なＴＢを有することを示す、前記方法。
(249)  活性な結核（ＴＢ）を有する対象における治療の有効性を監視する方法であって、
前記治療の開始前に、前記対象から得られた第１の試料中の、COMPのレベル、SEPP1のレベル、SELLのレベル、及びLUMのレベルを測定することと；
前記治療の少なくとも一部が投与された後に前記対象から得られた第２の試料中の、COMPのレベル、SEPP1のレベル、SELLのレベル、及びLUMのレベルを測定することと；
前記第１の試料中のCOMPのレベル、SEPP1のレベル、SELLのレベル、及びLUMのレベルを前記第２の試料中のCOMPのレベル、SEPP1のレベル、SELLのレベル、及びLUMのレベルと比較することとを含み、前記第１の試料中のCOMPのレベル、SEPP1のレベル、SELLのレベル、及びLUMのレベルと前記第２の試料中のCOMPのレベル、SEPP1のレベル、SELLのレベル、及びLUMのレベルの差が、前記治療が有効であることを示す、前記方法。
(250)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、SEPP1のレベル及び／又は活性、SELLのレベル及び／又は活性、並びにLUMのレベル及び／又は活性に与える影響を測定することと；
対照試料中の、COMPのレベル及び／又は活性、SEPP1のレベル及び／又は活性、SELLのレベル及び／又は活性、並びにLUMのレベル及び／又は活性と比較して、アリコート中のCOMPのレベル及び／又は活性、SEPP1のレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(251)  活性な結核（ＴＢ）を有する対象を治療する方法であって、COMPの発現及び／又は活性、SEPP1のレベル及び／又は活性、SELLのレベル及び／又は活性、並びにLUMのレベル及び／又は活性を調節する剤の有効量を前記対象に投与し、それによって前記対象を治療することを含む、前記方法。
(252)  対象が活性な結核（ＴＢ）を有するか否かを決定する方法であって、
前記対象から得られた試料中の、CD14のレベル、QSOX1のレベル、SELLのレベル、及びSEPP1のレベルを測定することと；
対象試料中のCD14のレベル、QSOX1のレベル、SELLのレベル、及びSEPP1のレベルを、対照試料中のCD14のレベル、QSOX1のレベル、SELLのレベル、及びSEPP1のレベルと比較することとを含み、前記対象試料中のCD14のレベル、QSOX1のレベル、SELLのレベル、及びSEPP1のレベルと前記対照試料中のCD14のレベル、QSOX1のレベル、SELLのレベル、及びSEPP1のレベルとの差が、前記対象が活性なＴＢを有することを示す、前記方法。
(253)  活性な結核（ＴＢ）を有する対象における治療の有効性を監視する方法であって、
前記治療の開始前に、前記対象から得られた第１の試料中の、CD14のレベル、QSOX1のレベル、SELLのレベル、及びSEPP1のレベルを測定することと；
前記治療の少なくとも一部が投与された後に前記対象から得られた第２の試料中の、CD14のレベル、QSOX1のレベル、SELLのレベル、及びSEPP1のレベルを測定することと；
前記第１の試料中のCD14のレベル、QSOX1のレベル、SELLのレベル、及びSEPP1のレベルを前記第２の試料中のCD14のレベル、QSOX1のレベル、SELLのレベル、及びSEPP1のレベルと比較することとを含み、前記第１の試料中のCD14のレベル、QSOX1のレベル、SELLのレベル、及びSEPP1のレベルと前記第２の試料中のCD14のレベル、QSOX1のレベル、SELLのレベル、及びSEPP1のレベルの差が、前記治療が有効であることを示す、前記方法。
(254)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、QSOX1のレベル及び／又は活性、SELLのレベル及び／又は活性、並びにSEPP1のレベル及び／又は活性に与える影響を測定することと；
対照試料中の、CD14のレベル及び／又は活性、QSOX1のレベル及び／又は活性、SELLのレベル及び／又は活性、並びにSEPP1のレベル及び／又は活性と比較して、アリコート中のCD14のレベル及び／又は活性、QSOX1のレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(255)  活性な結核（ＴＢ）を有する対象を治療する方法であって、CD14の発現及び／又は活性、QSOX1のレベル及び／又は活性、SELLのレベル及び／又は活性、並びにSEPP1のレベル及び／又は活性を調節する剤の有効量を前記対象に投与し、それによって前記対象を治療することを含む、前記方法。
(256)  対象が活性な結核（ＴＢ）を有するか否かを決定する方法であって、
前記対象から得られた試料中の、COMPのレベル、SEPP1のレベル、SELLのレベル、及びTNXBのレベルを測定することと；
対象試料中のCOMPのレベル、SEPP1のレベル、SELLのレベル、及びTNXBのレベルを、対照試料中のCOMPのレベル、SEPP1のレベル、SELLのレベル、及びTNXBのレベルと比較することとを含み、前記対象試料中のCOMPのレベル、SEPP1のレベル、SELLのレベル、及びTNXBのレベルと前記対照試料中のCOMPのレベル、SEPP1のレベル、SELLのレベル、及びTNXBのレベルとの差が、前記対象が活性なＴＢを有することを示す、前記方法。
(257)  活性な結核（ＴＢ）を有する対象における治療の有効性を監視する方法であって、
前記治療の開始前に、前記対象から得られた第１の試料中の、COMPのレベル、SEPP1のレベル、SELLのレベル、及びTNXBのレベルを測定することと；
前記治療の少なくとも一部が投与された後に前記対象から得られた第２の試料中の、COMPのレベル、SEPP1のレベル、SELLのレベル、及びTNXBのレベルを測定することと；
前記第１の試料中のCOMPのレベル、SEPP1のレベル、SELLのレベル、及びTNXBのレベルを前記第２の試料中のCOMPのレベル、SEPP1のレベル、SELLのレベル、及びTNXBのレベルと比較することとを含み、前記第１の試料中のCOMPのレベル、SEPP1のレベル、SELLのレベル、及びTNXBのレベルと前記第２の試料中のCOMPのレベル、SEPP1のレベル、SELLのレベル、及びTNXBのレベルの差が、前記治療が有効であることを示す、前記方法。
(258)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、SEPP1のレベル及び／又は活性、SELLのレベル及び／又は活性、並びにTNXBのレベル及び／又は活性に与える影響を測定することと；
対照試料中の、COMPのレベル及び／又は活性、SEPP1のレベル及び／又は活性、SELLのレベル及び／又は活性、並びにTNXBのレベル及び／又は活性と比較して、アリコート中のCOMPのレベル及び／又は活性、SEPP1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(259)  活性な結核（ＴＢ）を有する対象を治療する方法であって、COMPの発現及び／又は活性、SEPP1のレベル及び／又は活性、SELLのレベル及び／又は活性、並びにTNXBのレベル及び／又は活性を調節する剤の有効量を前記対象に投与し、それによって前記対象を治療することを含む、前記方法。
(260)  対象が活性な結核（ＴＢ）を有するか否かを決定する方法であって、
前記対象から得られた試料中の、APOC1のレベル、CD14のレベル、GP1BAのレベル、及びQSOX1のレベルを測定することと；
対象試料中のAPOC1のレベル、CD14のレベル、GP1BAのレベル、及びQSOX1のレベルを、対照試料中のAPOC1のレベル、CD14のレベル、GP1BAのレベル、及びQSOX1のレベルと比較することとを含み、前記対象試料中のAPOC1のレベル、CD14のレベル、GP1BAのレベル、及びQSOX1のレベルと前記対照試料中のAPOC1のレベル、CD14のレベル、GP1BAのレベル、及びQSOX1のレベルとの差が、前記対象が活性なＴＢを有することを示す、前記方法。
(261)  活性な結核（ＴＢ）を有する対象における治療の有効性を監視する方法であって、
前記治療の開始前に、前記対象から得られた第１の試料中の、APOC1のレベル、CD14のレベル、GP1BAのレベル、及びQSOX1のレベルを測定することと；
前記治療の少なくとも一部が投与された後に前記対象から得られた第２の試料中の、APOC1のレベル、CD14のレベル、GP1BAのレベル、及びQSOX1のレベルを測定することと；
前記第１の試料中のAPOC1のレベル、CD14のレベル、GP1BAのレベル、及びQSOX1のレベルを前記第２の試料中のAPOC1のレベル、CD14のレベル、GP1BAのレベル、及びQSOX1のレベルと比較することとを含み、前記第１の試料中のAPOC1のレベル、CD14のレベル、GP1BAのレベル、及びQSOX1のレベルと前記第２の試料中のAPOC1のレベル、CD14のレベル、GP1BAのレベル、及びQSOX1のレベルの差が、前記治療が有効であることを示す、前記方法。
(262)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、GP1BAのレベル及び／又は活性、並びにQSOX1のレベル及び／又は活性に与える影響を測定することと；
対照試料中の、APOC1のレベル及び／又は活性、CD14のレベル及び／又は活性、GP1BAのレベル及び／又は活性、並びにQSOX1のレベル及び／又は活性と比較して、アリコート中のAPOC1のレベル及び／又は活性、CD14のレベル及び／又は活性、GP1BAのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(263)  活性な結核（ＴＢ）を有する対象を治療する方法であって、APOC1の発現及び／又は活性、CD14のレベル及び／又は活性、GP1BAのレベル及び／又は活性、並びにQSOX1のレベル及び／又は活性を調節する剤の有効量を前記対象に投与し、それによって前記対象を治療することを含む、前記方法。
(264)  対象が活性な結核（ＴＢ）を有するか否かを決定する方法であって、
前記対象から得られた試料中の、CD14のレベル、QSOX1のレベル、SELLのレベル、及びTNXBのレベルを測定することと；
対象試料中のCD14のレベル、QSOX1のレベル、SELLのレベル、及びTNXBのレベルを、対照試料中のCD14のレベル、QSOX1のレベル、SELLのレベル、及びTNXBのレベルと比較することとを含み、前記対象試料中のCD14のレベル、QSOX1のレベル、SELLのレベル、及びTNXBのレベルと前記対照試料中のCD14のレベル、QSOX1のレベル、SELLのレベル、及びTNXBのレベルとの差が、前記対象が活性なＴＢを有することを示す、前記方法。
(265)  活性な結核（ＴＢ）を有する対象における治療の有効性を監視する方法であって、
前記治療の開始前に、前記対象から得られた第１の試料中の、CD14のレベル、QSOX1のレベル、SELLのレベル、及びTNXBのレベルを測定することと；
前記治療の少なくとも一部が投与された後に前記対象から得られた第２の試料中の、CD14のレベル、QSOX1のレベル、SELLのレベル、及びTNXBのレベルを測定することと；
前記第１の試料中のCD14のレベル、QSOX1のレベル、SELLのレベル、及びTNXBのレベルを前記第２の試料中のCD14のレベル、QSOX1のレベル、SELLのレベル、及びTNXBのレベルと比較することとを含み、前記第１の試料中のCD14のレベル、QSOX1のレベル、SELLのレベル、及びTNXBのレベルと前記第２の試料中のCD14のレベル、QSOX1のレベル、SELLのレベル、及びTNXBのレベルの差が、前記治療が有効であることを示す、前記方法。
(266)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、QSOX1のレベル及び／又は活性、SELLのレベル及び／又は活性、並びにTNXBのレベル及び／又は活性に与える影響を測定することと；
対照試料中の、CD14のレベル及び／又は活性、QSOX1のレベル及び／又は活性、SELLのレベル及び／又は活性、並びにTNXBのレベル及び／又は活性と比較して、アリコート中のCD14のレベル及び／又は活性、QSOX1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(267)  活性な結核（ＴＢ）を有する対象を治療する方法であって、CD14の発現及び／又は活性、QSOX1のレベル及び／又は活性、SELLのレベル及び／又は活性、並びにTNXBのレベル及び／又は活性を調節する剤の有効量を前記対象に投与し、それによって前記対象を治療することを含む、前記方法。
(268)  対象が活性な結核（ＴＢ）を有するか否かを決定する方法であって、
前記対象から得られた試料中の、APOC1のレベル、SEPP1のレベル、SELLのレベル、及びTNXBのレベルを測定することと；
対象試料中のAPOC1のレベル、SEPP1のレベル、SELLのレベル、及びTNXBのレベルを、対照試料中のAPOC1のレベル、SEPP1のレベル、SELLのレベル、及びTNXBのレベルと比較することとを含み、前記対象試料中のAPOC1のレベル、SEPP1のレベル、SELLのレベル、及びTNXBのレベルと前記対照試料中のAPOC1のレベル、SEPP1のレベル、SELLのレベル、及びTNXBのレベルとの差が、前記対象が活性なＴＢを有することを示す、前記方法。
(269)  活性な結核（ＴＢ）を有する対象における治療の有効性を監視する方法であって、
前記治療の開始前に、前記対象から得られた第１の試料中の、APOC1のレベル、SEPP1のレベル、SELLのレベル、及びTNXBのレベルを測定することと；
前記治療の少なくとも一部が投与された後に前記対象から得られた第２の試料中の、APOC1のレベル、SEPP1のレベル、SELLのレベル、及びTNXBのレベルを測定することと；
前記第１の試料中のAPOC1のレベル、SEPP1のレベル、SELLのレベル、及びTNXBのレベルを前記第２の試料中のAPOC1のレベル、SEPP1のレベル、SELLのレベル、及びTNXBのレベルと比較することとを含み、前記第１の試料中のAPOC1のレベル、SEPP1のレベル、SELLのレベル、及びTNXBのレベルと前記第２の試料中のAPOC1のレベル、SEPP1のレベル、SELLのレベル、及びTNXBのレベルの差が、前記治療が有効であることを示す、前記方法。
(270)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、SEPP1のレベル及び／又は活性、SELLのレベル及び／又は活性、並びにTNXBのレベル及び／又は活性に与える影響を測定することと；
対照試料中の、APOC1のレベル及び／又は活性、SEPP1のレベル及び／又は活性、SELLのレベル及び／又は活性、並びにTNXBのレベル及び／又は活性と比較して、アリコート中のAPOC1のレベル及び／又は活性、SEPP1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(271)  活性な結核（ＴＢ）を有する対象を治療する方法であって、APOC1の発現及び／又は活性、SEPP1のレベル及び／又は活性、SELLのレベル及び／又は活性、並びにTNXBのレベル及び／又は活性を調節する剤の有効量を前記対象に投与し、それによって前記対象を治療することを含む、前記方法。
(272)  対象が活性な結核（ＴＢ）を有するか否かを決定する方法であって、
前記対象から得られた試料中の、APOC1のレベル、GP1BAのレベル、SELLのレベル、及びQSOX1のレベルを測定することと；
対象試料中のAPOC1のレベル、GP1BAのレベル、SELLのレベル、及びQSOX1のレベルを、対照試料中のAPOC1のレベル、GP1BAのレベル、SELLのレベル、及びQSOX1のレベルと比較することとを含み、前記対象試料中のAPOC1のレベル、GP1BAのレベル、SELLのレベル、及びQSOX1のレベルと前記対照試料中のAPOC1のレベル、GP1BAのレベル、SELLのレベル、及びQSOX1のレベルとの差が、前記対象が活性なＴＢを有することを示す、前記方法。
(273)  活性な結核（ＴＢ）を有する対象における治療の有効性を監視する方法であって、
前記治療の開始前に、前記対象から得られた第１の試料中の、APOC1のレベル、GP1BAのレベル、SELLのレベル、及びQSOX1のレベルを測定することと；
前記治療の少なくとも一部が投与された後に前記対象から得られた第２の試料中の、APOC1のレベル、GP1BAのレベル、SELLのレベル、及びQSOX1のレベルを測定することと；
前記第１の試料中のAPOC1のレベル、GP1BAのレベル、SELLのレベル、及びQSOX1のレベルを前記第２の試料中のAPOC1のレベル、GP1BAのレベル、SELLのレベル、及びQSOX1のレベルと比較することとを含み、前記第１の試料中のAPOC1のレベル、GP1BAのレベル、SELLのレベル、及びQSOX1のレベルと前記第２の試料中のAPOC1のレベル、GP1BAのレベル、SELLのレベル、及びQSOX1のレベルの差が、前記治療が有効であることを示す、前記方法。
(274)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、GP1BAのレベル及び／又は活性、SELLのレベル及び／又は活性、並びにQSOX1のレベル及び／又は活性に与える影響を測定することと；
対照試料中の、APOC1のレベル及び／又は活性、GP1BAのレベル及び／又は活性、SELLのレベル及び／又は活性、並びにQSOX1のレベル及び／又は活性と比較して、アリコート中のAPOC1のレベル及び／又は活性、GP1BAのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(275)  活性な結核（ＴＢ）を有する対象を治療する方法であって、APOC1の発現及び／又は活性、GP1BAのレベル及び／又は活性、SELLのレベル及び／又は活性、並びにQSOX1のレベル及び／又は活性を調節する剤の有効量を前記対象に投与し、それによって前記対象を治療することを含む、前記方法。
(276)  対象が活性な結核（ＴＢ）を有するか否かを決定する方法であって、
前記対象から得られた試料中の、CD14のレベル、PEPDのレベル、APOC1のレベル、及びGP1BAのレベルを測定することと；
対象試料中のCD14のレベル、PEPDのレベル、APOC1のレベル、及びGP1BAのレベルを、対照試料中のCD14のレベル、PEPDのレベル、APOC1のレベル、及びGP1BAのレベルと比較することとを含み、前記対象試料中のCD14のレベル、PEPDのレベル、APOC1のレベル、及びGP1BAのレベルと前記対照試料中のCD14のレベル、PEPDのレベル、APOC1のレベル、及びGP1BAのレベルとの差が、前記対象が活性なＴＢを有することを示す、前記方法。
(277)  活性な結核（ＴＢ）を有する対象における治療の有効性を監視する方法であって、
前記治療の開始前に、前記対象から得られた第１の試料中の、CD14のレベル、PEPDのレベル、APOC1のレベル、及びGP1BAのレベルを測定することと；
前記治療の少なくとも一部が投与された後に前記対象から得られた第２の試料中の、CD14のレベル、PEPDのレベル、APOC1のレベル、及びGP1BAのレベルを測定することと；
前記第１の試料中のCD14のレベル、PEPDのレベル、APOC1のレベル、及びGP1BAのレベルを前記第２の試料中のCD14のレベル、PEPDのレベル、APOC1のレベル、及びGP1BAのレベルと比較することとを含み、前記第１の試料中のCD14のレベル、PEPDのレベル、APOC1のレベル、及びGP1BAのレベルと前記第２の試料中のCD14のレベル、PEPDのレベル、APOC1のレベル、及びGP1BAのレベルの差が、前記治療が有効であることを示す、前記方法。
(278)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PEPDのレベル及び／又は活性、APOC1のレベル及び／又は活性、並びにGP1BAのレベル及び／又は活性に与える影響を測定することと；
対照試料中の、CD14のレベル及び／又は活性、PEPDのレベル及び／又は活性、APOC1のレベル及び／又は活性、並びにGP1BAのレベル及び／又は活性と比較して、アリコート中のCD14のレベル及び／又は活性、PEPDのレベル及び／又は活性、APOC1のレベル及び／又は活性、並びにGP1BAのレベル及び／又は活性を調節する化合物のライブラリーのメンバーを選択し、それによって、活性なＴＢを有する対象を治療するために有用な化合物を同定することを含む、前記方法。
(279)  活性な結核（ＴＢ）を有する対象を治療する方法であって、CD14の発現及び／又は活性、PEPDのレベル及び／又は活性、APOC1のレベル及び／又は活性、並びにGP1BAのレベル及び／又は活性を調節する剤の有効量を前記対象に投与し、それによって前記対象を治療することを含む、前記方法。
(280)  対象が活性な結核（ＴＢ）を有するか否かを決定する方法であって、
前記対象から得られた試料中の、COMPのレベル、CD14のレベル、SELLのレベル、及びGP1BAのレベルを測定することと；
対象試料中のCOMPのレベル、CD14のレベル、SELLのレベル、及びGP1BAのレベルを、対照試料中のCOMPのレベル、CD14のレベル、SELLのレベル、及びGP1BAのレベルと比較することとを含み、前記対象試料中のCOMPのレベル、CD14のレベル、SELLのレベル、及びGP1BAのレベルと前記対照試料中のCOMPのレベル、CD14のレベル、SELLのレベル、及びGP1BAのレベルとの差が、前記対象が活性なＴＢを有することを示す、前記方法。
(281)  活性な結核（ＴＢ）を有する対象における治療の有効性を監視する方法であって、
前記治療の開始前に、前記対象から得られた第１の試料中の、COMPのレベル、CD14のレベル、SELLのレベル、及びGP1BAのレベルを測定することと；
前記治療の少なくとも一部が投与された後に前記対象から得られた第２の試料中の、COMPのレベル、CD14のレベル、SELLのレベル、及びGP1BAのレベルを測定することと；
前記第１の試料中のCOMPのレベル、CD14のレベル、SELLのレベル、及びGP1BAのレベルを前記第２の試料中のCOMPのレベル、CD14のレベル、SELLのレベル、及びGP1BAのレベルと比較することとを含み、前記第１の試料中のCOMPのレベル、CD14のレベル、SELLのレベル、及びGP1BAのレベルと前記第２の試料中のCOMPのレベル、CD14のレベル、SELLのレベル、及びGP1BAのレベルの差が、前記治療が有効であることを示す、前記方法。
(282)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、CD14のレベル及び／又は活性、SELLのレベル及び／又は活性、並びにGP1BAのレベル及び／又は活性に与える影響を測定することと；
対照試料中の、COMPのレベル及び／又は活性、CD14のレベル及び／又は活性、SELLのレベル及び／又は活性、並びにGP1BAのレベル及び／又は活性と比較して、アリコート中のCOMPのレベル及び／又は活性、CD14のレベル及び／又は活性、SELLのレベル及び／又は活性、並びにGP1BAのレベル及び／又は活性を調節する化合物のライブラリーのメンバーを選択し、それによって、活性なＴＢを有する対象を治療するために有用な化合物を同定することを含む、前記方法。
(283)  活性な結核（ＴＢ）を有する対象を治療する方法であって、COMPの発現及び／又は活性、CD14のレベル及び／又は活性、SELLのレベル及び／又は活性、並びにGP1BAのレベル及び／又は活性を調節する剤の有効量を前記対象に投与し、それによって前記対象を治療することを含む、前記方法。
(284)  対象が活性な結核（ＴＢ）を有するか否かを決定する方法であって、
前記対象から得られた試料中の、APOC1のレベル、CD14のレベル、GP1BAのレベル、及びTNXBのレベルを測定することと；
対象試料中のAPOC1のレベル、CD14のレベル、GP1BAのレベル、及びTNXBのレベルを、対照試料中のAPOC1のレベル、CD14のレベル、GP1BAのレベル、及びTNXBのレベルと比較することとを含み、前記対象試料中のAPOC1のレベル、CD14のレベル、GP1BAのレベル、及びTNXBのレベルと前記対照試料中のAPOC1のレベル、CD14のレベル、GP1BAのレベル、及びTNXBのレベルとの差が、前記対象が活性なＴＢを有することを示す、前記方法。
(285)  活性な結核（ＴＢ）を有する対象における治療の有効性を監視する方法であって、
前記治療の開始前に、前記対象から得られた第１の試料中の、APOC1のレベル、CD14のレベル、GP1BAのレベル、及びTNXBのレベルを測定することと；
前記治療の少なくとも一部が投与された後に前記対象から得られた第２の試料中の、APOC1のレベル、CD14のレベル、GP1BAのレベル、及びTNXBのレベルを測定することと；
前記第１の試料中のAPOC1のレベル、CD14のレベル、GP1BAのレベル、及びTNXBのレベルを前記第２の試料中のAPOC1のレベル、CD14のレベル、GP1BAのレベル、及びTNXBのレベルと比較することとを含み、前記第１の試料中のAPOC1のレベル、CD14のレベル、GP1BAのレベル、及びTNXBのレベルと前記第２の試料中のAPOC1のレベル、CD14のレベル、GP1BAのレベル、及びTNXBのレベルの差が、前記治療が有効であることを示す、前記方法。
(286)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、GP1BAのレベル及び／又は活性、並びにTNXBのレベル及び／又は活性に与える影響を測定することと；
対照試料中の、APOC1のレベル及び／又は活性、CD14のレベル及び／又は活性、GP1BAのレベル及び／又は活性、並びにTNXBのレベル及び／又は活性と比較して、アリコート中のAPOC1のレベル及び／又は活性、CD14のレベル及び／又は活性、GP1BAのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(287)  活性な結核（ＴＢ）を有する対象を治療する方法であって、APOC1の発現及び／又は活性、CD14のレベル及び／又は活性、GP1BAのレベル及び／又は活性、並びにTNXBのレベル及び／又は活性を調節する剤の有効量を前記対象に投与し、それによって前記対象を治療することを含む、前記方法。
(288)  対象が活性な結核（ＴＢ）を有するか否かを決定する方法であって、
前記対象から得られた試料中の、APOC1のレベル、COMPのレベル、GP1BAのレベル、及びCD14のレベルを測定することと；
対象試料中のAPOC1のレベル、COMPのレベル、GP1BAのレベル、及びCD14のレベルを、対照試料中のAPOC1のレベル、COMPのレベル、GP1BAのレベル、及びCD14のレベルと比較することとを含み、前記対象試料中のAPOC1のレベル、COMPのレベル、GP1BAのレベル、及びCD14のレベルと前記対照試料中のAPOC1のレベル、COMPのレベル、GP1BAのレベル、及びCD14のレベルとの差が、前記対象が活性なＴＢを有することを示す、前記方法。
(289)  活性な結核（ＴＢ）を有する対象における治療の有効性を監視する方法であって、
前記治療の開始前に、前記対象から得られた第１の試料中の、APOC1のレベル、COMPのレベル、GP1BAのレベル、及びCD14のレベルを測定することと；
前記治療の少なくとも一部が投与された後に前記対象から得られた第２の試料中の、APOC1のレベル、COMPのレベル、GP1BAのレベル、及びCD14のレベルを測定することと；
前記第１の試料中のAPOC1のレベル、COMPのレベル、GP1BAのレベル、及びCD14のレベルを前記第２の試料中のAPOC1のレベル、COMPのレベル、GP1BAのレベル、及びCD14のレベルと比較することとを含み、前記第１の試料中のAPOC1のレベル、COMPのレベル、GP1BAのレベル、及びCD14のレベルと前記第２の試料中のAPOC1のレベル、COMPのレベル、GP1BAのレベル、及びCD14のレベルの差が、前記治療が有効であることを示す、前記方法。
(290)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、COMPのレベル及び／又は活性、GP1BAのレベル及び／又は活性、並びにCD14のレベル及び／又は活性に与える影響を測定することと；
対照試料中の、APOC1のレベル及び／又は活性、COMPのレベル及び／又は活性、GP1BAのレベル及び／又は活性、並びにCD14のレベル及び／又は活性と比較して、アリコート中のAPOC1のレベル及び／又は活性、COMPのレベル及び／又は活性、GP1BAのレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(291)  活性な結核（ＴＢ）を有する対象を治療する方法であって、APOC1の発現及び／又は活性、COMPのレベル及び／又は活性、GP1BAのレベル及び／又は活性、並びにCD14のレベル及び／又は活性を調節する剤の有効量を前記対象に投与し、それによって前記対象を治療することを含む、前記方法。
(292)  対象が活性な結核（ＴＢ）を有するか否かを決定する方法であって、
前記対象から得られた試料中の、COMPのレベル、QSOX1のレベル、SELLのレベル、及びTNXBのレベルを測定することと；
対象試料中のCOMPのレベル、QSOX1のレベル、SELLのレベル、及びTNXBのレベルを、対照試料中のCOMPのレベル、QSOX1のレベル、SELLのレベル、及びTNXBのレベルと比較することとを含み、前記対象試料中のCOMPのレベル、QSOX1のレベル、SELLのレベル、及びTNXBのレベルと前記対照試料中のCOMPのレベル、QSOX1のレベル、SELLのレベル、及びTNXBのレベルとの差が、前記対象が活性なＴＢを有することを示す、前記方法。
(293)  活性な結核（ＴＢ）を有する対象における治療の有効性を監視する方法であって、
前記治療の開始前に、前記対象から得られた第１の試料中の、COMPのレベル、QSOX1のレベル、SELLのレベル、及びTNXBのレベルを測定することと；
前記治療の少なくとも一部が投与された後に前記対象から得られた第２の試料中の、COMPのレベル、QSOX1のレベル、SELLのレベル、及びTNXBのレベルを測定することと；
前記第１の試料中のCOMPのレベル、QSOX1のレベル、SELLのレベル、及びTNXBのレベルを前記第２の試料中のCOMPのレベル、QSOX1のレベル、SELLのレベル、及びTNXBのレベルと比較することとを含み、前記第１の試料中のCOMPのレベル、QSOX1のレベル、SELLのレベル、及びTNXBのレベルと前記第２の試料中のCOMPのレベル、QSOX1のレベル、SELLのレベル、及びTNXBのレベルの差が、前記治療が有効であることを示す、前記方法。
(294)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、QSOX1のレベル及び／又は活性、SELLのレベル及び／又は活性、並びにTNXBのレベル及び／又は活性に与える影響を測定することと；
対照試料中の、COMPのレベル及び／又は活性、QSOX1のレベル及び／又は活性、SELLのレベル及び／又は活性、並びにTNXBのレベル及び／又は活性と比較して、アリコート中のCOMPのレベル及び／又は活性、QSOX1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(295)  活性な結核（ＴＢ）を有する対象を治療する方法であって、COMPの発現及び／又は活性、QSOX1のレベル及び／又は活性、SELLのレベル及び／又は活性、並びにTNXBのレベル及び／又は活性を調節する剤の有効量を前記対象に投与し、それによって前記対象を治療することを含む、前記方法。
(296)  対象が活性な結核（ＴＢ）を有するか否かを決定する方法であって、
前記対象から得られた試料中の、GP1BAのレベル、QSOX1のレベル、SELLのレベル、及びTNXBのレベルを測定することと；
対象試料中のGP1BAのレベル、QSOX1のレベル、SELLのレベル、及びTNXBのレベルを、対照試料中のGP1BAのレベル、QSOX1のレベル、SELLのレベル、及びTNXBのレベルと比較することとを含み、前記対象試料中のGP1BAのレベル、QSOX1のレベル、SELLのレベル、及びTNXBのレベルと前記対照試料中のGP1BAのレベル、QSOX1のレベル、SELLのレベル、及びTNXBのレベルとの差が、前記対象が活性なＴＢを有することを示す、前記方法。
(297)  活性な結核（ＴＢ）を有する対象における治療の有効性を監視する方法であって、
前記治療の開始前に、前記対象から得られた第１の試料中の、GP1BAのレベル、QSOX1のレベル、SELLのレベル、及びTNXBのレベルを測定することと；
前記治療の少なくとも一部が投与された後に前記対象から得られた第２の試料中の、GP1BAのレベル、QSOX1のレベル、SELLのレベル、及びTNXBのレベルを測定することと；
前記第１の試料中のGP1BAのレベル、QSOX1のレベル、SELLのレベル、及びTNXBのレベルを前記第２の試料中のGP1BAのレベル、QSOX1のレベル、SELLのレベル、及びTNXBのレベルと比較することとを含み、前記第１の試料中のGP1BAのレベル、QSOX1のレベル、SELLのレベル、及びTNXBのレベルと前記第２の試料中のGP1BAのレベル、QSOX1のレベル、SELLのレベル、及びTNXBのレベルの差が、前記治療が有効であることを示す、前記方法。
(298)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、QSOX1のレベル及び／又は活性、SELLのレベル及び／又は活性、並びにTNXBのレベル及び／又は活性に与える影響を測定することと；
対照試料中の、GP1BAのレベル及び／又は活性、QSOX1のレベル及び／又は活性、SELLのレベル及び／又は活性、並びにTNXBのレベル及び／又は活性と比較して、アリコート中のGP1BAのレベル及び／又は活性、QSOX1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(299)  活性な結核（ＴＢ）を有する対象を治療する方法であって、GP1BAの発現及び／又は活性、QSOX1のレベル及び／又は活性、SELLのレベル及び／又は活性、並びにTNXBのレベル及び／又は活性を調節する剤の有効量を前記対象に投与し、それによって前記対象を治療することを含む、前記方法。
(300)  対象が活性な結核（ＴＢ）を有するか否かを決定する方法であって、
前記対象から得られた試料中の、LUMのレベル、QSOX1のレベル、SELLのレベル、及びTNXBのレベルを測定することと；
対象試料中のLUMのレベル、QSOX1のレベル、SELLのレベル、及びTNXBのレベルを、対照試料中のLUMのレベル、QSOX1のレベル、SELLのレベル、及びTNXBのレベルと比較することとを含み、前記対象試料中のLUMのレベル、QSOX1のレベル、SELLのレベル、及びTNXBのレベルと前記対照試料中のLUMのレベル、QSOX1のレベル、SELLのレベル、及びTNXBのレベルとの差が、前記対象が活性なＴＢを有することを示す、前記方法。
(301)  活性な結核（ＴＢ）を有する対象における治療の有効性を監視する方法であって、
前記治療の開始前に、前記対象から得られた第１の試料中の、LUMのレベル、QSOX1のレベル、SELLのレベル、及びTNXBのレベルを測定することと；
前記治療の少なくとも一部が投与された後に前記対象から得られた第２の試料中の、LUMのレベル、QSOX1のレベル、SELLのレベル、及びTNXBのレベルを測定することと；
前記第１の試料中のLUMのレベル、QSOX1のレベル、SELLのレベル、及びTNXBのレベルを前記第２の試料中のLUMのレベル、QSOX1のレベル、SELLのレベル、及びTNXBのレベルと比較することとを含み、前記第１の試料中のLUMのレベル、QSOX1のレベル、SELLのレベル、及びTNXBのレベルと前記第２の試料中のLUMのレベル、QSOX1のレベル、SELLのレベル、及びTNXBのレベルの差が、前記治療が有効であることを示す、前記方法。
(302)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、QSOX1のレベル及び／又は活性、SELLのレベル及び／又は活性、並びにTNXBのレベル及び／又は活性に与える影響を測定することと；
対照試料中の、LUMのレベル及び／又は活性、QSOX1のレベル及び／又は活性、SELLのレベル及び／又は活性、並びにTNXBのレベル及び／又は活性と比較して、アリコート中のLUMのレベル及び／又は活性、QSOX1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(303)  活性な結核（ＴＢ）を有する対象を治療する方法であって、LUMの発現及び／又は活性、QSOX1のレベル及び／又は活性、SELLのレベル及び／又は活性、並びにTNXBのレベル及び／又は活性を調節する剤の有効量を前記対象に投与し、それによって前記対象を治療することを含む、前記方法。
(304)  対象が活性な結核（ＴＢ）を有するか否かを決定する方法であって、
前記対象から得られた試料中の、GP1BAのレベル、QSOX1のレベル、SELLのレベル、及びSEPP1のレベルを測定することと；
対象試料中のGP1BAのレベル、QSOX1のレベル、SELLのレベル、及びSEPP1のレベルを、対照試料中のGP1BAのレベル、QSOX1のレベル、SELLのレベル、及びSEPP1のレベルと比較することとを含み、前記対象試料中のGP1BAのレベル、QSOX1のレベル、SELLのレベル、及びSEPP1のレベルと前記対照試料中のGP1BAのレベル、QSOX1のレベル、SELLのレベル、及びSEPP1のレベルとの差が、前記対象が活性なＴＢを有することを示す、前記方法。
(305)  活性な結核（ＴＢ）を有する対象における治療の有効性を監視する方法であって、
前記治療の開始前に、前記対象から得られた第１の試料中の、GP1BAのレベル、QSOX1のレベル、SELLのレベル、及びSEPP1のレベルを測定することと；
前記治療の少なくとも一部が投与された後に前記対象から得られた第２の試料中の、GP1BAのレベル、QSOX1のレベル、SELLのレベル、及びSEPP1のレベルを測定することと；
前記第１の試料中のGP1BAのレベル、QSOX1のレベル、SELLのレベル、及びSEPP1のレベルを前記第２の試料中のGP1BAのレベル、QSOX1のレベル、SELLのレベル、及びSEPP1のレベルと比較することとを含み、前記第１の試料中のGP1BAのレベル、QSOX1のレベル、SELLのレベル、及びSEPP1のレベルと前記第２の試料中のGP1BAのレベル、QSOX1のレベル、SELLのレベル、及びSEPP1のレベルの差が、前記治療が有効であることを示す、前記方法。
(306)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、QSOX1のレベル及び／又は活性、SELLのレベル及び／又は活性、並びにSEPP1のレベル及び／又は活性に与える影響を測定することと；
対照試料中の、GP1BAのレベル及び／又は活性、QSOX1のレベル及び／又は活性、SELLのレベル及び／又は活性、並びにSEPP1のレベル及び／又は活性と比較して、アリコート中のGP1BAのレベル及び／又は活性、QSOX1のレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(307)  活性な結核（ＴＢ）を有する対象を治療する方法であって、GP1BAの発現及び／又は活性、QSOX1のレベル及び／又は活性、SELLのレベル及び／又は活性、並びにSEPP1のレベル及び／又は活性を調節する剤の有効量を前記対象に投与し、それによって前記対象を治療することを含む、前記方法。
(308)  対象が活性な結核（ＴＢ）を有するか否かを決定する方法であって、
前記対象から得られた試料中の、APOC1のレベル、LUMのレベル、SELLのレベル、及びSEPP1のレベルを測定することと；
対象試料中のAPOC1のレベル、LUMのレベル、SELLのレベル、及びSEPP1のレベルを、対照試料中のAPOC1のレベル、LUMのレベル、SELLのレベル、及びSEPP1のレベルと比較することとを含み、前記対象試料中のAPOC1のレベル、LUMのレベル、SELLのレベル、及びSEPP1のレベルと前記対照試料中のAPOC1のレベル、LUMのレベル、SELLのレベル、及びSEPP1のレベルとの差が、前記対象が活性なＴＢを有することを示す、前記方法。
(309)  活性な結核（ＴＢ）を有する対象における治療の有効性を監視する方法であって、
前記治療の開始前に、前記対象から得られた第１の試料中の、APOC1のレベル、LUMのレベル、SELLのレベル、及びSEPP1のレベルを測定することと；
前記治療の少なくとも一部が投与された後に前記対象から得られた第２の試料中の、APOC1のレベル、LUMのレベル、SELLのレベル、及びSEPP1のレベルを測定することと；
前記第１の試料中のAPOC1のレベル、LUMのレベル、SELLのレベル、及びSEPP1のレベルを前記第２の試料中のAPOC1のレベル、LUMのレベル、SELLのレベル、及びSEPP1のレベルと比較することとを含み、前記第１の試料中のAPOC1のレベル、LUMのレベル、SELLのレベル、及びSEPP1のレベルと前記第２の試料中のAPOC1のレベル、LUMのレベル、SELLのレベル、及びSEPP1のレベルの差が、前記治療が有効であることを示す、前記方法。
(310)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、LUMのレベル及び／又は活性、SELLのレベル及び／又は活性、並びにSEPP1のレベル及び／又は活性に与える影響を測定することと；
対照試料中の、APOC1のレベル及び／又は活性、LUMのレベル及び／又は活性、SELLのレベル及び／又は活性、並びにSEPP1のレベル及び／又は活性と比較して、アリコート中のAPOC1のレベル及び／又は活性、LUMのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(311)  活性な結核（ＴＢ）を有する対象を治療する方法であって、APOC1の発現及び／又は活性、LUMのレベル及び／又は活性、SELLのレベル及び／又は活性、並びにSEPP1のレベル及び／又は活性を調節する剤の有効量を前記対象に投与し、それによって前記対象を治療することを含む、前記方法。
(312)  対象が活性な結核（ＴＢ）を有するか否かを決定する方法であって、
前記対象から得られた試料中の、APOC1のレベル、CD14のレベル、GP1BAのレベル、及びLUMのレベルを測定することと；
対象試料中のAPOC1のレベル、CD14のレベル、GP1BAのレベル、及びLUMのレベルを、対照試料中のAPOC1のレベル、CD14のレベル、GP1BAのレベル、及びLUMのレベルと比較することとを含み、前記対象試料中のAPOC1のレベル、CD14のレベル、GP1BAのレベル、及びLUMのレベルと前記対照試料中のAPOC1のレベル、CD14のレベル、GP1BAのレベル、及びLUMのレベルとの差が、前記対象が活性なＴＢを有することを示す、前記方法。
(313)  活性な結核（ＴＢ）を有する対象における治療の有効性を監視する方法であって、
前記治療の開始前に、前記対象から得られた第１の試料中の、APOC1のレベル、CD14のレベル、GP1BAのレベル、及びLUMのレベルを測定することと；
前記治療の少なくとも一部が投与された後に前記対象から得られた第２の試料中の、APOC1のレベル、CD14のレベル、GP1BAのレベル、及びLUMのレベルを測定することと；
前記第１の試料中のAPOC1のレベル、CD14のレベル、GP1BAのレベル、及びLUMのレベルを前記第２の試料中のAPOC1のレベル、CD14のレベル、GP1BAのレベル、及びLUMのレベルと比較することとを含み、前記第１の試料中のAPOC1のレベル、CD14のレベル、GP1BAのレベル、及びLUMのレベルと前記第２の試料中のAPOC1のレベル、CD14のレベル、GP1BAのレベル、及びLUMのレベルの差が、前記治療が有効であることを示す、前記方法。
(314)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、GP1BAのレベル及び／又は活性、並びにLUMのレベル及び／又は活性に与える影響を測定することと；
対照試料中の、APOC1のレベル及び／又は活性、CD14のレベル及び／又は活性、GP1BAのレベル及び／又は活性、並びにLUMのレベル及び／又は活性と比較して、アリコート中のAPOC1のレベル及び／又は活性、CD14のレベル及び／又は活性、GP1BAのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(315)  活性な結核（ＴＢ）を有する対象を治療する方法であって、APOC1の発現及び／又は活性、CD14のレベル及び／又は活性、GP1BAのレベル及び／又は活性、並びにLUMのレベル及び／又は活性を調節する剤の有効量を前記対象に投与し、それによって前記対象を治療することを含む、前記方法。
(316)  対象が活性な結核（ＴＢ）を有するか否かを決定する方法であって、
前記対象から得られた試料中の、SEPP1のレベル、TNXBのレベル、SELLのレベル、及びGP1BAのレベルを測定することと；
対象試料中のSEPP1のレベル、TNXBのレベル、SELLのレベル、及びGP1BAのレベルを、対照試料中のSEPP1のレベル、TNXBのレベル、SELLのレベル、及びGP1BAのレベルと比較することとを含み、前記対象試料中のSEPP1のレベル、TNXBのレベル、SELLのレベル、及びGP1BAのレベルと前記対照試料中のSEPP1のレベル、TNXBのレベル、SELLのレベル、及びGP1BAのレベルとの差が、前記対象が活性なＴＢを有することを示す、前記方法。
(317)  活性な結核（ＴＢ）を有する対象における治療の有効性を監視する方法であって、
前記治療の開始前に、前記対象から得られた第１の試料中の、SEPP1のレベル、TNXBのレベル、SELLのレベル、及びGP1BAのレベルを測定することと；
前記治療の少なくとも一部が投与された後に前記対象から得られた第２の試料中の、SEPP1のレベル、TNXBのレベル、SELLのレベル、及びGP1BAのレベルを測定することと；
前記第１の試料中のSEPP1のレベル、TNXBのレベル、SELLのレベル、及びGP1BAのレベルを前記第２の試料中のSEPP1のレベル、TNXBのレベル、SELLのレベル、及びGP1BAのレベルと比較することとを含み、前記第１の試料中のSEPP1のレベル、TNXBのレベル、SELLのレベル、及びGP1BAのレベルと前記第２の試料中のSEPP1のレベル、TNXBのレベル、SELLのレベル、及びGP1BAのレベルの差が、前記治療が有効であることを示す、前記方法。
(318)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のSEPP1のレベル及び／又は活性、TNXBのレベル及び／又は活性、SELLのレベル及び／又は活性、並びにGP1BAのレベル及び／又は活性に与える影響を測定することと；
対照試料中の、SEPP1のレベル及び／又は活性、TNXBのレベル及び／又は活性、SELLのレベル及び／又は活性、並びにGP1BAのレベル及び／又は活性と比較して、アリコート中のSEPP1のレベル及び／又は活性、TNXBのレベル及び／又は活性、SELLのレベル及び／又は活性、並びにGP1BAのレベル及び／又は活性を調節する化合物のライブラリーのメンバーを選択し、それによって、活性なＴＢを有する対象を治療するために有用な化合物を同定することを含む、前記方法。
(319)  活性な結核（ＴＢ）を有する対象を治療する方法であって、SEPP1の発現及び／又は活性、TNXBのレベル及び／又は活性、SELLのレベル及び／又は活性、並びにGP1BAのレベル及び／又は活性を調節する剤の有効量を前記対象に投与し、それによって前記対象を治療することを含む、前記方法。
(320)  対象が活性な結核（ＴＢ）を有するか否かを決定する方法であって、
前記対象から得られた試料中の、CD14のレベル、LUMのレベル、SELLのレベル、及びSEPP1のレベルを測定することと；
対象試料中のCD14のレベル、LUMのレベル、SELLのレベル、及びSEPP1のレベルを、対照試料中のCD14のレベル、LUMのレベル、SELLのレベル、及びSEPP1のレベルと比較することとを含み、前記対象試料中のCD14のレベル、LUMのレベル、SELLのレベル、及びSEPP1のレベルと前記対照試料中のCD14のレベル、LUMのレベル、SELLのレベル、及びSEPP1のレベルとの差が、前記対象が活性なＴＢを有することを示す、前記方法。
(321)  活性な結核（ＴＢ）を有する対象における治療の有効性を監視する方法であって、
前記治療の開始前に、前記対象から得られた第１の試料中の、CD14のレベル、LUMのレベル、SELLのレベル、及びSEPP1のレベルを測定することと；
前記治療の少なくとも一部が投与された後に前記対象から得られた第２の試料中の、CD14のレベル、LUMのレベル、SELLのレベル、及びSEPP1のレベルを測定することと；
前記第１の試料中のCD14のレベル、LUMのレベル、SELLのレベル、及びSEPP1のレベルを前記第２の試料中のCD14のレベル、LUMのレベル、SELLのレベル、及びSEPP1のレベルと比較することとを含み、前記第１の試料中のCD14のレベル、LUMのレベル、SELLのレベル、及びSEPP1のレベルと前記第２の試料中のCD14のレベル、LUMのレベル、SELLのレベル、及びSEPP1のレベルの差が、前記治療が有効であることを示す、前記方法。
(322)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、LUMのレベル及び／又は活性、SELLのレベル及び／又は活性、並びにSEPP1のレベル及び／又は活性に与える影響を測定することと；
対照試料中の、CD14のレベル及び／又は活性、LUMのレベル及び／又は活性、SELLのレベル及び／又は活性、並びにSEPP1のレベル及び／又は活性と比較して、アリコート中のCD14のレベル及び／又は活性、LUMのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(323)  活性な結核（ＴＢ）を有する対象を治療する方法であって、CD14の発現及び／又は活性、LUMのレベル及び／又は活性、SELLのレベル及び／又は活性、並びにSEPP1のレベル及び／又は活性を調節する剤の有効量を前記対象に投与し、それによって前記対象を治療することを含む、前記方法。
(324)  対象が活性な結核（ＴＢ）を有するか否かを決定する方法であって、
前記対象から得られた試料中の、CD14のレベル、COMPのレベル、SELLのレベル、及びTNXBのレベルを測定することと；
対象試料中のCD14のレベル、COMPのレベル、SELLのレベル、及びTNXBのレベルを、対照試料中のCD14のレベル、COMPのレベル、SELLのレベル、及びTNXBのレベルと比較することとを含み、前記対象試料中のCD14のレベル、COMPのレベル、SELLのレベル、及びTNXBのレベルと前記対照試料中のCD14のレベル、COMPのレベル、SELLのレベル、及びTNXBのレベルとの差が、前記対象が活性なＴＢを有することを示す、前記方法。
(325)  活性な結核（ＴＢ）を有する対象における治療の有効性を監視する方法であって、
前記治療の開始前に、前記対象から得られた第１の試料中の、CD14のレベル、COMPのレベル、SELLのレベル、及びTNXBのレベルを測定することと；
前記治療の少なくとも一部が投与された後に前記対象から得られた第２の試料中の、CD14のレベル、COMPのレベル、SELLのレベル、及びTNXBのレベルを測定することと；
前記第１の試料中のCD14のレベル、COMPのレベル、SELLのレベル、及びTNXBのレベルを前記第２の試料中のCD14のレベル、COMPのレベル、SELLのレベル、及びTNXBのレベルと比較することとを含み、前記第１の試料中のCD14のレベル、COMPのレベル、SELLのレベル、及びTNXBのレベルと前記第２の試料中のCD14のレベル、COMPのレベル、SELLのレベル、及びTNXBのレベルの差が、前記治療が有効であることを示す、前記方法。
(326)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、COMPのレベル及び／又は活性、SELLのレベル及び／又は活性、並びにTNXBのレベル及び／又は活性に与える影響を測定することと；
対照試料中の、CD14のレベル及び／又は活性、COMPのレベル及び／又は活性、SELLのレベル及び／又は活性、並びにTNXBのレベル及び／又は活性と比較して、アリコート中のCD14のレベル及び／又は活性、COMPのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(327)  活性な結核（ＴＢ）を有する対象を治療する方法であって、CD14の発現及び／又は活性、COMPのレベル及び／又は活性、SELLのレベル及び／又は活性、並びにTNXBのレベル及び／又は活性を調節する剤の有効量を前記対象に投与し、それによって前記対象を治療することを含む、前記方法。
(328)  対象が活性な結核（ＴＢ）を有するか否かを決定する方法であって、
前記対象から得られた試料中の、CD14のレベル、SEPP1のレベル、SELLのレベル、及びTNXBのレベルを測定することと；
対象試料中のCD14のレベル、SEPP1のレベル、SELLのレベル、及びTNXBのレベルを、対照試料中のCD14のレベル、SEPP1のレベル、SELLのレベル、及びTNXBのレベルと比較することとを含み、前記対象試料中のCD14のレベル、SEPP1のレベル、SELLのレベル、及びTNXBのレベルと前記対照試料中のCD14のレベル、SEPP1のレベル、SELLのレベル、及びTNXBのレベルとの差が、前記対象が活性なＴＢを有することを示す、前記方法。
(329)  活性な結核（ＴＢ）を有する対象における治療の有効性を監視する方法であって、
前記治療の開始前に、前記対象から得られた第１の試料中の、CD14のレベル、SEPP1のレベル、SELLのレベル、及びTNXBのレベルを測定することと；
前記治療の少なくとも一部が投与された後に前記対象から得られた第２の試料中の、CD14のレベル、SEPP1のレベル、SELLのレベル、及びTNXBのレベルを測定することと；
前記第１の試料中のCD14のレベル、SEPP1のレベル、SELLのレベル、及びTNXBのレベルを前記第２の試料中のCD14のレベル、SEPP1のレベル、SELLのレベル、及びTNXBのレベルと比較することとを含み、前記第１の試料中のCD14のレベル、SEPP1のレベル、SELLのレベル、及びTNXBのレベルと前記第２の試料中のCD14のレベル、SEPP1のレベル、SELLのレベル、及びTNXBのレベルの差が、前記治療が有効であることを示す、前記方法。
(330)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、SEPP1のレベル及び／又は活性、SELLのレベル及び／又は活性、並びにTNXBのレベル及び／又は活性に与える影響を測定することと；
対照試料中の、CD14のレベル及び／又は活性、SEPP1のレベル及び／又は活性、SELLのレベル及び／又は活性、並びにTNXBのレベル及び／又は活性と比較して、アリコート中のCD14のレベル及び／又は活性、SEPP1のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(331)  活性な結核（ＴＢ）を有する対象を治療する方法であって、CD14の発現及び／又は活性、SEPP1のレベル及び／又は活性、SELLのレベル及び／又は活性、並びにTNXBのレベル及び／又は活性を調節する剤の有効量を前記対象に投与し、それによって前記対象を治療することを含む、前記方法。
(332)  対象が活性な結核（ＴＢ）を有するか否かを決定する方法であって、
前記対象から得られた試料中の、GP1BAのレベル、SEPP1のレベル、SELLのレベル、及びLUMのレベルを測定することと；
対象試料中のGP1BAのレベル、SEPP1のレベル、SELLのレベル、及びLUMのレベルを、対照試料中のGP1BAのレベル、SEPP1のレベル、SELLのレベル、及びLUMのレベルと比較することとを含み、前記対象試料中のGP1BAのレベル、SEPP1のレベル、SELLのレベル、及びLUMのレベルと前記対照試料中のGP1BAのレベル、SEPP1のレベル、SELLのレベル、及びLUMのレベルとの差が、前記対象が活性なＴＢを有することを示す、前記方法。
(333)  活性な結核（ＴＢ）を有する対象における治療の有効性を監視する方法であって、
前記治療の開始前に、前記対象から得られた第１の試料中の、GP1BAのレベル、SEPP1のレベル、SELLのレベル、及びLUMのレベルを測定することと；
前記治療の少なくとも一部が投与された後に前記対象から得られた第２の試料中の、GP1BAのレベル、SEPP1のレベル、SELLのレベル、及びLUMのレベルを測定することと；
前記第１の試料中のGP1BAのレベル、SEPP1のレベル、SELLのレベル、及びLUMのレベルを前記第２の試料中のGP1BAのレベル、SEPP1のレベル、SELLのレベル、及びLUMのレベルと比較することとを含み、前記第１の試料中のGP1BAのレベル、SEPP1のレベル、SELLのレベル、及びLUMのレベルと前記第２の試料中のGP1BAのレベル、SEPP1のレベル、SELLのレベル、及びLUMのレベルの差が、前記治療が有効であることを示す、前記方法。
(334)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、SEPP1のレベル及び／又は活性、SELLのレベル及び／又は活性、並びにLUMのレベル及び／又は活性に与える影響を測定することと；
対照試料中の、GP1BAのレベル及び／又は活性、SEPP1のレベル及び／又は活性、SELLのレベル及び／又は活性、並びにLUMのレベル及び／又は活性と比較して、アリコート中のGP1BAのレベル及び／又は活性、SEPP1のレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(335)  活性な結核（ＴＢ）を有する対象を治療する方法であって、GP1BAの発現及び／又は活性、SEPP1のレベル及び／又は活性、SELLのレベル及び／又は活性、並びにLUMのレベル及び／又は活性を調節する剤の有効量を前記対象に投与し、それによって前記対象を治療することを含む、前記方法。
(336)  対象が活性な結核（ＴＢ）を有するか否かを決定する方法であって、
前記対象から得られた試料中の、CD14のレベル、COMPのレベル、SELLのレベル、及びSEPP1のレベルを測定することと；
対象試料中のCD14のレベル、COMPのレベル、SELLのレベル、及びSEPP1のレベルを、対照試料中のCD14のレベル、COMPのレベル、SELLのレベル、及びSEPP1のレベルと比較することとを含み、前記対象試料中のCD14のレベル、COMPのレベル、SELLのレベル、及びSEPP1のレベルと前記対照試料中のCD14のレベル、COMPのレベル、SELLのレベル、及びSEPP1のレベルとの差が、前記対象が活性なＴＢを有することを示す、前記方法。
(337)  活性な結核（ＴＢ）を有する対象における治療の有効性を監視する方法であって、
前記治療の開始前に、前記対象から得られた第１の試料中の、CD14のレベル、COMPのレベル、SELLのレベル、及びSEPP1のレベルを測定することと；
前記治療の少なくとも一部が投与された後に前記対象から得られた第２の試料中の、CD14のレベル、COMPのレベル、SELLのレベル、及びSEPP1のレベルを測定することと；
前記第１の試料中のCD14のレベル、COMPのレベル、SELLのレベル、及びSEPP1のレベルを前記第２の試料中のCD14のレベル、COMPのレベル、SELLのレベル、及びSEPP1のレベルと比較することとを含み、前記第１の試料中のCD14のレベル、COMPのレベル、SELLのレベル、及びSEPP1のレベルと前記第２の試料中のCD14のレベル、COMPのレベル、SELLのレベル、及びSEPP1のレベルの差が、前記治療が有効であることを示す、前記方法。
(338)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、COMPのレベル及び／又は活性、SELLのレベル及び／又は活性、並びにSEPP1のレベル及び／又は活性に与える影響を測定することと；
対照試料中の、CD14のレベル及び／又は活性、COMPのレベル及び／又は活性、SELLのレベル及び／又は活性、並びにSEPP1のレベル及び／又は活性と比較して、アリコート中のCD14のレベル及び／又は活性、COMPのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(339)  活性な結核（ＴＢ）を有する対象を治療する方法であって、CD14の発現及び／又は活性、COMPのレベル及び／又は活性、SELLのレベル及び／又は活性、並びにSEPP1のレベル及び／又は活性を調節する剤の有効量を前記対象に投与し、それによって前記対象を治療することを含む、前記方法。
(340)  対象が活性な結核（ＴＢ）を有するか否かを決定する方法であって、
前記対象から得られた試料中の、LUMのレベル、TNXBのレベル、SELLのレベル、及びSEPP1のレベルを測定することと；
対象試料中のLUMのレベル、TNXBのレベル、SELLのレベル、及びSEPP1のレベルを、対照試料中のLUMのレベル、TNXBのレベル、SELLのレベル、及びSEPP1のレベルと比較することとを含み、前記対象試料中のLUMのレベル、TNXBのレベル、SELLのレベル、及びSEPP1のレベルと前記対照試料中のLUMのレベル、TNXBのレベル、SELLのレベル、及びSEPP1のレベルとの差が、前記対象が活性なＴＢを有することを示す、前記方法。
(341)  活性な結核（ＴＢ）を有する対象における治療の有効性を監視する方法であって、
前記治療の開始前に、前記対象から得られた第１の試料中の、LUMのレベル、TNXBのレベル、SELLのレベル、及びSEPP1のレベルを測定することと；
前記治療の少なくとも一部が投与された後に前記対象から得られた第２の試料中の、LUMのレベル、TNXBのレベル、SELLのレベル、及びSEPP1のレベルを測定することと；
前記第１の試料中のLUMのレベル、TNXBのレベル、SELLのレベル、及びSEPP1のレベルを前記第２の試料中のLUMのレベル、TNXBのレベル、SELLのレベル、及びSEPP1のレベルと比較することとを含み、前記第１の試料中のLUMのレベル、TNXBのレベル、SELLのレベル、及びSEPP1のレベルと前記第２の試料中のLUMのレベル、TNXBのレベル、SELLのレベル、及びSEPP1のレベルの差が、前記治療が有効であることを示す、前記方法。
(342)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、TNXBのレベル及び／又は活性、SELLのレベル及び／又は活性、並びにSEPP1のレベル及び／又は活性に与える影響を測定することと；
対照試料中の、LUMのレベル及び／又は活性、TNXBのレベル及び／又は活性、SELLのレベル及び／又は活性、並びにSEPP1のレベル及び／又は活性と比較して、アリコート中のLUMのレベル及び／又は活性、TNXBのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(343)  活性な結核（ＴＢ）を有する対象を治療する方法であって、LUMの発現及び／又は活性、TNXBのレベル及び／又は活性、SELLのレベル及び／又は活性、並びにSEPP1のレベル及び／又は活性を調節する剤の有効量を前記対象に投与し、それによって前記対象を治療することを含む、前記方法。
(344)  対象が活性な結核（ＴＢ）を有するか否かを決定する方法であって、
前記対象から得られた試料中の、APOC1のレベル、CD14のレベル、SELLのレベル、及びTNXBのレベルを測定することと；
対象試料中のAPOC1のレベル、CD14のレベル、SELLのレベル、及びTNXBのレベルを、対照試料中のAPOC1のレベル、CD14のレベル、SELLのレベル、及びTNXBのレベルと比較することとを含み、前記対象試料中のAPOC1のレベル、CD14のレベル、SELLのレベル、及びTNXBのレベルと前記対照試料中のAPOC1のレベル、CD14のレベル、SELLのレベル、及びTNXBのレベルとの差が、前記対象が活性なＴＢを有することを示す、前記方法。
(345)  活性な結核（ＴＢ）を有する対象における治療の有効性を監視する方法であって、
前記治療の開始前に、前記対象から得られた第１の試料中の、APOC1のレベル、CD14のレベル、SELLのレベル、及びTNXBのレベルを測定することと；
前記治療の少なくとも一部が投与された後に前記対象から得られた第２の試料中の、APOC1のレベル、CD14のレベル、SELLのレベル、及びTNXBのレベルを測定することと；
前記第１の試料中のAPOC1のレベル、CD14のレベル、SELLのレベル、及びTNXBのレベルを前記第２の試料中のAPOC1のレベル、CD14のレベル、SELLのレベル、及びTNXBのレベルと比較することとを含み、前記第１の試料中のAPOC1のレベル、CD14のレベル、SELLのレベル、及びTNXBのレベルと前記第２の試料中のAPOC1のレベル、CD14のレベル、SELLのレベル、及びTNXBのレベルの差が、前記治療が有効であることを示す、前記方法。
(346)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、SELLのレベル及び／又は活性、並びにTNXBのレベル及び／又は活性に与える影響を測定することと；
対照試料中の、APOC1のレベル及び／又は活性、CD14のレベル及び／又は活性、SELLのレベル及び／又は活性、並びにTNXBのレベル及び／又は活性と比較して、アリコート中のAPOC1のレベル及び／又は活性、CD14のレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(347)  活性な結核（ＴＢ）を有する対象を治療する方法であって、APOC1の発現及び／又は活性、CD14のレベル及び／又は活性、SELLのレベル及び／又は活性、並びにTNXBのレベル及び／又は活性を調節する剤の有効量を前記対象に投与し、それによって前記対象を治療することを含む、前記方法。
(348)  対象が活性な結核（ＴＢ）を有するか否かを決定する方法であって、
前記対象から得られた試料中の、CD14のレベル、GP1BAのレベル、SELLのレベル、及びTNXBのレベルを測定することと；
対象試料中のCD14のレベル、GP1BAのレベル、SELLのレベル、及びTNXBのレベルを、対照試料中のCD14のレベル、GP1BAのレベル、SELLのレベル、及びTNXBのレベルと比較することとを含み、前記対象試料中のCD14のレベル、GP1BAのレベル、SELLのレベル、及びTNXBのレベルと前記対照試料中のCD14のレベル、GP1BAのレベル、SELLのレベル、及びTNXBのレベルとの差が、前記対象が活性なＴＢを有することを示す、前記方法。
(349)  活性な結核（ＴＢ）を有する対象における治療の有効性を監視する方法であって、
前記治療の開始前に、前記対象から得られた第１の試料中の、CD14のレベル、GP1BAのレベル、SELLのレベル、及びTNXBのレベルを測定することと；
前記治療の少なくとも一部が投与された後に前記対象から得られた第２の試料中の、CD14のレベル、GP1BAのレベル、SELLのレベル、及びTNXBのレベルを測定することと；
前記第１の試料中のCD14のレベル、GP1BAのレベル、SELLのレベル、及びTNXBのレベルを前記第２の試料中のCD14のレベル、GP1BAのレベル、SELLのレベル、及びTNXBのレベルと比較することとを含み、前記第１の試料中のCD14のレベル、GP1BAのレベル、SELLのレベル、及びTNXBのレベルと前記第２の試料中のCD14のレベル、GP1BAのレベル、SELLのレベル、及びTNXBのレベルの差が、前記治療が有効であることを示す、前記方法。
(350)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、GP1BAのレベル及び／又は活性、SELLのレベル及び／又は活性、並びにTNXBのレベル及び／又は活性に与える影響を測定することと；
対照試料中の、CD14のレベル及び／又は活性、GP1BAのレベル及び／又は活性、SELLのレベル及び／又は活性、並びにTNXBのレベル及び／又は活性と比較して、アリコート中のCD14のレベル及び／又は活性、GP1BAのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(351)  活性な結核（ＴＢ）を有する対象を治療する方法であって、CD14の発現及び／又は活性、GP1BAのレベル及び／又は活性、SELLのレベル及び／又は活性、並びにTNXBのレベル及び／又は活性を調節する剤の有効量を前記対象に投与し、それによって前記対象を治療することを含む、前記方法。
(352)  対象が活性な結核（ＴＢ）を有するか否かを決定する方法であって、
前記対象から得られた試料中の、APOC1のレベル、CD14のレベル、GP1BAのレベル、及びSEPP1のレベルを測定することと；
対象試料中のAPOC1のレベル、CD14のレベル、GP1BAのレベル、及びSEPP1のレベルを、対照試料中のAPOC1のレベル、CD14のレベル、GP1BAのレベル、及びSEPP1のレベルと比較することとを含み、前記対象試料中のAPOC1のレベル、CD14のレベル、GP1BAのレベル、及びSEPP1のレベルと前記対照試料中のAPOC1のレベル、CD14のレベル、GP1BAのレベル、及びSEPP1のレベルとの差が、前記対象が活性なＴＢを有することを示す、前記方法。
(353)  活性な結核（ＴＢ）を有する対象における治療の有効性を監視する方法であって、
前記治療の開始前に、前記対象から得られた第１の試料中の、APOC1のレベル、CD14のレベル、GP1BAのレベル、及びSEPP1のレベルを測定することと；
前記治療の少なくとも一部が投与された後に前記対象から得られた第２の試料中の、APOC1のレベル、CD14のレベル、GP1BAのレベル、及びSEPP1のレベルを測定することと；
前記第１の試料中のAPOC1のレベル、CD14のレベル、GP1BAのレベル、及びSEPP1のレベルを前記第２の試料中のAPOC1のレベル、CD14のレベル、GP1BAのレベル、及びSEPP1のレベルと比較することとを含み、前記第１の試料中のAPOC1のレベル、CD14のレベル、GP1BAのレベル、及びSEPP1のレベルと前記第２の試料中のAPOC1のレベル、CD14のレベル、GP1BAのレベル、及びSEPP1のレベルの差が、前記治療が有効であることを示す、前記方法。
(354)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、GP1BAのレベル及び／又は活性、並びにSEPP1のレベル及び／又は活性に与える影響を測定することと；
対照試料中の、APOC1のレベル及び／又は活性、CD14のレベル及び／又は活性、GP1BAのレベル及び／又は活性、並びにSEPP1のレベル及び／又は活性と比較して、アリコート中のAPOC1のレベル及び／又は活性、CD14のレベル及び／又は活性、GP1BAのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(355)  活性な結核（ＴＢ）を有する対象を治療する方法であって、APOC1の発現及び／又は活性、CD14のレベル及び／又は活性、GP1BAのレベル及び／又は活性、並びにSEPP1のレベル及び／又は活性を調節する剤の有効量を前記対象に投与し、それによって前記対象を治療することを含む、前記方法。
(356)  対象が活性な結核（ＴＢ）を有するか否かを決定する方法であって、
前記対象から得られた試料中の、LUMのレベル、APOC1のレベル、SELLのレベル、及びCD14のレベルを測定することと；
対象試料中のLUMのレベル、APOC1のレベル、SELLのレベル、及びCD14のレベルを、対照試料中のLUMのレベル、APOC1のレベル、SELLのレベル、及びCD14のレベルと比較することとを含み、前記対象試料中のLUMのレベル、APOC1のレベル、SELLのレベル、及びCD14のレベルと前記対照試料中のLUMのレベル、APOC1のレベル、SELLのレベル、及びCD14のレベルとの差が、前記対象が活性なＴＢを有することを示す、前記方法。
(357)  活性な結核（ＴＢ）を有する対象における治療の有効性を監視する方法であって、
前記治療の開始前に、前記対象から得られた第１の試料中の、LUMのレベル、APOC1のレベル、SELLのレベル、及びCD14のレベルを測定することと；
前記治療の少なくとも一部が投与された後に前記対象から得られた第２の試料中の、LUMのレベル、APOC1のレベル、SELLのレベル、及びCD14のレベルを測定することと；
前記第１の試料中のLUMのレベル、APOC1のレベル、SELLのレベル、及びCD14のレベルを前記第２の試料中のLUMのレベル、APOC1のレベル、SELLのレベル、及びCD14のレベルと比較することとを含み、前記第１の試料中のLUMのレベル、APOC1のレベル、SELLのレベル、及びCD14のレベルと前記第２の試料中のLUMのレベル、APOC1のレベル、SELLのレベル、及びCD14のレベルの差が、前記治療が有効であることを示す、前記方法。
(358)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、APOC1のレベル及び／又は活性、SELLのレベル及び／又は活性、並びにCD14のレベル及び／又は活性に与える影響を測定することと；
対照試料中の、LUMのレベル及び／又は活性、APOC1のレベル及び／又は活性、SELLのレベル及び／又は活性、並びにCD14のレベル及び／又は活性と比較して、アリコート中のLUMのレベル及び／又は活性、APOC1のレベル及び／又は活性、SELLのレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(359)  活性な結核（ＴＢ）を有する対象を治療する方法であって、LUMの発現及び／又は活性、APOC1のレベル及び／又は活性、SELLのレベル及び／又は活性、並びにCD14のレベル及び／又は活性を調節する剤の有効量を前記対象に投与し、それによって前記対象を治療することを含む、前記方法。
(360)  対象が活性な結核（ＴＢ）を有するか否かを決定する方法であって、
前記対象から得られた試料中の、GP1BAのレベル、APOC1のレベル、SELLのレベル、及びCOMPのレベルを測定することと；
対象試料中のGP1BAのレベル、APOC1のレベル、SELLのレベル、及びCOMPのレベルを、対照試料中のGP1BAのレベル、APOC1のレベル、SELLのレベル、及びCOMPのレベルと比較することとを含み、前記対象試料中のGP1BAのレベル、APOC1のレベル、SELLのレベル、及びCOMPのレベルと前記対照試料中のGP1BAのレベル、APOC1のレベル、SELLのレベル、及びCOMPのレベルとの差が、前記対象が活性なＴＢを有することを示す、前記方法。
(361)  活性な結核（ＴＢ）を有する対象における治療の有効性を監視する方法であって、
前記治療の開始前に、前記対象から得られた第１の試料中の、GP1BAのレベル、APOC1のレベル、SELLのレベル、及びCOMPのレベルを測定することと；
前記治療の少なくとも一部が投与された後に前記対象から得られた第２の試料中の、GP1BAのレベル、APOC1のレベル、SELLのレベル、及びCOMPのレベルを測定することと；
前記第１の試料中のGP1BAのレベル、APOC1のレベル、SELLのレベル、及びCOMPのレベルを前記第２の試料中のGP1BAのレベル、APOC1のレベル、SELLのレベル、及びCOMPのレベルと比較することとを含み、前記第１の試料中のGP1BAのレベル、APOC1のレベル、SELLのレベル、及びCOMPのレベルと前記第２の試料中のGP1BAのレベル、APOC1のレベル、SELLのレベル、及びCOMPのレベルの差が、前記治療が有効であることを示す、前記方法。
(362)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、APOC1のレベル及び／又は活性、SELLのレベル及び／又は活性、並びにCOMPのレベル及び／又は活性に与える影響を測定することと；
対照試料中の、GP1BAのレベル及び／又は活性、APOC1のレベル及び／又は活性、SELLのレベル及び／又は活性、並びにCOMPのレベル及び／又は活性と比較して、アリコート中のGP1BAのレベル及び／又は活性、APOC1のレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(363)  活性な結核（ＴＢ）を有する対象を治療する方法であって、GP1BAの発現及び／又は活性、APOC1のレベル及び／又は活性、SELLのレベル及び／又は活性、並びにCOMPのレベル及び／又は活性を調節する剤の有効量を前記対象に投与し、それによって前記対象を治療することを含む、前記方法。
(364)  対象が活性な結核（ＴＢ）を有するか否かを決定する方法であって、
前記対象から得られた試料中の、CD14のレベル、APOC1のレベル、SELLのレベル、及びCOMPのレベルを測定することと；
対象試料中のCD14のレベル、APOC1のレベル、SELLのレベル、及びCOMPのレベルを、対照試料中のCD14のレベル、APOC1のレベル、SELLのレベル、及びCOMPのレベルと比較することとを含み、前記対象試料中のCD14のレベル、APOC1のレベル、SELLのレベル、及びCOMPのレベルと前記対照試料中のCD14のレベル、APOC1のレベル、SELLのレベル、及びCOMPのレベルとの差が、前記対象が活性なＴＢを有することを示す、前記方法。
(365)  活性な結核（ＴＢ）を有する対象における治療の有効性を監視する方法であって、
前記治療の開始前に、前記対象から得られた第１の試料中の、CD14のレベル、APOC1のレベル、SELLのレベル、及びCOMPのレベルを測定することと；
前記治療の少なくとも一部が投与された後に前記対象から得られた第２の試料中の、CD14のレベル、APOC1のレベル、SELLのレベル、及びCOMPのレベルを測定することと；
前記第１の試料中のCD14のレベル、APOC1のレベル、SELLのレベル、及びCOMPのレベルを前記第２の試料中のCD14のレベル、APOC1のレベル、SELLのレベル、及びCOMPのレベルと比較することとを含み、前記第１の試料中のCD14のレベル、APOC1のレベル、SELLのレベル、及びCOMPのレベルと前記第２の試料中のCD14のレベル、APOC1のレベル、SELLのレベル、及びCOMPのレベルの差が、前記治療が有効であることを示す、前記方法。
(366)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOC1のレベル及び／又は活性、SELLのレベル及び／又は活性、並びにCOMPのレベル及び／又は活性に与える影響を測定することと；
対照試料中の、CD14のレベル及び／又は活性、APOC1のレベル及び／又は活性、SELLのレベル及び／又は活性、並びにCOMPのレベル及び／又は活性と比較して、アリコート中のCD14のレベル及び／又は活性、APOC1のレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(367)  活性な結核（ＴＢ）を有する対象を治療する方法であって、CD14の発現及び／又は活性、APOC1のレベル及び／又は活性、SELLのレベル及び／又は活性、並びにCOMPのレベル及び／又は活性を調節する剤の有効量を前記対象に投与し、それによって前記対象を治療することを含む、前記方法。
(368)  対象が活性な結核（ＴＢ）を有するか否かを決定する方法であって、
前記対象から得られた試料中の、CD14のレベル、APOC1のレベル、LUMのレベル、及びPEPDのレベルを測定することと；
対象試料中のCD14のレベル、APOC1のレベル、LUMのレベル、及びPEPDのレベルを、対照試料中のCD14のレベル、APOC1のレベル、LUMのレベル、及びPEPDのレベルと比較することとを含み、前記対象試料中のCD14のレベル、APOC1のレベル、LUMのレベル、及びPEPDのレベルと前記対照試料中のCD14のレベル、APOC1のレベル、LUMのレベル、及びPEPDのレベルとの差が、前記対象が活性なＴＢを有することを示す、前記方法。
(369)  活性な結核（ＴＢ）を有する対象における治療の有効性を監視する方法であって、
前記治療の開始前に、前記対象から得られた第１の試料中の、CD14のレベル、APOC1のレベル、LUMのレベル、及びPEPDのレベルを測定することと；
前記治療の少なくとも一部が投与された後に前記対象から得られた第２の試料中の、CD14のレベル、APOC1のレベル、LUMのレベル、及びPEPDのレベルを測定することと；
前記第１の試料中のCD14のレベル、APOC1のレベル、LUMのレベル、及びPEPDのレベルを前記第２の試料中のCD14のレベル、APOC1のレベル、LUMのレベル、及びPEPDのレベルと比較することとを含み、前記第１の試料中のCD14のレベル、APOC1のレベル、LUMのレベル、及びPEPDのレベルと前記第２の試料中のCD14のレベル、APOC1のレベル、LUMのレベル、及びPEPDのレベルの差が、前記治療が有効であることを示す、前記方法。
(370)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOC1のレベル及び／又は活性、LUMのレベル及び／又は活性、並びにPEPDのレベル及び／又は活性に与える影響を測定することと；
対照試料中の、CD14のレベル及び／又は活性、APOC1のレベル及び／又は活性、LUMのレベル及び／又は活性、並びにPEPDのレベル及び／又は活性と比較して、アリコート中のCD14のレベル及び／又は活性、APOC1のレベル及び／又は活性、LUMのレベル及び／又は活性、並びにPEPDのレベル及び／又は活性を調節する化合物のライブラリーのメンバーを選択し、それによって、活性なＴＢを有する対象を治療するために有用な化合物を同定することを含む、前記方法。
(371)  活性な結核（ＴＢ）を有する対象を治療する方法であって、CD14の発現及び／又は活性、APOC1のレベル及び／又は活性、LUMのレベル及び／又は活性、並びにPEPDのレベル及び／又は活性を調節する剤の有効量を前記対象に投与し、それによって前記対象を治療することを含む、前記方法。
(372)  対象が活性な結核（ＴＢ）を有するか否かを決定する方法であって、
前記対象から得られた試料中の、COMPのレベル、LUMのレベル、SELLのレベル、及びTNXBのレベルを測定することと；
対象試料中のCOMPのレベル、LUMのレベル、SELLのレベル、及びTNXBのレベルを、対照試料中のCOMPのレベル、LUMのレベル、SELLのレベル、及びTNXBのレベルと比較することとを含み、前記対象試料中のCOMPのレベル、LUMのレベル、SELLのレベル、及びTNXBのレベルと前記対照試料中のCOMPのレベル、LUMのレベル、SELLのレベル、及びTNXBのレベルとの差が、前記対象が活性なＴＢを有することを示す、前記方法。
(373)  活性な結核（ＴＢ）を有する対象における治療の有効性を監視する方法であって、
前記治療の開始前に、前記対象から得られた第１の試料中の、COMPのレベル、LUMのレベル、SELLのレベル、及びTNXBのレベルを測定することと；
前記治療の少なくとも一部が投与された後に前記対象から得られた第２の試料中の、COMPのレベル、LUMのレベル、SELLのレベル、及びTNXBのレベルを測定することと；
前記第１の試料中のCOMPのレベル、LUMのレベル、SELLのレベル、及びTNXBのレベルを前記第２の試料中のCOMPのレベル、LUMのレベル、SELLのレベル、及びTNXBのレベルと比較することとを含み、前記第１の試料中のCOMPのレベル、LUMのレベル、SELLのレベル、及びTNXBのレベルと前記第２の試料中のCOMPのレベル、LUMのレベル、SELLのレベル、及びTNXBのレベルの差が、前記治療が有効であることを示す、前記方法。
(374)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、LUMのレベル及び／又は活性、SELLのレベル及び／又は活性、並びにTNXBのレベル及び／又は活性に与える影響を測定することと；
対照試料中の、COMPのレベル及び／又は活性、LUMのレベル及び／又は活性、SELLのレベル及び／又は活性、並びにTNXBのレベル及び／又は活性と比較して、アリコート中のCOMPのレベル及び／又は活性、LUMのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(375)  活性な結核（ＴＢ）を有する対象を治療する方法であって、COMPの発現及び／又は活性、LUMのレベル及び／又は活性、SELLのレベル及び／又は活性、並びにTNXBのレベル及び／又は活性を調節する剤の有効量を前記対象に投与し、それによって前記対象を治療することを含む、前記方法。
(376)  対象が活性な結核（ＴＢ）を有するか否かを決定する方法であって、
前記対象から得られた試料中の、CD14のレベル、GP1BAのレベル、SELLのレベル、及びSEPP1のレベルを測定することと；
対象試料中のCD14のレベル、GP1BAのレベル、SELLのレベル、及びSEPP1のレベルを、対照試料中のCD14のレベル、GP1BAのレベル、SELLのレベル、及びSEPP1のレベルと比較することとを含み、前記対象試料中のCD14のレベル、GP1BAのレベル、SELLのレベル、及びSEPP1のレベルと前記対照試料中のCD14のレベル、GP1BAのレベル、SELLのレベル、及びSEPP1のレベルとの差が、前記対象が活性なＴＢを有することを示す、前記方法。
(377)  活性な結核（ＴＢ）を有する対象における治療の有効性を監視する方法であって、
前記治療の開始前に、前記対象から得られた第１の試料中の、CD14のレベル、GP1BAのレベル、SELLのレベル、及びSEPP1のレベルを測定することと；
前記治療の少なくとも一部が投与された後に前記対象から得られた第２の試料中の、CD14のレベル、GP1BAのレベル、SELLのレベル、及びSEPP1のレベルを測定することと；
前記第１の試料中のCD14のレベル、GP1BAのレベル、SELLのレベル、及びSEPP1のレベルを前記第２の試料中のCD14のレベル、GP1BAのレベル、SELLのレベル、及びSEPP1のレベルと比較することとを含み、前記第１の試料中のCD14のレベル、GP1BAのレベル、SELLのレベル、及びSEPP1のレベルと前記第２の試料中のCD14のレベル、GP1BAのレベル、SELLのレベル、及びSEPP1のレベルの差が、前記治療が有効であることを示す、前記方法。
(378)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、GP1BAのレベル及び／又は活性、SELLのレベル及び／又は活性、並びにSEPP1のレベル及び／又は活性に与える影響を測定することと；
対照試料中の、CD14のレベル及び／又は活性、GP1BAのレベル及び／又は活性、SELLのレベル及び／又は活性、並びにSEPP1のレベル及び／又は活性と比較して、アリコート中のCD14のレベル及び／又は活性、GP1BAのレベル及び／又は活性、SELLのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(379)  活性な結核（ＴＢ）を有する対象を治療する方法であって、CD14の発現及び／又は活性、GP1BAのレベル及び／又は活性、SELLのレベル及び／又は活性、並びにSEPP1のレベル及び／又は活性を調節する剤の有効量を前記対象に投与し、それによって前記対象を治療することを含む、前記方法。
(380)  対象が活性な結核（ＴＢ）を有するか否かを決定する方法であって、
前記対象から得られた試料中の、TNXBのレベル、CD14のレベル、SELLのレベル、及びLUMのレベルを測定することと；
対象試料中のTNXBのレベル、CD14のレベル、SELLのレベル、及びLUMのレベルを、対照試料中のTNXBのレベル、CD14のレベル、SELLのレベル、及びLUMのレベルと比較することとを含み、前記対象試料中のTNXBのレベル、CD14のレベル、SELLのレベル、及びLUMのレベルと前記対照試料中のTNXBのレベル、CD14のレベル、SELLのレベル、及びLUMのレベルとの差が、前記対象が活性なＴＢを有することを示す、前記方法。
(381)  活性な結核（ＴＢ）を有する対象における治療の有効性を監視する方法であって、
前記治療の開始前に、前記対象から得られた第１の試料中の、TNXBのレベル、CD14のレベル、SELLのレベル、及びLUMのレベルを測定することと；
前記治療の少なくとも一部が投与された後に前記対象から得られた第２の試料中の、TNXBのレベル、CD14のレベル、SELLのレベル、及びLUMのレベルを測定することと；
前記第１の試料中のTNXBのレベル、CD14のレベル、SELLのレベル、及びLUMのレベルを前記第２の試料中のTNXBのレベル、CD14のレベル、SELLのレベル、及びLUMのレベルと比較することとを含み、前記第１の試料中のTNXBのレベル、CD14のレベル、SELLのレベル、及びLUMのレベルと前記第２の試料中のTNXBのレベル、CD14のレベル、SELLのレベル、及びLUMのレベルの差が、前記治療が有効であることを示す、前記方法。
(382)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のTNXBのレベル及び／又は活性、CD14のレベル及び／又は活性、SELLのレベル及び／又は活性、並びにLUMのレベル及び／又は活性に与える影響を測定することと；
対照試料中の、TNXBのレベル及び／又は活性、CD14のレベル及び／又は活性、SELLのレベル及び／又は活性、並びにLUMのレベル及び／又は活性と比較して、アリコート中のTNXBのレベル及び／又は活性、CD14のレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(383)  活性な結核（ＴＢ）を有する対象を治療する方法であって、TNXBの発現及び／又は活性、CD14のレベル及び／又は活性、SELLのレベル及び／又は活性、並びにLUMのレベル及び／又は活性を調節する剤の有効量を前記対象に投与し、それによって前記対象を治療することを含む、前記方法。
(384)  対象が活性な結核（ＴＢ）を有するか否かを決定する方法であって、
前記対象から得られた試料中の、GP1BAのレベル、CD14のレベル、SELLのレベル、及びLUMのレベルを測定することと；
対象試料中のGP1BAのレベル、CD14のレベル、SELLのレベル、及びLUMのレベルを、対照試料中のGP1BAのレベル、CD14のレベル、SELLのレベル、及びLUMのレベルと比較することとを含み、前記対象試料中のGP1BAのレベル、CD14のレベル、SELLのレベル、及びLUMのレベルと前記対照試料中のGP1BAのレベル、CD14のレベル、SELLのレベル、及びLUMのレベルとの差が、前記対象が活性なＴＢを有することを示す、前記方法。
(385)  活性な結核（ＴＢ）を有する対象における治療の有効性を監視する方法であって、
前記治療の開始前に、前記対象から得られた第１の試料中の、GP1BAのレベル、CD14のレベル、SELLのレベル、及びLUMのレベルを測定することと；
前記治療の少なくとも一部が投与された後に前記対象から得られた第２の試料中の、GP1BAのレベル、CD14のレベル、SELLのレベル、及びLUMのレベルを測定することと；
前記第１の試料中のGP1BAのレベル、CD14のレベル、SELLのレベル、及びLUMのレベルを前記第２の試料中のGP1BAのレベル、CD14のレベル、SELLのレベル、及びLUMのレベルと比較することとを含み、前記第１の試料中のGP1BAのレベル、CD14のレベル、SELLのレベル、及びLUMのレベルと前記第２の試料中のGP1BAのレベル、CD14のレベル、SELLのレベル、及びLUMのレベルの差が、前記治療が有効であることを示す、前記方法。
(386)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、CD14のレベル及び／又は活性、SELLのレベル及び／又は活性、並びにLUMのレベル及び／又は活性に与える影響を測定することと；
対照試料中の、GP1BAのレベル及び／又は活性、CD14のレベル及び／又は活性、SELLのレベル及び／又は活性、並びにLUMのレベル及び／又は活性と比較して、アリコート中のGP1BAのレベル及び／又は活性、CD14のレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(387)  活性な結核（ＴＢ）を有する対象を治療する方法であって、GP1BAの発現及び／又は活性、CD14のレベル及び／又は活性、SELLのレベル及び／又は活性、並びにLUMのレベル及び／又は活性を調節する剤の有効量を前記対象に投与し、それによって前記対象を治療することを含む、前記方法。
(388)  対象が活性な結核（ＴＢ）を有するか否かを決定する方法であって、
前記対象から得られた試料中の、APOC1のレベル、COMPのレベル、SELLのレベル、及びLUMのレベルを測定することと；
対象試料中のAPOC1のレベル、COMPのレベル、SELLのレベル、及びLUMのレベルを、対照試料中のAPOC1のレベル、COMPのレベル、SELLのレベル、及びLUMのレベルと比較することとを含み、前記対象試料中のAPOC1のレベル、COMPのレベル、SELLのレベル、及びLUMのレベルと前記対照試料中のAPOC1のレベル、COMPのレベル、SELLのレベル、及びLUMのレベルとの差が、前記対象が活性なＴＢを有することを示す、前記方法。
(389)  活性な結核（ＴＢ）を有する対象における治療の有効性を監視する方法であって、
前記治療の開始前に、前記対象から得られた第１の試料中の、APOC1のレベル、COMPの
レベル、SELLのレベル、及びLUMのレベルを測定することと；
前記治療の少なくとも一部が投与された後に前記対象から得られた第２の試料中の、APOC1のレベル、COMPのレベル、SELLのレベル、及びLUMのレベルを測定することと；
前記第１の試料中のAPOC1のレベル、COMPのレベル、SELLのレベル、及びLUMのレベルを前記第２の試料中のAPOC1のレベル、COMPのレベル、SELLのレベル、及びLUMのレベルと比較することとを含み、前記第１の試料中のAPOC1のレベル、COMPのレベル、SELLのレベル
、及びLUMのレベルと前記第２の試料中のAPOC1のレベル、COMPのレベル、SELLのレベル、及びLUMのレベルの差が、前記治療が有効であることを示す、前記方法。
(390)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、COMPのレベル及び／又は活性、SELLのレベル及び／又は活性、並びにLUMのレベル及び／又は活性に与える影響を測定することと；
対照試料中の、APOC1のレベル及び／又は活性、COMPのレベル及び／又は活性、SELLのレベル及び／又は活性、並びにLUMのレベル及び／又は活性と比較して、アリコート中のAPOC1のレベル及び／又は活性、COMPのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(391)  活性な結核（ＴＢ）を有する対象を治療する方法であって、APOC1の発現及び／又は活性、COMPのレベル及び／又は活性、SELLのレベル及び／又は活性、並びにLUMのレベル及び／又は活性を調節する剤の有効量を前記対象に投与し、それによって前記対象を治療することを含む、前記方法。
(392)  対象が活性な結核（ＴＢ）を有するか否かを決定する方法であって、
前記対象から得られた試料中の、APOC1のレベル、COMPのレベル、SELLのレベル、及びTNXBのレベルを測定することと；
対象試料中のAPOC1のレベル、COMPのレベル、SELLのレベル、及びTNXBのレベルを、対照試料中のAPOC1のレベル、COMPのレベル、SELLのレベル、及びTNXBのレベルと比較することとを含み、前記対象試料中のAPOC1のレベル、COMPのレベル、SELLのレベル、及びTNXBのレベルと前記対照試料中のAPOC1のレベル、COMPのレベル、SELLのレベル、及びTNXBのレベルとの差が、前記対象が活性なＴＢを有することを示す、前記方法。
(393)  活性な結核（ＴＢ）を有する対象における治療の有効性を監視する方法であって、
前記治療の開始前に、前記対象から得られた第１の試料中の、APOC1のレベル、COMPのレベル、SELLのレベル、及びTNXBのレベルを測定することと；
前記治療の少なくとも一部が投与された後に前記対象から得られた第２の試料中の、APOC1のレベル、COMPのレベル、SELLのレベル、及びTNXBのレベルを測定することと；
前記第１の試料中のAPOC1のレベル、COMPのレベル、SELLのレベル、及びTNXBのレベルを前記第２の試料中のAPOC1のレベル、COMPのレベル、SELLのレベル、及びTNXBのレベルと比較することとを含み、前記第１の試料中のAPOC1のレベル、COMPのレベル、SELLのレベル、及びTNXBのレベルと前記第２の試料中のAPOC1のレベル、COMPのレベル、SELLのレベル、及びTNXBのレベルの差が、前記治療が有効であることを示す、前記方法。
(394)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、COMPのレベル及び／又は活性、SELLのレベル及び／又は活性、並びにTNXBのレベル及び／又は活性に与える影響を測定することと；
対照試料中の、APOC1のレベル及び／又は活性、COMPのレベル及び／又は活性、SELLのレベル及び／又は活性、並びにTNXBのレベル及び／又は活性と比較して、アリコート中のAPOC1のレベル及び／又は活性、COMPのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(395)  活性な結核（ＴＢ）を有する対象を治療する方法であって、APOC1の発現及び／又は活性、COMPのレベル及び／又は活性、SELLのレベル及び／又は活性、並びにTNXBのレベル及び／又は活性を調節する剤の有効量を前記対象に投与し、それによって前記対象を治療することを含む、前記方法。
(396)  対象が活性な結核（ＴＢ）を有するか否かを決定する方法であって、
前記対象から得られた試料中の、GP1BAのレベル、CD14のレベル、COMPのレベル、及びSEPP1のレベルを測定することと；
対象試料中のGP1BAのレベル、CD14のレベル、COMPのレベル、及びSEPP1のレベルを、対照試料中のGP1BAのレベル、CD14のレベル、COMPのレベル、及びSEPP1のレベルと比較することとを含み、前記対象試料中のGP1BAのレベル、CD14のレベル、COMPのレベル、及びSEPP1のレベルと前記対照試料中のGP1BAのレベル、CD14のレベル、COMPのレベル、及びSEPP1のレベルとの差が、前記対象が活性なＴＢを有することを示す、前記方法。
(397)  活性な結核（ＴＢ）を有する対象における治療の有効性を監視する方法であって、
前記治療の開始前に、前記対象から得られた第１の試料中の、GP1BAのレベル、CD14のレベル、COMPのレベル、及びSEPP1のレベルを測定することと；
前記治療の少なくとも一部が投与された後に前記対象から得られた第２の試料中の、GP1BAのレベル、CD14のレベル、COMPのレベル、及びSEPP1のレベルを測定することと；
前記第１の試料中のGP1BAのレベル、CD14のレベル、COMPのレベル、及びSEPP1のレベルを前記第２の試料中のGP1BAのレベル、CD14のレベル、COMPのレベル、及びSEPP1のレベルと比較することとを含み、前記第１の試料中のGP1BAのレベル、CD14のレベル、COMPのレベル、及びSEPP1のレベルと前記第２の試料中のGP1BAのレベル、CD14のレベル、COMPのレベル、及びSEPP1のレベルの差が、前記治療が有効であることを示す、前記方法。
(398)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、CD14のレベル及び／又は活性、COMPのレベル及び／又は活性、並びにSEPP1のレベル及び／又は活性に与える影響を測定することと；
対照試料中の、GP1BAのレベル及び／又は活性、CD14のレベル及び／又は活性、COMPのレベル及び／又は活性、並びにSEPP1のレベル及び／又は活性と比較して、アリコート中のGP1BAのレベル及び／又は活性、CD14のレベル及び／又は活性、COMPのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(399)  活性な結核（ＴＢ）を有する対象を治療する方法であって、GP1BAの発現及び／又は活性、CD14のレベル及び／又は活性、COMPのレベル及び／又は活性、並びにSEPP1のレベル及び／又は活性を調節する剤の有効量を前記対象に投与し、それによって前記対象を治療することを含む、前記方法。
(400)  対象が活性な結核（ＴＢ）を有するか否かを決定する方法であって、
前記対象から得られた試料中の、GP1BAのレベル、CD14のレベル、LUMのレベル、及びSEPP1のレベルを測定することと；
対象試料中のGP1BAのレベル、CD14のレベル、LUMのレベル、及びSEPP1のレベルを、対照試料中のGP1BAのレベル、CD14のレベル、LUMのレベル、及びSEPP1のレベルと比較することとを含み、前記対象試料中のGP1BAのレベル、CD14のレベル、LUMのレベル、及びSEPP1のレベルと前記対照試料中のGP1BAのレベル、CD14のレベル、LUMのレベル、及びSEPP1のレベルとの差が、前記対象が活性なＴＢを有することを示す、前記方法。
(401)  活性な結核（ＴＢ）を有する対象における治療の有効性を監視する方法であって、
前記治療の開始前に、前記対象から得られた第１の試料中の、GP1BAのレベル、CD14のレベル、LUMのレベル、及びSEPP1のレベルを測定することと；
前記治療の少なくとも一部が投与された後に前記対象から得られた第２の試料中の、GP1BAのレベル、CD14のレベル、LUMのレベル、及びSEPP1のレベルを測定することと；
前記第１の試料中のGP1BAのレベル、CD14のレベル、LUMのレベル、及びSEPP1のレベルを前記第２の試料中のGP1BAのレベル、CD14のレベル、LUMのレベル、及びSEPP1のレベルと比較することとを含み、前記第１の試料中のGP1BAのレベル、CD14のレベル、LUMのレベル、及びSEPP1のレベルと前記第２の試料中のGP1BAのレベル、CD14のレベル、LUMのレベル、及びSEPP1のレベルの差が、前記治療が有効であることを示す、前記方法。
(402)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、CD14のレベル及び／又は活性、LUMのレベル及び／又は活性、並びにSEPP1のレベル及び／又は活性に与える影響を測定することと；
対照試料中の、GP1BAのレベル及び／又は活性、CD14のレベル及び／又は活性、LUMのレベル及び／又は活性、並びにSEPP1のレベル及び／又は活性と比較して、アリコート中のGP1BAのレベル及び／又は活性、CD14のレベル及び／又は活性、LUMのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(403)  活性な結核（ＴＢ）を有する対象を治療する方法であって、GP1BAの発現及び／又は活性、CD14のレベル及び／又は活性、LUMのレベル及び／又は活性、並びにSEPP1のレベル及び／又は活性を調節する剤の有効量を前記対象に投与し、それによって前記対象を治療することを含む、前記方法。
(404)  対象が活性な結核（ＴＢ）を有するか否かを決定する方法であって、
前記対象から得られた試料中の、GP1BAのレベル、CD14のレベル、TNXBのレベル、及びSEPP1のレベルを測定することと；
対象試料中のGP1BAのレベル、CD14のレベル、TNXBのレベル、及びSEPP1のレベルを、対照試料中のGP1BAのレベル、CD14のレベル、TNXBのレベル、及びSEPP1のレベルと比較することとを含み、前記対象試料中のGP1BAのレベル、CD14のレベル、TNXBのレベル、及びSEPP1のレベルと前記対照試料中のGP1BAのレベル、CD14のレベル、TNXBのレベル、及びSEPP1のレベルとの差が、前記対象が活性なＴＢを有することを示す、前記方法。
(405)  活性な結核（ＴＢ）を有する対象における治療の有効性を監視する方法であって、
前記治療の開始前に、前記対象から得られた第１の試料中の、GP1BAのレベル、CD14のレベル、TNXBのレベル、及びSEPP1のレベルを測定することと；
前記治療の少なくとも一部が投与された後に前記対象から得られた第２の試料中の、GP1BAのレベル、CD14のレベル、TNXBのレベル、及びSEPP1のレベルを測定することと；
前記第１の試料中のGP1BAのレベル、CD14のレベル、TNXBのレベル、及びSEPP1のレベルを前記第２の試料中のGP1BAのレベル、CD14のレベル、TNXBのレベル、及びSEPP1のレベルと比較することとを含み、前記第１の試料中のGP1BAのレベル、CD14のレベル、TNXBのレベル、及びSEPP1のレベルと前記第２の試料中のGP1BAのレベル、CD14のレベル、TNXBのレベル、及びSEPP1のレベルの差が、前記治療が有効であることを示す、前記方法。
(406)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のGP1BAのレベル及び／又は活性、CD14のレベル及び／又は活性、TNXBのレベル及び／又は活性、並びにSEPP1のレベル及び／又は活性に与える影響を測定することと；
対照試料中の、GP1BAのレベル及び／又は活性、CD14のレベル及び／又は活性、TNXBのレベル及び／又は活性、並びにSEPP1のレベル及び／又は活性と比較して、アリコート中のGP1BAのレベル及び／又は活性、CD14のレベル及び／又は活性、TNXBのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(407)  活性な結核（ＴＢ）を有する対象を治療する方法であって、GP1BAの発現及び／又は活性、CD14のレベル及び／又は活性、TNXBのレベル及び／又は活性、並びにSEPP1のレベル及び／又は活性を調節する剤の有効量を前記対象に投与し、それによって前記対象を治療することを含む、前記方法。
(408)  対象が活性な結核（ＴＢ）を有するか否かを決定する方法であって、
前記対象から得られた試料中の、QSOX1のレベル、SEPP1のレベル、APOC1のレベル、及びCD14のレベルを測定することと；
対象試料中のQSOX1のレベル、SEPP1のレベル、APOC1のレベル、及びCD14のレベルを、対照試料中のQSOX1のレベル、SEPP1のレベル、APOC1のレベル、及びCD14のレベルと比較することとを含み、前記対象試料中のQSOX1のレベル、SEPP1のレベル、APOC1のレベル、及びCD14のレベルと前記対照試料中のQSOX1のレベル、SEPP1のレベル、APOC1のレベル、及びCD14のレベルとの差が、前記対象が活性なＴＢを有することを示す、前記方法。
(409)  活性な結核（ＴＢ）を有する対象における治療の有効性を監視する方法であって、
前記治療の開始前に、前記対象から得られた第１の試料中の、QSOX1のレベル、SEPP1のレベル、APOC1のレベル、及びCD14のレベルを測定することと；
前記治療の少なくとも一部が投与された後に前記対象から得られた第２の試料中の、QSOX1のレベル、SEPP1のレベル、APOC1のレベル、及びCD14のレベルを測定することと；
前記第１の試料中のQSOX1のレベル、SEPP1のレベル、APOC1のレベル、及びCD14のレベルを前記第２の試料中のQSOX1のレベル、SEPP1のレベル、APOC1のレベル、及びCD14のレベルと比較することとを含み、前記第１の試料中のQSOX1のレベル、SEPP1のレベル、APOC1のレベル、及びCD14のレベルと前記第２の試料中のQSOX1のレベル、SEPP1のレベル、APOC1のレベル、及びCD14のレベルの差が、前記治療が有効であることを示す、前記方法。
(410)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のQSOX1のレベル及び／又は活性、SEPP1のレベル及び／又は活性、APOC1のレベル及び／又は活性、並びにCD14のレベル及び／又は活性に与える影響を測定することと；
対照試料中の、QSOX1のレベル及び／又は活性、SEPP1のレベル及び／又は活性、APOC1のレベル及び／又は活性、並びにCD14のレベル及び／又は活性と比較して、アリコート中のQSOX1のレベル及び／又は活性、SEPP1のレベル及び／又は活性、APOC1のレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(411)  活性な結核（ＴＢ）を有する対象を治療する方法であって、QSOX1の発現及び／又は活性、SEPP1のレベル及び／又は活性、APOC1のレベル及び／又は活性、並びにCD14のレベル及び／又は活性を調節する剤の有効量を前記対象に投与し、それによって前記対象を治療することを含む、前記方法。
(412)  対象が活性な結核（ＴＢ）を有するか否かを決定する方法であって、
前記対象から得られた試料中の、COMPのレベル、PEPDのレベル、APOC1のレベル、及びCD14のレベルを測定することと；
対象試料中のCOMPのレベル、PEPDのレベル、APOC1のレベル、及びCD14のレベルを、対照試料中のCOMPのレベル、PEPDのレベル、APOC1のレベル、及びCD14のレベルと比較することとを含み、前記対象試料中のCOMPのレベル、PEPDのレベル、APOC1のレベル、及びCD14のレベルと前記対照試料中のCOMPのレベル、PEPDのレベル、APOC1のレベル、及びCD14のレベルとの差が、前記対象が活性なＴＢを有することを示す、前記方法。
(413)  活性な結核（ＴＢ）を有する対象における治療の有効性を監視する方法であって、
前記治療の開始前に、前記対象から得られた第１の試料中の、COMPのレベル、PEPDのレベル、APOC1のレベル、及びCD14のレベルを測定することと；
前記治療の少なくとも一部が投与された後に前記対象から得られた第２の試料中の、COMPのレベル、PEPDのレベル、APOC1のレベル、及びCD14のレベルを測定することと；
前記第１の試料中のCOMPのレベル、PEPDのレベル、APOC1のレベル、及びCD14のレベルを前記第２の試料中のCOMPのレベル、PEPDのレベル、APOC1のレベル、及びCD14のレベルと比較することとを含み、前記第１の試料中のCOMPのレベル、PEPDのレベル、APOC1のレベル、及びCD14のレベルと前記第２の試料中のCOMPのレベル、PEPDのレベル、APOC1のレベル、及びCD14のレベルの差が、前記治療が有効であることを示す、前記方法。
(414)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、PEPDのレベル及び／又は活性、APOC1のレベル及び／又は活性、並びにCD14のレベル及び／又は活性に与える影響を測定することと；
対照試料中の、COMPのレベル及び／又は活性、PEPDのレベル及び／又は活性、APOC1のレベル及び／又は活性、並びにCD14のレベル及び／又は活性と比較して、アリコート中のCOMPのレベル及び／又は活性、PEPDのレベル及び／又は活性、APOC1のレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(415)  活性な結核（ＴＢ）を有する対象を治療する方法であって、COMPの発現及び／又は活性、PEPDのレベル及び／又は活性、APOC1のレベル及び／又は活性、並びにCD14のレベル及び／又は活性を調節する剤の有効量を前記対象に投与し、それによって前記対象を治療することを含む、前記方法。
(416)  対象が活性な結核（ＴＢ）を有するか否かを決定する方法であって、
前記対象から得られた試料中の、COMPのレベル、GP1BAのレベル、SELLのレベル、及びTNXBのレベルを測定することと；
対象試料中のCOMPのレベル、GP1BAのレベル、SELLのレベル、及びTNXBのレベルを、対照試料中のCOMPのレベル、GP1BAのレベル、SELLのレベル、及びTNXBのレベルと比較することとを含み、前記対象試料中のCOMPのレベル、GP1BAのレベル、SELLのレベル、及びTNXBのレベルと前記対照試料中のCOMPのレベル、GP1BAのレベル、SELLのレベル、及びTNXBのレベルとの差が、前記対象が活性なＴＢを有することを示す、前記方法。
(417)  活性な結核（ＴＢ）を有する対象における治療の有効性を監視する方法であって、
前記治療の開始前に、前記対象から得られた第１の試料中の、COMPのレベル、GP1BAのレベル、SELLのレベル、及びTNXBのレベルを測定することと；
前記治療の少なくとも一部が投与された後に前記対象から得られた第２の試料中の、COMPのレベル、GP1BAのレベル、SELLのレベル、及びTNXBのレベルを測定することと；
前記第１の試料中のCOMPのレベル、GP1BAのレベル、SELLのレベル、及びTNXBのレベルを前記第２の試料中のCOMPのレベル、GP1BAのレベル、SELLのレベル、及びTNXBのレベルと比較することとを含み、前記第１の試料中のCOMPのレベル、GP1BAのレベル、SELLのレベル、及びTNXBのレベルと前記第２の試料中のCOMPのレベル、GP1BAのレベル、SELLのレベル、及びTNXBのレベルの差が、前記治療が有効であることを示す、前記方法。
(418)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCOMPのレベル及び／又は活性、GP1BAのレベル及び／又は活性、SELLのレベル及び／又は活性、並びにTNXBのレベル及び／又は活性に与える影響を測定することと；
対照試料中の、COMPのレベル及び／又は活性、GP1BAのレベル及び／又は活性、SELLのレベル及び／又は活性、並びにTNXBのレベル及び／又は活性と比較して、アリコート中のCOMPのレベル及び／又は活性、GP1BAのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(419)  活性な結核（ＴＢ）を有する対象を治療する方法であって、COMPの発現及び／又は活性、GP1BAのレベル及び／又は活性、SELLのレベル及び／又は活性、並びにTNXBのレベル及び／又は活性を調節する剤の有効量を前記対象に投与し、それによって前記対象を治療することを含む、前記方法。
(420)  対象が活性な結核（ＴＢ）を有するか否かを決定する方法であって、
前記対象から得られた試料中の、LUMのレベル、APOC1のレベル、CD14のレベル、及びQSOX1のレベルを測定することと；
対象試料中のLUMのレベル、APOC1のレベル、CD14のレベル、及びQSOX1のレベルを、対照試料中のLUMのレベル、APOC1のレベル、CD14のレベル、及びQSOX1のレベルと比較することとを含み、前記対象試料中のLUMのレベル、APOC1のレベル、CD14のレベル、及びQSOX1のレベルと前記対照試料中のLUMのレベル、APOC1のレベル、CD14のレベル、及びQSOX1のレベルとの差が、前記対象が活性なＴＢを有することを示す、前記方法。
(421)  活性な結核（ＴＢ）を有する対象における治療の有効性を監視する方法であって、
前記治療の開始前に、前記対象から得られた第１の試料中の、LUMのレベル、APOC1のレベル、CD14のレベル、及びQSOX1のレベルを測定することと；
前記治療の少なくとも一部が投与された後に前記対象から得られた第２の試料中の、LUMのレベル、APOC1のレベル、CD14のレベル、及びQSOX1のレベルを測定することと；
前記第１の試料中のLUMのレベル、APOC1のレベル、CD14のレベル、及びQSOX1のレベルを前記第２の試料中のLUMのレベル、APOC1のレベル、CD14のレベル、及びQSOX1のレベルと比較することとを含み、前記第１の試料中のLUMのレベル、APOC1のレベル、CD14のレベル、及びQSOX1のレベルと前記第２の試料中のLUMのレベル、APOC1のレベル、CD14のレベル、及びQSOX1のレベルの差が、前記治療が有効であることを示す、前記方法。
(422)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLUMのレベル及び／又は活性、APOC1のレベル及び／又は活性、CD14のレベル及び／又は活性、並びにQSOX1のレベル及び／又は活性に与える影響を測定することと；
対照試料中の、LUMのレベル及び／又は活性、APOC1のレベル及び／又は活性、CD14のレベル及び／又は活性、並びにQSOX1のレベル及び／又は活性と比較して、アリコート中のLUMのレベル及び／又は活性、APOC1のレベル及び／又は活性、CD14のレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(423)  活性な結核（ＴＢ）を有する対象を治療する方法であって、LUMの発現及び／又は活性、APOC1のレベル及び／又は活性、CD14のレベル及び／又は活性、並びにQSOX1のレベル及び／又は活性を調節する剤の有効量を前記対象に投与し、それによって前記対象を治療することを含む、前記方法。
(424)  対象が活性な結核（ＴＢ）を有するか否かを決定する方法であって、
前記対象から得られた試料中の、APOC1のレベル、CD14のレベル、TNXBのレベル、及びPEPDのレベルを測定することと；
対象試料中のAPOC1のレベル、CD14のレベル、TNXBのレベル、及びPEPDのレベルを、対照試料中のAPOC1のレベル、CD14のレベル、TNXBのレベル、及びPEPDのレベルと比較することとを含み、前記対象試料中のAPOC1のレベル、CD14のレベル、TNXBのレベル、及びPEPDのレベルと前記対照試料中のAPOC1のレベル、CD14のレベル、TNXBのレベル、及びPEPDのレベルとの差が、前記対象が活性なＴＢを有することを示す、前記方法。
(425)  活性な結核（ＴＢ）を有する対象における治療の有効性を監視する方法であって、
前記治療の開始前に、前記対象から得られた第１の試料中の、APOC1のレベル、CD14のレベル、TNXBのレベル、及びPEPDのレベルを測定することと；
前記治療の少なくとも一部が投与された後に前記対象から得られた第２の試料中の、APOC1のレベル、CD14のレベル、TNXBのレベル、及びPEPDのレベルを測定することと；
前記第１の試料中のAPOC1のレベル、CD14のレベル、TNXBのレベル、及びPEPDのレベルを前記第２の試料中のAPOC1のレベル、CD14のレベル、TNXBのレベル、及びPEPDのレベルと比較することとを含み、前記第１の試料中のAPOC1のレベル、CD14のレベル、TNXBのレベル、及びPEPDのレベルと前記第２の試料中のAPOC1のレベル、CD14のレベル、TNXBのレベル、及びPEPDのレベルの差が、前記治療が有効であることを示す、前記方法。
(426)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のAPOC1のレベル及び／又は活性、CD14のレベル及び／又は活性、TNXBのレベル及び／又は活性、並びにPEPDのレベル及び／又は活性に与える影響を測定することと；
対照試料中の、APOC1のレベル及び／又は活性、CD14のレベル及び／又は活性、TNXBのレベル及び／又は活性、並びにPEPDのレベル及び／又は活性と比較して、アリコート中のAPOC1のレベル及び／又は活性、CD14のレベル及び／又は活性、TNXBのレベル及び／又は活性、並びにPEPDのレベル及び／又は活性を調節する化合物のライブラリーのメンバーを選択し、それによって、活性なＴＢを有する対象を治療するために有用な化合物を同定することを含む、前記方法。
(427)  活性な結核（ＴＢ）を有する対象を治療する方法であって、APOC1の発現及び／又は活性、CD14のレベル及び／又は活性、TNXBのレベル及び／又は活性、並びにPEPDのレベル及び／又は活性を調節する剤の有効量を前記対象に投与し、それによって前記対象を治療することを含む、前記方法。
(428)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにTNXBのレベル及び／又は活性に与える影響を測定することと；
対照試料中の、CD14のレベル及び／又は活性、APOEのレベル及び／又は活性、SELLのレベル及び／又は活性、並びにTNXBのレベル及び／又は活性と比較して、アリコート中のCD14のレベル及び／又は活性、APOEのレベル及び／又は活性、SELLのレベル及び／又は活性、並びにTNXBのレベル及び／又は活性を調節する化合物のライブラリーのメンバーを選択し、それによって、活性なＴＢを有する対象を治療するために有用な化合物を同定することを含む、前記方法。
(429)  活性な結核（ＴＢ）を有する対象を治療する方法であって、CD14の発現及び／又は活性、APOEのレベル及び／又は活性、SELLのレベル及び／又は活性、並びにTNXBのレベル及び／又は活性を調節する剤の有効量を前記対象に投与し、それによって前記対象を治療することを含む、前記方法。
(430)  対象が活性な結核（ＴＢ）を有するか否かを決定する方法であって、
前記対象から得られた試料中の、CD14のレベル、APOEのレベル、SELLのレベル、及びCOMPのレベルを測定することと；
対象試料中のCD14のレベル、APOEのレベル、SELLのレベル、及びCOMPのレベルを、対照試料中のCD14のレベル、APOEのレベル、SELLのレベル、及びCOMPのレベルと比較することとを含み、前記対象試料中のCD14のレベル、APOEのレベル、SELLのレベル、及びCOMPのレベルと前記対照試料中のCD14のレベル、APOEのレベル、SELLのレベル、及びCOMPのレベルとの差が、前記対象が活性なＴＢを有することを示す、前記方法。
(431)  活性な結核（ＴＢ）を有する対象における治療の有効性を監視する方法であって、
前記治療の開始前に、前記対象から得られた第１の試料中の、CD14のレベル、APOEのレベル、SELLのレベル、及びCOMPのレベルを測定することと；
前記治療の少なくとも一部が投与された後に前記対象から得られた第２の試料中の、CD14のレベル、APOEのレベル、SELLのレベル、及びCOMPのレベルを測定することと；
前記第１の試料中のCD14のレベル、APOEのレベル、SELLのレベル、及びCOMPのレベルを前記第２の試料中のCD14のレベル、APOEのレベル、SELLのレベル、及びCOMPのレベルと比較することとを含み、前記第１の試料中のCD14のレベル、APOEのレベル、SELLのレベル、及びCOMPのレベルと前記第２の試料中のCD14のレベル、APOEのレベル、SELLのレベル、及びCOMPのレベルの差が、前記治療が有効であることを示す、前記方法。
(432)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにCOMPのレベル及び／又は活性に与える影響を測定することと；
対照試料中の、CD14のレベル及び／又は活性、APOEのレベル及び／又は活性、SELLのレベル及び／又は活性、並びにCOMPのレベル及び／又は活性と比較して、アリコート中のCD14のレベル及び／又は活性、APOEのレベル及び／又は活性、SELLのレベル及び／又は活性、並びにCOMPのレベル及び／又は活性を調節する化合物のライブラリーのメンバーを選択し、それによって、活性なＴＢを有する対象を治療するために有用な化合物を同定することを含む、前記方法。
(433)  活性な結核（ＴＢ）を有する対象を治療する方法であって、CD14の発現及び／又は活性、APOEのレベル及び／又は活性、SELLのレベル及び／又は活性、並びにCOMPのレベル及び／又は活性を調節する剤の有効量を前記対象に投与し、それによって前記対象を治療することを含む、前記方法。
(434)  対象が活性な結核（ＴＢ）を有するか否かを決定する方法であって、
前記対象から得られた試料中の、CD14のレベル、APOEのレベル、SELLのレベル、及びLUMのレベルを測定することと；
対象試料中のCD14のレベル、APOEのレベル、SELLのレベル、及びLUMのレベルを、対照試料中のCD14のレベル、APOEのレベル、SELLのレベル、及びLUMのレベルと比較することとを含み、前記対象試料中のCD14のレベル、APOEのレベル、SELLのレベル、及びLUMのレベルと前記対照試料中のCD14のレベル、APOEのレベル、SELLのレベル、及びLUMのレベルとの差が、前記対象が活性なＴＢを有することを示す、前記方法。
(435)  活性な結核（ＴＢ）を有する対象における治療の有効性を監視する方法であって、
前記治療の開始前に、前記対象から得られた第１の試料中の、CD14のレベル、APOEのレベル、SELLのレベル、及びLUMのレベルを測定することと；
前記治療の少なくとも一部が投与された後に前記対象から得られた第２の試料中の、CD14のレベル、APOEのレベル、SELLのレベル、及びLUMのレベルを測定することと；
前記第１の試料中のCD14のレベル、APOEのレベル、SELLのレベル、及びLUMのレベルを前記第２の試料中のCD14のレベル、APOEのレベル、SELLのレベル、及びLUMのレベルと比較することとを含み、前記第１の試料中のCD14のレベル、APOEのレベル、SELLのレベル、及びLUMのレベルと前記第２の試料中のCD14のレベル、APOEのレベル、SELLのレベル、及びLUMのレベルの差が、前記治療が有効であることを示す、前記方法。
(436)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにLUMのレベル及び／又は活性に与える影響を測定することと；
対照試料中の、CD14のレベル及び／又は活性、APOEのレベル及び／又は活性、SELLのレベル及び／又は活性、並びにLUMのレベル及び／又は活性と比較して、アリコート中のCD14のレベル及び／又は活性、APOEのレベル及び／又は活性、SELLのレベル及び／又は活性、並びにLUMのレベル及び／又は活性を調節する化合物のライブラリーのメンバーを選択し、それによって、活性なＴＢを有する対象を治療するために有用な化合物を同定することを含む、前記方法。
(437)  活性な結核（ＴＢ）を有する対象を治療する方法であって、CD14の発現及び／又は活性、APOEのレベル及び／又は活性、SELLのレベル及び／又は活性、並びにLUMのレベル及び／又は活性を調節する剤の有効量を前記対象に投与し、それによって前記対象を治療することを含む、前記方法。
(438)  対象が活性な結核（ＴＢ）を有するか否かを決定する方法であって、
前記対象から得られた試料中の、CD14のレベル、APOEのレベル、SELLのレベル、及びPGLYRP2のレベルを測定することと；
対象試料中のCD14のレベル、APOEのレベル、SELLのレベル、及びPGLYRP2のレベルを、対照試料中のCD14のレベル、APOEのレベル、SELLのレベル、及びPGLYRP2のレベルと比較することとを含み、前記対象試料中のCD14のレベル、APOEのレベル、SELLのレベル、及びPGLYRP2のレベルと前記対照試料中のCD14のレベル、APOEのレベル、SELLのレベル、及びPGLYRP2のレベルとの差が、前記対象が活性なＴＢを有することを示す、前記方法。
(439)  活性な結核（ＴＢ）を有する対象における治療の有効性を監視する方法であって、
前記治療の開始前に、前記対象から得られた第１の試料中の、CD14のレベル、APOEのレベル、SELLのレベル、及びPGLYRP2のレベルを測定することと；
前記治療の少なくとも一部が投与された後に前記対象から得られた第２の試料中の、CD14のレベル、APOEのレベル、SELLのレベル、及びPGLYRP2のレベルを測定することと；
前記第１の試料中のCD14のレベル、APOEのレベル、SELLのレベル、及びPGLYRP2のレベルを前記第２の試料中のCD14のレベル、APOEのレベル、SELLのレベル、及びPGLYRP2のレベルと比較することとを含み、前記第１の試料中のCD14のレベル、APOEのレベル、SELLのレベル、及びPGLYRP2のレベルと前記第２の試料中のCD14のレベル、APOEのレベル、SELLのレベル、及びPGLYRP2のレベルの差が、前記治療が有効であることを示す、前記方法。
(440)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにPGLYRP2のレベル及び／又は活性に与える影響を測定することと；
対照試料中の、CD14のレベル及び／又は活性、APOEのレベル及び／又は活性、SELLのレベル及び／又は活性、並びにPGLYRP2のレベル及び／又は活性と比較して、アリコート中のCD14のレベル及び／又は活性、APOEのレベル及び／又は活性、SELLのレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(441)  活性な結核（ＴＢ）を有する対象を治療する方法であって、CD14の発現及び／又は活性、APOEのレベル、SELLのレベル、及びPGLYRP2のレベルを調節する剤の有効量を前記対象に投与し、それによって前記対象を治療することを含む、前記方法。
(442)  対象が活性な結核（ＴＢ）を有するか否かを決定する方法であって、
前記対象から得られた試料中の、CD14のレベル、APOEのレベル、SELLのレベル、及びHABP2のレベルを測定することと；
対象試料中のCD14のレベル、APOEのレベル、SELLのレベル、及びHABP2のレベルを、対照試料中のCD14のレベル、APOEのレベル、SELLのレベル、及びHABP2のレベルと比較することとを含み、前記対象試料中のCD14のレベル、APOEのレベル、SELLのレベル、及びHABP2のレベルと前記対照試料中のCD14のレベル、APOEのレベル、SELLのレベル、及びHABP2のレベルとの差が、前記対象が活性なＴＢを有することを示す、前記方法。
(443)  活性な結核（ＴＢ）を有する対象における治療の有効性を監視する方法であって、
前記治療の開始前に、前記対象から得られた第１の試料中の、CD14のレベル、APOEのレベル、SELLのレベル、及びHABP2のレベルを測定することと；
前記治療の少なくとも一部が投与された後に前記対象から得られた第２の試料中の、CD14のレベル、APOEのレベル、SELLのレベル、及びHABP2のレベルを測定することと；
前記第１の試料中のCD14のレベル、APOEのレベル、SELLのレベル、及びHABP2のレベルを前記第２の試料中のCD14のレベル、APOEのレベル、SELLのレベル、及びHABP2のレベルと比較することとを含み、前記第１の試料中のCD14のレベル、APOEのレベル、SELLのレベル、及びHABP2のレベルと前記第２の試料中のCD14のレベル、APOEのレベル、SELLのレベル、及びHABP2のレベルの差が、前記治療が有効であることを示す、前記方法。
(444)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにHABP2のレベル及び／又は活性に与える影響を測定することと；
対照試料中の、CD14のレベル及び／又は活性、APOEのレベル及び／又は活性、SELLのレベル及び／又は活性、並びにHABP2のレベル及び／又は活性と比較して、アリコート中のCD14のレベル及び／又は活性、APOEのレベル及び／又は活性、SELLのレベル及び／又は活性、並びにHABP2のレベル及び／又は活性を調節する化合物のライブラリーのメンバーを選択し、それによって、活性なＴＢを有する対象を治療するために有用な化合物を同定することを含む、前記方法。
(445)  活性な結核（ＴＢ）を有する対象を治療する方法であって、CD14の発現及び／又は活性、APOEのレベル及び／又は活性、SELLのレベル及び／又は活性、並びにHABP2のレベル及び／又は活性を調節する剤の有効量を前記対象に投与し、それによって前記対象を治療することを含む、前記方法。
(446)  対象が活性な結核（ＴＢ）を有するか否かを決定する方法であって、
前記対象から得られた試料中の、CD14のレベル、APOEのレベル、SELLのレベル、及びLRG1のレベルを測定することと；
対象試料中のCD14のレベル、APOEのレベル、SELLのレベル、及びLRG1のレベルを、対照試料中のCD14のレベル、APOEのレベル、SELLのレベル、及びLRG1のレベルと比較することとを含み、前記対象試料中のCD14のレベル、APOEのレベル、SELLのレベル、及びLRG1のレベルと前記対照試料中のCD14のレベル、APOEのレベル、SELLのレベル、及びLRG1のレベルとの差が、前記対象が活性なＴＢを有することを示す、前記方法。
(447)  活性な結核（ＴＢ）を有する対象における治療の有効性を監視する方法であって、
前記治療の開始前に、前記対象から得られた第１の試料中の、CD14のレベル、APOEのレベル、SELLのレベル、及びLRG1のレベルを測定することと；
前記治療の少なくとも一部が投与された後に前記対象から得られた第２の試料中の、CD14のレベル、APOEのレベル、SELLのレベル、及びLRG1のレベルを測定することと；
前記第１の試料中のCD14のレベル、APOEのレベル、SELLのレベル、及びLRG1のレベルを前記第２の試料中のCD14のレベル、APOEのレベル、SELLのレベル、及びLRG1のレベルと比較することとを含み、前記第１の試料中のCD14のレベル、APOEのレベル、SELLのレベル、及びLRG1のレベルと前記第２の試料中のCD14のレベル、APOEのレベル、SELLのレベル、及びLRG1のレベルの差が、前記治療が有効であることを示す、前記方法。
(448)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、SELLのレベル及び／又は活性、並びにLRG1のレベル及び／又は活性に与える影響を測定することと；
対照試料中の、CD14のレベル及び／又は活性、APOEのレベル及び／又は活性、SELLのレベル及び／又は活性、並びにLRG1のレベル及び／又は活性と比較して、アリコート中のCD14のレベル及び／又は活性、APOEのレベル及び／又は活性、SELLのレベル及び／又は活性、並びにLRG1のレベル及び／又は活性を調節する化合物のライブラリーのメンバーを選択し、それによって、活性なＴＢを有する対象を治療するために有用な化合物を同定することを含む、前記方法。
(449)  活性な結核（ＴＢ）を有する対象を治療する方法であって、CD14の発現及び／又は活性、APOEのレベル及び／又は活性、SELLのレベル及び／又は活性、並びにLRG1のレベル及び／又は活性を調節する剤の有効量を前記対象に投与し、それによって前記対象を治療することを含む、前記方法。
(450)  対象が活性な結核（ＴＢ）を有するか否かを決定する方法であって、
前記対象から得られた試料中の、CD14のレベル、APOEのレベル、SELLのレベル、及びQSOX1のレベルを測定することと；
対象試料中のCD14のレベル、APOEのレベル、SELLのレベル、及びQSOX1のレベルを、対照試料中のCD14のレベル、APOEのレベル、SELLのレベル、及びQSOX1のレベルと比較することとを含み、前記対象試料中のCD14のレベル、APOEのレベル、SELLのレベル、及びQSOX1のレベルと前記対照試料中のCD14のレベル、APOEのレベル、SELLのレベル、及びQSOX1のレベルとの差が、前記対象が活性なＴＢを有することを示す、前記方法。
(451)  活性な結核（ＴＢ）を有する対象における治療の有効性を監視する方法であって、
前記治療の開始前に、前記対象から得られた第１の試料中の、CD14のレベル、APOEのレベル、SELLのレベル、及びQSOX1のレベルを測定することと；
前記治療の少なくとも一部が投与された後に前記対象から得られた第２の試料中の、CD14のレベル、APOEのレベル、SELLのレベル、及びQSOX1のレベルを測定することと；
前記第１の試料中のCD14のレベル、APOEのレベル、SELLのレベル、及びQSOX1のレベルを前記第２の試料中のCD14のレベル、APOEのレベル、SELLのレベル、及びQSOX1のレベルと比較することとを含み、前記第１の試料中のCD14のレベル、APOEのレベル、SELLのレベル、及びQSOX1のレベルと前記第２の試料中のCD14のレベル、APOEのレベル、SELLのレベル、及びQSOX1のレベルの差が、前記治療が有効であることを示す、前記方法。
(452)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル、SELLのレベル、並びにQSOX1のレベルに与える影響を測定することと；
対照試料中の、CD14のレベル及び／又は活性、APOEのレベル及び／又は活性、SELLのレベル及び／又は活性、並びにQSOX1のレベル及び／又は活性と比較して、アリコート中のCD14のレベル及び／又は活性、APOEのレベル及び／又は活性、SELLのレベル及び／又は活性、並びにQSOX1のレベル及び／又は活性を調節する化合物のライブラリーのメンバーを選択し、それによって、活性なＴＢを有する対象を治療するために有用な化合物を同定することを含む、前記方法。
(453)  活性な結核（ＴＢ）を有する対象を治療する方法であって、CD14の発現及び／又は活性、APOEのレベル及び／又は活性、SELLのレベル及び／又は活性、並びにQSOX1のレベル及び／又は活性を調節する剤の有効量を前記対象に投与し、それによって前記対象を治療することを含む、前記方法。
(454)  対象が活性な結核（ＴＢ）を有するか否かを決定する方法であって、
前記対象から得られた試料中の、CD14のレベル、APOEのレベル、SELLのレベル、及びS100A8のレベルを測定することと；
対象試料中のCD14のレベル、APOEのレベル、SELLのレベル、及びS100A8のレベルを、対照試料中のCD14のレベル、APOEのレベル、SELLのレベル、及びS100A8のレベルと比較することとを含み、前記対象試料中のCD14のレベル、APOEのレベル、SELLのレベル、及びS100A8のレベルと前記対照試料中のCD14のレベル、APOEのレベル、SELLのレベル、及びS100A8のレベルとの差が、前記対象が活性なＴＢを有することを示す、前記方法。
(455)  活性な結核（ＴＢ）を有する対象における治療の有効性を監視する方法であって、
前記治療の開始前に、前記対象から得られた第１の試料中の、CD14のレベル、APOEのレベル、SELLのレベル、及びS100A8のレベルを測定することと；
前記治療の少なくとも一部が投与された後に前記対象から得られた第２の試料中の、CD14のレベル、APOEのレベル、SELLのレベル、及びS100A8のレベルを測定することと；
前記第１の試料中のCD14のレベル、APOEのレベル、SELLのレベル、及びS100A8のレベルを前記第２の試料中のCD14のレベル、APOEのレベル、SELLのレベル、及びS100A8のレベルと比較することとを含み、前記第１の試料中のCD14のレベル、APOEのレベル、SELLのレベル、及びS100A8のレベルと前記第２の試料中のCD14のレベル、APOEのレベル、SELLのレベル、及びS100A8のレベルの差が、前記治療が有効であることを示す、前記方法。
(456)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明の１又は複数のマーカーのレベル及び／又は活性に与える影響を測定することと；
対照試料中の、CD14のレベル及び／又は活性、APOEのレベル及び／又は活性、SELLのレベル及び／又は活性、並びにS100A8のレベル及び／又は活性と比較して、アリコート中のCD14のレベル及び／又は活性、APOEのレベル及び／又は活性、SELLのレベル及び／又は活性、並びにS100A8のレベル及び／又は活性を調節する化合物のライブラリーのメンバーを選択し、それによって、活性なＴＢを有する対象を治療するために有用な化合物を同定することを含む、前記方法。
(457)  活性な結核（ＴＢ）を有する対象を治療する方法であって、CD14の発現及び／又は活性、APOEのレベル及び／又は活性、SELLのレベル及び／又は活性、並びにS100A8のレベル及び／又は活性を調節する剤の有効量を前記対象に投与し、それによって前記対象を治療することを含む、前記方法。
(458)  対象が活性な結核（ＴＢ）を有するか否かを決定する方法であって、
前記対象から得られた試料中の、CD14のレベル、APOEのレベル、及びAPOC3のレベルを測定することと；
対象試料中のCD14のレベル、APOEのレベル、及びAPOC3のレベルを、対照試料中のCD14のレベル、APOEのレベル、及びAPOC3のレベルと比較することとを含み、前記対象試料中のCD14のレベル、APOEのレベル、及びAPOC3のレベルと前記対照試料中のCD14のレベル、APOEのレベル、及びAPOC3のレベルとの差が、前記対象が活性なＴＢを有することを示す、前記方法。
(459)  活性な結核（ＴＢ）を有する対象における治療の有効性を監視する方法であって、
前記治療の開始前に、前記対象から得られた第１の試料中の、CD14のレベル、APOEのレベル、及びAPOC3のレベルを測定することと；
前記治療の少なくとも一部が投与された後に前記対象から得られた第２の試料中の、CD14のレベル、APOEのレベル、及びAPOC3のレベルを測定することと；
前記第１の試料中のCD14のレベル、APOEのレベル、及びAPOC3のレベルを前記第２の試料中のCD14のレベル、APOEのレベル、及びAPOC3のレベルと比較することとを含み、前記第１の試料中のCD14のレベル、APOEのレベル、及びAPOC3のレベルと前記第２の試料中のCD14のレベル、APOEのレベル、及びAPOC3のレベルの差が、前記治療が有効であることを示す、前記方法。
(460)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、並びにAPOC3のレベル及び／又は活性に与える影響を測定することと；
対照試料中の、CD14のレベル及び／又は活性、APOEのレベル及び／又は活性、並びにAPOC3のレベル及び／又は活性と比較して、アリコート中のCD14のレベル及び／又は活性、APOEのレベル及び／又は活性、並びにAPOC3のレベル及び／又は活性を調節する化合物のライブラリーのメンバーを選択し、それによって、活性なＴＢを有する対象を治療するために有用な化合物を同定することを含む、前記方法。
(461)  活性な結核（ＴＢ）を有する対象を治療する方法であって、CD14の発現及び／又は活性、APOEのレベル及び／又は活性、並びにAPOC3のレベル及び／又は活性を調節する剤の有効量を前記対象に投与し、それによって前記対象を治療することを含む、前記方法。
(462)  対象が活性な結核（ＴＢ）を有するか否かを決定する方法であって、
前記対象から得られた試料中の、CD14のレベル、APOEのレベル、APOC3のレベル、及びPGLYRP2のレベルを測定することと；
対象試料中のCD14のレベル、APOEのレベル、APOC3のレベル、及びPGLYRP2のレベルを、対照試料中のCD14のレベル、APOEのレベル、APOC3のレベル、及びPGLYRP2のレベルと比較することとを含み、前記対象試料中のCD14のレベル、APOEのレベル、APOC3のレベル、及びPGLYRP2のレベルと前記対照試料中のCD14のレベル、APOEのレベル、APOC3のレベル、及びPGLYRP2のレベルとの差が、前記対象が活性なＴＢを有することを示す、前記方法。
(463)  活性な結核（ＴＢ）を有する対象における治療の有効性を監視する方法であって、
前記治療の開始前に、前記対象から得られた第１の試料中の、CD14のレベル、APOEのレベル、APOC3のレベル、及びPGLYRP2のレベルを測定することと；
前記治療の少なくとも一部が投与された後に前記対象から得られた第２の試料中の、CD14のレベル、APOEのレベル、APOC3のレベル、及びPGLYRP2のレベルを測定することと；
前記第１の試料中のCD14のレベル、APOEのレベル、APOC3のレベル、及びPGLYRP2のレベルを前記第２の試料中のCD14のレベル、APOEのレベル、APOC3のレベル、及びPGLYRP2のレベルと比較することとを含み、前記第１の試料中のCD14のレベル、APOEのレベル、APOC3のレベル、及びPGLYRP2のレベルと前記第２の試料中のCD14のレベル、APOEのレベル、APOC3のレベル、及びPGLYRP2のレベルの差が、前記治療が有効であることを示す、前記方法
。
(464)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、APOEのレベル及び／又は活性、APOC3のレベル及び／又は活性、並びにPGLYRP2のレベル及び／又は活性に与える影響を測定することと；
対照試料中の、CD14のレベル及び／又は活性、APOEのレベル及び／又は活性、APOC3のレベル及び／又は活性、並びにPGLYRP2のレベル及び／又は活性と比較して、アリコート中のCD14のレベル及び／又は活性、APOEのレベル及び／又は活性、APOC3のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(465)  活性な結核（ＴＢ）を有する対象を治療する方法であって、CD14の発現及び／又は活性、APOEのレベル及び／又は活性、APOC3のレベル及び／又は活性、並びにPGLYRP2のレベル及び／又は活性を調節する剤の有効量を前記対象に投与し、それによって前記対象を治療することを含む、前記方法。
(466)  対象が活性な結核（ＴＢ）を有するか否かを決定する方法であって、
前記対象から得られた試料中の、CD14のレベル、APOEのレベル、APOC3のレベル、及びSELLのレベルを測定することと；
対象試料中のCD14のレベル、APOEのレベル、APOC3のレベル、及びSELLのレベルを、対照試料中のCD14のレベル、APOEのレベル、APOC3のレベル、及びSELLのレベルと比較することとを含み、前記対象試料中のCD14のレベル、APOEのレベル、APOC3のレベル、及びSELLのレベルと前記対照試料中のCD14のレベル、APOEのレベル、APOC3のレベル、及びSELLのレベルとの差が、前記対象が活性なＴＢを有することを示す、前記方法。
(467)  活性な結核（ＴＢ）を有する対象における治療の有効性を監視する方法であって、
前記治療の開始前に、前記対象から得られた第１の試料中の、CD14のレベル、APOEのレベル、APOC3のレベル、及びSELLのレベルを測定することと；
前記治療の少なくとも一部が投与された後に前記対象から得られた第２の試料中の、CD14のレベル、APOEのレベル、APOC3のレベル、及びSELLのレベルを測定することと；
前記第１の試料中のCD14のレベル、APOEのレベル、APOC3のレベル、及びSELLのレベルを前記第２の試料中のCD14のレベル、APOEのレベル、APOC3のレベル、及びSELLのレベルと比較することとを含み、前記第１の試料中のCD14のレベル、APOEのレベル、APOC3のレベル、及びSELLのレベルと前記第２の試料中のCD14のレベル、APOEのレベル、APOC3のレベル、及びSELLのレベルの差が、前記治療が有効であることを示す、前記方法。
(468)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明の１又は複数のマーカーのレベル及び／又は活性に与える影響を測定することと；
対照試料中の、CD14のレベル及び／又は活性、APOEのレベル及び／又は活性、APOC3のレベル及び／又は活性、並びにSELLのレベル及び／又は活性と比較して、アリコート中のCD14のレベル及び／又は活性、APOEのレベル及び／又は活性、APOC3のレベル及び／又は活性、並びにSELLのレベル及び／又は活性を調節する化合物のライブラリーのメンバーを選択し、それによって、活性なＴＢを有する対象を治療するために有用な化合物を同定することを含む、前記方法。
(469)  活性な結核（ＴＢ）を有する対象を治療する方法であって、CD14の発現及び／又は活性、APOEのレベル及び／又は活性、APOC3のレベル及び／又は活性、並びにSELLのレベル及び／又は活性を調節する剤の有効量を前記対象に投与し、それによって前記対象を治療することを含む、前記方法。
(470)  対象が活性な結核（ＴＢ）を有するか否かを決定する方法であって、
前記対象から得られた試料中の、CD14のレベル、APOEのレベル、APOC3のレベル、及びHABP2のレベルを測定することと；
対象試料中のCD14のレベル、APOEのレベル、APOC3のレベル、及びHABP2のレベルを、対照試料中のCD14のレベル、APOEのレベル、APOC3のレベル、及びHABP2のレベルと比較することとを含み、前記対象試料中のCD14のレベル、APOEのレベル、APOC3のレベル、及びHABP2のレベルと前記対照試料中のCD14のレベル、APOEのレベル、APOC3のレベル、及びHABP2のレベルとの差が、前記対象が活性なＴＢを有することを示す、前記方法。
(471)  活性な結核（ＴＢ）を有する対象における治療の有効性を監視する方法であって、
前記治療の開始前に、前記対象から得られた第１の試料中の、CD14のレベル、APOEのレベル、APOC3のレベル、及びHABP2のレベルを測定することと；
前記治療の少なくとも一部が投与された後に前記対象から得られた第２の試料中の、CD14のレベル、APOEのレベル、APOC3のレベル、及びHABP2のレベルを測定することと；
前記第１の試料中のCD14のレベル、APOEのレベル、APOC3のレベル、及びHABP2のレベルを前記第２の試料中のCD14のレベル、APOEのレベル、APOC3のレベル、及びHABP2のレベルと比較することとを含み、前記第１の試料中のCD14のレベル、APOEのレベル、APOC3のレベル、及びHABP2のレベルと前記第２の試料中のCD14のレベル、APOEのレベル、APOC3のレベル、及びHABP2のレベルの差が、前記治療が有効であることを示す、前記方法。
(472)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明の１又は複数のマーカーのレベル及び／又は活性に与える影響を測定することと；
対照試料中の、CD14のレベル及び／又は活性、APOEのレベル及び／又は活性、APOC3のレベル及び／又は活性、並びにHABP2のレベル及び／又は活性と比較して、アリコート中のCD14のレベル及び／又は活性、APOEのレベル及び／又は活性、APOC3のレベル及び／又は活性、並びにHABP2のレベル及び／又は活性を調節する化合物のライブラリーのメンバーを選択し、それによって、活性なＴＢを有する対象を治療するために有用な化合物を同定することを含む、前記方法。
(473)  活性な結核（ＴＢ）を有する対象を治療する方法であって、CD14の発現及び／又は活性、APOEのレベル及び／又は活性、APOC3のレベル及び／又は活性、並びにHABP2のレベル及び／又は活性を調節する剤の有効量を前記対象に投与し、それによって前記対象を治療することを含む、前記方法。
(474)  前記対象はＨＩＶ−である、(16)〜473のいずれかに記載の方法。
(475)  対象が活性な結核（ＴＢ）を有するか否かを決定する方法であって、
前記対象から得られた試料中の、LCP1のレベル及びPFN1のレベルを測定することと；
対象試料中のLCP1のレベル及びPFN1のレベルを、対照試料中のLCP1のレベル及びPFN1のレベルと比較することとを含み、前記対象試料中のLCP1のレベル及びPFN1のレベルと前記対照試料中のLCP1のレベル及びPFN1のレベルとの差が、前記対象が活性なＴＢを有することを示す、前記方法。
(476)  活性な結核（ＴＢ）を有する対象における治療の有効性を監視する方法であって、
前記治療の開始前に、前記対象から得られた第１の試料中の、LCP1のレベル及びPFN1のレベルを測定することと；
前記治療の少なくとも一部が投与された後に前記対象から得られた第２の試料中の、LCP1のレベル及びPFN1のレベルを測定することと；
前記第１の試料中のLCP1のレベル及びPFN1のレベルを前記第２の試料中のLCP1のレベル及びPFN1のレベルと比較することとを含み、前記第１の試料中のLCP1のレベル及びPFN1のレベルと前記第２の試料中のLCP1のレベル及びPFN1のレベルの差が、前記治療が有効であることを示す、前記方法。
(477)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性並びにPFN1のレベル及び／又は活性に与える影響を測定することと；
対照試料中の、本発明のLCP1のレベル及び／又は活性並びにPFN1のレベル及び／又は活性と比較して、アリコート中のLCP1のレベル及び／又は活性並びにPFN1のレベル及び／又は活性を調節する化合物のライブラリーのメンバーを選択し、それによって、活性なＴＢを有する対象を治療するために有用な化合物を同定することを含む、前記方法。
(478)  活性な結核（ＴＢ）を有する対象を治療する方法であって、LCP1の発現及び／又は活性、並びにPFN1のレベル及び／又は活性を調節する剤の有効量を前記対象に投与し、それによって前記対象を治療することを含む、前記方法。
(479)  対象が活性な結核（ＴＢ）を有するか否かを決定する方法であって、
前記対象から得られた試料中の、LCP1のレベル及びVASNのレベルを測定することと；
対象試料中のLCP1のレベル及びVASNのレベルを、対照試料中のLCP1のレベル及びVASNのレベルと比較することとを含み、前記対象試料中のLCP1のレベル及びVASNのレベルと前記対照試料中のLCP1のレベル及びVASNのレベルとの差が、前記対象が活性なＴＢを有することを示す、前記方法。
(480)  活性な結核（ＴＢ）を有する対象における治療の有効性を監視する方法であって、
前記治療の開始前に、前記対象から得られた第１の試料中の、LCP1のレベル及びVASNのレベルを測定することと；
前記治療の少なくとも一部が投与された後に前記対象から得られた第２の試料中の、LCP1のレベル及びVASNのレベルを測定することと；
前記第１の試料中のLCP1のレベル及びVASNのレベルを前記第２の試料中のLCP1のレベル及びVASNのレベルと比較することとを含み、前記第１の試料中のLCP1のレベル及びVASNのレベルと前記第２の試料中のLCP1のレベル及びVASNのレベルの差が、前記治療が有効であることを示す、前記方法。
(481)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性並びにVASNのレベル及び／又は活性に与える影響を測定することと；
対照試料中の、LCP1のレベル及び／又は活性並びにVASNのレベル及び／又は活性と比較して、アリコート中のLCP1のレベル及び／又は活性並びにVASNのレベル及び／又は活性を調節する化合物のライブラリーのメンバーを選択し、それによって、活性なＴＢを有する対象を治療するために有用な化合物を同定することを含む、前記方法。
(482)  活性な結核（ＴＢ）を有する対象を治療する方法であって、LCP1の発現及び／又は活性、並びにVASNのレベル及び／又は活性を調節する剤の有効量を前記対象に投与し、それによって前記対象を治療することを含む、前記方法。
(483)  対象が活性な結核（ＴＢ）を有するか否かを決定する方法であって、
前記対象から得られた試料中の、VASNのレベル及びPFN1のレベルを測定することと；
対象試料中のVASNのレベル及びPFN1のレベルを、対照試料中のVASNのレベル及びPFN1のレベルと比較することとを含み、前記対象試料中のVASNのレベル及びPFN1のレベルと前記対照試料中のVASNのレベル及びPFN1のレベルとの差が、前記対象が活性なＴＢを有することを示す、前記方法。
(484)  活性な結核（ＴＢ）を有する対象における治療の有効性を監視する方法であって、
前記治療の開始前に、前記対象から得られた第１の試料中の、VASNのレベル及びPFN1のレベルを測定することと；
前記治療の少なくとも一部が投与された後に前記対象から得られた第２の試料中の、VASNのレベル及びPFN1のレベルを測定することと；
前記第１の試料中のVASNのレベル及びPFN1のレベルを前記第２の試料中のVASNのレベル及びPFN1のレベルと比較することとを含み、前記第１の試料中のVASNのレベル及びPFN1のレベルと前記第２の試料中のVASNのレベル及びPFN1のレベルの差が、前記治療が有効であることを示す、前記方法。
(485)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のVASNのレベル及び／又は活性並びにPFN1のレベル及び／又は活性に与える影響を測定することと；
対照試料中の、VASNのレベル及び／又は活性並びにPFN1のレベル及び／又は活性と比較して、アリコート中のVASNのレベル及び／又は活性並びにPFN1のレベル及び／又は活性を調節する化合物のライブラリーのメンバーを選択し、それによって、活性なＴＢを有する対象を治療するために有用な化合物を同定することを含む、前記方法。
(486)  活性な結核（ＴＢ）を有する対象を治療する方法であって、VASNの発現及び／又は活性、並びにPFN1のレベル及び／又は活性を調節する剤の有効量を前記対象に投与し、それによって前記対象を治療することを含む、前記方法。
(487)  対象が活性な結核（ＴＢ）を有するか否かを決定する方法であって、
前記対象から得られた試料中の、LCP1のレベル、VASNのレベル、及びPFN1のレベルを測定することと；
対象試料中のLCP1のレベル、VASNのレベル、及びPFN1のレベルを、対照試料中のLCP1のレベル、VASNのレベル、及びPFN1のレベルと比較することとを含み、前記対象試料中のLCP1のレベル、VASNのレベル、及びPFN1のレベルと前記対照試料中のLCP1のレベル、VASNのレベル、及びPFN1のレベルとの差が、前記対象が活性なＴＢを有することを示す、前記方法。
(488)  活性な結核（ＴＢ）を有する対象における治療の有効性を監視する方法であって、
前記治療の開始前に、前記対象から得られた第１の試料中の、LCP1のレベル、VASNのレベル、及びPFN1のレベルを測定することと；
前記治療の少なくとも一部が投与された後に前記対象から得られた第２の試料中の、LCP1のレベル、VASNのレベル、及びPFN1のレベルを測定することと；
前記第１の試料中のLCP1のレベル、VASNのレベル、及びPFN1のレベルを前記第２の試料中のLCP1のレベル、VASNのレベル、及びPFN1のレベルと比較することとを含み、前記第１の試料中のLCP1のレベル、VASNのレベル、及びPFN1のレベルと前記第２の試料中のLCP1のレベル、VASNのレベル、及びPFN1のレベルの差が、前記治療が有効であることを示す、前記方法。
(489)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、並びにPFN1のレベル及び／又は活性に与える影響を測定することと；
対照試料中の、LCP1のレベル及び／又は活性、VASNのレベル及び／又は活性、並びにPFN1のレベル及び／又は活性と比較して、アリコート中のLCP1のレベル及び／又は活性、VASNのレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(490)  活性な結核（ＴＢ）を有する対象を治療する方法であって、LCP1の発現及び／又は活性、VASNのレベル及び／又は活性、並びにPFN1のレベル及び／又は活性を調節する剤の有効量を前記対象に投与し、それによって前記対象を治療することを含む、前記方法。
(491)  対象が活性な結核（ＴＢ）を有するか否かを決定する方法であって、
前記対象から得られた試料中の、CD14のレベル、CPN2のレベル、及びPFN1のレベルを測定することと；
対象試料中のCD14のレベル、CPN2のレベル、及びPFN1のレベルを、対照試料中のCD14のレベル、CPN2のレベル、及びPFN1のレベルと比較することとを含み、前記対象試料中のCD14のレベル、CPN2のレベル、及びPFN1のレベルと前記対照試料中のCD14のレベル、CPN2のレベル、及びPFN1のレベルとの差が、前記対象が活性なＴＢを有することを示す、前記方法。
(492)  活性な結核（ＴＢ）を有する対象における治療の有効性を監視する方法であって、
前記治療の開始前に、前記対象から得られた第１の試料中の、CD14のレベル、CPN2のレベル、及びPFN1のレベルを測定することと；
前記治療の少なくとも一部が投与された後に前記対象から得られた第２の試料中の、CD14のレベル、CPN2のレベル、及びPFN1のレベルを測定することと；
前記第１の試料中のCD14のレベル、CPN2のレベル、及びPFN1のレベルを前記第２の試料中のCD14のレベル、CPN2のレベル、及びPFN1のレベルと比較することとを含み、前記第１の試料中のCD14のレベル、CPN2のレベル、及びPFN1のレベルと前記第２の試料中のCD14のレベル、CPN2のレベル、及びPFN1のレベルの差が、前記治療が有効であることを示す、前記方法。
(493)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、並びにPFN1のレベル及び／又は活性に与える影響を測定することと；
対照試料中の、CD14のレベル及び／又は活性、CPN2のレベル及び／又は活性、並びにPFN1のレベル及び／又は活性と比較して、アリコート中のCD14のレベル及び／又は活性、CPN2のレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(494)  活性な結核（ＴＢ）を有する対象を治療する方法であって、CD14の発現及び／又は活性、CPN2のレベル及び／又は活性、並びにPFN1のレベル及び／又は活性を調節する剤の有効量を前記対象に投与し、それによって前記対象を治療することを含む、前記方法。
(495)  対象が活性な結核（ＴＢ）を有するか否かを決定する方法であって、
前記対象から得られた試料中の、CD14のレベル、CPN2のレベル、及びTAGLN2のレベルを測定することと；
対象試料中のCD14のレベル、CPN2のレベル、及びTAGLN2のレベルを、対照試料中のCD14のレベル、CPN2のレベル、及びTAGLN2のレベルと比較することとを含み、前記対象試料中のCD14のレベル、CPN2のレベル、及びTAGLN2のレベルと前記対照試料中のCD14のレベル、CPN2のレベル、及びTAGLN2のレベルとの差が、前記対象が活性なＴＢを有することを示す、前記方法。
(496)  活性な結核（ＴＢ）を有する対象における治療の有効性を監視する方法であって、
前記治療の開始前に、前記対象から得られた第１の試料中の、CD14のレベル、CPN2のレベル、及びTAGLN2のレベルを測定することと；
前記治療の少なくとも一部が投与された後に前記対象から得られた第２の試料中の、CD14のレベル、CPN2のレベル、及びTAGLN2のレベルを測定することと；
前記第１の試料中のCD14のレベル、CPN2のレベル、及びTAGLN2のレベルを前記第２の試料中のCD14のレベル、CPN2のレベル、及びTAGLN2のレベルと比較することとを含み、前記第１の試料中のCD14のレベル、CPN2のレベル、及びTAGLN2のレベルと前記第２の試料中のCD14のレベル、CPN2のレベル、及びTAGLN2のレベルの差が、前記治療が有効であることを示す、前記方法。
(497)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、並びにTAGLN2のレベル及び／又は活性に与える影響を測定することと；
対照試料中の、CD14のレベル及び／又は活性、CPN2のレベル及び／又は活性、並びにTAGLN2のレベル及び／又は活性と比較して、アリコート中のCD14のレベル及び／又は活性、CPN2のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(498)  活性な結核（ＴＢ）を有する対象を治療する方法であって、CD14の発現及び／又は活性、CPN2のレベル及び／又は活性、並びにTAGLN2のレベル及び／又は活性を調節する剤の有効量を前記対象に投与し、それによって前記対象を治療することを含む、前記方法。
(499)  対象が活性な結核（ＴＢ）を有するか否かを決定する方法であって、
前記対象から得られた試料中の、CD14のレベル、PGLYRP2のレベル、及びPFN1のレベルを測定することと；
対象試料中のCD14のレベル、PGLYRP2のレベル、及びPFN1のレベルを、対照試料中のCD14のレベル、PGLYRP2のレベル、及びPFN1のレベルと比較することとを含み、前記対象試料中のCD14のレベル、PGLYRP2のレベル、及びPFN1のレベルと前記対照試料中のCD14のレベル、PGLYRP2のレベル、及びPFN1のレベルとの差が、前記対象が活性なＴＢを有することを示す、前記方法。
(500)  活性な結核（ＴＢ）を有する対象における治療の有効性を監視する方法であって、
前記治療の開始前に、前記対象から得られた第１の試料中の、CD14のレベル、PGLYRP2のレベル、及びPFN1のレベルを測定することと；
前記治療の少なくとも一部が投与された後に前記対象から得られた第２の試料中の、CD14のレベル、PGLYRP2のレベル、及びPFN1のレベルを測定することと；
前記第１の試料中のCD14のレベル、PGLYRP2のレベル、及びPFN1のレベルを前記第２の試料中のCD14のレベル、PGLYRP2のレベル、及びPFN1のレベルと比較することとを含み、前記第１の試料中のCD14のレベル、PGLYRP2のレベル、及びPFN1のレベルと前記第２の試料中のCD14のレベル、PGLYRP2のレベル、及びPFN1のレベルの差が、前記治療が有効であることを示す、前記方法。
(501)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PGLYRP2のレベル及び／又は活性、並びにPFN1のレベル及び／又は活性に与える影響を測定することと；
対照試料中の、CD14のレベル及び／又は活性、PGLYRP2のレベル及び／又は活性、並びにPFN1のレベル及び／又は活性と比較して、アリコート中のCD14のレベル及び／又は活性、PGLYRP2のレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(502)  活性な結核（ＴＢ）を有する対象を治療する方法であって、CD14の発現及び／又は活性、PGLYRP2のレベル及び／又は活性、並びにPFN1のレベル及び／又は活性を調節する剤の有効量を前記対象に投与し、それによって前記対象を治療することを含む、前記方法。
(503)  対象が活性な結核（ＴＢ）を有するか否かを決定する方法であって、
前記対象から得られた試料中の、CD14のレベル、CPN2のレベル、及びIGFBP6のレベルを測定することと；
対象試料中のCD14のレベル、CPN2のレベル、及びIGFBP6のレベルを、対照試料中のCD14のレベル、CPN2のレベル、及びIGFBP6のレベルと比較することとを含み、前記対象試料中のCD14のレベル、CPN2のレベル、及びIGFBP6のレベルと前記対照試料中のCD14のレベル、CPN2のレベル、及びIGFBP6のレベルとの差が、前記対象が活性なＴＢを有することを示す、前記方法。
(504)  活性な結核（ＴＢ）を有する対象における治療の有効性を監視する方法であって、
前記治療の開始前に、前記対象から得られた第１の試料中の、CD14のレベル、CPN2のレベル、及びIGFBP6のレベルを測定することと；
前記治療の少なくとも一部が投与された後に前記対象から得られた第２の試料中の、CD14のレベル、CPN2のレベル、及びIGFBP6のレベルを測定することと；
前記第１の試料中のCD14のレベル、CPN2のレベル、及びIGFBP6のレベルを前記第２の試料中のCD14のレベル、CPN2のレベル、及びIGFBP6のレベルと比較することとを含み、前記第１の試料中のCD14のレベル、CPN2のレベル、及びIGFBP6のレベルと前記第２の試料中のCD14のレベル、CPN2のレベル、及びIGFBP6のレベルの差が、前記治療が有効であることを示す、前記方法。
(505)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、並びにIGFBP6のレベル及び／又は活性に与える影響を測定することと；
対照試料中の、CD14のレベル及び／又は活性、CPN2のレベル及び／又は活性、並びにIGFBP6のレベル及び／又は活性と比較して、アリコート中のCD14のレベル及び／又は活性、CPN2のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(506)  活性な結核（ＴＢ）を有する対象を治療する方法であって、CD14の発現及び／又は活性、CPN2のレベル及び／又は活性、並びにIGFBP6のレベル及び／又は活性を調節する剤の有効量を前記対象に投与し、それによって前記対象を治療することを含む、前記方法。
(507)  対象が活性な結核（ＴＢ）を有するか否かを決定する方法であって、
前記対象から得られた試料中の、CD14のレベル、PGLYRP2のレベル、及びTAGLN2のレベルを測定することと；
対象試料中のCD14のレベル、PGLYRP2のレベル、及びTAGLN2のレベルを、対照試料中のCD14のレベル、PGLYRP2のレベル、及びTAGLN2のレベルと比較することとを含み、前記対象試料中のCD14のレベル、PGLYRP2のレベル、及びTAGLN2のレベルと前記対照試料中のCD14のレベル、PGLYRP2のレベル、及びTAGLN2のレベルとの差が、前記対象が活性なＴＢを有することを示す、前記方法。
(508)  活性な結核（ＴＢ）を有する対象における治療の有効性を監視する方法であって、
前記治療の開始前に、前記対象から得られた第１の試料中の、CD14のレベル、PGLYRP2のレベル、及びTAGLN2のレベルを測定することと；
前記治療の少なくとも一部が投与された後に前記対象から得られた第２の試料中の、CD14のレベル、PGLYRP2のレベル、及びTAGLN2のレベルを測定することと；
前記第１の試料中のCD14のレベル、PGLYRP2のレベル、及びTAGLN2のレベルを前記第２の試料中のCD14のレベル、PGLYRP2のレベル、及びTAGLN2のレベルと比較することとを含み、前記第１の試料中のCD14のレベル、PGLYRP2のレベル、及びTAGLN2のレベルと前記第２の試料中のCD14のレベル、PGLYRP2のレベル、及びTAGLN2のレベルの差が、前記治療が有効であることを示す、前記方法。
(509)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PGLYRP2のレベル及び／又は活性、並びにTAGLN2のレベル及び／又は活性に与える影響を測定することと；
対照試料中の、CD14のレベル及び／又は活性、PGLYRP2のレベル及び／又は活性、並びにTAGLN2のレベル及び／又は活性と比較して、アリコート中のCD14のレベル及び／又は活性、PGLYRP2のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(510)  活性な結核（ＴＢ）を有する対象を治療する方法であって、CD14の発現及び／又は活性、PGLYRP2のレベル及び／又は活性、並びにTAGLN2のレベル及び／又は活性を調節する剤の有効量を前記対象に投与し、それによって前記対象を治療することを含む、前記方法。
(511)  対象が活性な結核（ＴＢ）を有するか否かを決定する方法であって、
前記対象から得られた試料中の、CD14のレベル、VASNのレベル、及びTAGLN2のレベルを測定することと；
対象試料中のCD14のレベル、VASNのレベル、及びTAGLN2のレベルを、対照試料中のCD14のレベル、VASNのレベル、及びTAGLN2のレベルと比較することとを含み、前記対象試料中のCD14のレベル、VASNのレベル、及びTAGLN2のレベルと前記対照試料中のCD14のレベル、VASNのレベル、及びTAGLN2のレベルとの差が、前記対象が活性なＴＢを有することを示す、前記方法。
(512)  活性な結核（ＴＢ）を有する対象における治療の有効性を監視する方法であって、
前記治療の開始前に、前記対象から得られた第１の試料中の、CD14のレベル、VASNのレベル、及びTAGLN2のレベルを測定することと；
前記治療の少なくとも一部が投与された後に前記対象から得られた第２の試料中の、CD14のレベル、VASNのレベル、及びTAGLN2のレベルを測定することと；
前記第１の試料中のCD14のレベル、VASNのレベル、及びTAGLN2のレベルを前記第２の試料中のCD14のレベル、VASNのレベル、及びTAGLN2のレベルと比較することとを含み、前記第１の試料中のCD14のレベル、VASNのレベル、及びTAGLN2のレベルと前記第２の試料中のCD14のレベル、VASNのレベル、及びTAGLN2のレベルの差が、前記治療が有効であることを示す、前記方法。
(513)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、VASNのレベル及び／又は活性、並びにTAGLN2のレベル及び／又は活性に与える影響を測定することと；
対照試料中の、CD14のレベル及び／又は活性、VASNのレベル及び／又は活性、並びにTAGLN2のレベル及び／又は活性と比較して、アリコート中のCD14のレベル及び／又は活性、VASNのレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(514)  活性な結核（ＴＢ）を有する対象を治療する方法であって、CD14の発現及び／又は活性、VASNのレベル及び／又は活性、並びにTAGLN2のレベル及び／又は活性を調節する剤の有効量を前記対象に投与し、それによって前記対象を治療することを含む、前記方法。
(515)  対象が活性な結核（ＴＢ）を有するか否かを決定する方法であって、
前記対象から得られた試料中の、PGLYRP2のレベル、VASNのレベル、及びTAGLN2のレベルを測定することと；
対象試料中のPGLYRP2のレベル、VASNのレベル、及びTAGLN2のレベルを、対照試料中のPGLYRP2のレベル、VASNのレベル、及びTAGLN2のレベルと比較することとを含み、前記対象試料中のPGLYRP2のレベル、VASNのレベル、及びTAGLN2のレベルと前記対照試料中のPGLYRP2のレベル、VASNのレベル、及びTAGLN2のレベルとの差が、前記対象が活性なＴＢを有することを示す、前記方法。
(516)  活性な結核（ＴＢ）を有する対象における治療の有効性を監視する方法であって、
前記治療の開始前に、前記対象から得られた第１の試料中の、PGLYRP2のレベル、VASNのレベル、及びTAGLN2のレベルを測定することと；
前記治療の少なくとも一部が投与された後に前記対象から得られた第２の試料中の、PGLYRP2のレベル、VASNのレベル、及びTAGLN2のレベルを測定することと；
前記第１の試料中のPGLYRP2のレベル、VASNのレベル、及びTAGLN2のレベルを前記第２の試料中のPGLYRP2のレベル、VASNのレベル、及びTAGLN2のレベルと比較することとを含み、前記第１の試料中のPGLYRP2のレベル、VASNのレベル、及びTAGLN2のレベルと前記第２の試料中のPGLYRP2のレベル、VASNのレベル、及びTAGLN2のレベルの差が、前記治療が有効であることを示す、前記方法。
(517)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPGLYRP2のレベル及び／又は活性、VASNのレベル及び／又は活性、並びにTAGLN2のレベル及び／又は活性に与える影響を測定することと；
対照試料中の、PGLYRP2のレベル及び／又は活性、VASNのレベル及び／又は活性、並びにTAGLN2のレベル及び／又は活性と比較して、アリコート中のPGLYRP2のレベル及び／又は活性、VASNのレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(518)  活性な結核（ＴＢ）を有する対象を治療する方法であって、PGLYRP2の発現及び／又は活性、VASNのレベル及び／又は活性、並びにTAGLN2のレベル及び／又は活性を調節する剤の有効量を前記対象に投与し、それによって前記対象を治療することを含む、前記方法。
(519)  対象が活性な結核（ＴＢ）を有するか否かを決定する方法であって、
前記対象から得られた試料中の、PGLYRP2のレベル、VASNのレベル、及びPFN1のレベルを測定することと；
対象試料中のPGLYRP2のレベル、VASNのレベル、及びPFN1のレベルを、対照試料中のPGLYRP2のレベル、VASNのレベル、及びPFN1のレベルと比較することとを含み、前記対象試料中のPGLYRP2のレベル、VASNのレベル、及びPFN1のレベルと前記対照試料中のPGLYRP2のレベル、VASNのレベル、及びPFN1のレベルとの差が、前記対象が活性なＴＢを有することを示す、前記方法。
(520)  活性な結核（ＴＢ）を有する対象における治療の有効性を監視する方法であって、
前記治療の開始前に、前記対象から得られた第１の試料中の、PGLYRP2のレベル、VASNのレベル、及びPFN1のレベルを測定することと；
前記治療の少なくとも一部が投与された後に前記対象から得られた第２の試料中の、PGLYRP2のレベル、VASNのレベル、及びPFN1のレベルを測定することと；
前記第１の試料中のPGLYRP2のレベル、VASNのレベル、及びPFN1のレベルを前記第２の試料中のPGLYRP2のレベル、VASNのレベル、及びPFN1のレベルと比較することとを含み、前記第１の試料中のPGLYRP2のレベル、VASNのレベル、及びPFN1のレベルと前記第２の試料中のPGLYRP2のレベル、VASNのレベル、及びPFN1のレベルの差が、前記治療が有効であることを示す、前記方法。
(521)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPGLYRP2のレベル及び／又は活性、VASNのレベル及び／又は活性、並びにPFN1のレベル及び／又は活性に与える影響を測定することと；
対照試料中の、PGLYRP2のレベル及び／又は活性、VASNのレベル及び／又は活性、並びにPFN1のレベル及び／又は活性と比較して、アリコート中のPGLYRP2のレベル及び／又は活性、VASNのレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(522)  活性な結核（ＴＢ）を有する対象を治療する方法であって、PGLYRP2の発現及び／又は活性、VASNのレベル及び／又は活性、並びにPFN1のレベル及び／又は活性を調節する剤の有効量を前記対象に投与し、それによって前記対象を治療することを含む、前記方法。
(523)  対象が活性な結核（ＴＢ）を有するか否かを決定する方法であって、
前記対象から得られた試料中の、CD14のレベル、CPN2のレベル、PFN1のレベル、及びPGLYRP2のレベルを測定することと；
対象試料中のCD14のレベル、CPN2のレベル、PFN1のレベル、及びPGLYRP2のレベルを、対照試料中のCD14のレベル、CPN2のレベル、PFN1のレベル、及びPGLYRP2のレベルと比較することとを含み、前記対象試料中のCD14のレベル、CPN2のレベル、PFN1のレベル、及びPGLYRP2のレベルと前記対照試料中のCD14のレベル、CPN2のレベル、PFN1のレベル、及びPGLYRP2のレベルとの差が、前記対象が活性なＴＢを有することを示す、前記方法。
(524)  活性な結核（ＴＢ）を有する対象における治療の有効性を監視する方法であって、
前記治療の開始前に、前記対象から得られた第１の試料中の、CD14のレベル、CPN2のレベル、PFN1のレベル、及びPGLYRP2のレベルを測定することと；
前記治療の少なくとも一部が投与された後に前記対象から得られた第２の試料中の、CD14のレベル、CPN2のレベル、PFN1のレベル、及びPGLYRP2のレベルを測定することと；
前記第１の試料中のCD14のレベル、CPN2のレベル、PFN1のレベル、及びPGLYRP2のレベルを前記第２の試料中のCD14のレベル、CPN2のレベル、PFN1のレベル、及びPGLYRP2のレベルと比較することとを含み、前記第１の試料中のCD14のレベル、CPN2のレベル、PFN1のレベル、及びPGLYRP2のレベルと前記第２の試料中のCD14のレベル、CPN2のレベル、PFN1のレベル、及びPGLYRP2のレベルの差が、前記治療が有効であることを示す、前記方法。
(525)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、PFN1のレベル及び／又は活性、並びにPGLYRP2のレベル及び／又は活性に与える影響を測定することと；
対照試料中の、CD14のレベル及び／又は活性、CPN2のレベル及び／又は活性、PFN1のレベル及び／又は活性、並びにPGLYRP2のレベル及び／又は活性と比較して、アリコート中のCD14のレベル及び／又は活性、CPN2のレベル及び／又は活性、PFN1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(526)  活性な結核（ＴＢ）を有する対象を治療する方法であって、CD14の発現及び／又は活性、CPN2のレベル及び／又は活性、PFN1のレベル及び／又は活性、並びにPGLYRP2のレベル及び／又は活性を調節する剤の有効量を前記対象に投与し、それによって前記対象を治療することを含む、前記方法。
(527)  対象が活性な結核（ＴＢ）を有するか否かを決定する方法であって、
前記対象から得られた試料中の、CD14のレベル、CPN2のレベル、IGFBP6のレベル、及びTAGLN2のレベルを測定することと；
対象試料中のCD14のレベル、CPN2のレベル、IGFBP6のレベル、及びTAGLN2のレベルを、対照試料中のCD14のレベル、CPN2のレベル、IGFBP6のレベル、及びTAGLN2のレベルと比較することとを含み、前記対象試料中のCD14のレベル、CPN2のレベル、IGFBP6のレベル、及びTAGLN2のレベルと前記対照試料中のCD14のレベル、CPN2のレベル、IGFBP6のレベル、及びTAGLN2のレベルとの差が、前記対象が活性なＴＢを有することを示す、前記方法。
(528)  活性な結核（ＴＢ）を有する対象における治療の有効性を監視する方法であって、
前記治療の開始前に、前記対象から得られた第１の試料中の、CD14のレベル、CPN2のレベル、IGFBP6のレベル、及びTAGLN2のレベルを測定することと；
前記治療の少なくとも一部が投与された後に前記対象から得られた第２の試料中の、CD14のレベル、CPN2のレベル、IGFBP6のレベル、及びTAGLN2のレベルを測定することと；
前記第１の試料中のCD14のレベル、CPN2のレベル、IGFBP6のレベル、及びTAGLN2のレベルを前記第２の試料中のCD14のレベル、CPN2のレベル、IGFBP6のレベル、及びTAGLN2のレベルと比較することとを含み、前記第１の試料中のCD14のレベル、CPN2のレベル、IGFBP6のレベル、及びTAGLN2のレベルと前記第２の試料中のCD14のレベル、CPN2のレベル、IGFBP6のレベル、及びTAGLN2のレベルの差が、前記治療が有効であることを示す、前記方法。
(529)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、IGFBP6のレベル及び／又は活性、並びにTAGLN2のレベル及び／又は活性に与える影響を測定することと；
対照試料中の、CD14のレベル及び／又は活性、CPN2のレベル及び／又は活性、IGFBP6のレベル及び／又は活性、並びにTAGLN2のレベル及び／又は活性と比較して、アリコート中のCD14のレベル及び／又は活性、CPN2のレベル及び／又は活性、IGFBP6のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(530)  活性な結核（ＴＢ）を有する対象を治療する方法であって、CD14の発現及び／又は活性、CPN2のレベル及び／又は活性、IGFBP6のレベル及び／又は活性、並びにTAGLN2のレベル及び／又は活性を調節する剤の有効量を前記対象に投与し、それによって前記対象を治療することを含む、前記方法。
(531)  対象が活性な結核（ＴＢ）を有するか否かを決定する方法であって、
前記対象から得られた試料中の、CD14のレベル、CPN2のレベル、IGFBP6のレベル、及びPFN1のレベルを測定することと；
対象試料中のCD14のレベル、CPN2のレベル、IGFBP6のレベル、及びPFN1のレベルを、対照試料中のCD14のレベル、CPN2のレベル、IGFBP6のレベル、及びPFN1のレベルと比較することとを含み、前記対象試料中のCD14のレベル、CPN2のレベル、IGFBP6のレベル、及びPFN1のレベルと前記対照試料中のCD14のレベル、CPN2のレベル、IGFBP6のレベル、及びPFN1のレベルとの差が、前記対象が活性なＴＢを有することを示す、前記方法。
(532)  活性な結核（ＴＢ）を有する対象における治療の有効性を監視する方法であって、
前記治療の開始前に、前記対象から得られた第１の試料中の、CD14のレベル、CPN2のレベル、IGFBP6のレベル、及びPFN1のレベルを測定することと；
前記治療の少なくとも一部が投与された後に前記対象から得られた第２の試料中の、CD14のレベル、CPN2のレベル、IGFBP6のレベル、及びPFN1のレベルを測定することと；
前記第１の試料中のCD14のレベル、CPN2のレベル、IGFBP6のレベル、及びPFN1のレベルを前記第２の試料中のCD14のレベル、CPN2のレベル、IGFBP6のレベル、及びPFN1のレベルと比較することとを含み、前記第１の試料中のCD14のレベル、CPN2のレベル、IGFBP6のレベル、及びPFN1のレベルと前記第２の試料中のCD14のレベル、CPN2のレベル、IGFBP6のレベル、及びPFN1のレベルの差が、前記治療が有効であることを示す、前記方法。
(533)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、IGFBP6のレベル及び／又は活性、並びにPFN1のレベル及び／又は活性に与える影響を測定することと；
対照試料中の、CD14のレベル及び／又は活性、CPN2のレベル及び／又は活性、IGFBP6のレベル及び／又は活性、並びにPFN1のレベル及び／又は活性と比較して、アリコート中のCD14のレベル及び／又は活性、CPN2のレベル及び／又は活性、IGFBP6のレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(534)  活性な結核（ＴＢ）を有する対象を治療する方法であって、CD14の発現及び／又は活性、CPN2のレベル及び／又は活性、IGFBP6のレベル及び／又は活性、並びにPFN1のレベル及び／又は活性を調節する剤の有効量を前記対象に投与し、それによって前記対象を治療することを含む、前記方法。
(535)  対象が活性な結核（ＴＢ）を有するか否かを決定する方法であって、
前記対象から得られた試料中の、CD14のレベル、CPN2のレベル、PFN1のレベル、及びTAGLN2のレベルを測定することと；
対象試料中のCD14のレベル、CPN2のレベル、PFN1のレベル、及びTAGLN2のレベルを、対照試料中のCD14のレベル、CPN2のレベル、PFN1のレベル、及びTAGLN2のレベルと比較することとを含み、前記対象試料中のCD14のレベル、CPN2のレベル、PFN1のレベル、及びTAGLN2のレベルと前記対照試料中のCD14のレベル、CPN2のレベル、PFN1のレベル、及びTAGLN2のレベルとの差が、前記対象が活性なＴＢを有することを示す、前記方法。
(536)  活性な結核（ＴＢ）を有する対象における治療の有効性を監視する方法であって、
前記治療の開始前に、前記対象から得られた第１の試料中の、CD14のレベル、CPN2のレベル、PFN1のレベル、及びTAGLN2のレベルを測定することと；
前記治療の少なくとも一部が投与された後に前記対象から得られた第２の試料中の、CD14のレベル、CPN2のレベル、PFN1のレベル、及びTAGLN2のレベルを測定することと；
前記第１の試料中のCD14のレベル、CPN2のレベル、PFN1のレベル、及びTAGLN2のレベルを前記第２の試料中のCD14のレベル、CPN2のレベル、PFN1のレベル、及びTAGLN2のレベルと比較することとを含み、前記第１の試料中のCD14のレベル、CPN2のレベル、PFN1のレベル、及びTAGLN2のレベルと前記第２の試料中のCD14のレベル、CPN2のレベル、PFN1のレベル、及びTAGLN2のレベルの差が、前記治療が有効であることを示す、前記方法。
(537)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、PFN1のレベル及び／又は活性、並びにTAGLN2のレベル及び／又は活性に与える影響を測定することと；
対照試料中の、CD14のレベル及び／又は活性、CPN2のレベル及び／又は活性、PFN1のレベル及び／又は活性、並びにTAGLN2のレベル及び／又は活性と比較して、アリコート中のCD14のレベル及び／又は活性、CPN2のレベル及び／又は活性、PFN1のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(538)  活性な結核（ＴＢ）を有する対象を治療する方法であって、CD14の発現及び／又は活性、CPN2のレベル及び／又は活性、PFN1のレベル及び／又は活性、並びにTAGLN2のレベル及び／又は活性を調節する剤の有効量を前記対象に投与し、それによって前記対象を治療することを含む、前記方法。
(539)  対象が活性な結核（ＴＢ）を有するか否かを決定する方法であって、
前記対象から得られた試料中の、CD14のレベル、CPN2のレベル、PGLYRP2のレベル、及びTAGLN2のレベルを測定することと；
対象試料中のCD14のレベル、CPN2のレベル、PGLYRP2のレベル、及びTAGLN2のレベルを、対照試料中のCD14のレベル、CPN2のレベル、PGLYRP2のレベル、及びTAGLN2のレベルと比較することとを含み、前記対象試料中のCD14のレベル、CPN2のレベル、PGLYRP2のレベル、及びTAGLN2のレベルと前記対照試料中のCD14のレベル、CPN2のレベル、PGLYRP2のレベル、及びTAGLN2のレベルとの差が、前記対象が活性なＴＢを有することを示す、前記方法。
(540)  活性な結核（ＴＢ）を有する対象における治療の有効性を監視する方法であって、
前記治療の開始前に、前記対象から得られた第１の試料中の、CD14のレベル、CPN2のレベル、PGLYRP2のレベル、及びTAGLN2のレベルを測定することと；
前記治療の少なくとも一部が投与された後に前記対象から得られた第２の試料中の、CD14のレベル、CPN2のレベル、PGLYRP2のレベル、及びTAGLN2のレベルを測定することと；
前記第１の試料中のCD14のレベル、CPN2のレベル、PGLYRP2のレベル、及びTAGLN2のレベルを前記第２の試料中のCD14のレベル、CPN2のレベル、PGLYRP2のレベル、及びTAGLN2のレベルと比較することとを含み、前記第１の試料中のCD14のレベル、CPN2のレベル、PGLYRP2のレベル、及びTAGLN2のレベルと前記第２の試料中のCD14のレベル、CPN2のレベル、PGLYRP2のレベル、及びTAGLN2のレベルの差が、前記治療が有効であることを示す、前記方法。
(541)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、PGLYRP2のレベル及び／又は活性、並びにTAGLN2のレベル及び／又は活性に与える影響を測定することと；
対照試料中の、CD14のレベル及び／又は活性、CPN2のレベル及び／又は活性、PGLYRP2のレベル及び／又は活性、並びにTAGLN2のレベル及び／又は活性と比較して、アリコート中のCD14のレベル及び／又は活性、CPN2のレベル及び／又は活性、PGLYRP2のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(542)  活性な結核（ＴＢ）を有する対象を治療する方法であって、CD14の発現及び／又は活性、CPN2のレベル及び／又は活性、PGLYRP2のレベル及び／又は活性、並びにTAGLN2のレベル及び／又は活性を調節する剤の有効量を前記対象に投与し、それによって前記対象を治療することを含む、前記方法。
(543)  対象が活性な結核（ＴＢ）を有するか否かを決定する方法であって、
前記対象から得られた試料中の、CD14のレベル、CPN2のレベル、PFN1のレベル、及びSEPP1のレベルを測定することと；
対象試料中のCD14のレベル、CPN2のレベル、PFN1のレベル、及びSEPP1のレベルを、対照試料中のCD14のレベル、CPN2のレベル、PFN1のレベル、及びSEPP1のレベルと比較することとを含み、前記対象試料中のCD14のレベル、CPN2のレベル、PFN1のレベル、及びSEPP1のレベルと前記対照試料中のCD14のレベル、CPN2のレベル、PFN1のレベル、及びSEPP1のレベルとの差が、前記対象が活性なＴＢを有することを示す、前記方法。
(544)  活性な結核（ＴＢ）を有する対象における治療の有効性を監視する方法であって、
前記治療の開始前に、前記対象から得られた第１の試料中の、CD14のレベル、CPN2のレベル、PFN1のレベル、及びSEPP1のレベルを測定することと；
前記治療の少なくとも一部が投与された後に前記対象から得られた第２の試料中の、CD14のレベル、CPN2のレベル、PFN1のレベル、及びSEPP1のレベルを測定することと；
前記第１の試料中のCD14のレベル、CPN2のレベル、PFN1のレベル、及びSEPP1のレベルを前記第２の試料中のCD14のレベル、CPN2のレベル、PFN1のレベル、及びSEPP1のレベルと比較することとを含み、前記第１の試料中のCD14のレベル、CPN2のレベル、PFN1のレベル、及びSEPP1のレベルと前記第２の試料中のCD14のレベル、CPN2のレベル、PFN1のレベル、及びSEPP1のレベルの差が、前記治療が有効であることを示す、前記方法。
(545)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、PFN1のレベル及び／又は活性、並びにSEPP1のレベル及び／又は活性に与える影響を測定することと；
対照試料中の、CD14のレベル及び／又は活性、CPN2のレベル及び／又は活性、PFN1のレベル及び／又は活性、並びにSEPP1のレベル及び／又は活性と比較して、アリコート中のCD14のレベル及び／又は活性、CPN2のレベル及び／又は活性、PFN1のレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(546)  活性な結核（ＴＢ）を有する対象を治療する方法であって、CD14の発現及び／又は活性、CPN2のレベル及び／又は活性、PFN1のレベル及び／又は活性、並びにSEPP1のレベル及び／又は活性を調節する剤の有効量を前記対象に投与し、それによって前記対象を治療することを含む、前記方法。
(547)  対象が活性な結核（ＴＢ）を有するか否かを決定する方法であって、
前記対象から得られた試料中の、CD14のレベル、CPN2のレベル、PFN1のレベル、及びVASNのレベルを測定することと；
対象試料中のCD14のレベル、CPN2のレベル、PFN1のレベル、及びVASNのレベルを、対照試料中のCD14のレベル、CPN2のレベル、PFN1のレベル、及びVASNのレベルと比較することとを含み、前記対象試料中のCD14のレベル、CPN2のレベル、PFN1のレベル、及びVASNのレベルと前記対照試料中のCD14のレベル、CPN2のレベル、PFN1のレベル、及びVASNのレベルとの差が、前記対象が活性なＴＢを有することを示す、前記方法。
(548)  活性な結核（ＴＢ）を有する対象における治療の有効性を監視する方法であって、
前記治療の開始前に、前記対象から得られた第１の試料中の、CD14のレベル、CPN2のレベル、PFN1のレベル、及びVASNのレベルを測定することと；
前記治療の少なくとも一部が投与された後に前記対象から得られた第２の試料中の、CD14のレベル、CPN2のレベル、PFN1のレベル、及びVASNのレベルを測定することと；
前記第１の試料中のCD14のレベル、CPN2のレベル、PFN1のレベル、及びVASNのレベルを前記第２の試料中のCD14のレベル、CPN2のレベル、PFN1のレベル、及びVASNのレベルと比較することとを含み、前記第１の試料中のCD14のレベル、CPN2のレベル、PFN1のレベル、及びVASNのレベルと前記第２の試料中のCD14のレベル、CPN2のレベル、PFN1のレベル、及びVASNのレベルの差が、前記治療が有効であることを示す、前記方法。
(549)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、PFN1のレベル及び／又は活性、並びにVASNのレベル及び／又は活性に与える影響を測定することと；
対照試料中の、CD14のレベル及び／又は活性、CPN2のレベル及び／又は活性、PFN1のレベル及び／又は活性、並びにVASNのレベル及び／又は活性と比較して、アリコート中のCD14のレベル及び／又は活性、CPN2のレベル及び／又は活性、PFN1のレベル及び／又は活性、並びにVASNのレベル及び／又は活性を調節する化合物のライブラリーのメンバーを選択し、それによって、活性なＴＢを有する対象を治療するために有用な化合物を同定することを含む、前記方法。
(550)  活性な結核（ＴＢ）を有する対象を治療する方法であって、CD14の発現及び／又は活性、CPN2のレベル及び／又は活性、PFN1のレベル及び／又は活性、並びにVASNのレベル及び／又は活性を調節する剤の有効量を前記対象に投与し、それによって前記対象を治療することを含む、前記方法。
(551)  対象が活性な結核（ＴＢ）を有するか否かを決定する方法であって、
前記対象から得られた試料中の、CD14のレベル、VASNのレベル、IGFBP6のレベル、及びTAGLN2のレベルを測定することと；
対象試料中のCD14のレベル、VASNのレベル、IGFBP6のレベル、及びTAGLN2のレベルを、対照試料中のCD14のレベル、VASNのレベル、IGFBP6のレベル、及びTAGLN2のレベルと比較することとを含み、前記対象試料中のCD14のレベル、VASNのレベル、IGFBP6のレベル、及びTAGLN2のレベルと前記対照試料中のCD14のレベル、VASNのレベル、IGFBP6のレベル、及びTAGLN2のレベルとの差が、前記対象が活性なＴＢを有することを示す、前記方法。
(552)  活性な結核（ＴＢ）を有する対象における治療の有効性を監視する方法であって、
前記治療の開始前に、前記対象から得られた第１の試料中の、CD14のレベル、VASNのレベル、IGFBP6のレベル、及びTAGLN2のレベルを測定することと；
前記治療の少なくとも一部が投与された後に前記対象から得られた第２の試料中の、CD14のレベル、VASNのレベル、IGFBP6のレベル、及びTAGLN2のレベルを測定することと；
前記第１の試料中のCD14のレベル、VASNのレベル、IGFBP6のレベル、及びTAGLN2のレベルを前記第２の試料中のCD14のレベル、VASNのレベル、IGFBP6のレベル、及びTAGLN2のレベルと比較することとを含み、前記第１の試料中のCD14のレベル、VASNのレベル、IGFBP6のレベル、及びTAGLN2のレベルと前記第２の試料中のCD14のレベル、VASNのレベル、IGFBP6のレベル、及びTAGLN2のレベルの差が、前記治療が有効であることを示す、前記方法。
(553)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、VASNのレベル及び／又は活性、IGFBP6のレベル及び／又は活性、並びにTAGLN2のレベル及び／又は活性に与える影響を測定することと；
対照試料中の、CD14のレベル及び／又は活性、VASNのレベル及び／又は活性、IGFBP6のレベル及び／又は活性、並びにTAGLN2のレベル及び／又は活性と比較して、アリコート中のCD14のレベル及び／又は活性、VASNのレベル及び／又は活性、IGFBP6のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(554)  活性な結核（ＴＢ）を有する対象を治療する方法であって、CD14の発現及び／又は活性、VASNのレベル及び／又は活性、IGFBP6のレベル及び／又は活性、並びにTAGLN2のレベル及び／又は活性を調節する剤の有効量を前記対象に投与し、それによって前記対象を治療することを含む、前記方法。
(555)  対象が活性な結核（ＴＢ）を有するか否かを決定する方法であって、
前記対象から得られた試料中の、CD14のレベル、CPN2のレベル、SEPP1のレベル、及びTAGLN2のレベルを測定することと；
対象試料中のCD14のレベル、CPN2のレベル、SEPP1のレベル、及びTAGLN2のレベルを、対照試料中のCD14のレベル、CPN2のレベル、SEPP1のレベル、及びTAGLN2のレベルと比較することとを含み、前記対象試料中のCD14のレベル、CPN2のレベル、SEPP1のレベル、及びTAGLN2のレベルと前記対照試料中のCD14のレベル、CPN2のレベル、SEPP1のレベル、及びTAGLN2のレベルとの差が、前記対象が活性なＴＢを有することを示す、前記方法。
(556)  活性な結核（ＴＢ）を有する対象における治療の有効性を監視する方法であって、
前記治療の開始前に、前記対象から得られた第１の試料中の、CD14のレベル、CPN2のレベル、SEPP1のレベル、及びTAGLN2のレベルを測定することと；
前記治療の少なくとも一部が投与された後に前記対象から得られた第２の試料中の、CD14のレベル、CPN2のレベル、SEPP1のレベル、及びTAGLN2のレベルを測定することと；
前記第１の試料中のCD14のレベル、CPN2のレベル、SEPP1のレベル、及びTAGLN2のレベルを前記第２の試料中のCD14のレベル、CPN2のレベル、SEPP1のレベル、及びTAGLN2のレベルと比較することとを含み、前記第１の試料中のCD14のレベル、CPN2のレベル、SEPP1のレベル、及びTAGLN2のレベルと前記第２の試料中のCD14のレベル、CPN2のレベル、SEPP1のレベル、及びTAGLN2のレベルの差が、前記治療が有効であることを示す、前記方法。
(557)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、SEPP1のレベル及び／又は活性、並びにTAGLN2のレベル及び／又は活性に与える影響を測定することと；
対照試料中の、CD14のレベル及び／又は活性、CPN2のレベル及び／又は活性、SEPP1のレベル及び／又は活性、並びにTAGLN2のレベル及び／又は活性と比較して、アリコート中のCD14のレベル及び／又は活性、CPN2のレベル及び／又は活性、SEPP1のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(558)  活性な結核（ＴＢ）を有する対象を治療する方法であって、CD14の発現及び／又は活性、CPN2のレベル及び／又は活性、SEPP1のレベル及び／又は活性、並びにTAGLN2のレベル及び／又は活性を調節する剤の有効量を前記対象に投与し、それによって前記対象を治療することを含む、前記方法。
(559)  対象が活性な結核（ＴＢ）を有するか否かを決定する方法であって、
前記対象から得られた試料中の、CD14のレベル、CPN2のレベル、VASNのレベル、及びTAGLN2のレベルを測定することと；
対象試料中のCD14のレベル、CPN2のレベル、VASNのレベル、及びTAGLN2のレベルを、対照試料中のCD14のレベル、CPN2のレベル、VASNのレベル、及びTAGLN2のレベルと比較することとを含み、前記対象試料中のCD14のレベル、CPN2のレベル、VASNのレベル、及びTAGLN2のレベルと前記対照試料中のCD14のレベル、CPN2のレベル、VASNのレベル、及びTAGLN2のレベルとの差が、前記対象が活性なＴＢを有することを示す、前記方法。
(560)  活性な結核（ＴＢ）を有する対象における治療の有効性を監視する方法であって、
前記治療の開始前に、前記対象から得られた第１の試料中の、CD14のレベル、CPN2のレベル、VASNのレベル、及びTAGLN2のレベルを測定することと；
前記治療の少なくとも一部が投与された後に前記対象から得られた第２の試料中の、CD14のレベル、CPN2のレベル、VASNのレベル、及びTAGLN2のレベルを測定することと；
前記第１の試料中のCD14のレベル、CPN2のレベル、VASNのレベル、及びTAGLN2のレベルを前記第２の試料中のCD14のレベル、CPN2のレベル、VASNのレベル、及びTAGLN2のレベルと比較することとを含み、前記第１の試料中のCD14のレベル、CPN2のレベル、VASNのレベル、及びTAGLN2のレベルと前記第２の試料中のCD14のレベル、CPN2のレベル、VASNのレベル、及びTAGLN2のレベルの差が、前記治療が有効であることを示す、前記方法。
(561)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、VASNのレベル及び／又は活性、並びにTAGLN2のレベル及び／又は活性に与える影響を測定することと；
対照試料中の、CD14のレベル及び／又は活性、CPN2のレベル及び／又は活性、VASNのレベル及び／又は活性、並びにTAGLN2のレベル及び／又は活性と比較して、アリコート中のCD14のレベル及び／又は活性、CPN2のレベル及び／又は活性、VASNのレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(562)  活性な結核（ＴＢ）を有する対象を治療する方法であって、CD14の発現及び／又は活性、CPN2のレベル及び／又は活性、VASNのレベル及び／又は活性、並びにTAGLN2のレベル及び／又は活性を調節する剤の有効量を前記対象に投与し、それによって前記対象を治療することを含む、前記方法。
(563)  対象が活性な結核（ＴＢ）を有するか否かを決定する方法であって、
前記対象から得られた試料中の、VASNのレベル、CPN2のレベル、PGLYRP2のレベル、及びTAGLN2のレベルを測定することと；
対象試料中のVASNのレベル、CPN2のレベル、PGLYRP2のレベル、及びTAGLN2のレベルを、対照試料中のVASNのレベル、CPN2のレベル、PGLYRP2のレベル、及びTAGLN2のレベルと比較することとを含み、前記対象試料中のVASNのレベル、CPN2のレベル、PGLYRP2のレベル、及びTAGLN2のレベルと前記対照試料中のVASNのレベル、CPN2のレベル、PGLYRP2のレベル、及びTAGLN2のレベルとの差が、前記対象が活性なＴＢを有することを示す、前記方法。
(564)  活性な結核（ＴＢ）を有する対象における治療の有効性を監視する方法であって、
前記治療の開始前に、前記対象から得られた第１の試料中の、VASNのレベル、CPN2のレベル、PGLYRP2のレベル、及びTAGLN2のレベルを測定することと；
前記治療の少なくとも一部が投与された後に前記対象から得られた第２の試料中の、VASNのレベル、CPN2のレベル、PGLYRP2のレベル、及びTAGLN2のレベルを測定することと；
前記第１の試料中のVASNのレベル、CPN2のレベル、PGLYRP2のレベル、及びTAGLN2のレベルを前記第２の試料中のVASNのレベル、CPN2のレベル、PGLYRP2のレベル、及びTAGLN2のレベルと比較することとを含み、前記第１の試料中のVASNのレベル、CPN2のレベル、PGLYRP2のレベル、及びTAGLN2のレベルと前記第２の試料中のVASNのレベル、CPN2のレベル、PGLYRP2のレベル、及びTAGLN2のレベルの差が、前記治療が有効であることを示す、前記方法。
(565)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のVASNのレベル及び／又は活性、CPN2のレベル及び／又は活性、PGLYRP2のレベル及び／又は活性、並びにTAGLN2のレベル及び／又は活性に与える影響を測定することと；
対照試料中の、VASNのレベル及び／又は活性、CPN2のレベル及び／又は活性、PGLYRP2のレベル及び／又は活性、並びにTAGLN2のレベル及び／又は活性と比較して、アリコート中のVASNのレベル及び／又は活性、CPN2のレベル及び／又は活性、PGLYRP2のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(566)  活性な結核（ＴＢ）を有する対象を治療する方法であって、VASNの発現及び／又は活性、CPN2のレベル及び／又は活性、PGLYRP2のレベル及び／又は活性、並びにTAGLN2のレベル及び／又は活性を調節する剤の有効量を前記対象に投与し、それによって前記対象を治療することを含む、前記方法。
(567)  対象が活性な結核（ＴＢ）を有するか否かを決定する方法であって、
前記対象から得られた試料中の、CD14のレベル、VASNのレベル、IGFBP6のレベル、及びPFN1のレベルを測定することと；
対象試料中のCD14のレベル、VASNのレベル、IGFBP6のレベル、及びPFN1のレベルを、対照試料中のCD14のレベル、VASNのレベル、IGFBP6のレベル、及びPFN1のレベルと比較することとを含み、前記対象試料中のCD14のレベル、VASNのレベル、IGFBP6のレベル、及びPFN1のレベルと前記対照試料中のCD14のレベル、VASNのレベル、IGFBP6のレベル、及びPFN1のレベルとの差が、前記対象が活性なＴＢを有することを示す、前記方法。
(568)  活性な結核（ＴＢ）を有する対象における治療の有効性を監視する方法であって、
前記治療の開始前に、前記対象から得られた第１の試料中の、CD14のレベル、VASNのレベル、IGFBP6のレベル、及びPFN1のレベルを測定することと；
前記治療の少なくとも一部が投与された後に前記対象から得られた第２の試料中の、CD14のレベル、VASNのレベル、IGFBP6のレベル、及びPFN1のレベルを測定することと；
前記第１の試料中のCD14のレベル、VASNのレベル、IGFBP6のレベル、及びPFN1のレベルを前記第２の試料中のCD14のレベル、VASNのレベル、IGFBP6のレベル、及びPFN1のレベルと比較することとを含み、前記第１の試料中のCD14のレベル、VASNのレベル、IGFBP6のレベル、及びPFN1のレベルと前記第２の試料中のCD14のレベル、VASNのレベル、IGFBP6のレベル、及びPFN1のレベルの差が、前記治療が有効であることを示す、前記方法。
(569)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、VASNのレベル及び／又は活性、IGFBP6のレベル及び／又は活性、並びにPFN1のレベル及び／又は活性に与える影響を測定することと；
対照試料中の、CD14のレベル及び／又は活性、VASNのレベル及び／又は活性、IGFBP6のレベル及び／又は活性、並びにPFN1のレベル及び／又は活性と比較して、アリコート中のCD14のレベル及び／又は活性、VASNのレベル及び／又は活性、IGFBP6のレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(570)  活性な結核（ＴＢ）を有する対象を治療する方法であって、CD14の発現及び／又は活性、VASNのレベル及び／又は活性、IGFBP6のレベル及び／又は活性、並びにPFN1のレベル及び／又は活性を調節する剤の有効量を前記対象に投与し、それによって前記対象を治療することを含む、前記方法。
(571)  対象が活性な結核（ＴＢ）を有するか否かを決定する方法であって、
前記対象から得られた試料中の、CD14のレベル、CPN2のレベル、IGFBP6のレベル、及びPGLYRP2のレベルを測定することと；
対象試料中のCD14のレベル、CPN2のレベル、IGFBP6のレベル、及びPGLYRP2のレベルを、対照試料中のCD14のレベル、CPN2のレベル、IGFBP6のレベル、及びPGLYRP2のレベルと比較することとを含み、前記対象試料中のCD14のレベル、CPN2のレベル、IGFBP6のレベル、及びPGLYRP2のレベルと前記対照試料中のCD14のレベル、CPN2のレベル、IGFBP6のレベル、及びPGLYRP2のレベルとの差が、前記対象が活性なＴＢを有することを示す、前記方法。
(572)  活性な結核（ＴＢ）を有する対象における治療の有効性を監視する方法であって、
前記治療の開始前に、前記対象から得られた第１の試料中の、CD14のレベル、CPN2のレベル、IGFBP6のレベル、及びPGLYRP2のレベルを測定することと；
前記治療の少なくとも一部が投与された後に前記対象から得られた第２の試料中の、CD14のレベル、CPN2のレベル、IGFBP6のレベル、及びPGLYRP2のレベルを測定することと；
前記第１の試料中のCD14のレベル、CPN2のレベル、IGFBP6のレベル、及びPGLYRP2のレベルを前記第２の試料中のCD14のレベル、CPN2のレベル、IGFBP6のレベル、及びPGLYRP2のレベルと比較することとを含み、前記第１の試料中のCD14のレベル、CPN2のレベル、IGFBP6のレベル、及びPGLYRP2のレベルと前記第２の試料中のCD14のレベル、CPN2のレベル、IGFBP6のレベル、及びPGLYRP2のレベルの差が、前記治療が有効であることを示す、前記方法。
(573)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、IGFBP6のレベル及び／又は活性、並びにPGLYRP2のレベル及び／又は活性に与える影響を測定することと；
対照試料中の、CD14のレベル及び／又は活性、CPN2のレベル及び／又は活性、IGFBP6のレベル及び／又は活性、並びにPGLYRP2のレベル及び／又は活性と比較して、アリコート中のCD14のレベル及び／又は活性、CPN2のレベル及び／又は活性、IGFBP6のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(574)  活性な結核（ＴＢ）を有する対象を治療する方法であって、CD14の発現及び／又は活性、CPN2のレベル及び／又は活性、IGFBP6のレベル及び／又は活性、並びにPGLYRP2のレベル及び／又は活性を調節する剤の有効量を前記対象に投与し、それによって前記対象を治療することを含む、前記方法。
(575)  対象が活性な結核（ＴＢ）を有するか否かを決定する方法であって、
前記対象から得られた試料中の、CD14のレベル、PFN1のレベル、IGFBP6のレベル、及びPGLYRP2のレベルを測定することと；
対象試料中のCD14のレベル、PFN1のレベル、IGFBP6のレベル、及びPGLYRP2のレベルを、対照試料中のCD14のレベル、PFN1のレベル、IGFBP6のレベル、及びPGLYRP2のレベルと比較することとを含み、前記対象試料中のCD14のレベル、PFN1のレベル、IGFBP6のレベル、及びPGLYRP2のレベルと前記対照試料中のCD14のレベル、PFN1のレベル、IGFBP6のレベル、及びPGLYRP2のレベルとの差が、前記対象が活性なＴＢを有することを示す、前記方法。
(576)  活性な結核（ＴＢ）を有する対象における治療の有効性を監視する方法であって、
前記治療の開始前に、前記対象から得られた第１の試料中の、CD14のレベル、PFN1のレベル、IGFBP6のレベル、及びPGLYRP2のレベルを測定することと；
前記治療の少なくとも一部が投与された後に前記対象から得られた第２の試料中の、CD14のレベル、PFN1のレベル、IGFBP6のレベル、及びPGLYRP2のレベルを測定することと；
前記第１の試料中のCD14のレベル、PFN1のレベル、IGFBP6のレベル、及びPGLYRP2のレベルを前記第２の試料中のCD14のレベル、PFN1のレベル、IGFBP6のレベル、及びPGLYRP2のレベルと比較することとを含み、前記第１の試料中のCD14のレベル、PFN1のレベル、IGFBP6のレベル、及びPGLYRP2のレベルと前記第２の試料中のCD14のレベル、PFN1のレベル、IGFBP6のレベル、及びPGLYRP2のレベルの差が、前記治療が有効であることを示す、前記方法。
(577)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PFN1のレベル及び／又は活性、IGFBP6のレベル及び／又は活性、並びにPGLYRP2のレベル及び／又は活性に与える影響を測定することと；
対照試料中の、CD14のレベル及び／又は活性、PFN1のレベル及び／又は活性、IGFBP6のレベル及び／又は活性、並びにPGLYRP2のレベル及び／又は活性と比較して、アリコート中のCD14のレベル及び／又は活性、PFN1のレベル及び／又は活性、IGFBP6のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(578)  活性な結核（ＴＢ）を有する対象を治療する方法であって、CD14の発現及び／又は活性、PFN1のレベル及び／又は活性、IGFBP6のレベル及び／又は活性、並びにPGLYRP2のレベル及び／又は活性を調節する剤の有効量を前記対象に投与し、それによって前記対象を治療することを含む、前記方法。
(579)  対象が活性な結核（ＴＢ）を有するか否かを決定する方法であって、
前記対象から得られた試料中の、CD14のレベル、PFN1のレベル、VASNのレベル、及びPGLYRP2のレベルを測定することと；
対象試料中のCD14のレベル、PFN1のレベル、VASNのレベル、及びPGLYRP2のレベルを、対照試料中のCD14のレベル、PFN1のレベル、VASNのレベル、及びPGLYRP2のレベルと比較することとを含み、前記対象試料中のCD14のレベル、PFN1のレベル、IGFBP6のレベル、及びPGLYRP2のレベルと前記対照試料中のCD14のレベル、PFN1のレベル、VASNのレベル、及びPGLYRP2のレベルとの差が、前記対象が活性なＴＢを有することを示す、前記方法。
(580)  活性な結核（ＴＢ）を有する対象における治療の有効性を監視する方法であって、
前記治療の開始前に、前記対象から得られた第１の試料中の、CD14のレベル、PFN1のレベル、VASNのレベル、及びPGLYRP2のレベルを測定することと；
前記治療の少なくとも一部が投与された後に前記対象から得られた第２の試料中の、CD14のレベル、PFN1のレベル、VASNのレベル、及びPGLYRP2のレベルを測定することと；
前記第１の試料中のCD14のレベル、PFN1のレベル、VASNのレベル、及びPGLYRP2のレベルを前記第２の試料中のCD14のレベル、PFN1のレベル、VASNのレベル、及びPGLYRP2のレベルと比較することとを含み、前記第１の試料中のCD14のレベル、PFN1のレベル、VASNのレベル、及びPGLYRP2のレベルと前記第２の試料中のCD14のレベル、PFN1のレベル、VASNのレベル、及びPGLYRP2のレベルの差が、前記治療が有効であることを示す、前記方法。
(581)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PFN1のレベル及び／又は活性、VASNのレベル及び／又は活性、並びにPGLYRP2のレベル及び／又は活性に与える影響を測定することと；
対照試料中の、CD14のレベル及び／又は活性、PFN1のレベル及び／又は活性、VASNのレベル及び／又は活性、並びにPGLYRP2のレベル及び／又は活性と比較して、アリコート中のCD14のレベル及び／又は活性、PFN1のレベル及び／又は活性、VASNのレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(582)  活性な結核（ＴＢ）を有する対象を治療する方法であって、CD14の発現及び／又は活性、PFN1のレベル及び／又は活性、VASNのレベル及び／又は活性、並びにPGLYRP2のレベル及び／又は活性を調節する剤の有効量を前記対象に投与し、それによって前記対象を治療することを含む、前記方法。
(583)  対象が活性な結核（ＴＢ）を有するか否かを決定する方法であって、
前記対象から得られた試料中の、CD14のレベル、TAGLN2のレベル、IGFBP6のレベル、及びPGLYRP2のレベルを測定することと；
対象試料中のCD14のレベル、TAGLN2のレベル、IGFBP6のレベル、及びPGLYRP2のレベルを、対照試料中のCD14のレベル、TAGLN2のレベル、IGFBP6のレベル、及びPGLYRP2のレベルと比較することとを含み、前記対象試料中のCD14のレベル、TAGLN2のレベル、IGFBP6のレベル、及びPGLYRP2のレベルと前記対照試料中のCD14のレベル、TAGLN2のレベル、IGFBP6のレベル、及びPGLYRP2のレベルとの差が、前記対象が活性なＴＢを有することを示す、前記方法。
(584)  活性な結核（ＴＢ）を有する対象における治療の有効性を監視する方法であって、
前記治療の開始前に、前記対象から得られた第１の試料中の、CD14のレベル、TAGLN2のレベル、IGFBP6のレベル、及びPGLYRP2のレベルを測定することと；
前記治療の少なくとも一部が投与された後に前記対象から得られた第２の試料中の、CD14のレベル、TAGLN2のレベル、IGFBP6のレベル、及びPGLYRP2のレベルを測定することと；
前記第１の試料中のCD14のレベル、TAGLN2のレベル、IGFBP6のレベル、及びPGLYRP2のレベルを前記第２の試料中のCD14のレベル、TAGLN2のレベル、IGFBP6のレベル、及びPGLYRP2のレベルと比較することとを含み、前記第１の試料中のCD14のレベル、TAGLN2のレベル、IGFBP6のレベル、及びPGLYRP2のレベルと前記第２の試料中のCD14のレベル、TAGLN2のレベル、IGFBP6のレベル、及びPGLYRP2のレベルの差が、前記治療が有効であることを示す、前記方法。
(585)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、IGFBP6のレベル及び／又は活性、並びにPGLYRP2のレベル及び／又は活性に与える影響を測定することと；
対照試料中の、CD14のレベル及び／又は活性、TAGLN2のレベル及び／又は活性、IGFBP6のレベル及び／又は活性、並びにPGLYRP2のレベル及び／又は活性と比較して、アリコート中のCD14のレベル及び／又は活性、TAGLN2のレベル及び／又は活性、IGFBP6のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(586)  活性な結核（ＴＢ）を有する対象を治療する方法であって、CD14の発現及び／又は活性、TAGLN2のレベル及び／又は活性、IGFBP6のレベル及び／又は活性、並びにPGLYRP2のレベル及び／又は活性を調節する剤の有効量を前記対象に投与し、それによって前記対象を治療することを含む、前記方法。
(587)  対象が活性な結核（ＴＢ）を有するか否かを決定する方法であって、
前記対象から得られた試料中の、CD14のレベル、CPN2のレベル、IGFBP6のレベル、及びSEPP1のレベルを測定することと；
対象試料中のCD14のレベル、CPN2のレベル、IGFBP6のレベル、及びSEPP1のレベルを、対照試料中のCD14のレベル、CPN2のレベル、IGFBP6のレベル、及びSEPP1のレベルと比較することとを含み、前記対象試料中のCD14のレベル、CPN2のレベル、IGFBP6のレベル、及びSEPP1のレベルと前記対照試料中のCD14のレベル、CPN2のレベル、IGFBP6のレベル、及びSEPP1のレベルとの差が、前記対象が活性なＴＢを有することを示す、前記方法。
(588)  活性な結核（ＴＢ）を有する対象における治療の有効性を監視する方法であって、
前記治療の開始前に、前記対象から得られた第１の試料中の、CD14のレベル、CPN2のレベル、IGFBP6のレベル、及びSEPP1のレベルを測定することと；
前記治療の少なくとも一部が投与された後に前記対象から得られた第２の試料中の、CD14のレベル、CPN2のレベル、IGFBP6のレベル、及びSEPP1のレベルを測定することと；
前記第１の試料中のCD14のレベル、CPN2のレベル、IGFBP6のレベル、及びSEPP1のレベルを前記第２の試料中のCD14のレベル、CPN2のレベル、IGFBP6のレベル、及びSEPP1のレベルと比較することとを含み、前記第１の試料中のCD14のレベル、CPN2のレベル、IGFBP6のレベル、及びSEPP1のレベルと前記第２の試料中のCD14のレベル、CPN2のレベル、IGFBP6のレベル、及びSEPP1のレベルの差が、前記治療が有効であることを示す、前記方法。
(589)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、IGFBP6のレベル及び／又は活性、並びにSEPP1のレベル及び／又は活性に与える影響を測定することと；
対照試料中の、CD14のレベル及び／又は活性、CPN2のレベル及び／又は活性、IGFBP6のレベル及び／又は活性、並びにSEPP1のレベル及び／又は活性と比較して、アリコート中のCD14のレベル及び／又は活性、CPN2のレベル及び／又は活性、IGFBP6のレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(590)  活性な結核（ＴＢ）を有する対象を治療する方法であって、CD14の発現及び／又は活性、CPN2のレベル及び／又は活性、IGFBP6のレベル及び／又は活性、並びにSEPP1のレベル及び／又は活性を調節する剤の有効量を前記対象に投与し、それによって前記対象を治療することを含む、前記方法。
(591)  対象が活性な結核（ＴＢ）を有するか否かを決定する方法であって、
前記対象から得られた試料中の、CD14のレベル、PFN1のレベル、SEPP1のレベル、及びPGLYRP2のレベルを測定することと；
対象試料中のCD14のレベル、PFN1のレベル、SEPP1のレベル、及びPGLYRP2のレベルを、対照試料中のCD14のレベル、PFN1のレベル、SEPP1のレベル、及びPGLYRP2のレベルと比較することとを含み、前記対象試料中のCD14のレベル、PFN1のレベル、SEPP1のレベル、及びPGLYRP2のレベルと前記対照試料中のCD14のレベル、PFN1のレベル、SEPP1のレベル、及びPGLYRP2のレベルとの差が、前記対象が活性なＴＢを有することを示す、前記方法。
(592)  活性な結核（ＴＢ）を有する対象における治療の有効性を監視する方法であって、
前記治療の開始前に、前記対象から得られた第１の試料中の、CD14のレベル、PFN1のレベル、SEPP1のレベル、及びPGLYRP2のレベルを測定することと；
前記治療の少なくとも一部が投与された後に前記対象から得られた第２の試料中の、CD14のレベル、PFN1のレベル、SEPP1のレベル、及びPGLYRP2のレベルを測定することと；
前記第１の試料中のCD14のレベル、PFN1のレベル、SEPP1のレベル、及びPGLYRP2のレベルを前記第２の試料中のCD14のレベル、PFN1のレベル、SEPP1のレベル、及びPGLYRP2のレベルと比較することとを含み、前記第１の試料中のCD14のレベル、PFN1のレベル、SEPP1のレベル、及びPGLYRP2のレベルと前記第２の試料中のCD14のレベル、PFN1のレベル、SEPP1のレベル、及びPGLYRP2のレベルの差が、前記治療が有効であることを示す、前記方法。
(593)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PFN1のレベル及び／又は活性、SEPP1のレベル及び／又は活性、並びにPGLYRP2のレベル及び／又は活性に与える影響を測定することと；
対照試料中の、CD14のレベル及び／又は活性、PFN1のレベル及び／又は活性、SEPP1のレベル及び／又は活性、並びにPGLYRP2のレベル及び／又は活性と比較して、アリコート中のCD14のレベル及び／又は活性、PFN1のレベル及び／又は活性、SEPP1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(594)  活性な結核（ＴＢ）を有する対象を治療する方法であって、CD14の発現及び／又は活性、PFN1のレベル及び／又は活性、SEPP1のレベル及び／又は活性、並びにPGLYRP2のレベル及び／又は活性を調節する剤の有効量を前記対象に投与し、それによって前記対象を治療することを含む、前記方法。
(595)  対象が活性な結核（ＴＢ）を有するか否かを決定する方法であって、
前記対象から得られた試料中の、CD14のレベル、CPN2のレベル、IGFBP6のレベル、及びVASNのレベルを測定することと；
対象試料中のCD14のレベル、CPN2のレベル、IGFBP6のレベル、及びVASNのレベルを、対照試料中のCD14のレベル、CPN2のレベル、IGFBP6のレベル、及びVASNのレベルと比較することとを含み、前記対象試料中のCD14のレベル、CPN2のレベル、IGFBP6のレベル、及びVASNのレベルと前記対照試料中のCD14のレベル、CPN2のレベル、IGFBP6のレベル、及びVASNのレベルとの差が、前記対象が活性なＴＢを有することを示す、前記方法。
(596)  活性な結核（ＴＢ）を有する対象における治療の有効性を監視する方法であって、
前記治療の開始前に、前記対象から得られた第１の試料中の、CD14のレベル、CPN2のレベル、IGFBP6のレベル、及びVASNのレベルを測定することと；
前記治療の少なくとも一部が投与された後に前記対象から得られた第２の試料中の、CD14のレベル、CPN2のレベル、IGFBP6のレベル、及びVASNのレベルを測定することと；
前記第１の試料中のCD14のレベル、CPN2のレベル、IGFBP6のレベル、及びVASNのレベルを前記第２の試料中のCD14のレベル、CPN2のレベル、IGFBP6のレベル、及びVASNのレベルと比較することとを含み、前記第１の試料中のCD14のレベル、CPN2のレベル、IGFBP6のレベル、及びVASNのレベルと前記第２の試料中のCD14のレベル、CPN2のレベル、IGFBP6のレベル、及びVASNのレベルの差が、前記治療が有効であることを示す、前記方法。
(597)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、IGFBP6のレベル及び／又は活性、並びにVASNのレベル及び／又は活性に与える影響を測定することと；
対照試料中の、CD14のレベル及び／又は活性、CPN2のレベル及び／又は活性、IGFBP6のレベル及び／又は活性、並びにVASNのレベル及び／又は活性と比較して、アリコート中のCD14のレベル及び／又は活性、CPN2のレベル及び／又は活性、IGFBP6のレベル及び／又は活性、並びにVASNのレベル及び／又は活性を調節する化合物のライブラリーのメンバーを選択し、それによって、活性なＴＢを有する対象を治療するために有用な化合物を同定することを含む、前記方法。
(598)  活性な結核（ＴＢ）を有する対象を治療する方法であって、CD14の発現及び／又は活性、CPN2のレベル及び／又は活性、IGFBP6のレベル及び／又は活性、並びにVASNのレベル及び／又は活性を調節する剤の有効量を前記対象に投与し、それによって前記対象を治療することを含む、前記方法。
(599)  対象が活性な結核（ＴＢ）を有するか否かを決定する方法であって、
前記対象から得られた試料中の、CD14のレベル、TAGLN2のレベル、VASNのレベル、及びPGLYRP2のレベルを測定することと；
対象試料中のCD14のレベル、TAGLN2のレベル、VASNのレベル、及びPGLYRP2のレベルを、対照試料中のCD14のレベル、TAGLN2のレベル、VASNのレベル、及びPGLYRP2のレベルと比較することとを含み、前記対象試料中のCD14のレベル、TAGLN2のレベル、VASNのレベル、及びPGLYRP2のレベルと前記対照試料中のCD14のレベル、TAGLN2のレベル、VASNのレベル、及びPGLYRP2のレベルとの差が、前記対象が活性なＴＢを有することを示す、前記方法。
(600)  活性な結核（ＴＢ）を有する対象における治療の有効性を監視する方法であって、
前記治療の開始前に、前記対象から得られた第１の試料中の、CD14のレベル、TAGLN2のレベル、VASNのレベル、及びPGLYRP2のレベルを測定することと；
前記治療の少なくとも一部が投与された後に前記対象から得られた第２の試料中の、CD14のレベル、TAGLN2のレベル、VASNのレベル、及びPGLYRP2のレベルを測定することと；
前記第１の試料中のCD14のレベル、TAGLN2のレベル、VASNのレベル、及びPGLYRP2のレベルを前記第２の試料中のCD14のレベル、TAGLN2のレベル、VASNのレベル、及びPGLYRP2のレベルと比較することとを含み、前記第１の試料中のCD14のレベル、TAGLN2のレベル、VASNのレベル、及びPGLYRP2のレベルと前記第２の試料中のCD14のレベル、TAGLN2のレベル、VASNのレベル、及びPGLYRP2のレベルの差が、前記治療が有効であることを示す、前記方法。
(601)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、VASNのレベル及び／又は活性、並びにPGLYRP2のレベル及び／又は活性に与える影響を測定することと；
対照試料中の、CD14のレベル及び／又は活性、TAGLN2のレベル及び／又は活性、VASNのレベル及び／又は活性、並びにPGLYRP2のレベル及び／又は活性と比較して、アリコート中のCD14のレベル及び／又は活性、TAGLN2のレベル及び／又は活性、VASNのレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(602)  活性な結核（ＴＢ）を有する対象を治療する方法であって、CD14の発現及び／又は活性、TAGLN2のレベル及び／又は活性、VASNのレベル及び／又は活性、並びにPGLYRP2のレベル及び／又は活性を調節する剤の有効量を前記対象に投与し、それによって前記対象を治療することを含む、前記方法。
(603)  対象が活性な結核（ＴＢ）を有するか否かを決定する方法であって、
前記対象から得られた試料中の、CD14のレベル、TAGLN2のレベル、PFN1のレベル、及びPGLYRP2のレベルを測定することと；
対象試料中のCD14のレベル、TAGLN2のレベル、PFN1のレベル、及びPGLYRP2のレベルを、対照試料中のCD14のレベル、TAGLN2のレベル、PFN1のレベル、及びPGLYRP2のレベルと比較することとを含み、前記対象試料中のCD14のレベル、TAGLN2のレベル、PFN1のレベル、及びPGLYRP2のレベルと前記対照試料中のCD14のレベル、TAGLN2のレベル、PFN1のレベル、及びPGLYRP2のレベルとの差が、前記対象が活性なＴＢを有することを示す、前記方法。
(604)  活性な結核（ＴＢ）を有する対象における治療の有効性を監視する方法であって、
前記治療の開始前に、前記対象から得られた第１の試料中の、CD14のレベル、TAGLN2のレベル、PFN1のレベル、及びPGLYRP2のレベルを測定することと；
前記治療の少なくとも一部が投与された後に前記対象から得られた第２の試料中の、CD14のレベル、TAGLN2のレベル、PFN1のレベル、及びPGLYRP2のレベルを測定することと；
前記第１の試料中のCD14のレベル、TAGLN2のレベル、PFN1のレベル、及びPGLYRP2のレベルを前記第２の試料中のCD14のレベル、TAGLN2のレベル、PFN1のレベル、及びPGLYRP2のレベルと比較することとを含み、前記第１の試料中のCD14のレベル、TAGLN2のレベル、PFN1のレベル、及びPGLYRP2のレベルと前記第２の試料中のCD14のレベル、TAGLN2のレベル、PFN1のレベル、及びPGLYRP2のレベルの差が、前記治療が有効であることを示す、前記方法。
(605)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、PFN1のレベル及び／又は活性、並びにPGLYRP2のレベル及び／又は活性に与える影響を測定することと；
対照試料中の、CD14のレベル及び／又は活性、TAGLN2のレベル及び／又は活性、PFN1のレベル及び／又は活性、並びにPGLYRP2のレベル及び／又は活性と比較して、アリコート中のCD14のレベル及び／又は活性、TAGLN2のレベル及び／又は活性、PFN1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(606)  活性な結核（ＴＢ）を有する対象を治療する方法であって、CD14の発現及び／又は活性、TAGLN2のレベル及び／又は活性、PFN1のレベル及び／又は活性、並びにPGLYRP2のレベル及び／又は活性を調節する剤の有効量を前記対象に投与し、それによって前記対象を治療することを含む、前記方法。
(607)  対象が活性な結核（ＴＢ）を有するか否かを決定する方法であって、
前記対象から得られた試料中の、CD14のレベル、PFN1のレベル、SEPP1のレベル、及びIGFBP6のレベルを測定することと；
対象試料中のCD14のレベル、PFN1のレベル、SEPP1のレベル、及びIGFBP6のレベルを、対照試料中のCD14のレベル、PFN1のレベル、SEPP1のレベル、及びIGFBP6のレベルと比較することとを含み、前記対象試料中のCD14のレベル、PFN1のレベル、SEPP1のレベル、及びIGFBP6のレベルと前記対照試料中のCD14のレベル、PFN1のレベル、SEPP1のレベル、及びIGFBP6のレベルとの差が、前記対象が活性なＴＢを有することを示す、前記方法。
(608)  活性な結核（ＴＢ）を有する対象における治療の有効性を監視する方法であって、
前記治療の開始前に、前記対象から得られた第１の試料中の、CD14のレベル、PFN1のレベル、SEPP1のレベル、及びIGFBP6のレベルを測定することと；
前記治療の少なくとも一部が投与された後に前記対象から得られた第２の試料中の、CD14のレベル、PFN1のレベル、SEPP1のレベル、及びIGFBP6のレベルを測定することと；
前記第１の試料中のCD14のレベル、PFN1のレベル、SEPP1のレベル、及びIGFBP6のレベルを前記第２の試料中のCD14のレベル、PFN1のレベル、SEPP1のレベル、及びIGFBP6のレベルと比較することとを含み、前記第１の試料中のCD14のレベル、PFN1のレベル、SEPP1のレベル、及びIGFBP6のレベルと前記第２の試料中のCD14のレベル、PFN1のレベル、SEPP1のレベル、及びIGFBP6のレベルの差が、前記治療が有効であることを示す、前記方法。
(609)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、PFN1のレベル及び／又は活性、SEPP1のレベル及び／又は活性、並びにIGFBP6のレベル及び／又は活性に与える影響を測定することと；
対照試料中の、CD14のレベル及び／又は活性、PFN1のレベル及び／又は活性、SEPP1のレベル及び／又は活性、並びにIGFBP6のレベル及び／又は活性と比較して、アリコート中のCD14のレベル及び／又は活性、PFN1のレベル及び／又は活性、SEPP1のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(610)  活性な結核（ＴＢ）を有する対象を治療する方法であって、CD14の発現及び／又は活性、PFN1のレベル及び／又は活性、SEPP1のレベル及び／又は活性、並びにIGFBP6のレベル及び／又は活性を調節する剤の有効量を前記対象に投与し、それによって前記対象を治療することを含む、前記方法。
(611)  対象が活性な結核（ＴＢ）を有するか否かを決定する方法であって、
前記対象から得られた試料中の、CD14のレベル、TAGLN2のレベル、PFN1のレベル、及びVASNのレベルを測定することと；
対象試料中のCD14のレベル、TAGLN2のレベル、PFN1のレベル、及びVASNのレベルを、対照試料中のCD14のレベル、TAGLN2のレベル、PFN1のレベル、及びVASNのレベルと比較することとを含み、前記対象試料中のCD14のレベル、TAGLN2のレベル、PFN1のレベル、及びVASNのレベルと前記対照試料中のCD14のレベル、TAGLN2のレベル、PFN1のレベル、及びVASNのレベルとの差が、前記対象が活性なＴＢを有することを示す、前記方法。
(612)  活性な結核（ＴＢ）を有する対象における治療の有効性を監視する方法であって、
前記治療の開始前に、前記対象から得られた第１の試料中の、CD14のレベル、TAGLN2のレベル、PFN1のレベル、及びVASNのレベルを測定することと；
前記治療の少なくとも一部が投与された後に前記対象から得られた第２の試料中の、CD14のレベル、TAGLN2のレベル、PFN1のレベル、及びVASNのレベルを測定することと；
前記第１の試料中のCD14のレベル、TAGLN2のレベル、PFN1のレベル、及びVASNのレベルを前記第２の試料中のCD14のレベル、TAGLN2のレベル、PFN1のレベル、及びVASNのレベルと比較することとを含み、前記第１の試料中のCD14のレベル、TAGLN2のレベル、PFN1のレベル、及びVASNのレベルと前記第２の試料中のCD14のレベル、TAGLN2のレベル、PFN1のレベル、及びVASNのレベルの差が、前記治療が有効であることを示す、前記方法。
(613)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、PFN1のレベル及び／又は活性、並びにVASNのレベル及び／又は活性に与える影響を測定することと；
対照試料中の、CD14のレベル及び／又は活性、TAGLN2のレベル及び／又は活性、PFN1のレベル及び／又は活性、並びにVASNのレベル及び／又は活性と比較して、アリコート中のCD14のレベル及び／又は活性、TAGLN2のレベル及び／又は活性、PFN1のレベル及び／又は活性、並びにVASNのレベル及び／又は活性を調節する化合物のライブラリーのメンバーを選択し、それによって、活性なＴＢを有する対象を治療するために有用な化合物を同定することを含む、前記方法。
(614)  活性な結核（ＴＢ）を有する対象を治療する方法であって、CD14の発現及び／又は活性、TAGLN2のレベル及び／又は活性、PFN1のレベル及び／又は活性、並びにVASNのレベル及び／又は活性を調節する剤の有効量を前記対象に投与し、それによって前記対象を治療することを含む、前記方法。
(615)  対象が活性な結核（ＴＢ）を有するか否かを決定する方法であって、
前記対象から得られた試料中の、CD14のレベル、TAGLN2のレベル、SEPP1のレベル、及びIGFBP6のレベルを測定することと；
対象試料中のCD14のレベル、TAGLN2のレベル、SEPP1のレベル、及びIGFBP6のレベルを、対照試料中のCD14のレベル、TAGLN2のレベル、SEPP1のレベル、及びIGFBP6のレベルと比較することとを含み、前記対象試料中のCD14のレベル、TAGLN2のレベル、SEPP1のレベル、及びIGFBP6のレベルと前記対照試料中のCD14のレベル、TAGLN2のレベル、SEPP1のレベル、及びIGFBP6のレベルとの差が、前記対象が活性なＴＢを有することを示す、前記方法。
(616)  活性な結核（ＴＢ）を有する対象における治療の有効性を監視する方法であって、
前記治療の開始前に、前記対象から得られた第１の試料中の、CD14のレベル、TAGLN2のレベル、SEPP1のレベル、及びIGFBP6のレベルを測定することと；
前記治療の少なくとも一部が投与された後に前記対象から得られた第２の試料中の、CD14のレベル、TAGLN2のレベル、SEPP1のレベル、及びIGFBP6のレベルを測定することと；
前記第１の試料中のCD14のレベル、TAGLN2のレベル、SEPP1のレベル、及びIGFBP6のレベルを前記第２の試料中のCD14のレベル、TAGLN2のレベル、SEPP1のレベル、及びIGFBP6のレベルと比較することとを含み、前記第１の試料中のCD14のレベル、TAGLN2のレベル、SEPP1のレベル、及びIGFBP6のレベルと前記第２の試料中のCD14のレベル、TAGLN2のレベル、SEPP1のレベル、及びIGFBP6のレベルの差が、前記治療が有効であることを示す、前記方法。
(617)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、SEPP1のレベル及び／又は活性、並びにIGFBP6のレベル及び／又は活性に与える影響を測定することと；
対照試料中の、CD14のレベル及び／又は活性、TAGLN2のレベル及び／又は活性、SEPP1のレベル及び／又は活性、並びにIGFBP6のレベル及び／又は活性と比較して、アリコート中のCD14のレベル及び／又は活性、TAGLN2のレベル及び／又は活性、SEPP1のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(618)  活性な結核（ＴＢ）を有する対象を治療する方法であって、CD14の発現及び／又は活性、TAGLN2のレベル及び／又は活性、SEPP1のレベル及び／又は活性、並びにIGFBP6のレベル及び／又は活性を調節する剤の有効量を前記対象に投与し、それによって前記対象を治療することを含む、前記方法。
(619)  対象が活性な結核（ＴＢ）を有するか否かを決定する方法であって、
前記対象から得られた試料中の、PFN1のレベル、PGLYRP2のレベル、VASNのレベル、及びIGFBP6のレベルを測定することと；
対象試料中のPFN1のレベル、PGLYRP2のレベル、VASNのレベル、及びIGFBP6のレベルを、対照試料中のPFN1のレベル、PGLYRP2のレベル、VASNのレベル、及びIGFBP6のレベルと比較することとを含み、前記対象試料中のPFN1のレベル、PGLYRP2のレベル、VASNのレベル、及びIGFBP6のレベルと前記対照試料中のPFN1のレベル、PGLYRP2のレベル、VASNのレベル、及びIGFBP6のレベルとの差が、前記対象が活性なＴＢを有することを示す、前記方法。
(620)  活性な結核（ＴＢ）を有する対象における治療の有効性を監視する方法であって、
前記治療の開始前に、前記対象から得られた第１の試料中の、PFN1のレベル、PGLYRP2のレベル、VASNのレベル、及びIGFBP6のレベルを測定することと；
前記治療の少なくとも一部が投与された後に前記対象から得られた第２の試料中の、PFN1のレベル、PGLYRP2のレベル、VASNのレベル、及びIGFBP6のレベルを測定することと；
前記第１の試料中のPFN1のレベル、PGLYRP2のレベル、VASNのレベル、及びIGFBP6のレベルを前記第２の試料中のPFN1のレベル、PGLYRP2のレベル、VASNのレベル、及びIGFBP6のレベルと比較することとを含み、前記第１の試料中のPFN1のレベル、PGLYRP2のレベル、VASNのレベル、及びIGFBP6のレベルと前記第２の試料中のPFN1のレベル、PGLYRP2のレベル、VASNのレベル、及びIGFBP6のレベルの差が、前記治療が有効であることを示す、前記方法。
(621)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、VASNのレベル及び／又は活性、並びにIGFBP6のレベル及び／又は活性に与える影響を測定することと；
対照試料中の、PFN1のレベル及び／又は活性、PGLYRP2のレベル及び／又は活性、VASNのレベル及び／又は活性、並びにIGFBP6のレベル及び／又は活性と比較して、アリコート中のPFN1のレベル及び／又は活性、PGLYRP2のレベル及び／又は活性、VASNのレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(622)  活性な結核（ＴＢ）を有する対象を治療する方法であって、PFN1の発現及び／又は活性、PGLYRP2のレベル及び／又は活性、VASNのレベル及び／又は活性、並びにIGFBP6のレベル及び／又は活性を調節する剤の有効量を前記対象に投与し、それによって前記対象を治療することを含む、前記方法。
(623)  対象が活性な結核（ＴＢ）を有するか否かを決定する方法であって、
前記対象から得られた試料中の、PFN1のレベル、PGLYRP2のレベル、VASNのレベル、及びCPN2のレベルを測定することと；
対象試料中のPFN1のレベル、PGLYRP2のレベル、VASNのレベル、及びCPN2のレベルを、対照試料中のPFN1のレベル、PGLYRP2のレベル、VASNのレベル、及びCPN2のレベルと比較することとを含み、前記対象試料中のPFN1のレベル、PGLYRP2のレベル、VASNのレベル、及びCPN2のレベルと前記対照試料中のPFN1のレベル、PGLYRP2のレベル、VASNのレベル、及びCPN2のレベルとの差が、前記対象が活性なＴＢを有することを示す、前記方法。
(624)  活性な結核（ＴＢ）を有する対象における治療の有効性を監視する方法であって、
前記治療の開始前に、前記対象から得られた第１の試料中の、PFN1のレベル、PGLYRP2のレベル、VASNのレベル、及びCPN2のレベルを測定することと；
前記治療の少なくとも一部が投与された後に前記対象から得られた第２の試料中の、PFN1のレベル、PGLYRP2のレベル、VASNのレベル、及びCPN2のレベルを測定することと；
前記第１の試料中のPFN1のレベル、PGLYRP2のレベル、VASNのレベル、及びCPN2のレベルを前記第２の試料中のPFN1のレベル、PGLYRP2のレベル、VASNのレベル、及びCPN2のレベルと比較することとを含み、前記第１の試料中のPFN1のレベル、PGLYRP2のレベル、VASNのレベル、及びCPN2のレベルと前記第２の試料中のPFN1のレベル、PGLYRP2のレベル、VASNのレベル、及びCPN2のレベルの差が、前記治療が有効であることを示す、前記方法。
(625)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、VASNのレベル及び／又は活性、並びにCPN2のレベル及び／又は活性に与える影響を測定することと；
対照試料中の、PFN1のレベル及び／又は活性、PGLYRP2のレベル及び／又は活性、VASNのレベル及び／又は活性、並びにCPN2のレベル及び／又は活性と比較して、アリコート中のPFN1のレベル及び／又は活性、PGLYRP2のレベル及び／又は活性、VASNのレベル及び／又は活性、並びにCPN2のレベル及び／又は活性を調節する化合物のライブラリーのメンバーを選択し、それによって、活性なＴＢを有する対象を治療するために有用な化合物を同定することを含む、前記方法。
(626)  活性な結核（ＴＢ）を有する対象を治療する方法であって、PFN1の発現及び／又は活性、PGLYRP2のレベル及び／又は活性、VASNのレベル及び／又は活性、並びにCPN2のレベル及び／又は活性を調節する剤の有効量を前記対象に投与し、それによって前記対象を治療することを含む、前記方法。
(627)  対象が活性な結核（ＴＢ）を有するか否かを決定する方法であって、
前記対象から得られた試料中の、CD14のレベル、TAGLN2のレベル、SEPP1のレベル、及びPGLYRP2のレベルを測定することと；
対象試料中のCD14のレベル、TAGLN2のレベル、SEPP1のレベル、及びPGLYRP2のレベルを、対照試料中のCD14のレベル、TAGLN2のレベル、SEPP1のレベル、及びPGLYRP2のレベルと比較することとを含み、前記対象試料中のCD14のレベル、TAGLN2のレベル、SEPP1のレベル、及びPGLYRP2のレベルと前記対照試料中のCD14のレベル、TAGLN2のレベル、SEPP1のレベル、及びPGLYRP2のレベルとの差が、前記対象が活性なＴＢを有することを示す、前記方法。
(628)  活性な結核（ＴＢ）を有する対象における治療の有効性を監視する方法であって、
前記治療の開始前に、前記対象から得られた第１の試料中の、CD14のレベル、TAGLN2のレベル、SEPP1のレベル、及びPGLYRP2のレベルを測定することと；
前記治療の少なくとも一部が投与された後に前記対象から得られた第２の試料中の、CD14のレベル、TAGLN2のレベル、SEPP1のレベル、及びPGLYRP2のレベルを測定することと；
前記第１の試料中のCD14のレベル、TAGLN2のレベル、SEPP1のレベル、及びPGLYRP2のレベルを前記第２の試料中のCD14のレベル、TAGLN2のレベル、SEPP1のレベル、及びPGLYRP2のレベルと比較することとを含み、前記第１の試料中のCD14のレベル、TAGLN2のレベル、SEPP1のレベル、及びPGLYRP2のレベルと前記第２の試料中のCD14のレベル、TAGLN2のレベル、SEPP1のレベル、及びPGLYRP2のレベルの差が、前記治療が有効であることを示す、前記方法。
(629)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、SEPP1のレベル及び／又は活性、並びにPGLYRP2のレベル及び／又は活性に与える影響を測定することと；
対照試料中の、CD14のレベル及び／又は活性、TAGLN2のレベル及び／又は活性、SEPP1のレベル及び／又は活性、並びにPGLYRP2のレベル及び／又は活性と比較して、アリコート中のCD14のレベル及び／又は活性、TAGLN2のレベル及び／又は活性、SEPP1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(630)  活性な結核（ＴＢ）を有する対象を治療する方法であって、CD14の発現及び／又は活性、TAGLN2のレベル及び／又は活性、SEPP1のレベル及び／又は活性、並びにPGLYRP2のレベル及び／又は活性を調節する剤の有効量を前記対象に投与し、それによって前記対象を治療することを含む、前記方法。
(631)  対象が活性な結核（ＴＢ）を有するか否かを決定する方法であって、
前記対象から得られた試料中の、PFN1のレベル、PGLYRP2のレベル、IGFBP6のレベル、及びCPN2のレベルを測定することと；
対象試料中のPFN1のレベル、PGLYRP2のレベル、IGFBP6のレベル、及びCPN2のレベルを、対照試料中のPFN1のレベル、PGLYRP2のレベル、IGFBP6のレベル、及びCPN2のレベルと比較することとを含み、前記対象試料中のPFN1のレベル、PGLYRP2のレベル、IGFBP6のレベル、及びCPN2のレベルと前記対照試料中のPFN1のレベル、PGLYRP2のレベル、IGFBP6のレベル、及びCPN2のレベルとの差が、前記対象が活性なＴＢを有することを示す、前記方法。
(632)  活性な結核（ＴＢ）を有する対象における治療の有効性を監視する方法であって、
前記治療の開始前に、前記対象から得られた第１の試料中の、PFN1のレベル、PGLYRP2のレベル、IGFBP6のレベル、及びCPN2のレベルを測定することと；
前記治療の少なくとも一部が投与された後に前記対象から得られた第２の試料中の、PFN1のレベル、PGLYRP2のレベル、IGFBP6のレベル、及びCPN2のレベルを測定することと；
前記第１の試料中のPFN1のレベル、PGLYRP2のレベル、IGFBP6のレベル、及びCPN2のレベルを前記第２の試料中のPFN1のレベル、PGLYRP2のレベル、IGFBP6のレベル、及びCPN2のレベルと比較することとを含み、前記第１の試料中のPFN1のレベル、PGLYRP2のレベル、IGFBP6のレベル、及びCPN2のレベルと前記第２の試料中のPFN1のレベル、PGLYRP2のレベル、IGFBP6のレベル、及びCPN2のレベルの差が、前記治療が有効であることを示す、前記方法。
(633)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、IGFBP6のレベル及び／又は活性、並びにCPN2のレベル及び／又は活性に与える影響を測定することと；
対照試料中の、PFN1のレベル及び／又は活性、PGLYRP2のレベル及び／又は活性、IGFBP6のレベル及び／又は活性、並びにCPN2のレベル及び／又は活性と比較して、アリコート中のPFN1のレベル及び／又は活性、PGLYRP2のレベル及び／又は活性、IGFBP6のレベル及び／又は活性、並びにCPN2のレベル及び／又は活性を調節する化合物のライブラリーのメンバーを選択し、それによって、活性なＴＢを有する対象を治療するために有用な化合物を同定することを含む、前記方法。
(634)  活性な結核（ＴＢ）を有する対象を治療する方法であって、PFN1の発現及び／又は活性、PGLYRP2のレベル及び／又は活性、IGFBP6のレベル及び／又は活性、並びにCPN2のレベル及び／又は活性を調節する剤の有効量を前記対象に投与し、それによって前記対象を治療することを含む、前記方法。
(635)  対象が活性な結核（ＴＢ）を有するか否かを決定する方法であって、
前記対象から得られた試料中の、CD14のレベル、TAGLN2のレベル、PFN1のレベル、及びIGFBP6のレベルを測定することと；
対象試料中のCD14のレベル、TAGLN2のレベル、PFN1のレベル、及びIGFBP6のレベルを、対照試料中のCD14のレベル、TAGLN2のレベル、PFN1のレベル、及びIGFBP6のレベルと比較することとを含み、前記対象試料中のCD14のレベル、TAGLN2のレベル、PFN1のレベル、及びIGFBP6のレベルと前記対照試料中のCD14のレベル、TAGLN2のレベル、PFN1のレベル、及びIGFBP6のレベルとの差が、前記対象が活性なＴＢを有することを示す、前記方法。
(636)  活性な結核（ＴＢ）を有する対象における治療の有効性を監視する方法であって、
前記治療の開始前に、前記対象から得られた第１の試料中の、CD14のレベル、TAGLN2のレベル、PFN1のレベル、及びIGFBP6のレベルを測定することと；
前記治療の少なくとも一部が投与された後に前記対象から得られた第２の試料中の、CD14のレベル、TAGLN2のレベル、PFN1のレベル、及びIGFBP6のレベルを測定することと；
前記第１の試料中のCD14のレベル、TAGLN2のレベル、PFN1のレベル、及びIGFBP6のレベルを前記第２の試料中のCD14のレベル、TAGLN2のレベル、PFN1のレベル、及びIGFBP6のレベルと比較することとを含み、前記第１の試料中のCD14のレベル、TAGLN2のレベル、PFN1のレベル、及びIGFBP6のレベルと前記第２の試料中のCD14のレベル、TAGLN2のレベル、PFN1のレベル、及びIGFBP6のレベルの差が、前記治療が有効であることを示す、前記方法。
(637)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、PFN1のレベル及び／又は活性、並びにIGFBP6のレベル及び／又は活性に与える影響を測定することと；
対照試料中の、CD14のレベル及び／又は活性、TAGLN2のレベル及び／又は活性、PFN1のレベル及び／又は活性、並びにIGFBP6のレベル及び／又は活性と比較して、アリコート中のCD14のレベル及び／又は活性、TAGLN2のレベル及び／又は活性、PFN1のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(638)  活性な結核（ＴＢ）を有する対象を治療する方法であって、CD14の発現及び／又は活性、TAGLN2のレベル及び／又は活性、PFN1のレベル及び／又は活性、並びにIGFBP6のレベル及び／又は活性を調節する剤の有効量を前記対象に投与し、それによって前記対象を治療することを含む、前記方法。
(639)  対象が活性な結核（ＴＢ）を有するか否かを決定する方法であって、
前記対象から得られた試料中の、PFN1のレベル、PGLYRP2のレベル、TAGLN2のレベル、及びCPN2のレベルを測定することと；
対象試料中のPFN1のレベル、PGLYRP2のレベル、TAGLN2のレベル、及びCPN2のレベルを、対照試料中のPFN1のレベル、PGLYRP2のレベル、TAGLN2のレベル、及びCPN2のレベルと比較することとを含み、前記対象試料中のPFN1のレベル、PGLYRP2のレベル、TAGLN2のレベル、及びCPN2のレベルと前記対照試料中のPFN1のレベル、PGLYRP2のレベル、TAGLN2のレベル、及びCPN2のレベルとの差が、前記対象が活性なＴＢを有することを示す、前記方法。
(640)  活性な結核（ＴＢ）を有する対象における治療の有効性を監視する方法であって、
前記治療の開始前に、前記対象から得られた第１の試料中の、PFN1のレベル、PGLYRP2のレベル、TAGLN2のレベル、及びCPN2のレベルを測定することと；
前記治療の少なくとも一部が投与された後に前記対象から得られた第２の試料中の、PFN1のレベル、PGLYRP2のレベル、TAGLN2のレベル、及びCPN2のレベルを測定することと；
前記第１の試料中のPFN1のレベル、PGLYRP2のレベル、TAGLN2のレベル、及びCPN2のレベルを前記第２の試料中のPFN1のレベル、PGLYRP2のレベル、TAGLN2のレベル、及びCPN2のレベルと比較することとを含み、前記第１の試料中のPFN1のレベル、PGLYRP2のレベル、TAGLN2のレベル、及びCPN2のレベルと前記第２の試料中のPFN1のレベル、PGLYRP2のレベル、TAGLN2のレベル、及びCPN2のレベルの差が、前記治療が有効であることを示す、前記方法。
(641)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、TAGLN2のレベル及び／又は活性、並びにCPN2のレベル及び／又は活性に与える影響を測定することと；
対照試料中の、PFN1のレベル及び／又は活性、PGLYRP2のレベル及び／又は活性、TAGLN2のレベル及び／又は活性、並びにCPN2のレベル及び／又は活性と比較して、アリコート中のPFN1のレベル及び／又は活性、PGLYRP2のレベル及び／又は活性、TAGLN2のレベル及び／又は活性、並びにCPN2のレベル及び／又は活性を調節する化合物のライブラリーのメンバーを選択し、それによって、活性なＴＢを有する対象を治療するために有用な化合物を同定することを含む、前記方法。
(642)  活性な結核（ＴＢ）を有する対象を治療する方法であって、PFN1の発現及び／又は活性、PGLYRP2のレベル及び／又は活性、TAGLN2のレベル及び／又は活性、並びにCPN2のレベル及び／又は活性を調節する剤の有効量を前記対象に投与し、それによって前記対象を治療することを含む、前記方法。
(643)  対象が活性な結核（ＴＢ）を有するか否かを決定する方法であって、
前記対象から得られた試料中の、CD14のレベル、SEPP1のレベル、PFN1のレベル、及びVASNのレベルを測定することと；
対象試料中のCD14のレベル、SEPP1のレベル、PFN1のレベル、及びVASNのレベルを、対照試料中のCD14のレベル、SEPP1のレベル、PFN1のレベル、及びVASNのレベルと比較することとを含み、前記対象試料中のCD14のレベル、SEPP1のレベル、PFN1のレベル、及びVASNのレベルと前記対照試料中のCD14のレベル、SEPP1のレベル、PFN1のレベル、及びVASNのレベルとの差が、前記対象が活性なＴＢを有することを示す、前記方法。
(644)  活性な結核（ＴＢ）を有する対象における治療の有効性を監視する方法であって、
前記治療の開始前に、前記対象から得られた第１の試料中の、CD14のレベル、SEPP1のレベル、PFN1のレベル、及びVASNのレベルを測定することと；
前記治療の少なくとも一部が投与された後に前記対象から得られた第２の試料中の、CD14のレベル、SEPP1のレベル、PFN1のレベル、及びVASNのレベルを測定することと；
前記第１の試料中のCD14のレベル、SEPP1のレベル、PFN1のレベル、及びVASNのレベルを前記第２の試料中のCD14のレベル、SEPP1のレベル、PFN1のレベル、及びVASNのレベルと比較することとを含み、前記第１の試料中のCD14のレベル、SEPP1のレベル、PFN1のレベル、及びVASNのレベルと前記第２の試料中のCD14のレベル、SEPP1のレベル、PFN1のレベル、及びVASNのレベルの差が、前記治療が有効であることを示す、前記方法。
(645)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、SEPP1のレベル及び／又は活性、PFN1のレベル及び／又は活性、並びにVASNのレベル及び／又は活性に与える影響を測定することと；
対照試料中の、CD14のレベル及び／又は活性、SEPP1のレベル及び／又は活性、PFN1のレベル及び／又は活性、並びにVASNのレベル及び／又は活性と比較して、アリコート中のCD14のレベル及び／又は活性、SEPP1のレベル及び／又は活性、PFN1のレベル及び／又は活性、並びにVASNのレベル及び／又は活性を調節する化合物のライブラリーのメンバーを選択し、それによって、活性なＴＢを有する対象を治療するために有用な化合物を同定することを含む、前記方法。
(646)  活性な結核（ＴＢ）を有する対象を治療する方法であって、CD14の発現及び／又は活性、SEPP1のレベル及び／又は活性、PFN1のレベル及び／又は活性、並びにVASNのレベル及び／又は活性を調節する剤の有効量を前記対象に投与し、それによって前記対象を治療することを含む、前記方法。
(647)  対象が活性な結核（ＴＢ）を有するか否かを決定する方法であって、
前記対象から得られた試料中の、CD14のレベル、TAGLN2のレベル、SEPP1のレベル、及びVASNのレベルを測定することと；
対象試料中のCD14のレベル、TAGLN2のレベル、SEPP1のレベル、及びVASNのレベルを、対照試料中のCD14のレベル、TAGLN2のレベル、SEPP1のレベル、及びVASNのレベルと比較することとを含み、前記対象試料中のCD14のレベル、TAGLN2のレベル、SEPP1のレベル、及びVASNのレベルと前記対照試料中のCD14のレベル、TAGLN2のレベル、SEPP1のレベル、及びVASNのレベルとの差が、前記対象が活性なＴＢを有することを示す、前記方法。
(648)  活性な結核（ＴＢ）を有する対象における治療の有効性を監視する方法であって、
前記治療の開始前に、前記対象から得られた第１の試料中の、CD14のレベル、TAGLN2のレベル、SEPP1のレベル、及びVASNのレベルを測定することと；
前記治療の少なくとも一部が投与された後に前記対象から得られた第２の試料中の、CD14のレベル、TAGLN2のレベル、SEPP1のレベル、及びVASNのレベルを測定することと；
前記第１の試料中のCD14のレベル、TAGLN2のレベル、SEPP1のレベル、及びVASNのレベルを前記第２の試料中のCD14のレベル、TAGLN2のレベル、SEPP1のレベル、及びVASNのレベルと比較することとを含み、前記第１の試料中のCD14のレベル、TAGLN2のレベル、SEPP1のレベル、及びVASNのレベルと前記第２の試料中のCD14のレベル、TAGLN2のレベル、SEPP1のレベル、及びVASNのレベルの差が、前記治療が有効であることを示す、前記方法。
(649)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、TAGLN2のレベル及び／又は活性、SEPP1のレベル及び／又は活性、並びにVASNのレベル及び／又は活性に与える影響を測定することと；
対照試料中の、CD14のレベル及び／又は活性、TAGLN2のレベル及び／又は活性、SEPP1のレベル及び／又は活性、並びにVASNのレベル及び／又は活性と比較して、アリコート中のCD14のレベル及び／又は活性、TAGLN2のレベル及び／又は活性、SEPP1のレベル及び／又は活性、並びにVASNのレベル及び／又は活性を調節する化合物のライブラリーのメンバーを選択し、それによって、活性なＴＢを有する対象を治療するために有用な化合物を同定することを含む、前記方法。
(650)  活性な結核（ＴＢ）を有する対象を治療する方法であって、CD14の発現及び／又は活性、TAGLN2のレベル及び／又は活性、SEPP1のレベル及び／又は活性、並びにVASNのレベル及び／又は活性を調節する剤の有効量を前記対象に投与し、それによって前記対象を治療することを含む、前記方法。
(651)  対象が活性な結核（ＴＢ）を有するか否かを決定する方法であって、
前記対象から得られた試料中の、IGFBP6のレベル、PGLYRP2のレベル、TAGLN2のレベル、及びCPN2のレベルを測定することと；
対象試料中のIGFBP6のレベル、PGLYRP2のレベル、TAGLN2のレベル、及びCPN2のレベルを、対照試料中のIGFBP6のレベル、PGLYRP2のレベル、TAGLN2のレベル、及びCPN2のレベルと比較することとを含み、前記対象試料中のIGFBP6のレベル、PGLYRP2のレベル、TAGLN2のレベル、及びCPN2のレベルと前記対照試料中のIGFBP6のレベル、PGLYRP2のレベル、TAGLN2のレベル、及びCPN2のレベルとの差が、前記対象が活性なＴＢを有することを示す、前記方法。
(652)  活性な結核（ＴＢ）を有する対象における治療の有効性を監視する方法であって、
前記治療の開始前に、前記対象から得られた第１の試料中の、IGFBP6のレベル、PGLYRP2のレベル、TAGLN2のレベル、及びCPN2のレベルを測定することと；
前記治療の少なくとも一部が投与された後に前記対象から得られた第２の試料中の、IGFBP6のレベル、PGLYRP2のレベル、TAGLN2のレベル、及びCPN2のレベルを測定することと；
前記第１の試料中のIGFBP6のレベル、PGLYRP2のレベル、TAGLN2のレベル、及びCPN2のレベルを前記第２の試料中のIGFBP6のレベル、PGLYRP2のレベル、TAGLN2のレベル、及びCPN2のレベルと比較することとを含み、前記第１の試料中のIGFBP6のレベル、PGLYRP2のレベル、TAGLN2のレベル、及びCPN2のレベルと前記第２の試料中のIGFBP6のレベル、PGLYRP2のレベル、TAGLN2のレベル、及びCPN2のレベルの差が、前記治療が有効であることを示す、前記方法。
(653)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のIGFBP6のレベル及び／又は活性、PGLYRP2のレベル及び／又は活性、TAGLN2のレベル及び／又は活性、並びにCPN2のレベル及び／又は活性に与える影響を測定することと；
対照試料中の、IGFBP6のレベル及び／又は活性、PGLYRP2のレベル及び／又は活性、TAGLN2のレベル及び／又は活性、並びにCPN2のレベル及び／又は活性と比較して、アリコート中のIGFBP6のレベル及び／又は活性、PGLYRP2のレベル及び／又は活性、TAGLN2のレベル及び／又は活性、並びにCPN2のレベル及び／又は活性を調節する化合物のライブラリーのメンバーを選択し、それによって、活性なＴＢを有する対象を治療するために有用な化合物を同定することを含む、前記方法。
(654)  活性な結核（ＴＢ）を有する対象を治療する方法であって、IGFBP6の発現及び／又は活性、PGLYRP2のレベル及び／又は活性、TAGLN2のレベル及び／又は活性、並びにCPN2のレベル及び／又は活性を調節する剤の有効量を前記対象に投与し、それによって前記対象を治療することを含む、前記方法。
(655)  対象が活性な結核（ＴＢ）を有するか否かを決定する方法であって、
前記対象から得られた試料中の、PFN1のレベル、PGLYRP2のレベル、VASNのレベル、及びTAGLN2のレベルを測定することと；
対象試料中のPFN1のレベル、PGLYRP2のレベル、VASNのレベル、及びTAGLN2のレベルを、対照試料中のPFN1のレベル、PGLYRP2のレベル、VASNのレベル、及びTAGLN2のレベルと比較することとを含み、前記対象試料中のPFN1のレベル、PGLYRP2のレベル、VASNのレベル、及びTAGLN2のレベルと前記対照試料中のPFN1のレベル、PGLYRP2のレベル、VASNのレベル、及びTAGLN2のレベルとの差が、前記対象が活性なＴＢを有することを示す、前記方法。
(656)  活性な結核（ＴＢ）を有する対象における治療の有効性を監視する方法であって、
前記治療の開始前に、前記対象から得られた第１の試料中の、PFN1のレベル、PGLYRP2のレベル、VASNのレベル、及びTAGLN2のレベルを測定することと；
前記治療の少なくとも一部が投与された後に前記対象から得られた第２の試料中の、PFN1のレベル、PGLYRP2のレベル、VASNのレベル、及びTAGLN2のレベルを測定することと；
前記第１の試料中のPFN1のレベル、PGLYRP2のレベル、VASNのレベル、及びTAGLN2のレベルを前記第２の試料中のPFN1のレベル、PGLYRP2のレベル、VASNのレベル、及びTAGLN2のレベルと比較することとを含み、前記第１の試料中のPFN1のレベル、PGLYRP2のレベル、VASNのレベル、及びTAGLN2のレベルと前記第２の試料中のPFN1のレベル、PGLYRP2のレベル、VASNのレベル、及びTAGLN2のレベルの差が、前記治療が有効であることを示す、前記方法。
(657)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、VASNのレベル及び／又は活性、並びにTAGLN2のレベル及び／又は活性に与える影響を測定することと；
対照試料中の、PFN1のレベル及び／又は活性、PGLYRP2のレベル及び／又は活性、VASNのレベル及び／又は活性、並びにTAGLN2のレベル及び／又は活性と比較して、アリコート中のPFN1のレベル及び／又は活性、PGLYRP2のレベル及び／又は活性、VASNのレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(658)  活性な結核（ＴＢ）を有する対象を治療する方法であって、PFN1の発現及び／又は活性、PGLYRP2のレベル及び／又は活性、VASNのレベル及び／又は活性、並びにTAGLN2のレベル及び／又は活性を調節する剤の有効量を前記対象に投与し、それによって前記対象を治療することを含む、前記方法。
(659)  対象が活性な結核（ＴＢ）を有するか否かを決定する方法であって、
前記対象から得られた試料中の、PFN1のレベル、PGLYRP2のレベル、VASNのレベル、及びSEPP1のレベルを測定することと；
対象試料中のPFN1のレベル、PGLYRP2のレベル、VASNのレベル、及びSEPP1のレベルを、対照試料中のPFN1のレベル、PGLYRP2のレベル、VASNのレベル、及びSEPP1のレベルと比較することとを含み、前記対象試料中のPFN1のレベル、PGLYRP2のレベル、VASNのレベル、及びSEPP1のレベルと前記対照試料中のPFN1のレベル、PGLYRP2のレベル、VASNのレベル、及びSEPP1のレベルとの差が、前記対象が活性なＴＢを有することを示す、前記方法。
(660)  活性な結核（ＴＢ）を有する対象における治療の有効性を監視する方法であって、
前記治療の開始前に、前記対象から得られた第１の試料中の、PFN1のレベル、PGLYRP2のレベル、VASNのレベル、及びSEPP1のレベルを測定することと；
前記治療の少なくとも一部が投与された後に前記対象から得られた第２の試料中の、PFN1のレベル、PGLYRP2のレベル、VASNのレベル、及びSEPP1のレベルを測定することと；
前記第１の試料中のPFN1のレベル、PGLYRP2のレベル、VASNのレベル、及びSEPP1のレベルを前記第２の試料中のPFN1のレベル、PGLYRP2のレベル、VASNのレベル、及びSEPP1のレベルと比較することとを含み、前記第１の試料中のPFN1のレベル、PGLYRP2のレベル、VASNのレベル、及びSEPP1のレベルと前記第２の試料中のPFN1のレベル、PGLYRP2のレベル、VASNのレベル、及びSEPP1のレベルの差が、前記治療が有効であることを示す、前記方法。
(661)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PGLYRP2のレベル及び／又は活性、VASNのレベル及び／又は活性、並びにSEPP1のレベル及び／又は活性に与える影響を測定することと；
対照試料中の、PFN1のレベル及び／又は活性、PGLYRP2のレベル及び／又は活性、VASNのレベル及び／又は活性、並びにSEPP1のレベル及び／又は活性と比較して、アリコート中のPFN1のレベル及び／又は活性、PGLYRP2のレベル及び／又は活性、VASNのレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(662)  活性な結核（ＴＢ）を有する対象を治療する方法であって、PFN1の発現及び／又は活性、PGLYRP2のレベル及び／又は活性、VASNのレベル及び／又は活性、並びにSEPP1のレベル及び／又は活性を調節する剤の有効量を前記対象に投与し、それによって前記対象を治療することを含む、前記方法。
(663)  対象が活性な結核（ＴＢ）を有するか否かを決定する方法であって、
前記対象から得られた試料中の、CD14のレベル、CPN2のレベル、SEPP1のレベル、及びPGLYRP2のレベルを測定することと；
対象試料中のCD14のレベル、CPN2のレベル、SEPP1のレベル、及びPGLYRP2のレベルを、対照試料中のCD14のレベル、CPN2のレベル、SEPP1のレベル、及びPGLYRP2のレベルと比較することとを含み、前記対象試料中のCD14のレベル、CPN2のレベル、SEPP1のレベル、及びPGLYRP2のレベルと前記対照試料中のCD14のレベル、CPN2のレベル、SEPP1のレベル、及びPGLYRP2のレベルとの差が、前記対象が活性なＴＢを有することを示す、前記方法。
(664)  活性な結核（ＴＢ）を有する対象における治療の有効性を監視する方法であって、
前記治療の開始前に、前記対象から得られた第１の試料中の、CD14のレベル、CPN2のレベル、SEPP1のレベル、及びPGLYRP2のレベルを測定することと；
前記治療の少なくとも一部が投与された後に前記対象から得られた第２の試料中の、CD14のレベル、CPN2のレベル、SEPP1のレベル、及びPGLYRP2のレベルを測定することと；
前記第１の試料中のCD14のレベル、CPN2のレベル、SEPP1のレベル、及びPGLYRP2のレベルを前記第２の試料中のCD14のレベル、CPN2のレベル、SEPP1のレベル、及びPGLYRP2のレベルと比較することとを含み、前記第１の試料中のCD14のレベル、CPN2のレベル、SEPP1のレベル、及びPGLYRP2のレベルと前記第２の試料中のCD14のレベル、CPN2のレベル、SEPP1のレベル、及びPGLYRP2のレベルの差が、前記治療が有効であることを示す、前記方法。
(665)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、SEPP1のレベル及び／又は活性、並びにPGLYRP2のレベル及び／又は活性に与える影響を測定することと；
対照試料中の、CD14のレベル及び／又は活性、CPN2のレベル及び／又は活性、SEPP1のレベル及び／又は活性、並びにPGLYRP2のレベル及び／又は活性と比較して、アリコート中のCD14のレベル及び／又は活性、CPN2のレベル及び／又は活性、SEPP1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(666)  活性な結核（ＴＢ）を有する対象を治療する方法であって、CD14の発現及び／又は活性、CPN2のレベル及び／又は活性、SEPP1のレベル及び／又は活性、並びにPGLYRP2のレベル及び／又は活性を調節する剤の有効量を前記対象に投与し、それによって前記対象を治療することを含む、前記方法。
(667)  対象が活性な結核（ＴＢ）を有するか否かを決定する方法であって、
前記対象から得られた試料中の、CD14のレベル、CPN2のレベル、VASNのレベル、及びPGLYRP2のレベルを測定することと；
対象試料中のCD14のレベル、CPN2のレベル、VASNのレベル、及びPGLYRP2のレベルを、対照試料中のCD14のレベル、CPN2のレベル、VASNのレベル、及びPGLYRP2のレベルと比較することとを含み、前記対象試料中のCD14のレベル、CPN2のレベル、VASNのレベル、及びPGLYRP2のレベルと前記対照試料中のCD14のレベル、CPN2のレベル、VASNのレベル、及びPGLYRP2のレベルとの差が、前記対象が活性なＴＢを有することを示す、前記方法。
(668)  活性な結核（ＴＢ）を有する対象における治療の有効性を監視する方法であって、
前記治療の開始前に、前記対象から得られた第１の試料中の、CD14のレベル、CPN2のレベル、VASNのレベル、及びPGLYRP2のレベルを測定することと；
前記治療の少なくとも一部が投与された後に前記対象から得られた第２の試料中の、CD14のレベル、CPN2のレベル、VASNのレベル、及びPGLYRP2のレベルを測定することと；
前記第１の試料中のCD14のレベル、CPN2のレベル、VASNのレベル、及びPGLYRP2のレベルを前記第２の試料中のCD14のレベル、CPN2のレベル、VASNのレベル、及びPGLYRP2のレベルと比較することとを含み、前記第１の試料中のCD14のレベル、CPN2のレベル、VASNのレベル、及びPGLYRP2のレベルと前記第２の試料中のCD14のレベル、CPN2のレベル、VASNのレベル、及びPGLYRP2のレベルの差が、前記治療が有効であることを示す、前記方法。
(669)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のCD14のレベル及び／又は活性、CPN2のレベル及び／又は活性、VASNのレベル及び／又は活性、並びにPGLYRP2のレベル及び／又は活性に与える影響を測定することと；
対照試料中の、CD14のレベル及び／又は活性、CPN2のレベル及び／又は活性、VASNのレベル及び／又は活性、並びにPGLYRP2のレベル及び／又は活性と比較して、アリコート中のCD14のレベル及び／又は活性、CPN2のレベル及び／又は活性、VASNのレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(670)  活性な結核（ＴＢ）を有する対象を治療する方法であって、CD14の発現及び／又は活性、CPN2のレベル及び／又は活性、VASNのレベル及び／又は活性、並びにPGLYRP2のレベル及び／又は活性を調節する剤の有効量を前記対象に投与し、それによって前記対象を治療することを含む、前記方法。
(671)  対象が活性な結核（ＴＢ）を有するか否かを決定する方法であって、
前記対象から得られた試料中の、LCP1のレベル、VASNのレベル、PFN1のレベル、及びIGFBP6のレベルを測定することと；
対象試料中のLCP1のレベル、VASNのレベル、PFN1のレベル、及びIGFBP6のレベルを、対照試料中のLCP1のレベル、VASNのレベル、PFN1のレベル、及びIGFBP6のレベルと比較することとを含み、前記対象試料中のLCP1のレベル、VASNのレベル、PFN1のレベル、及びIGFBP6のレベルと前記対照試料中のLCP1のレベル、VASNのレベル、PFN1のレベル、及びIGFBP6のレベルとの差が、前記対象が活性なＴＢを有することを示す、前記方法。
(672)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びIGFBP6のレベルを測定することと；
前記治療の少なくとも一部が投与された後に前記対象から得られた第２の試料中の、LCP1のレベル、VASNのレベル、PFN1のレベル、及びIGFBP6のレベルを測定することと；
前記第１の試料中のLCP1のレベル、VASNのレベル、PFN1のレベル、及びIGFBP6のレベルを前記第２の試料中のLCP1のレベル、VASNのレベル、PFN1のレベル、及びIGFBP6のレベルと比較することとを含み、前記第１の試料中のLCP1のレベル、VASNのレベル、PFN1のレベル、及びIGFBP6のレベルと前記第２の試料中のLCP1のレベル、VASNのレベル、PFN1のレベル、及びIGFBP6のレベルの差が、前記治療が有効であることを示す、前記方法。
(673)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル、PFN1のレベル、並びにIGFBP6のレベルに与える影響を測定することと；
対照試料中の、LCP1のレベル及び／又は活性、VASNのレベル及び／又は活性、PFN1のレベル及び／又は活性、並びにIGFBP6のレベル及び／又は活性と比較して、アリコート中のLCP1のレベル及び／又は活性、VASNのレベル及び／又は活性、PFN1のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(674)  活性な結核（ＴＢ）を有する対象を治療する方法であって、LCP1の発現及び／又は活性、VASNのレベル及び／又は活性、PFN1のレベル及び／又は活性、並びにIGFBP6のレベル及び／又は活性を調節する剤の有効量を前記対象に投与し、それによって前記対象を治療することを含む、前記方法。
(675)  対象が活性な結核（ＴＢ）を有するか否かを決定する方法であって、
前記対象から得られた試料中の、LCP1のレベル、VASNのレベル、PFN1のレベル、及びLRG1のレベルを測定することと；
対象試料中のLCP1のレベル、VASNのレベル、PFN1のレベル、及びLRG1のレベルを、対照試料中のLCP1のレベル、VASNのレベル、PFN1のレベル、及びLRG1のレベルと比較することとを含み、前記対象試料中のLCP1のレベル、VASNのレベル、PFN1のレベル、及びLRG1のレベルと前記対照試料中のLCP1のレベル、VASNのレベル、PFN1のレベル、及びLRG1のレベルとの差が、前記対象が活性なＴＢを有することを示す、前記方法。
(676)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びLRG1のレベルを測定することと；
前記治療の少なくとも一部が投与された後に前記対象から得られた第２の試料中の、LCP1のレベル、VASNのレベル、PFN1のレベル、及びLRG1のレベルを測定することと；
前記第１の試料中のLCP1のレベル、VASNのレベル、PFN1のレベル、及びLRG1のレベルを前記第２の試料中のLCP1のレベル、VASNのレベル、PFN1のレベル、及びLRG1のレベルと比較することとを含み、前記第１の試料中のLCP1のレベル、VASNのレベル、PFN1のレベル、及びLRG1のレベルと前記第２の試料中のLCP1のレベル、VASNのレベル、PFN1のレベル、及びLRG1のレベルの差が、前記治療が有効であることを示す、前記方法。
(677)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のLCP1のレベル及び／又は活性、VASNのレベル, PFN1のレベル、並びにLRG1のレベルに与える影響を測定することと；
対照試料中の、LCP1のレベル及び／又は活性、VASNのレベル、PFN1のレベル、並びにLRG1のレベルと比較して、アリコート中のLCP1のレベル及び／又は活性、VASNのレベル、PFN1のレベル、並びにLRG1のレベルを調節する化合物のライブラリーのメンバーを選択し、それによって、活性なＴＢを有する対象を治療するために有用な化合物を同定することを含む、前記方法。
(678)  活性な結核（ＴＢ）を有する対象を治療する方法であって、LCP1の発現及び／又は活性、VASNのレベル、PFN1のレベル、及びLRG1のレベルを調節する剤の有効量を前記対象に投与し、それによって前記対象を治療することを含む、前記方法。
(679)  対象が活性な結核（ＴＢ）を有するか否かを決定する方法であって、
前記対象から得られた試料中の、LCP1のレベル、VASNのレベル、PFN1のレベル、及びPGLYRP2のレベルを測定することと；
対象試料中のLCP1のレベル、VASNのレベル、PFN1のレベル、及びPGLYRP2のレベルを、対照試料中のLCP1のレベル、VASNのレベル、PFN1のレベル、及びPGLYRP2のレベルと比較することとを含み、前記対象試料中のLCP1のレベル、VASNのレベル、PFN1のレベル、及びPGLYRP2のレベルと前記対照試料中のLCP1のレベル、VASNのレベル、PFN1のレベル、及びPGLYRP2のレベルとの差が、前記対象が活性なＴＢを有することを示す、前記方法。
(680)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びPGLYRP2のレベルを測定することと；
前記治療の少なくとも一部が投与された後に前記対象から得られた第２の試料中の、LCP1のレベル、VASNのレベル、PFN1のレベル、及びPGLYRP2のレベルを測定することと；
前記第１の試料中のLCP1のレベル、VASNのレベル、PFN1のレベル、及びPGLYRP2のレベルを前記第２の試料中のLCP1のレベル、VASNのレベル、PFN1のレベル、及びPGLYRP2のレベルと比較することとを含み、前記第１の試料中のLCP1のレベル、VASNのレベル、PFN1のレベル、及びPGLYRP2のレベルと前記第２の試料中のLCP1のレベル、VASNのレベル、PFN1のレベル、及びPGLYRP2のレベルの差が、前記治療が有効であることを示す、前記方法。
(681)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにPGLYRP2のレベル及び／又は活性に与える影響を測定することと；
対照試料中の、LCP1のレベル及び／又は活性、VASNのレベル及び／又は活性、PFN1のレベル及び／又は活性、並びにPGLYRP2のレベル及び／又は活性と比較して、アリコート中のLCP1のレベル及び／又は活性、VASNのレベル及び／又は活性、PFN1のレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(682)  活性な結核（ＴＢ）を有する対象を治療する方法であって、LCP1の発現及び／又は活性、VASNのレベル及び／又は活性、PFN1のレベル及び／又は活性、並びにPGLYRP2のレベル及び／又は活性を調節する剤の有効量を前記対象に投与し、それによって前記対象を治療することを含む、前記方法。
(683)  対象が活性な結核（ＴＢ）を有するか否かを決定する方法であって、
前記対象から得られた試料中の、LCP1のレベル、VASNのレベル、PFN1のレベル、及びAPOA4のレベルを測定することと；
対象試料中のLCP1のレベル、VASNのレベル、PFN1のレベル、及びAPOA4のレベルを、対照試料中のLCP1のレベル、VASNのレベル、PFN1のレベル、及びAPOA4のレベルと比較することとを含み、前記対象試料中のLCP1のレベル、VASNのレベル、PFN1のレベル、及びAPOA4のレベルと前記対照試料中のLCP1のレベル、VASNのレベル、PFN1のレベル、及びAPOA4のレベルとの差が、前記対象が活性なＴＢを有することを示す、前記方法。
(684)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びAPOA4のレベルを測定することと；
前記治療の少なくとも一部が投与された後に前記対象から得られた第２の試料中の、LCP1のレベル、VASNのレベル、PFN1のレベル、及びAPOA4のレベルを測定することと；
前記第１の試料中のLCP1のレベル、VASNのレベル、PFN1のレベル、及びAPOA4のレベルを前記第２の試料中のLCP1のレベル、VASNのレベル、PFN1のレベル、及びAPOA4のレベルと比較することとを含み、前記第１の試料中のLCP1のレベル、VASNのレベル、PFN1のレベル、及びAPOA4のレベルと前記第２の試料中のLCP1のレベル、VASNのレベル、PFN1のレベル、及びAPOA4のレベルの差が、前記治療が有効であることを示す、前記方法。
(685)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにAPOA4のレベル及び／又は活性に与える影響を測定することと；
対照試料中の、LCP1のレベル及び／又は活性、VASNのレベル及び／又は活性、PFN1のレベル及び／又は活性、並びにAPOA4のレベル及び／又は活性と比較して、アリコート中のLCP1のレベル及び／又は活性、VASNのレベル及び／又は活性、PFN1のレベル及び／又は活性、並びにAPOA4のレベル及び／又は活性を調節する化合物のライブラリーのメンバーを選択し、それによって、活性なＴＢを有する対象を治療するために有用な化合物を同定することを含む、前記方法。
(686)  活性な結核（ＴＢ）を有する対象を治療する方法であって、LCP1の発現及び／又は活性、VASNのレベル及び／又は活性、PFN1のレベル及び／又は活性、並びにAPOA4のレベル及び／又は活性を調節する剤の有効量を前記対象に投与し、それによって前記対象を治療することを含む、前記方法。
(687)  対象が活性な結核（ＴＢ）を有するか否かを決定する方法であって、
前記対象から得られた試料中の、LCP1のレベル、VASNのレベル、PFN1のレベル、及びBCHEのレベルを測定することと；
対象試料中のLCP1のレベル、VASNのレベル、PFN1のレベル、及びBCHEのレベルを、対照試料中のLCP1のレベル、VASNのレベル、PFN1のレベル、及びBCHEのレベルと比較することとを含み、前記対象試料中のLCP1のレベル、VASNのレベル、PFN1のレベル、及びBCHEのレベルと前記対照試料中のLCP1のレベル、VASNのレベル、PFN1のレベル、及びBCHEのレベルとの差が、前記対象が活性なＴＢを有することを示す、前記方法。
(688)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びBCHEのレベルを測定することと；
前記治療の少なくとも一部が投与された後に前記対象から得られた第２の試料中の、LCP1のレベル、VASNのレベル、PFN1のレベル、及びBCHEのレベルを測定することと；
前記第１の試料中のLCP1のレベル、VASNのレベル、PFN1のレベル、及びBCHEのレベルを前記第２の試料中のLCP1のレベル、VASNのレベル、PFN1のレベル、及びBCHEのレベルと比較することとを含み、前記第１の試料中のLCP1のレベル、VASNのレベル、PFN1のレベル、及びBCHEのレベルと前記第２の試料中のLCP1のレベル、VASNのレベル、PFN1のレベル、及びBCHEのレベルの差が、前記治療が有効であることを示す、前記方法。
(689)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにBCHEのレベル及び／又は活性に与える影響を測定することと；
対照試料中の、本発明のLCP1のレベル及び／又は活性、VASNのレベル及び／又は活性、PFN1のレベル及び／又は活性、並びにBCHEのレベル及び／又は活性と比較して、アリコート中のLCP1のレベル及び／又は活性、VASNのレベル及び／又は活性、PFN1のレベル及び／又は活性、並びにBCHEのレベル及び／又は活性を調節する化合物のライブラリーのメンバーを選択し、それによって、活性なＴＢを有する対象を治療するために有用な化合物を同定することを含む、前記方法。
(690)  活性な結核（ＴＢ）を有する対象を治療する方法であって、LCP1の発現及び／又は活性、VASNのレベル及び／又は活性、PFN1のレベル及び／又は活性、並びにBCHEのレベル及び／又は活性を調節する剤の有効量を前記対象に投与し、それによって前記対象を治療することを含む、前記方法。
(691)  対象が活性な結核（ＴＢ）を有するか否かを決定する方法であって、
前記対象から得られた試料中の、LCP1のレベル、VASNのレベル、PFN1のレベル、及びPI16のレベルを測定することと；
対象試料中のLCP1のレベル、VASNのレベル、PFN1のレベル、及びPI16のレベルを、対照試料中のLCP1のレベル、VASNのレベル、PFN1のレベル、及びPI16のレベルと比較することとを含み、前記対象試料中のLCP1のレベル、VASNのレベル、PFN1のレベル、及びPI16のレベルと前記対照試料中のLCP1のレベル、VASNのレベル、PFN1のレベル、及びPI16のレベルとの差が、前記対象が活性なＴＢを有することを示す、前記方法。
(692)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びPI16のレベルを測定することと；
前記治療の少なくとも一部が投与された後に前記対象から得られた第２の試料中の、LCP1のレベル、VASNのレベル、PFN1のレベル、及びPI16のレベルを測定することと；
前記第１の試料中のLCP1のレベル、VASNのレベル、PFN1のレベル、及びPI16のレベルを前記第２の試料中のLCP1のレベル、VASNのレベル、PFN1のレベル、及びPI16のレベルと比較することとを含み、前記第１の試料中のLCP1のレベル、VASNのレベル、PFN1のレベル、及びPI16のレベルと前記第２の試料中のLCP1のレベル、VASNのレベル、PFN1のレベル、及びPI16のレベルの差が、前記治療が有効であることを示す、前記方法。
(693)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにPI16のレベル及び／又は活性に与える影響を測定することと；
対照試料中の、LCP1のレベル及び／又は活性、VASNのレベル及び／又は活性、PFN1のレベル及び／又は活性、並びにPI16のレベル及び／又は活性と比較して、アリコート中のLCP1のレベル及び／又は活性、VASNのレベル及び／又は活性、PFN1のレベル及び／又は活性、並びにPI16のレベル及び／又は活性を調節する化合物のライブラリーのメンバーを選択し、それによって、活性なＴＢを有する対象を治療するために有用な化合物を同定することを含む、前記方法。
(694)  活性な結核（ＴＢ）を有する対象を治療する方法であって、LCP1の発現及び／又は活性、VASNのレベル及び／又は活性、PFN1のレベル及び／又は活性、並びにPI16のレベル及び／又は活性を調節する剤の有効量を前記対象に投与し、それによって前記対象を治療することを含む、前記方法。
(695)  対象が活性な結核（ＴＢ）を有するか否かを決定する方法であって、
前記対象から得られた試料中の、LCP1のレベル、VASNのレベル、PFN1のレベル、及びSEPP1のレベルを測定することと；
対象試料中のLCP1のレベル、VASNのレベル、PFN1のレベル、及びSEPP1のレベルを、対照試料中のLCP1のレベル、VASNのレベル、PFN1のレベル、及びSEPP1のレベルと比較することとを含み、前記対象試料中のLCP1のレベル、VASNのレベル、PFN1のレベル、及びSEPP1のレベルと前記対照試料中のLCP1のレベル、VASNのレベル、PFN1のレベル、及びSEPP1のレベルとの差が、前記対象が活性なＴＢを有することを示す、前記方法。
(696)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びSEPP1のレベルを測定することと；
前記治療の少なくとも一部が投与された後に前記対象から得られた第２の試料中の、LCP1のレベル、VASNのレベル、PFN1のレベル、及びSEPP1のレベルを測定することと；
前記第１の試料中のLCP1のレベル、VASNのレベル、PFN1のレベル、及びSEPP1のレベルを前記第２の試料中のLCP1のレベル、VASNのレベル、PFN1のレベル、及びSEPP1のレベルと比較することとを含み、前記第１の試料中のLCP1のレベル、VASNのレベル、PFN1のレベル、及びSEPP1のレベルと前記第２の試料中のLCP1のレベル、VASNのレベル、PFN1のレベル、及びSEPP1のレベルの差が、前記治療が有効であることを示す、前記方法。
(697)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにSEPP1のレベル及び／又は活性に与える影響を測定することと；
対照試料中の、LCP1のレベル及び／又は活性、VASNのレベル及び／又は活性、PFN1のレベル及び／又は活性、並びにSEPP1のレベル及び／又は活性と比較して、アリコート中のLCP1のレベル及び／又は活性、VASNのレベル及び／又は活性、PFN1のレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(698)  活性な結核（ＴＢ）を有する対象を治療する方法であって、LCP1の発現及び／又は活性、VASNのレベル及び／又は活性、PFN1のレベル及び／又は活性、並びにSEPP1のレベル及び／又は活性を調節する剤の有効量を前記対象に投与し、それによって前記対象を治療することを含む、前記方法。
(699)  対象が活性な結核（ＴＢ）を有するか否かを決定する方法であって、
前記対象から得られた試料中の、LCP1のレベル、VASNのレベル、PFN1のレベル、及びAPOA1のレベルを測定することと；
対象試料中のLCP1のレベル、VASNのレベル、PFN1のレベル、及びAPOA1のレベルを、対照試料中のLCP1のレベル、VASNのレベル、PFN1のレベル、及びAPOA1のレベルと比較することとを含み、前記対象試料中のLCP1のレベル、VASNのレベル、PFN1のレベル、及びAPOA1のレベルと前記対照試料中のLCP1のレベル、VASNのレベル、PFN1のレベル、及びAPOA1のレベルとの差が、前記対象が活性なＴＢを有することを示す、前記方法。
(700)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びAPOA1のレベルを測定することと；
前記治療の少なくとも一部が投与された後に前記対象から得られた第２の試料中の、LCP1のレベル、VASNのレベル、PFN1のレベル、及びAPOA1のレベルを測定することと；
前記第１の試料中のLCP1のレベル、VASNのレベル、PFN1のレベル、及びAPOA1のレベルを前記第２の試料中のLCP1のレベル、VASNのレベル、PFN1のレベル、及びAPOA1のレベルと比較することとを含み、前記第１の試料中のLCP1のレベル、VASNのレベル、PFN1のレベル、及びAPOA1のレベルと前記第２の試料中のLCP1のレベル、VASNのレベル、PFN1のレベル、及びAPOA1のレベルの差が、前記治療が有効であることを示す、前記方法。
(701)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにAPOA1のレベル及び／又は活性に与える影響を測定することと；
対照試料中の、LCP1のレベル及び／又は活性、VASNのレベル及び／又は活性、PFN1のレベル及び／又は活性、並びにAPOA1のレベル及び／又は活性と比較して、アリコート中のLCP1のレベル及び／又は活性、VASNのレベル及び／又は活性、PFN1のレベル及び／又は活性、並びにAPOA1のレベル及び／又は活性を調節する化合物のライブラリーのメンバーを選択し、それによって、活性なＴＢを有する対象を治療するために有用な化合物を同定することを含む、前記方法。
(702)  活性な結核（ＴＢ）を有する対象を治療する方法であって、LCP1の発現及び／又は活性、VASNのレベル及び／又は活性、PFN1のレベル及び／又は活性、並びにAPOA1のレベル及び／又は活性を調節する剤の有効量を前記対象に投与し、それによって前記対象を治療することを含む、前記方法。
(703)  対象が活性な結核（ＴＢ）を有するか否かを決定する方法であって、
前記対象から得られた試料中の、LCP1のレベル、VASNのレベル、PFN1のレベル、及びIGFALSのレベルを測定することと；
対象試料中のLCP1のレベル、VASNのレベル、PFN1のレベル、及びIGFALSのレベルを、対照試料中のLCP1のレベル、VASNのレベル、PFN1のレベル、及びIGFALSのレベルと比較することとを含み、前記対象試料中のLCP1のレベル、VASNのレベル、PFN1のレベル、及びIGFALSのレベルと前記対照試料中のLCP1のレベル、VASNのレベル、PFN1のレベル、及びIGFALSのレベルとの差が、前記対象が活性なＴＢを有することを示す、前記方法。
(704)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びIGFALSのレベルを測定することと；
前記治療の少なくとも一部が投与された後に前記対象から得られた第２の試料中の、LCP1のレベル、VASNのレベル、PFN1のレベル、及びIGFALSのレベルを測定することと；
前記第１の試料中のLCP1のレベル、VASNのレベル、PFN1のレベル、及びIGFALSのレベルを前記第２の試料中のLCP1のレベル、VASNのレベル、PFN1のレベル、及びIGFALSのレベルと比較することとを含み、前記第１の試料中のLCP1のレベル、VASNのレベル、PFN1のレベル、及びIGFALSのレベルと前記第２の試料中のLCP1のレベル、VASNのレベル、PFN1のレベル、及びIGFALSのレベルの差が、前記治療が有効であることを示す、前記方法。
(705)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにIGFALSのレベル及び／又は活性に与える影響を測定することと；
対照試料中の、LCP1のレベル及び／又は活性、VASNのレベル及び／又は活性、PFN1のレベル及び／又は活性、並びにIGFALSのレベル及び／又は活性と比較して、アリコート中のLCP1のレベル及び／又は活性、VASNのレベル及び／又は活性、PFN1のレベル及び／又は活性、並びにIGFALSのレベル及び／又は活性を調節する化合物のライブラリーのメンバーを選択し、それによって、活性なＴＢを有する対象を治療するために有用な化合物を同定することを含む、前記方法。
(706)  活性な結核（ＴＢ）を有する対象を治療する方法であって、LCP1の発現及び／又は活性、VASNのレベル及び／又は活性、PFN1のレベル及び／又は活性、並びにIGFALSのレベル及び／又は活性を調節する剤の有効量を前記対象に投与し、それによって前記対象を治療することを含む、前記方法。
(707)  対象が活性な結核（ＴＢ）を有するか否かを決定する方法であって、
前記対象から得られた試料中の、LCP1のレベル、VASNのレベル、PFN1のレベル、及びCD14のレベルを測定することと；
対象試料中のLCP1のレベル、VASNのレベル、PFN1のレベル、及びCD14のレベルを、対照試料中のLCP1のレベル、VASNのレベル、PFN1のレベル、及びCD14のレベルと比較することとを含み、前記対象試料中のLCP1のレベル、VASNのレベル、PFN1のレベル、及びCD14のレベルと前記対照試料中のLCP1のレベル、VASNのレベル、PFN1のレベル、及びCD14のレベルとの差が、前記対象が活性なＴＢを有することを示す、前記方法。
(708)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びCD14のレベルを測定することと；
前記治療の少なくとも一部が投与された後に前記対象から得られた第２の試料中の、LCP1のレベル、VASNのレベル、PFN1のレベル、及びCD14のレベルを測定することと；
前記第１の試料中のLCP1のレベル、VASNのレベル、PFN1のレベル、及びCD14のレベルを前記第２の試料中のLCP1のレベル、VASNのレベル、PFN1のレベル、及びCD14のレベルと比較することとを含み、前記第１の試料中のLCP1のレベル、VASNのレベル、PFN1のレベル、及びCD14のレベルと前記第２の試料中のLCP1のレベル、VASNのレベル、PFN1のレベル、及びCD14のレベルの差が、前記治療が有効であることを示す、前記方法。
(709)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにCD14のレベル及び／又は活性に与える影響を測定することと；
対照試料中の、LCP1のレベル及び／又は活性、VASNのレベル及び／又は活性、PFN1のレベル及び／又は活性、並びにCD14のレベル及び／又は活性と比較して、アリコート中のLCP1のレベル及び／又は活性、VASNのレベル及び／又は活性、PFN1のレベル及び／又は活性、並びにCD14のレベル及び／又は活性を調節する化合物のライブラリーのメンバーを選択し、それによって、活性なＴＢを有する対象を治療するために有用な化合物を同定することを含む、前記方法。
(710)  活性な結核（ＴＢ）を有する対象を治療する方法であって、LCP1の発現及び／又は活性、VASNのレベル及び／又は活性、PFN1のレベル及び／又は活性、並びにCD14のレベル及び／又は活性を調節する剤の有効量を前記対象に投与し、それによって前記対象を治療することを含む、前記方法。
(711)  対象が活性な結核（ＴＢ）を有するか否かを決定する方法であって、
前記対象から得られた試料中の、LCP1のレベル、VASNのレベル、PFN1のレベル、及びTAGLN2のレベルを測定することと；
対象試料中のLCP1のレベル、VASNのレベル、PFN1のレベル、及びTAGLN2のレベルを、対照試料中のLCP1のレベル、VASNのレベル、PFN1のレベル、及びTAGLN2のレベルと比較することとを含み、前記対象試料中のLCP1のレベル、VASNのレベル、PFN1のレベル、及びTAGLN2のレベルと前記対照試料中のLCP1のレベル、VASNのレベル、PFN1のレベル、及びTAGLN2のレベルとの差が、前記対象が活性なＴＢを有することを示す、前記方法。
(712)  活性な結核（ＴＢ）を有する対象における治療の有効性を監視する方法であって、
前記治療の開始前に、前記対象から得られた第１の試料中の、LCP1のレベル、VASNのレベル、PFN1のレベル、及びTAGLN2のレベルを測定することと；
前記治療の少なくとも一部が投与された後に前記対象から得られた第２の試料中の、LCP1のレベル、VASNのレベル、PFN1のレベル、及びTAGLN2のレベルを測定することと；
前記第１の試料中のLCP1のレベル、VASNのレベル、PFN1のレベル、及びTAGLN2のレベルを前記第２の試料中のLCP1のレベル、VASNのレベル、PFN1のレベル、及びTAGLN2のレベルと比較することとを含み、前記第１の試料中のLCP1のレベル、VASNのレベル、PFN1のレベル、及びTAGLN2のレベルと前記第１の試料中の前記１又は複数のマーカーのレベルと前記第２の試料中の前記１又は複数のマーカーのレベルの差が、前記治療が有効であることを示す、前記方法。
(713)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PFN1のレベル及び／又は活性、並びにTAGLN2のレベル及び／又は活性に与える影響を測定することと；
対照試料中の、LCP1のレベル及び／又は活性、VASNのレベル及び／又は活性、PFN1のレベル及び／又は活性、並びにTAGLN2のレベル及び／又は活性と比較して、アリコート中のLCP1のレベル及び／又は活性、VASNのレベル及び／又は活性、PFN1のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(714)  活性な結核（ＴＢ）を有する対象を治療する方法であって、LCP1の発現及び／又は活性、VASNのレベル及び／又は活性、PFN1のレベル及び／又は活性、並びにTAGLN2のレベル及び／又は活性を調節する剤の有効量を前記対象に投与し、それによって前記対象を治療することを含む、前記方法。
(715)  対象が活性な結核（ＴＢ）を有するか否かを決定する方法であって、
前記対象から得られた試料中の、LCP1のレベル及びTAGLN2のレベルを測定することと；
対象試料中のLCP1のレベル及びTAGLN2のレベルを、対照試料中のLCP1のレベル及びTAGLN2のレベルと比較することとを含み、前記対象試料中のLCP1のレベル及びTAGLN2のレベルと前記対照試料中のLCP1のレベル及びTAGLN2のレベルとの差が、前記対象が活性なＴＢを有することを示す、前記方法。
(716)  活性な結核（ＴＢ）を有する対象における治療の有効性を監視する方法であって、
前記治療の開始前に、前記対象から得られた第１の試料中の、LCP1のレベル及びTAGLN2のレベルを測定することと；
前記治療の少なくとも一部が投与された後に前記対象から得られた第２の試料中の、LCP1のレベル及びTAGLN2のレベルを測定することと；
前記第１の試料中のLCP1のレベル及びTAGLN2のレベルを前記第２の試料中のLCP1のレベル及びTAGLN2のレベルと比較することとを含み、前記第１の試料中のLCP1のレベル及びTAGLN2のレベルと前記第２の試料中のLCP1のレベル及びTAGLN2のレベルの差が、前記治療が有効であることを示す、前記方法。
(717)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性並びにTAGLN2のレベル及び／又は活性に与える影響を測定することと；
対照試料中の、LCP1のレベル及び／又は活性並びにTAGLN2のレベル及び／又は活性と比較して、アリコート中のLCP1のレベル及び／又は活性並びにTAGLN2のレベル及び／又は活性を調節する化合物のライブラリーのメンバーを選択し、それによって、活性なＴＢを有する対象を治療するために有用な化合物を同定することを含む、前記方法。
(718)  活性な結核（ＴＢ）を有する対象を治療する方法であって、LCP1の発現及び／又は活性、並びにTAGLN2のレベル及び／又は活性を調節する剤の有効量を前記対象に投与し、それによって前記対象を治療することを含む、前記方法。
(719)  対象が活性な結核（ＴＢ）を有するか否かを決定する方法であって、
前記対象から得られた試料中の、LCP1のレベル、VASNのレベル、及びTAGLN2のレベルを測定することと；
対象試料中のLCP1のレベル、VASNのレベル、及びTAGLN2のレベルを、対照試料中のLCP1のレベル、VASNのレベル、及びTAGLN2のレベルと比較することとを含み、前記対象試料中のLCP1のレベル、VASNのレベル、及びTAGLN2のレベルと前記対照試料中のLCP1のレベル、VASNのレベル、及びTAGLN2のレベルとの差が、前記対象が活性なＴＢを有することを示す、前記方法。
(720)  活性な結核（ＴＢ）を有する対象における治療の有効性を監視する方法であって、
前記治療の開始前に、前記対象から得られた第１の試料中の、LCP1のレベル、VASNのレベル、及びTAGLN2のレベルを測定することと；
前記治療の少なくとも一部が投与された後に前記対象から得られた第２の試料中の、LCP1のレベル、VASNのレベル、及びTAGLN2のレベルを測定することと；
前記第１の試料中のLCP1のレベル、VASNのレベル、及びTAGLN2のレベルを前記第２の試料中のLCP1のレベル、VASNのレベル、及びTAGLN2のレベルと比較することとを含み、前記第１の試料中のLCP1のレベル、VASNのレベル、及びTAGLN2のレベルと前記第２の試料中のLCP1のレベル、VASNのレベル、及びTAGLN2のレベルの差が、前記治療が有効であることを示す、前記方法。
(721)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、並びにTAGLN2のレベル及び／又は活性に与える影響を測定することと；
対照試料中の、LCP1のレベル及び／又は活性、VASNのレベル及び／又は活性、並びにTAGLN2のレベル及び／又は活性と比較して、アリコート中のLCP1のレベル及び／又は活性、VASNのレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(722)  活性な結核（ＴＢ）を有する対象を治療する方法であって、LCP1の発現及び／又は活性、VASNのレベル及び／又は活性、並びにTAGLN2のレベル及び／又は活性を調節する剤の有効量を前記対象に投与し、それによって前記対象を治療することを含む、前記方法。
(723)  対象が活性な結核（ＴＢ）を有するか否かを決定する方法であって、
前記対象から得られた試料中の、LCP1のレベル、VASNのレベル、TAGLN2のレベル、及びIGFBP6のレベルを測定することと；
対象試料中のLCP1のレベル、VASNのレベル、TAGLN2のレベル、及びIGFBP6のレベルを、対照試料中のLCP1のレベル、VASNのレベル、TAGLN2のレベル、及びIGFBP6のレベルと比較することとを含み、前記対象試料中のLCP1のレベル、VASNのレベル、TAGLN2のレベル、及びIGFBP6のレベルと前記対照試料中のLCP1のレベル、VASNのレベル、TAGLN2のレベル、及びIGFBP6のレベルとの差が、前記対象が活性なＴＢを有することを示す、前記方法。
(724)  活性な結核（ＴＢ）を有する対象における治療の有効性を監視する方法であって、
前記治療の開始前に、前記対象から得られた第１の試料中の、LCP1のレベル、VASNのレベル、TAGLN2のレベル、及びIGFBP6のレベルを測定することと；
前記治療の少なくとも一部が投与された後に前記対象から得られた第２の試料中の、LCP1のレベル、VASNのレベル、TAGLN2のレベル、及びIGFBP6のレベルを測定することと；
前記第１の試料中のLCP1のレベル、VASNのレベル、TAGLN2のレベル、及びIGFBP6のレベルを前記第２の試料中のLCP1のレベル、VASNのレベル、TAGLN2のレベル、及びIGFBP6のレベルと比較することとを含み、前記第１の試料中のLCP1のレベル、VASNのレベル、TAGLN2のレベル、及びIGFBP6のレベルと前記第２の試料中のLCP1のレベル、VASNのレベル、TAGLN2のレベル、及びIGFBP6のレベルの差が、前記治療が有効であることを示す、前記方法。
(725)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル、TAGLN2のレベル、並びにIGFBP6のレベルに与える影響を測定することと；
対照試料中の、LCP1のレベル及び／又は活性、VASNのレベル及び／又は活性、TAGLN2のレベル及び／又は活性、並びにIGFBP6のレベル及び／又は活性と比較して、アリコート中のLCP1のレベル及び／又は活性、VASNのレベル及び／又は活性、TAGLN2のレベル及び／又は活性、並びにIGFBP6のレベル及び／又は活性を調節する化合物のライブラリーのメンバーを選択し、それによって、活性なＴＢを有する対象を治療するために有用な化合物を同定することを含む、前記方法。
(726)  活性な結核（ＴＢ）を有する対象を治療する方法であって、LCP1の発現及び／又は活性、VASNのレベル及び／又は活性、TAGLN2のレベル及び／又は活性、並びにIGFBP6のレベル及び／又は活性を調節する剤の有効量を前記対象に投与し、それによって前記対象を治療することを含む、前記方法。
(727)  対象が活性な結核（ＴＢ）を有するか否かを決定する方法であって、
前記対象から得られた試料中の、LCP1のレベル、VASNのレベル、TAGLN2のレベル、及びLRG1のレベルを測定することと；
対象試料中のLCP1のレベル、VASNのレベル、TAGLN2のレベル、及びLRG1のレベルを、対照試料中のLCP1のレベル、VASNのレベル、TAGLN2のレベル、及びLRG1のレベルと比較することとを含み、前記対象試料中のLCP1のレベル、VASNのレベル、TAGLN2のレベル、及びLRG1のレベルと前記対照試料中のLCP1のレベル、VASNのレベル、TAGLN2のレベル、及びLRG1のレベルとの差が、前記対象が活性なＴＢを有することを示す、前記方法。
(728)  活性な結核（ＴＢ）を有する対象における治療の有効性を監視する方法であって、
前記治療の開始前に、前記対象から得られた第１の試料中の、LCP1のレベル, VASNのレベル, TAGLN2のレベル、及びLRG1のレベルを測定することと；
前記治療の少なくとも一部が投与された後に前記対象から得られた第２の試料中の、LCP1のレベル, VASNのレベル, TAGLN2のレベル、及びLRG1のレベルを測定することと；
前記第１の試料中のLCP1のレベル、VASNのレベル、TAGLN2のレベル、及びLRG1のレベルを前記第２の試料中のLCP1のレベル、VASNのレベル、TAGLN2のレベル、及びLRG1のレベルと比較することとを含み、前記第１の試料中のLCP1のレベル、VASNのレベル、TAGLN2のレベル、及びLRG1のレベルと前記第２の試料中のLCP1のレベル、VASNのレベル、TAGLN2のレベル、及びLRG1のレベルの差が、前記治療が有効であることを示す、
(729)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、TAGLN2のレベル及び／又は活性、並びにLRG1のレベル及び／又は活性に与える影響を測定することと；
対照試料中の、LCP1のレベル及び／又は活性、VASNのレベル及び／又は活性、TAGLN2のレベル及び／又は活性、並びにLRG1のレベル及び／又は活性と比較して、アリコート中のLCP1のレベル及び／又は活性、VASNのレベル及び／又は活性、TAGLN2のレベル及び／又は活性、並びにLRG1のレベル及び／又は活性を調節する化合物のライブラリーのメンバーを選択し、それによって、活性なＴＢを有する対象を治療するために有用な化合物を同定することを含む、前記方法。
(730)  活性な結核（ＴＢ）を有する対象を治療する方法であって、LCP1の発現及び／又は活性、VASNのレベル及び／又は活性、TAGLN2のレベル及び／又は活性、並びにLRG1のレベル及び／又は活性を調節する剤の有効量を前記対象に投与し、それによって前記対象を治療することを含む、前記方法。
(731)  対象が活性な結核（ＴＢ）を有するか否かを決定する方法であって、
前記対象から得られた試料中の、LCP1のレベル、VASNのレベル、TAGLN2のレベル、及びSEPP1のレベルを測定することと；
対象試料中のLCP1のレベル、VASNのレベル、TAGLN2のレベル、及びSEPP1のレベルを、対照試料中のLCP1のレベル、VASNのレベル、TAGLN2のレベル、及びSEPP1のレベルと比較することとを含み、前記対象試料中のLCP1のレベル、VASNのレベル、TAGLN2のレベル、及びSEPP1のレベルと前記対照試料中のLCP1のレベル、VASNのレベル、TAGLN2のレベル、及びSEPP1のレベルとの差が、前記対象が活性なＴＢを有することを示す、前記方法。
(732)  活性な結核（ＴＢ）を有する対象における治療の有効性を監視する方法であって、
前記治療の開始前に、前記対象から得られた第１の試料中の、LCP1のレベル、VASNのレベル、TAGLN2のレベル、及びSEPP1のレベルを測定することと；
前記治療の少なくとも一部が投与された後に前記対象から得られた第２の試料中の、LCP1のレベル、VASNのレベル、TAGLN2のレベル、及びSEPP1のレベルを測定することと；
前記第１の試料中のLCP1のレベル、VASNのレベル、TAGLN2のレベル、及びSEPP1のレベルを前記第２の試料中のLCP1のレベル、VASNのレベル、TAGLN2のレベル、及びSEPP1のレベルと比較することとを含み、前記第１の試料中のLCP1のレベル、VASNのレベル、TAGLN2のレベル、及びSEPP1のレベルと前記第２の試料中のLCP1のレベル、VASNのレベル、TAGLN2のレベル、及びSEPP1のレベルの差が、前記治療が有効であることを示す、前記方法。
(733)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、TAGLN2のレベル及び／又は活性、並びにSEPP1のレベル及び／又は活性に与える影響を測定することと；
対照試料中の、LCP1のレベル及び／又は活性、VASNのレベル及び／又は活性、TAGLN2のレベル及び／又は活性、並びにSEPP1のレベル及び／又は活性と比較して、アリコート中のLCP1のレベル及び／又は活性、VASNのレベル及び／又は活性、TAGLN2のレベル及び／又は活性、並びにSEPP1のレベル及び／又は活性を調節する化合物のライブラリーのメンバーを選択し、それによって、活性なＴＢを有する対象を治療するために有用な化合物を同定することを含む、前記方法。
(734)  活性な結核（ＴＢ）を有する対象を治療する方法であって、LCP1の発現及び／又は活性、VASNのレベル及び／又は活性、TAGLN2のレベル及び／又は活性、並びにSEPP1のレベル及び／又は活性を調節する剤の有効量を前記対象に投与し、それによって前記対象を治療することを含む、前記方法。
(735)  対象が活性な結核（ＴＢ）を有するか否かを決定する方法であって、
前記対象から得られた試料中の、LCP1のレベル及びPGLYRP2のレベルを測定することと；
対象試料中のLCP1のレベル及びPGLYRP2のレベルを、対照試料中のLCP1のレベル及びPGLYRP2のレベルと比較することとを含み、前記対象試料中のLCP1のレベル及びPGLYRP2のレベルと前記対照試料中のLCP1のレベル及びPGLYRP2のレベルとの差が、前記対象が活性なＴＢを有することを示す、前記方法。
(736)  活性な結核（ＴＢ）を有する対象における治療の有効性を監視する方法であって、
前記治療の開始前に、前記対象から得られた第１の試料中の、LCP1のレベル及びPGLYRP2のレベルを測定することと；
前記治療の少なくとも一部が投与された後に前記対象から得られた第２の試料中の、LCP1のレベル及びPGLYRP2のレベルを測定することと；
前記第１の試料中のLCP1のレベル及びPGLYRP2のレベルを前記第２の試料中のLCP1のレベル及びPGLYRP2のレベルと比較することとを含み、前記第１の試料中のLCP1のレベル及びPGLYRP2のレベルと前記第２の試料中のLCP1のレベル及びPGLYRP2のレベルの差が、前記治療が有効であることを示す、前記方法。
(737)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性並びにPGLYRP2のレベル及び／又は活性に与える影響を測定することと；
対照試料中の、LCP1のレベル及び／又は活性並びにPGLYRP2のレベル及び／又は活性と比較して、アリコート中のLCP1のレベル及び／又は活性並びにPGLYRP2のレベル及び／又は活性を調節する化合物のライブラリーのメンバーを選択し、それによって、活性なＴＢを有する対象を治療するために有用な化合物を同定することを含む、前記方法。
(738)  活性な結核（ＴＢ）を有する対象を治療する方法であって、LCP1の発現及び／又は活性、並びにPGLYRP2のレベル及び／又は活性を調節する剤の有効量を前記対象に投与し、それによって前記対象を治療することを含む、前記方法。
(739)  対象が活性な結核（ＴＢ）を有するか否かを決定する方法であって、
前記対象から得られた試料中の、LCP1のレベル、VASNのレベル、及びPGLYRP2のレベルを測定することと；
対象試料中のLCP1のレベル、VASNのレベル、及びPGLYRP2のレベルを、対照試料中のLCP1のレベル、VASNのレベル、及びPGLYRP2のレベルと比較することとを含み、前記対象試料中のLCP1のレベル、VASNのレベル、及びPGLYRP2のレベルと前記対照試料中のLCP1のレベル、VASNのレベル、及びPGLYRP2のレベルとの差が、前記対象が活性なＴＢを有することを示す、前記方法。
(740)  活性な結核（ＴＢ）を有する対象における治療の有効性を監視する方法であって、
前記治療の開始前に、前記対象から得られた第１の試料中の、LCP1のレベル、VASNのレベル、及びPGLYRP2のレベルを測定することと；
前記治療の少なくとも一部が投与された後に前記対象から得られた第２の試料中の、LCP1のレベル、VASNのレベル、及びPGLYRP2のレベルを測定することと；
前記第１の試料中のLCP1のレベル、VASNのレベル、及びPGLYRP2のレベルを前記第２の試料中のLCP1のレベル、VASNのレベル、及びPGLYRP2のレベルと比較することとを含み、前記第１の試料中のLCP1のレベル、VASNのレベル、及びPGLYRP2のレベルと前記第２の試料中のLCP1のレベル、VASNのレベル、及びPGLYRP2のレベルの差が、前記治療が有効であることを示す、前記方法。
(741)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のLCP1のレベル及び／又は活性、VASNのレベル及び／又は活性、並びにPGLYRP2のレベル及び／又は活性に与える影響を測定することと；
対照試料中の、LCP1のレベル及び／又は活性、VASNのレベル及び／又は活性、並びにPGLYRP2のレベル及び／又は活性と比較して、アリコート中のLCP1のレベル及び／又は活性、VASNのレベル及び／又は活性、並びにPGLYRP2のレベル及び／又は活性を調節する化合物のライブラリーのメンバーを選択し、それによって、活性なＴＢを有する対象を治療するために有用な化合物を同定することを含む、前記方法。
(742)  活性な結核（ＴＢ）を有する対象を治療する方法であって、LCP1の発現及び／又は活性、VASNのレベル及び／又は活性、並びにPGLYRP2のレベル及び／又は活性を調節する剤の有効量を前記対象に投与し、それによって前記対象を治療することを含む、前記方法。
(743)  対象が活性な結核（ＴＢ）を有するか否かを決定する方法であって、
前記対象から得られた試料中の、LCP1のレベル、VASNのレベル、PGLYRP2のレベル、及びPFN1のレベルを測定することと；
対象試料中のLCP1のレベル、VASNのレベル、PGLYRP2のレベル、及びPFN1のレベルを、対照試料中のLCP1のレベル、VASNのレベル、PGLYRP2のレベル、及びPFN1のレベルと比較することとを含み、前記対象試料中のLCP1のレベル、VASNのレベル、PGLYRP2のレベル、及びPFN1のレベルと前記対照試料中のLCP1のレベル、VASNのレベル、PGLYRP2のレベル、及びPFN1のレベルとの差が、前記対象が活性なＴＢを有することを示す、前記方法。
(744)  活性な結核（ＴＢ）を有する対象における治療の有効性を監視する方法であって、
前記治療の開始前に、前記対象から得られた第１の試料中の、LCP1のレベル、VASNのレベル、PGLYRP2のレベル、及びPFN1のレベルを測定することと；
前記治療の少なくとも一部が投与された後に前記対象から得られた第２の試料中の、LCP1のレベル、VASNのレベル、PGLYRP2のレベル、及びPFN1のレベルを測定することと；
前記第１の試料中のLCP1のレベル、VASNのレベル、PGLYRP2のレベル、及びPFN1のレベルを前記第２の試料中のLCP1のレベル、VASNのレベル、PGLYRP2のレベル、及びPFN1のレベルと比較することとを含み、前記第１の試料中のLCP1のレベル、VASNのレベル、PGLYRP2のレベル、及びPFN1のレベルと前記第２の試料中のLCP1のレベル、VASNのレベル、PGLYRP2のレベル、及びPFN1のレベルの差が、前記治療が有効であることを示す、前記方法。
(745)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PGLYRP2のレベル及び／又は活性、並びにPFN1のレベル及び／又は活性に与える影響を測定することと；
対照試料中の、LCP1のレベル及び／又は活性、VASNのレベル及び／又は活性、PGLYRP2のレベル及び／又は活性、並びにPFN1のレベル及び／又は活性と比較して、アリコート中のLCP1のレベル及び／又は活性、VASNのレベル及び／又は活性、PGLYRP2のレベル及び／又は活性、並びにPFN1のレベル及び／又は活性を調節する化合物のライブラリーのメンバーを選択し、それによって、活性なＴＢを有する対象を治療するために有用な化合物を同定することを含む、前記方法。
(746)  活性な結核（ＴＢ）を有する対象を治療する方法であって、LCP1の発現及び／又は活性、VASNのレベル及び／又は活性、PGLYRP2のレベル及び／又は活性、並びにPFN1のレベル及び／又は活性を調節する剤の有効量を前記対象に投与し、それによって前記対象を治療することを含む、前記方法。
(747)  対象が活性な結核（ＴＢ）を有するか否かを決定する方法であって、
前記対象から得られた試料中の、LCP1のレベル、VASNのレベル、PGLYRP2のレベル、及びTAGLN2のレベルを測定することと；
対象試料中のLCP1のレベル、VASNのレベル、PGLYRP2のレベル、及びTAGLN2のレベルを、対照試料中のLCP1のレベル、VASNのレベル、PGLYRP2のレベル、及びTAGLN2のレベルと比較することとを含み、前記対象試料中のLCP1のレベル、VASNのレベル、PGLYRP2のレベル、及びTAGLN2のレベルと前記対照試料中のLCP1のレベル、VASNのレベル、PGLYRP2のレベル、及びTAGLN2のレベルとの差が、前記対象が活性なＴＢを有することを示す、前記方法。
(748)  活性な結核（ＴＢ）を有する対象における治療の有効性を監視する方法であって、
前記治療の開始前に、前記対象から得られた第１の試料中の、LCP1のレベル、VASNのレベル、PGLYRP2のレベル、及びTAGLN2のレベルを測定することと；
前記治療の少なくとも一部が投与された後に前記対象から得られた第２の試料中の、LCP1のレベル、VASNのレベル、PGLYRP2のレベル、及びTAGLN2のレベルを測定することと；
前記第１の試料中のLCP1のレベル、VASNのレベル、PGLYRP2のレベル、及びTAGLN2のレベルを前記第２の試料中のLCP1のレベル、VASNのレベル、PGLYRP2のレベル、及びTAGLN2のレベルと比較することとを含み、前記第１の試料中のLCP1のレベル、VASNのレベル、PGLYRP2のレベル、及びTAGLN2のレベルと前記第２の試料中のLCP1のレベル、VASNのレベル、PGLYRP2のレベル、及びTAGLN2のレベルの差が、前記治療が有効であることを示す、前記方法。
(749)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のLCP1のレベル及び／又は活性、VASNのレベル及び／又は活性、PGLYRP2のレベル及び／又は活性、並びにTAGLN2のレベル及び／又は活性に与える影響を測定することと；
対照試料中の、LCP1のレベル及び／又は活性、VASNのレベル及び／又は活性、PGLYRP2のレベル及び／又は活性、並びにTAGLN2のレベル及び／又は活性と比較して、アリコート中のLCP1のレベル及び／又は活性、VASNのレベル及び／又は活性、PGLYRP2のレベル及び／又は活性、並びにTAGLN2のレベル及び／又は活性を調節する化合物のライブラリーのメンバーを選択し、それによって、活性なＴＢを有する対象を治療するために有用な化合物を同定することを含む、前記方法。
(750)  活性な結核（ＴＢ）を有する対象を治療する方法であって、LCP1の発現及び／又は活性、VASNのレベル及び／又は活性、PGLYRP2のレベル及び／又は活性、並びにTAGLN2のレベル及び／又は活性を調節する剤の有効量を前記対象に投与し、それによって前記対象を治療することを含む、前記方法。
(751)  対象が活性な結核（ＴＢ）を有するか否かを決定する方法であって、
前記対象から得られた試料中の、PFN1のレベル及びPI16のレベルを測定することと；
対象試料中のPFN1のレベル及びPI16のレベルを、対照試料中のPFN1のレベル及びPI16のレベルと比較することとを含み、前記対象試料中のPFN1のレベル及びPI16のレベルと前記対照試料中のPFN1のレベル及びPI16のレベルとの差が、前記対象が活性なＴＢを有することを示す、前記方法。
(752)  活性な結核（ＴＢ）を有する対象における治療の有効性を監視する方法であって、
前記治療の開始前に、前記対象から得られた第１の試料中の、PFN1のレベル及びPI16のレベルを測定することと；
前記治療の少なくとも一部が投与された後に前記対象から得られた第２の試料中の、PFN1のレベル及びPI16のレベルを測定することと；
前記第１の試料中のPFN1のレベル及びPI16のレベルを前記第２の試料中のPFN1のレベル及びPI16のレベルと比較することとを含み、前記第１の試料中のPFN1のレベル及びPI16のレベルと前記第２の試料中のPFN1のレベル及びPI16のレベルの差が、前記治療が有効であることを示す、前記方法。
(753)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPFN1のレベル及び／又は活性並びにPI16のレベル及び／又は活性に与える影響を測定することと；
対照試料中の、PFN1のレベル及び／又は活性並びにPI16のレベル及び／又は活性と比較して、アリコート中のPFN1のレベル及び／又は活性並びにPI16のレベル及び／又は活性を調節する化合物のライブラリーのメンバーを選択し、それによって、活性なＴＢを有する対象を治療するために有用な化合物を同定することを含む、前記方法。
(754)  活性な結核（ＴＢ）を有する対象を治療する方法であって、PFN1の発現及び／又は活性、並びにPI16のレベル及び／又は活性を調節する剤の有効量を前記対象に投与し、それによって前記対象を治療することを含む、前記方法。
(755)  対象が活性な結核（ＴＢ）を有するか否かを決定する方法であって、
前記対象から得られた試料中の、PFN1のレベル及びPON1のレベルを測定することと；
対象試料中のPFN1のレベル及びPON1のレベルを、対照試料中のPFN1のレベル及びPON1のレベルと比較することとを含み、前記対象試料中のPFN1のレベル及びPON1のレベルと前記対照試料中のPFN1のレベル及びPON1のレベルとの差が、前記対象が活性なＴＢを有することを示す、前記方法。
(756)  活性な結核（ＴＢ）を有する対象における治療の有効性を監視する方法であって、
前記治療の開始前に、前記対象から得られた第１の試料中の、PFN1のレベル及びPON1のレベルを測定することと；
前記治療の少なくとも一部が投与された後に前記対象から得られた第２の試料中の、PFN1のレベル及びPON1のレベルを測定することと；
前記第１の試料中のPFN1のレベル及びPON1のレベルを前記第２の試料中のPFN1のレベル及びPON1のレベルと比較することとを含み、前記第１の試料中のPFN1のレベル及びPON1のレベルと前記第２の試料中のPFN1のレベル及びPON1のレベルの差が、前記治療が有効であることを示す、前記方法。
(757)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPFN1のレベル及び／又は活性並びにPON1のレベル及び／又は活性に与える影響を測定することと；
対照試料中の、PFN1のレベル及び／又は活性並びにPON1のレベル及び／又は活性と比較して、アリコート中のPFN1のレベル及び／又は活性並びにPON1のレベル及び／又は活性を調節する化合物のライブラリーのメンバーを選択し、それによって、活性なＴＢを有する対象を治療するために有用な化合物を同定することを含む、前記方法。
(758)  活性な結核（ＴＢ）を有する対象を治療する方法であって、PFN1の発現及び／又は活性、並びにPON1のレベル及び／又は活性を調節する剤の有効量を前記対象に投与し、それによって前記対象を治療することを含む、前記方法。
(759)  対象が活性な結核（ＴＢ）を有するか否かを決定する方法であって、
前記対象から得られた試料中の、PFN1のレベル及びPTGDSのレベルを測定することと；
対象試料中のPFN1のレベル及びPTGDSのレベルを、対照試料中のPFN1のレベル及びPTGDSのレベルと比較することとを含み、前記対象試料中のPFN1のレベル及びPTGDSのレベルと前記対照試料中のPFN1のレベル及びPTGDSのレベルとの差が、前記対象が活性なＴＢを有することを示す、前記方法。
(760)  活性な結核（ＴＢ）を有する対象における治療の有効性を監視する方法であって、
前記治療の開始前に、前記対象から得られた第１の試料中の、PFN1のレベル及びPTGDSのレベルを測定することと；
前記治療の少なくとも一部が投与された後に前記対象から得られた第２の試料中の、PFN1のレベル及びPTGDSのレベルを測定することと；
前記第１の試料中のPFN1のレベル及びPTGDSのレベルを前記第２の試料中のPFN1のレベル及びPTGDSのレベルと比較することとを含み、前記第１の試料中のPFN1のレベル及びPTGDSのレベルと前記第２の試料中のPFN1のレベル及びPTGDSのレベルの差が、前記治療が有効であることを示す、前記方法。
(761)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性並びにPTGDSのレベル及び／又は活性に与える影響を測定することと；
対照試料中の、PFN1のレベル及び／又は活性並びにPTGDSのレベル及び／又は活性と比較して、アリコート中のPFN1のレベル及び／又は活性並びにPTGDSのレベル及び／又は活性を調節する化合物のライブラリーのメンバーを選択し、それによって、活性なＴＢを有する対象を治療するために有用な化合物を同定することを含む、前記方法。
(762)  活性な結核（ＴＢ）を有する対象を治療する方法であって、PFN1の発現及び／又は活性、並びにPTGDSのレベル及び／又は活性を調節する剤の有効量を前記対象に投与し、それによって前記対象を治療することを含む、前記方法。
(763)  対象が活性な結核（ＴＢ）を有するか否かを決定する方法であって、
前記対象から得られた試料中の、PI16のレベル及びPON1のレベルを測定することと；
対象試料中のPI16のレベル及びPON1のレベルを、対照試料中のPI16のレベル及びPON1のレベルと比較することとを含み、前記対象試料中のPI16のレベル及びPON1のレベルと前記対照試料中のPI16のレベル及びPON1のレベルとの差が、前記対象が活性なＴＢを有することを示す、前記方法。
(764)  活性な結核（ＴＢ）を有する対象における治療の有効性を監視する方法であって、
前記治療の開始前に、前記対象から得られた第１の試料中の、PI16のレベル及びPON1のレベルを測定することと；
前記治療の少なくとも一部が投与された後に前記対象から得られた第２の試料中の、PI16のレベル及びPON1のレベルを測定することと；
前記第１の試料中のPI16のレベル及びPON1のレベルを前記第２の試料中のPI16のレベル及びPON1のレベルと比較することとを含み、前記第１の試料中のPI16のレベル及びPON1のレベルと前記第２の試料中のPI16のレベル及びPON1のレベルの差が、前記治療が有効であることを示す、前記方法。
(765)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPI16のレベル及び／又は活性並びにPON1のレベル及び／又は活性に与える影響を測定することと；
対照試料中の、PI16のレベル及び／又は活性並びにPON1のレベル及び／又は活性と比較して、アリコート中のPI16のレベル及び／又は活性並びにPON1のレベル及び／又は活性を調節する化合物のライブラリーのメンバーを選択し、それによって、活性なＴＢを有する対象を治療するために有用な化合物を同定することを含む、前記方法。
(766)  活性な結核（ＴＢ）を有する対象を治療する方法であって、PI16の発現及び／又は活性、並びにPON1のレベル及び／又は活性を調節する剤の有効量を前記対象に投与し、それによって前記対象を治療することを含む、前記方法。
(767)  対象が活性な結核（ＴＢ）を有するか否かを決定する方法であって、
前記対象から得られた試料中の、PI16のレベル及びPTGDSのレベルを測定することと；
対象試料中のPI16のレベル及びPTGDSのレベルを、対照試料中のPI16のレベル及びPTGDSのレベルと比較することとを含み、前記対象試料中のPI16のレベル及びPTGDSのレベルと前記対照試料中のPI16のレベル及びPTGDSのレベルとの差が、前記対象が活性なＴＢを有することを示す、前記方法。
(768)  活性な結核（ＴＢ）を有する対象における治療の有効性を監視する方法であって、
前記治療の開始前に、前記対象から得られた第１の試料中の、PI16のレベル及びPTGDSのレベルを測定することと；
前記治療の少なくとも一部が投与された後に前記対象から得られた第２の試料中の、PI16のレベル及びPTGDSのレベルを測定することと；
前記第１の試料中のPI16のレベル及びPTGDSのレベルを前記第２の試料中のPI16のレベル及びPTGDSのレベルと比較することとを含み、前記第１の試料中のPI16のレベル及びPTGDSのレベルと前記第２の試料中のPI16のレベル及びPTGDSのレベルの差が、前記治療が有効であることを示す、前記方法。
(769)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPI16のレベル及び／又は活性並びにPTGDSのレベル及び／又は活性に与える影響を測定することと；
対照試料中の、PI16のレベル及び／又は活性並びにPTGDSのレベル及び／又は活性と比較して、アリコート中のPI16のレベル及び／又は活性並びにPTGDSのレベル及び／又は活性を調節する化合物のライブラリーのメンバーを選択し、それによって、活性なＴＢを有する対象を治療するために有用な化合物を同定することを含む、前記方法。
(770)  活性な結核（ＴＢ）を有する対象を治療する方法であって、PI16の発現及び／又は活性、並びにPTGDSのレベル及び／又は活性を調節する剤の有効量を前記対象に投与し、それ
によって前記対象を治療することを含む、前記方法。
(771)  対象が活性な結核（ＴＢ）を有するか否かを決定する方法であって、
前記対象から得られた試料中の、PON1のレベル及びPTGDSのレベルを測定することと；
対象試料中のPON1のレベル及びPTGDSのレベルを、対照試料中のPON1のレベル及びPTGDSのレベルと比較することとを含み、前記対象試料中のPON1のレベル及びPTGDSのレベルと前記対照試料中のPON1のレベル及びPTGDSのレベルとの差が、前記対象が活性なＴＢを有することを示す、前記方法。
(772)  活性な結核（ＴＢ）を有する対象における治療の有効性を監視する方法であって、
前記治療の開始前に、前記対象から得られた第１の試料中の、PON1のレベル及びPTGDSのレベルを測定することと；
前記治療の少なくとも一部が投与された後に前記対象から得られた第２の試料中の、PON1のレベル及びPTGDSのレベルを測定することと；
前記第１の試料中のPON1のレベル及びPTGDSのレベルを前記第２の試料中のPON1のレベル及びPTGDSのレベルと比較することとを含み、前記第１の試料中のPON1のレベル及びPTGDSのレベルと前記第２の試料中のPON1のレベル及びPTGDSのレベルの差が、前記治療が有効であることを示す、前記方法。
(773)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPON1のレベル及び／又は活性並びにPTGDSのレベル及び／又は活性に与える影響を測定することと；
対照試料中の、PON1のレベル及び／又は活性並びにPTGDSのレベル及び／又は活性と比較して、アリコート中のPON1のレベル及び／又は活性並びにPTGDSのレベル及び／又は活性を調節する化合物のライブラリーのメンバーを選択し、それによって、活性なＴＢを有する対象を治療するために有用な化合物を同定することを含む、前記方法。
(774)  活性な結核（ＴＢ）を有する対象を治療する方法であって、PON1の発現及び／又は活性、並びにPTGDSのレベル及び／又は活性を調節する剤の有効量を前記対象に投与し、それによって前記対象を治療することを含む、前記方法。
(775)  対象が活性な結核（ＴＢ）を有するか否かを決定する方法であって、
前記対象から得られた試料中の、PFN1のレベル、PI16のレベル、及びPON1のレベルを測定することと；
対象試料中のPFN1のレベル、PI16のレベル、及びPON1のレベルを、対照試料中のPFN1のレベル、PI16のレベル、及びPON1のレベルと比較することとを含み、前記対象試料中のPFN1のレベル、PI16のレベル、及びPON1のレベルと前記対照試料中のPFN1のレベル、PI16のレベル、及びPON1のレベルとの差が、前記対象が活性なＴＢを有することを示す、前記方法。
(776)  活性な結核（ＴＢ）を有する対象における治療の有効性を監視する方法であって、
前記治療の開始前に、前記対象から得られた第１の試料中の、PFN1のレベル、PI16のレベル、及びPON1のレベルを測定することと；
前記治療の少なくとも一部が投与された後に前記対象から得られた第２の試料中の、PFN1のレベル、PI16のレベル、及びPON1のレベルを測定することと；
前記第１の試料中のPFN1のレベル、PI16のレベル、及びPON1のレベルを前記第２の試料中のPFN1のレベル、PI16のレベル、及びPON1のレベルと比較することとを含み、前記第１の試料中のPFN1のレベル、PI16のレベル、及びPON1のレベルと前記第２の試料中のPFN1のレベル、PI16のレベル、及びPON1のレベルの差が、前記治療が有効であることを示す、前記方法。
(777)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の本発明のPFN1のレベル及び／又は活性、PI16のレベル及び／又は活性、並びにPON1のレベル及び／又は活性に与える影響を測定することと；
対照試料中の、PFN1のレベル及び／又は活性、PI16のレベル及び／又は活性、並びにPON1のレベル及び／又は活性と比較して、アリコート中のPFN1のレベル及び／又は活性、PI16のレベル及び／又は活性、並びにPON1のレベル及び／又は活性を調節する化合物のライブラリーのメンバーを選択し、それによって、活性なＴＢを有する対象を治療するために有用な化合物を同定することを含む、前記方法。
(778)  活性な結核（ＴＢ）を有する対象を治療する方法であって、PFN1の発現及び／又は活性、PI16のレベル及び／又は活性、並びにPON1のレベル及び／又は活性を調節する剤の有効量を前記対象に投与し、それによって前記対象を治療することを含む、前記方法。
(779)  対象が活性な結核（ＴＢ）を有するか否かを決定する方法であって、
前記対象から得られた試料中の、PFN1のレベル、PI16のレベル、及びPTGDSのレベルを測定することと；
対象試料中のPFN1のレベル、PI16のレベル、及びPTGDSのレベルを、対照試料中のPFN1のレベル、PI16のレベル、及びPTGDSのレベルと比較することとを含み、前記対象試料中のPFN1のレベル、PI16のレベル、及びPTGDSのレベルと前記対照試料中のPFN1のレベル、PI16のレベル、及びPTGDSのレベルとの差が、前記対象が活性なＴＢを有することを示す、前記方法。
(780)  活性な結核（ＴＢ）を有する対象における治療の有効性を監視する方法であって、
前記治療の開始前に、前記対象から得られた第１の試料中の、PFN1のレベル、PI16のレベル、及びPTGDSのレベルを測定することと；
前記治療の少なくとも一部が投与された後に前記対象から得られた第２の試料中の、PFN1のレベル、PI16のレベル、及びPTGDSのレベルを測定することと；
前記第１の試料中のPFN1のレベル、PI16のレベル、及びPTGDSのレベルを前記第２の試料中のPFN1のレベル、PI16のレベル、及びPTGDSのレベルと比較することとを含み、前記第１の試料中のPFN1のレベル、PI16のレベル、及びPTGDSのレベルと前記第２の試料中のPFN1のレベル、PI16のレベル、及びPTGDSのレベルの差が、前記治療が有効であることを示す、前記方法。
(781)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PI16のレベル及び／又は活性、並びにPTGDSのレベル及び／又は活性に与える影響を測定することと；
対照試料中の、PFN1のレベル及び／又は活性、PI16のレベル及び／又は活性、並びにPTGDSのレベル及び／又は活性と比較して、アリコート中のPFN1のレベル及び／又は活性、PI16のレベル及び／又は活性、並びにPTGDSのレベル及び／又は活性を調節する化合物のライブラリーのメンバーを選択し、それによって、活性なＴＢを有する対象を治療するために有用な化合物を同定することを含む、前記方法。
(782)  活性な結核（ＴＢ）を有する対象を治療する方法であって、PFN1の発現及び／又は活性、PI16のレベル及び／又は活性、並びにPTGDSのレベル及び／又は活性を調節する剤の有
効量を前記対象に投与し、それによって前記対象を治療することを含む、前記方法。
(783)  対象が活性な結核（ＴＢ）を有するか否かを決定する方法であって、
前記対象から得られた試料中の、PON1のレベル、PI16のレベル、及びPTGDSのレベルを測定することと；
対象試料中のPON1のレベル、PI16のレベル、及びPTGDSのレベルを、対照試料中のPON1のレベル、PI16のレベル、及びPTGDSのレベルと比較することとを含み、前記対象試料中のPON1のレベル、PI16のレベル、及びPTGDSのレベルと前記対照試料中のPON1のレベル、PI16のレベル、及びPTGDSのレベルとの差が、前記対象が活性なＴＢを有することを示す、前記方法。
(784)  活性な結核（ＴＢ）を有する対象における治療の有効性を監視する方法であって、
前記治療の開始前に、前記対象から得られた第１の試料中の、PON1のレベル、PI16のレベル、及びPTGDSのレベルを測定することと；
前記治療の少なくとも一部が投与された後に前記対象から得られた第２の試料中の、PON1のレベル、PI16のレベル、及びPTGDSのレベルを測定することと；
前記第１の試料中のPON1のレベル、PI16のレベル、及びPTGDSのレベルを前記第２の試料中のPON1のレベル、PI16のレベル、及びPTGDSのレベルと比較することとを含み、前記第１の試料中のPON1のレベル、PI16のレベル、及びPTGDSのレベルと前記第２の試料中のPON1のレベル、PI16のレベル、及びPTGDSのレベルの差が、前記治療が有効であることを示す、前記方法。
(785)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPON1のレベル及び／又は活性、PI16のレベル及び／又は活性、並びにPTGDSのレベル及び／又は活性に与える影響を測定することと；
対照試料中の、PON1のレベル及び／又は活性、PI16のレベル及び／又は活性、並びにPTGDSのレベル及び／又は活性と比較して、アリコート中のPON1のレベル及び／又は活性、PI16のレベル及び／又は活性、並びにPTGDSのレベル及び／又は活性を調節する化合物のライブラリーのメンバーを選択し、それによって、活性なＴＢを有する対象を治療するために有用な化合物を同定することを含む、前記方法。
(786)  活性な結核（ＴＢ）を有する対象を治療する方法であって、PON1の発現及び／又は活性、PI16のレベル及び／又は活性、並びにPTGDSのレベル及び／又は活性を調節する剤の有効量を前記対象に投与し、それによって前記対象を治療することを含む、前記方法。
(787)  対象が活性な結核（ＴＢ）を有するか否かを決定する方法であって、
前記対象から得られた試料中の、PFN1のレベル、PI16のレベル、PON1のレベル、及びPTGDSのレベルを測定することと；
対象試料中のPFN1のレベル、PI16のレベル、PON1のレベル、及びPTGDSのレベルを、対照試料中のPFN1のレベル、PI16のレベル、PON1のレベル、及びPTGDSのレベルと比較することとを含み、前記対象試料中のPFN1のレベル、PI16のレベル、PON1のレベル、及びPTGDSのレベルと前記対照試料中のPFN1のレベル、PI16のレベル、PON1のレベル、及びPTGDSのレベルとの差が、前記対象が活性なＴＢを有することを示す、前記方法。
(788)  活性な結核（ＴＢ）を有する対象における治療の有効性を監視する方法であって、
前記治療の開始前に、前記対象から得られた第１の試料中の、PFN1のレベル, PI16のレベル, PON1のレベル及びPTGDSのレベルを測定することと；
前記治療の少なくとも一部が投与された後に前記対象から得られた第２の試料中の、PFN1のレベル, PI16のレベル, PON1のレベル及びPTGDSのレベルを測定することと；
前記第１の試料中のPFN1のレベル、PI16のレベル、PON1のレベル、及びPTGDSのレベルを前記第２の試料中のPFN1のレベル、PI16のレベル、PON1のレベル、及びPTGDSのレベルと比較することとを含み、前記第１の試料中のPFN1のレベル、PI16のレベル、PON1のレベル、及びPTGDSのレベルと前記第２の試料中のPFN1のレベル、PI16のレベル、PON1のレベル、及びPTGDSのレベルの差が、前記治療が有効であることを示す、前記方法。
(789)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PI16のレベル及び／又は活性、PON1のレベル及び／又は活性、並びにPTGDSのレベル及び／又は活性に与える影響を測定することと；
対照試料中の、PFN1のレベル及び／又は活性、PI16のレベル及び／又は活性、PON1のレベル及び／又は活性並びにPTGDSのレベル及び／又は活性と比較して、アリコート中のPFN1のレベル及び／又は活性、PI16のレベル及び／又は活性、PON1のレベル及び／又は活性並びにPTGDSのレベル及び／又は活性を調節する化合物のライブラリーのメンバーを選択し、それによって、活性なＴＢを有する対象を治療するために有用な化合物を同定することを含む、前記方法。
(790)  活性な結核（ＴＢ）を有する対象を治療する方法であって、PFN1の発現及び／又は活性、PI16のレベル及び／又は活性、PON1のレベル及び／又は活性、並びにPTGDSのレベル及び／又は活性を調節する剤の有効量を前記対象に投与し、それによって前記対象を治療することを含む、前記方法。
(791)  対象が活性な結核（ＴＢ）を有するか否かを決定する方法であって、
前記対象から得られた試料中の、PFN1のレベル、PON1のレベル、及びPTGDSのレベルを測定することと；
対象試料中のPFN1のレベル、PON1のレベル、及びPTGDSのレベルを、対照試料中のPFN1のレベル、PON1のレベル、及びPTGDSのレベルと比較することとを含み、前記対象試料中のPFN1のレベル、PON1のレベル、及びPTGDSのレベルと前記対照試料中のPFN1のレベル、PON1のレベル、及びPTGDSのレベルとの差が、前記対象が活性なＴＢを有することを示す、前記方法。
(792)  活性な結核（ＴＢ）を有する対象における治療の有効性を監視する方法であって、
前記治療の開始前に、前記対象から得られた第１の試料中の、PFN1のレベル、PON1のレベル、及びPTGDSのレベルを測定することと；
前記治療の少なくとも一部が投与された後に前記対象から得られた第２の試料中の、PFN1のレベル、PON1のレベル、及びPTGDSのレベルを測定することと；
前記第１の試料中のPFN1のレベル、PON1のレベル、及びPTGDSのレベルを前記第２の試料中のPFN1のレベル、PON1のレベル、及びPTGDSのレベルと比較することとを含み、前記第１の試料中のPFN1のレベル、PON1のレベル、及びPTGDSのレベルと前記第２の試料中のPFN1のレベル、PON1のレベル、及びPTGDSのレベルの差が、前記治療が有効であることを示す、前記方法。
(793)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のPFN1のレベル及び／又は活性、PON1のレベル及び／又は活性、PTGDSのレベル及び／又は活性に与える影響を測定することと；
対照試料中の、PFN1のレベル及び／又は活性、PON1のレベル及び／又は活性、PTGDSのレベル及び／又は活性と比較して、アリコート中のPFN1のレベル及び／又は活性、PON1のレベル及び／又は活性、PTGDSのレベル及び／又は活性を調節する化合物のライブラリーのメンバーを選択し、それによって、活性なＴＢを有する対象を治療するために有用な化合物を同定することを含む、前記方法。
(794)  活性な結核（ＴＢ）を有する対象を治療する方法であって、PFN1の発現及び／又は活性、PON1のレベル及び／又は活性、PTGDSのレベル及び／又は活性を調節する剤の有効量を前記対象に投与し、それによって前記対象を治療することを含む、前記方法。
(795)  対象が活性な結核（ＴＢ）を有するか否かを決定する方法であって、
前記対象から得られた試料中の、VASNのレベル及びTAGLN2のレベルを測定することと；
対象試料中のVASNのレベル及びTAGLN2のレベルを、対照試料中のVASNのレベル及びTAGLN2のレベルと比較することとを含み、前記対象試料中のVASNのレベル及びTAGLN2のレベルと前記対照試料中のVASNのレベル及びTAGLN2のレベルとの差が、前記対象が活性なＴＢを有することを示す、前記方法。
(796)  活性な結核（ＴＢ）を有する対象における治療の有効性を監視する方法であって、
前記治療の開始前に、前記対象から得られた第１の試料中の、VASNのレベル及びTAGLN2のレベルを測定することと；
前記治療の少なくとも一部が投与された後に前記対象から得られた第２の試料中の、VASNのレベル及びTAGLN2のレベルを測定することと；
前記第１の試料中のVASNのレベル及びTAGLN2のレベルを前記第２の試料中のVASNのレベル及びTAGLN2のレベルと比較することとを含み、前記第１の試料中のVASNのレベル及びTAGLN2のレベルと前記第２の試料中のVASNのレベル及びTAGLN2のレベルの差が、前記治療が有効であることを示す、前記方法。
(797)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のVASNのレベル及び／又は活性並びにTAGLN2のレベル及び／又は活性に与える影響を測定することと；
対照試料中の、VASNのレベル及び／又は活性並びにTAGLN2のレベル及び／又は活性と比較して、アリコート中のVASNのレベル及び／又は活性並びにTAGLN2のレベル及び／又は活性を調節する化合物のライブラリーのメンバーを選択し、それによって、活性なＴＢを有する対象を治療するために有用な化合物を同定することを含む、前記方法。
(798)  活性な結核（ＴＢ）を有する対象を治療する方法であって、VASNの発現及び／又は活性、並びにTAGLN2のレベル及び／又は活性を調節する剤の有効量を前記対象に投与し、それによって前記対象を治療することを含む、前記方法。
(799)  対象が活性な結核（ＴＢ）を有するか否かを決定する方法であって、
前記対象から得られた試料中の、VASNのレベル及びPGLYRP2のレベルを測定することと；
対象試料中のVASNのレベル及びPGLYRP2のレベルを、対照試料中のVASNのレベル及びPGLYRP2のレベルと比較することとを含み、前記対象試料中のVASNのレベル及びPGLYRP2のレベルと前記対照試料中のVASNのレベル及びPGLYRP2のレベルとの差が、前記対象が活性なＴＢを有することを示す、前記方法。
(800)  活性な結核（ＴＢ）を有する対象における治療の有効性を監視する方法であって、
前記治療の開始前に、前記対象から得られた第１の試料中の、VASNのレベル及びPGLYRP2のレベルを測定することと；
前記治療の少なくとも一部が投与された後に前記対象から得られた第２の試料中の、VASNのレベル及びPGLYRP2のレベルを測定することと；
前記第１の試料中のVASNのレベル及びPGLYRP2のレベルを前記第２の試料中のVASNのレベル及びPGLYRP2のレベルと比較することとを含み、前記第１の試料中のVASNのレベル及びPGLYRP2のレベルと前記第２の試料中のVASNのレベル及びPGLYRP2のレベルの差が、前記治療が有効であることを示す、前記方法。
(801)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中のVASNのレベル及び／又は活性並びにPGLYRP2のレベル及び／又は活性に与える影響を測定することと；
対照試料中の、VASNのレベル及び／又は活性並びにPGLYRP2のレベル及び／又は活性と比較して、アリコート中のVASNのレベル及び／又は活性並びにPGLYRP2のレベル及び／又は活性を調節する化合物のライブラリーのメンバーを選択し、それによって、活性なＴＢを有する対象を治療するために有用な化合物を同定することを含む、前記方法。
(802)  活性な結核（ＴＢ）を有する対象を治療する方法であって、VASNの発現及び／又は活性、並びにPGLYRP2のレベル及び／又は活性を調節する剤の有効量を前記対象に投与し、それによって前記対象を治療することを含む、前記方法。
(803)  前記対象は、ＨＩＶ陽性（ＨＩＶ＋）である、(475)〜(802)、(1214)、及び(1215)のいずれかに記載の方法。
(804)  APOE, SELL, TNXB, COMP, LUM, PGLYRP2, HABP2, LRG1, QSOX1, S100A8, APOC3, LCP1, VASN, PFN1, IGFBP6, LRG1, PGLYRP2, APOA4, BCHE, PI16, SEPP1, APOA1, IGFALS, CD14, TAGLN2, CPN2, APOC1, PEPD, GP1BA及びPTGDSから成る群より選ばれる１又は複数の追加マーカーのレベルを測定することをさらに含む(16)〜(803)、(1214)、及び(1215)のいずれかに記載の方法。
(805)  表１に列挙する１又は複数の追加マーカーのレベルを測定することをさらに含む(16)〜(803)、(1214)、及び(1215)のいずれかに記載の方法
(806)  前記マーカーのレベルは、該マーカーの発現レベル及び／又は活性である、(16)〜805、(1214)、及び(1215)のいずれかに記載の方法。
(807)  前記対象試料中のレベルは、質量分析により測定される、(16)〜(806)、(1214)、及び(1215)のいずれかに記載の方法。
(808)  前記質量分析が、マトリックス支援レーザー脱離／飛行時間（ＭＡＬＤＩ／ＴＯＦ）質量分析、液体クロマトグラフィー四重イオントラップエレクトロスプレー（ＬＣＱ−ＭＳ）、又は表面増強レーザー脱離イオン化／飛行時間（ＳＥＬＤＩ／ＴＯＦ）質量分析である、807に記載の方法。
(809)  前記対象試料中のレベルは、免疫測定により測定される、(16)〜(806)、(1214)、及び(1215)のいずれかに記載の方法。
(810)  前記対象から得られた前記試料は、液体試料である、(16)〜(809)、(1214)、及び(1215)のいずれかに記載の方法。
(811)  前記対象から得られた前記試料は、組織試料である、(16)〜(809)、(1214)、及び(1215)のいずれかに記載の方法。
(812)  前記対象が北アメリカ又は欧州に居住する、(16)〜(811)、(1214)、及び(1215)のいずれかに記載の方法。
(813)  対象が活性な結核（ＴＢ）を有するか否かを決定するためのキットであって、対象試料中の、表１に列挙する１又は複数のマーカーのレベルを測定するための試薬と、前記対象が活性なＴＢを有するか否かを決定するための、キットの使用方法の指示書とを含む、前記キット。
(814)  活性なＴＢを有する対象における治療の有効性を監視するキットであって、対象試料中の、表１に列挙する１又は複数のマーカーのレベルを測定するための試薬と、前記治療の有効性を監視するための、キットの使用方法の指示書とを含む、前記キット。
(815)  対象が活性な結核（ＴＢ）を有するか否かを決定するためのキットであって、対象試料中の、CD14のレベル及びAPOEのレベルを測定するための試薬と、前記対象が活性なＴＢを有するか否かを決定するための、キットの使用方法の指示書とを含む、前記キット。
(816)  活性なＴＢを有する対象における治療の有効性を監視するキットであって、対象試料中の、CD14のレベル及びAPOEのレベルを測定するための試薬と、前記治療の有効性を監視するための、キットの使用方法の指示書とを含む、前記キット。
(817)  対象が活性な結核（ＴＢ）を有するか否かを決定するためのキットであって、対象試料中の、PEPDのレベル及びSELLのレベルを測定するための試薬と、前記対象が活性なＴＢを有するか否かを決定するための、キットの使用方法の指示書とを含む、前記キット。
(818)  活性なＴＢを有する対象における治療の有効性を監視するキットであって、対象試料中の、PEPDのレベル及びSELLのレベルを測定するための試薬と、前記治療の有効性を監視するための、キットの使用方法の指示書とを含む、前記キット。
(819)  対象が活性な結核（ＴＢ）を有するか否かを決定するためのキットであって、対象試料中の、PEPDのレベル、SELLのレベル、及びTNXBのレベルを測定するための試薬と、前記対象が活性なＴＢを有するか否かを決定するための、キットの使用方法の指示書とを含む、前記キット。
(820)  活性なＴＢを有する対象における治療の有効性を監視するキットであって、対象試料中の、PEPDのレベル、SELLのレベル、及びTNXBのレベルを測定するための試薬と、前記治療の有効性を監視するための、キットの使用方法の指示書とを含む、前記キット。
(821)  対象が活性な結核（ＴＢ）を有するか否かを決定するためのキットであって、対象試料中の、PEPDのレベル、SELLのレベル、及びCOMPのレベルを測定するための試薬と、前記対象が活性なＴＢを有するか否かを決定するための、キットの使用方法の指示書とを含む、前記キット。
(822)  活性なＴＢを有する対象における治療の有効性を監視するキットであって、対象試料中の、PEPDのレベル、SELLのレベル、及びCOMPのレベルを測定するための試薬と、前記治療の有効性を監視するための、キットの使用方法の指示書とを含む、前記キット。
(823)  対象が活性な結核（ＴＢ）を有するか否かを決定するためのキットであって、対象試料中の、PEPDのレベル、SELLのレベル、及びQSOX1のレベルを測定するための試薬と、前記対象が活性なＴＢを有するか否かを決定するための、キットの使用方法の指示書とを含む、前記キット。
(824)  活性なＴＢを有する対象における治療の有効性を監視するキットであって、対象試料中の、PEPDのレベル、SELLのレベル、及びQSOX1のレベルを測定するための試薬と、前記治療の有効性を監視するための、キットの使用方法の指示書とを含む、前記キット。
(825)  対象が活性な結核（ＴＢ）を有するか否かを決定するためのキットであって、対象試料中の、PEPDのレベル、SELLのレベル、及びCD14のレベルを測定するための試薬と、前記対象が活性なＴＢを有するか否かを決定するための、キットの使用方法の指示書とを含む、前記キット。
(826)  活性なＴＢを有する対象における治療の有効性を監視するキットであって、対象試料中の、PEPDのレベル、SELLのレベル、及びCD14のレベルを測定するための試薬と、前記治療の有効性を監視するための、キットの使用方法の指示書とを含む、前記キット。
(827)  対象が活性な結核（ＴＢ）を有するか否かを決定するためのキットであって、対象試料中の、PEPDのレベル、SELLのレベル、及びSEPP1のレベルを測定するための試薬と、前記対象が活性なＴＢを有するか否かを決定するための、キットの使用方法の指示書とを含む、前記キット。
(828)  活性なＴＢを有する対象における治療の有効性を監視するキットであって、対象試料中の、PEPDのレベル、SELLのレベル、及びSEPP1のレベルを測定するための試薬と、前記治療の有効性を監視するための、キットの使用方法の指示書とを含む、前記キット。
(829)  対象が活性な結核（ＴＢ）を有するか否かを決定するためのキットであって、対象試料中の、PEPDのレベル、SELLのレベル、及びLUMのレベルを測定するための試薬と、前記対象が活性なＴＢを有するか否かを決定するための、キットの使用方法の指示書とを含む、前記キット。
(830)  活性なＴＢを有する対象における治療の有効性を監視するキットであって、対象試料中の、PEPDのレベル、SELLのレベル、及びLUMのレベルを測定するための試薬と、前記治療の有効性を監視するための、キットの使用方法の指示書とを含む、前記キット。
(831)  対象が活性な結核（ＴＢ）を有するか否かを決定するためのキットであって、対象試料中の、SEPP1のレベル、SELLのレベル、及びTNXBのレベルを測定するための試薬と、前記対象が活性なＴＢを有するか否かを決定するための、キットの使用方法の指示書とを含む、前記キット。
(832)  活性なＴＢを有する対象における治療の有効性を監視するキットであって、対象試料中の、SEPP1のレベル、SELLのレベル、及びTNXBのレベルを測定するための試薬と、前記治療の有効性を監視するための、キットの使用方法の指示書とを含む、前記キット。
(833)  対象が活性な結核（ＴＢ）を有するか否かを決定するためのキットであって、対象試料中の、APOC1のレベル、SELLのレベル、及びQSOX1のレベルを測定するための試薬と、前記対象が活性なＴＢを有するか否かを決定するための、キットの使用方法の指示書とを含む、前記キット。
(834)  活性なＴＢを有する対象における治療の有効性を監視するキットであって、対象試料中の、APOC1のレベル、SELLのレベル、及びQSOX1のレベルを測定するための試薬と、前記治療の有効性を監視するための、キットの使用方法の指示書とを含む、前記キット。
(835)  対象が活性な結核（ＴＢ）を有するか否かを決定するためのキットであって、対象試料中の、TNXBのレベル、SELLのレベル、及びQSOX1のレベルを測定するための試薬と、前記対象が活性なＴＢを有するか否かを決定するための、キットの使用方法の指示書とを含む、前記キット。
(836)  活性なＴＢを有する対象における治療の有効性を監視するキットであって、対象試料中の、TNXBのレベル、SELLのレベル、及びQSOX1のレベルを測定するための試薬と、前記治療の有効性を監視するための、キットの使用方法の指示書とを含む、前記キット。
(837)  対象が活性な結核（ＴＢ）を有するか否かを決定するためのキットであって、対象試料中の、COMPのレベル、SELLのレベル、及びSEPP1のレベルを測定するための試薬と、前記対象が活性なＴＢを有するか否かを決定するための、キットの使用方法の指示書とを含む、前記キット。
(838)  活性なＴＢを有する対象における治療の有効性を監視するキットであって、対象試料中の、COMPのレベル、SELLのレベル、及びSEPP1のレベルを測定するための試薬と、前記治療の有効性を監視するための、キットの使用方法の指示書とを含む、前記キット。
(839)  対象が活性な結核（ＴＢ）を有するか否かを決定するためのキットであって、対象試料中の、LUMのレベル、SELLのレベル、及びSEPP1のレベルを測定するための試薬と、前記対象が活性なＴＢを有するか否かを決定するための、キットの使用方法の指示書とを含む、前記キット。
(840)  活性なＴＢを有する対象における治療の有効性を監視するキットであって、対象試料中の、LUMのレベル、SELLのレベル、及びSEPP1のレベルを測定するための試薬と、前記治療の有効性を監視するための、キットの使用方法の指示書とを含む、前記キット。
(841)  対象が活性な結核（ＴＢ）を有するか否かを決定するためのキットであって、対象試料中の、QSOX1のレベル、SELLのレベル、及びSEPP1のレベルを測定するための試薬と、前記対象が活性なＴＢを有するか否かを決定するための、キットの使用方法の指示書とを含む、前記キット。
(842)  活性なＴＢを有する対象における治療の有効性を監視するキットであって、対象試料中の、QSOX1のレベル、SELLのレベル、及びSEPP1のレベルを測定するための試薬と、前記治療の有効性を監視するための、キットの使用方法の指示書とを含む、前記キット。
(843)  対象が活性な結核（ＴＢ）を有するか否かを決定するためのキットであって、対象試料中の、APOC1のレベル、CD14のレベル、及びPEPDのレベルを測定するための試薬と、前記対象が活性なＴＢを有するか否かを決定するための、キットの使用方法の指示書とを含む、前記キット。
(844)  活性なＴＢを有する対象における治療の有効性を監視するキットであって、対象試料中の、APOC1のレベル、CD14のレベル、及びPEPDのレベルを測定するための試薬と、前記治療の有効性を監視するための、キットの使用方法の指示書とを含む、前記キット。
(845)  対象が活性な結核（ＴＢ）を有するか否かを決定するためのキットであって、対象試料中の、APOC1のレベル、COMPのレベル、及びSELLのレベルを測定するための試薬と、前記対象が活性なＴＢを有するか否かを決定するための、キットの使用方法の指示書とを含む、前記キット。
(846)  活性なＴＢを有する対象における治療の有効性を監視するキットであって、対象試料中の、APOC1のレベル、COMPのレベル、及びSELLのレベルを測定するための試薬と、前記治療の有効性を監視するための、キットの使用方法の指示書とを含む、前記キット。
(847)  対象が活性な結核（ＴＢ）を有するか否かを決定するためのキットであって、対象試料中の、APOC1のレベル、CD14のレベル、及びQSOX1のレベルを測定するための試薬と、前記対象が活性なＴＢを有するか否かを決定するための、キットの使用方法の指示書とを含む、前記キット。
(848)  活性なＴＢを有する対象における治療の有効性を監視するキットであって、対象試料中の、APOC1のレベル、CD14のレベル、及びQSOX1のレベルを測定するための試薬と、前記治療の有効性を監視するための、キットの使用方法の指示書とを含む、前記キット。
(849)  対象が活性な結核（ＴＢ）を有するか否かを決定するためのキットであって、対象試料中の、APOC1のレベル、SELLのレベル、及びPEPDのレベルを測定するための試薬と、前記対象が活性なＴＢを有するか否かを決定するための、キットの使用方法の指示書とを含む、前記キット。
(850)  活性なＴＢを有する対象における治療の有効性を監視するキットであって、対象試料中の、APOC1のレベル、SELLのレベル、及びPEPDのレベルを測定するための試薬と、前記治療の有効性を監視するための、キットの使用方法の指示書とを含む、前記キット。
(851)  対象が活性な結核（ＴＢ）を有するか否かを決定するためのキットであって、対象試料中の、CD14のレベル、APOEのレベル、及びSELLのレベルを測定するための試薬と、前記対象が活性なＴＢを有するか否かを決定するための、キットの使用方法の指示書とを含む、前記キット。
(852)  活性なＴＢを有する対象における治療の有効性を監視するキットであって、対象試料中の、CD14のレベル、APOEのレベル、及びSELLのレベルを測定するための試薬と、前記治療の有効性を監視するための、キットの使用方法の指示書とを含む、前記キット。
(853)  対象が活性な結核（ＴＢ）を有するか否かを決定するためのキットであって、対象試料中の、GP1BAのレベル、PEPDのレベル、SELLのレベル、及びTNXBのレベルを測定するための試薬と、前記対象が活性なＴＢを有するか否かを決定するための、キットの使用方法の指示書とを含む、前記キット。
(854)  活性なＴＢを有する対象における治療の有効性を監視するキットであって、対象試料中の、GP1BAのレベル、PEPDのレベル、SELLのレベル、及びTNXBのレベルを測定するための試薬と、前記治療の有効性を監視するための、キットの使用方法の指示書とを含む、前記キット。
(855)  対象が活性な結核（ＴＢ）を有するか否かを決定するためのキットであって、対象試料中の、COMPのレベル、PEPDのレベル、SELLのレベル、及びTNXBのレベルを測定するための試薬と、前記対象が活性なＴＢを有するか否かを決定するための、キットの使用方法の指示書とを含む、前記キット。
(856)  活性なＴＢを有する対象における治療の有効性を監視するキットであって、対象試料中の、COMPのレベル、PEPDのレベル、SELLのレベル、及びTNXBのレベルを測定するための試薬と、前記治療の有効性を監視するための、キットの使用方法の指示書とを含む、前記キット。
(857)  対象が活性な結核（ＴＢ）を有するか否かを決定するためのキットであって、対象試料中の、COMPのレベル、PEPDのレベル、SELLのレベル、及びQSOX1のレベルを測定するための試薬と、前記対象が活性なＴＢを有するか否かを決定するための、キットの使用方法の指示書とを含む、前記キット。
(858)  活性なＴＢを有する対象における治療の有効性を監視するキットであって、対象試料中の、COMPのレベル、PEPDのレベル、SELLのレベル、及びQSOX1のレベルを測定するための試薬と、前記治療の有効性を監視するための、キットの使用方法の指示書とを含む、前記キット。
(859)  対象が活性な結核（ＴＢ）を有するか否かを決定するためのキットであって、対象試料中の、COMPのレベル、PEPDのレベル、SELLのレベル、及びLUMのレベルを測定するための試薬と、前記対象が活性なＴＢを有するか否かを決定するための、キットの使用方法の指示書とを含む、前記キット。
(860)  活性なＴＢを有する対象における治療の有効性を監視するキットであって、対象試料中の、COMPのレベル、PEPDのレベル、SELLのレベル、及びLUMのレベルを測定するための試薬と、前記治療の有効性を監視するための、キットの使用方法の指示書とを含む、前記キット。
(861)  対象が活性な結核（ＴＢ）を有するか否かを決定するためのキットであって、対象試料中の、CD14のレベル、PEPDのレベル、SELLのレベル、及びTNXBのレベルを測定するための試薬と、前記対象が活性なＴＢを有するか否かを決定するための、キットの使用方法の指示書とを含む、前記キット。
(862)  活性なＴＢを有する対象における治療の有効性を監視するキットであって、対象試料中の、CD14のレベル、PEPDのレベル、SELLのレベル、及びTNXBのレベルを測定するための試薬と、前記治療の有効性を監視するための、キットの使用方法の指示書とを含む、前記キット。。
(863)  対象が活性な結核（ＴＢ）を有するか否かを決定するためのキットであって、対象試料中の、CD14のレベル、PEPDのレベル、SELLのレベル、及びSEPP1のレベルを測定するための試薬と、前記対象が活性なＴＢを有するか否かを決定するための、キットの使用方法の指示書とを含む、前記キット。
(864)  活性なＴＢを有する対象における治療の有効性を監視するキットであって、対象試料中の、CD14のレベル、PEPDのレベル、SELLのレベル、及びSEPP1のレベルを測定するための試薬と、前記治療の有効性を監視するための、キットの使用方法の指示書とを含む、前記キット。
(865)  対象が活性な結核（ＴＢ）を有するか否かを決定するためのキットであって、対象試料中の、CD14のレベル、PEPDのレベル、SELLのレベル、及びQSOX1のレベルを測定するための試薬と、前記対象が活性なＴＢを有するか否かを決定するための、キットの使用方法の指示書とを含む、前記キット。
(866)  活性なＴＢを有する対象における治療の有効性を監視するキットであって、対象試料中の、CD14のレベル、PEPDのレベル、SELLのレベル、及びQSOX1のレベルを測定するための試薬と、前記治療の有効性を監視するための、キットの使用方法の指示書とを含む、前記キット。
(867)  対象が活性な結核（ＴＢ）を有するか否かを決定するためのキットであって、対象試料中の、COMPのレベル、PEPDのレベル、SELLのレベル、及びGP1BAのレベルを測定するための試薬と、前記対象が活性なＴＢを有するか否かを決定するための、キットの使用方法の指示書とを含む、前記キット。
(868)  活性なＴＢを有する対象における治療の有効性を監視するキットであって、対象試料中の、COMPのレベル、PEPDのレベル、SELLのレベル、及びGP1BAのレベルを測定するための試薬と、前記治療の有効性を監視するための、キットの使用方法の指示書とを含む、前記キット。
(869)  対象が活性な結核（ＴＢ）を有するか否かを決定するためのキットであって、対象試料中の、COMPのレベル、PEPDのレベル、SELLのレベル、及びAPOC1のレベルを測定するための試薬と、前記対象が活性なＴＢを有するか否かを決定するための、キットの使用方法の指示書とを含む、前記キット。
(870)  活性なＴＢを有する対象における治療の有効性を監視するキットであって、対象試料中の、COMPのレベル、PEPDのレベル、SELLのレベル、及びAPOC1のレベルを測定するための試薬と、前記治療の有効性を監視するための、キットの使用方法の指示書とを含む、前記キット。
(871)  対象が活性な結核（ＴＢ）を有するか否かを決定するためのキットであって、対象試料中の、LUMのレベル、PEPDのレベル、SELLのレベル、及びTNXBのレベルを測定するための試薬と、前記対象が活性なＴＢを有するか否かを決定するための、キットの使用方法の指示書とを含む、前記キット。
(872)  活性なＴＢを有する対象における治療の有効性を監視するキットであって、対象試料中の、LUMのレベル、PEPDのレベル、SELLのレベル、及びTNXBのレベルを測定するための試薬と、前記治療の有効性を監視するための、キットの使用方法の指示書とを含む、前記キット。
(873)  対象が活性な結核（ＴＢ）を有するか否かを決定するためのキットであって、対象試料中の、CD14のレベル、PEPDのレベル、SELLのレベル、及びAPOC1のレベルを測定するための試薬と、前記対象が活性なＴＢを有するか否かを決定するための、キットの使用方法の指示書とを含む、前記キット。
(874)  活性なＴＢを有する対象における治療の有効性を監視するキットであって、対象試料中の、CD14のレベル、PEPDのレベル、SELLのレベル、及びAPOC1のレベルを測定するための試薬と、前記治療の有効性を監視するための、キットの使用方法の指示書とを含む、前記キット。
(875)  対象が活性な結核（ＴＢ）を有するか否かを決定するためのキットであって、対象試料中の、COMPのレベル、PEPDのレベル、SELLのレベル、及びSEPP1のレベルを測定するための試薬と、前記対象が活性なＴＢを有するか否かを決定するための、キットの使用方法の指示書とを含む、前記キット。
(876)  活性なＴＢを有する対象における治療の有効性を監視するキットであって、対象試料中の、COMPのレベル、PEPDのレベル、SELLのレベル、及びSEPP1のレベルを測定するための試薬と、前記治療の有効性を監視するための、キットの使用方法の指示書とを含む、前記キット。
(877)  対象が活性な結核（ＴＢ）を有するか否かを決定するためのキットであって、対象試料中の、QSOX1のレベル、PEPDのレベル、SELLのレベル、及びTNXBのレベルを測定するための試薬と、前記対象が活性なＴＢを有するか否かを決定するための、キットの使用方法の指示書とを含む、前記キット。
(878)  活性なＴＢを有する対象における治療の有効性を監視するキットであって、対象試料中の、QSOX1のレベル、PEPDのレベル、SELLのレベル、及びTNXBのレベルを測定するための試薬と、前記治療の有効性を監視するための、キットの使用方法の指示書とを含む、前記キット。
(879)  対象が活性な結核（ＴＢ）を有するか否かを決定するためのキットであって、対象試料中の、LUMのレベル、PEPDのレベル、SELLのレベル、及びSEPP1のレベルを測定するための試薬と、前記対象が活性なＴＢを有するか否かを決定するための、キットの使用方法の指示書とを含む、前記キット。
(880)  活性なＴＢを有する対象における治療の有効性を監視するキットであって、対象試料中の、LUMのレベル、PEPDのレベル、SELLのレベル、及びSEPP1のレベルを測定するための試薬と、前記治療の有効性を監視するための、キットの使用方法の指示書とを含む、前記キット。
(881)  対象が活性な結核（ＴＢ）を有するか否かを決定するためのキットであって、対象試料中の、COMPのレベル、PEPDのレベル、SELLのレベル、及びCD14のレベルを測定するための試薬と、前記対象が活性なＴＢを有するか否かを決定するための、キットの使用方法の指示書とを含む、前記キット。
(882)  活性なＴＢを有する対象における治療の有効性を監視するキットであって、対象試料中の、COMPのレベル、PEPDのレベル、SELLのレベル、及びCD14のレベルを測定するための試薬と、前記治療の有効性を監視するための、キットの使用方法の指示書とを含む、前記キット。
(883)  対象が活性な結核（ＴＢ）を有するか否かを決定するためのキットであって、対象試料中の、SEPP1のレベル、PEPDのレベル、SELLのレベル、及びTNXBのレベルを測定するための試薬と、前記対象が活性なＴＢを有するか否かを決定するための、キットの使用方法の指示書とを含む、前記キット。
(884)  活性なＴＢを有する対象における治療の有効性を監視するキットであって、対象試料中の、SEPP1のレベル、PEPDのレベル、SELLのレベル、及びTNXBのレベルを測定するための試薬と、前記治療の有効性を監視するための、キットの使用方法の指示書とを含む、前記キット。
(885)  対象が活性な結核（ＴＢ）を有するか否かを決定するためのキットであって、対象試料中の、CD14のレベル、PEPDのレベル、SELLのレベル、及びGP1BAのレベルを測定するための試薬と、前記対象が活性なＴＢを有するか否かを決定するための、キットの使用方法の指示書とを含む、前記キット。
(886)  活性なＴＢを有する対象における治療の有効性を監視するキットであって、対象試料中の、CD14のレベル、PEPDのレベル、SELLのレベル、及びGP1BAのレベルを測定するための試薬と、前記治療の有効性を監視するための、キットの使用方法の指示書とを含む、前記キット。
(887)  対象が活性な結核（ＴＢ）を有するか否かを決定するためのキットであって、対象試料中の、APOC1のレベル、PEPDのレベル、SELLのレベル、及びTNXBのレベルを測定するための試薬と、前記対象が活性なＴＢを有するか否かを決定するための、キットの使用方法の指示書とを含む、前記キット。
(888)  活性なＴＢを有する対象における治療の有効性を監視するキットであって、対象試料中の、APOC1のレベル、PEPDのレベル、SELLのレベル、及びTNXBのレベルを測定するための試薬と、前記治療の有効性を監視するための、キットの使用方法の指示書とを含む、前記キット。
(889)  対象が活性な結核（ＴＢ）を有するか否かを決定するためのキットであって、対象試料中の、QSOX1のレベル、PEPDのレベル、SELLのレベル、及びSEPP1のレベルを測定するための試薬と、前記対象が活性なＴＢを有するか否かを決定するための、キットの使用方法の指示書とを含む、前記キット。
(890)  活性なＴＢを有する対象における治療の有効性を監視するキットであって、対象試料中の、QSOX1のレベル、PEPDのレベル、SELLのレベル、及びSEPP1のレベルを測定するための試薬と、前記治療の有効性を監視するための、キットの使用方法の指示書とを含む、前記キット。
(891)  対象が活性な結核（ＴＢ）を有するか否かを決定するためのキットであって、対象試料中の、CD14のレベル、PEPDのレベル、SELLのレベル、及びLUMのレベルを測定するための試薬と、前記対象が活性なＴＢを有するか否かを決定するための、キットの使用方法の指示書とを含む、前記キット。
(892)  活性なＴＢを有する対象における治療の有効性を監視するキットであって、対象試料中の、CD14のレベル、PEPDのレベル、SELLのレベル、及びLUMのレベルを測定するための試薬と、前記治療の有効性を監視するための、キットの使用方法の指示書とを含む、前記キット。
(893)  対象が活性な結核（ＴＢ）を有するか否かを決定するためのキットであって、対象試料中の、LUMのレベル、PEPDのレベル、SELLのレベル、及びQSOX1のレベルを測定するための試薬と、前記対象が活性なＴＢを有するか否かを決定するための、キットの使用方法の指示書とを含む、前記キット。
(894)  活性なＴＢを有する対象における治療の有効性を監視するキットであって、対象試料中の、LUMのレベル、PEPDのレベル、SELLのレベル、及びQSOX1のレベルを測定するための試薬と、前記治療の有効性を監視するための、キットの使用方法の指示書とを含む、前記キット。
(895)  対象が活性な結核（ＴＢ）を有するか否かを決定するためのキットであって、対象試料中の、COMPのレベル、SEPP1のレベル、SELLのレベル、及びAPOC1のレベルを測定するための試薬と、前記対象が活性なＴＢを有するか否かを決定するための、キットの使用方法の指示書とを含む、前記キット。
(896)  活性なＴＢを有する対象における治療の有効性を監視するキットであって、対象試料中の、COMPのレベル、SEPP1のレベル、SELLのレベル、及びAPOC1のレベルを測定するための試薬と、前記治療の有効性を監視するための、キットの使用方法の指示書とを含む、前記キット。
(897)  対象が活性な結核（ＴＢ）を有するか否かを決定するためのキットであって、対象試料中の、GP1BAのレベル、PEPDのレベル、SELLのレベル、及びQSOX1のレベルを測定するための試薬と、前記対象が活性なＴＢを有するか否かを決定するための、キットの使用方法の指示書とを含む、前記キット。
(898)  活性なＴＢを有する対象における治療の有効性を監視するキットであって、対象試料中の、GP1BAのレベル、PEPDのレベル、SELLのレベル、及びQSOX1のレベルを測定するための試薬と、前記治療の有効性を監視するための、キットの使用方法の指示書とを含む、前記キット。
(899)  対象が活性な結核（ＴＢ）を有するか否かを決定するためのキットであって、対象試料中の、APOC1のレベル、PEPDのレベル、SELLのレベル、及びLUMのレベルを測定するための試薬と、前記対象が活性なＴＢを有するか否かを決定するための、キットの使用方法の指示書とを含む、前記キット。
(900)  活性なＴＢを有する対象における治療の有効性を監視するキットであって、対象試料中の、APOC1のレベル、PEPDのレベル、SELLのレベル、及びLUMのレベルを測定するための試薬と、前記治療の有効性を監視するための、キットの使用方法の指示書とを含む、前記キット。
(901)  対象が活性な結核（ＴＢ）を有するか否かを決定するためのキットであって、対象試料中の、APOC1のレベル、PEPDのレベル、SELLのレベル、及びQSOX1のレベルを測定するための試薬と、前記対象が活性なＴＢを有するか否かを決定するための、キットの使用方法の指示書とを含む、前記キット。
(902)  活性なＴＢを有する対象における治療の有効性を監視するキットであって、対象試料中の、APOC1のレベル、PEPDのレベル、SELLのレベル、及びQSOX1のレベルを測定するための試薬と、前記治療の有効性を監視するための、キットの使用方法の指示書とを含む、前記キット。
(903)  対象が活性な結核（ＴＢ）を有するか否かを決定するためのキットであって、対象試料中の、APOC1のレベル、PEPDのレベル、SELLのレベル、及びSEPP1のレベルを測定するための試薬と、前記対象が活性なＴＢを有するか否かを決定するための、キットの使用方法の指示書とを含む、前記キット。
(904)  活性なＴＢを有する対象における治療の有効性を監視するキットであって、対象試料中の、APOC1のレベル、PEPDのレベル、SELLのレベル、及びSEPP1のレベルを測定するための試薬と、前記治療の有効性を監視するための、キットの使用方法の指示書とを含む、前記キット。
(905)  対象が活性な結核（ＴＢ）を有するか否かを決定するためのキットであって、対象試料中の、APOC1のレベル、COMPのレベル、SELLのレベル、及びQSOX1のレベルを測定するための試薬と、前記対象が活性なＴＢを有するか否かを決定するための、キットの使用方法の指示書とを含む、前記キット。
(906)  活性なＴＢを有する対象における治療の有効性を監視するキットであって、対象試料中の、APOC1のレベル、COMPのレベル、SELLのレベル、及びQSOX1のレベルを測定するための試薬と、前記治療の有効性を監視するための、キットの使用方法の指示書とを含む、前記キット。
(907)  対象が活性な結核（ＴＢ）を有するか否かを決定するためのキットであって、対象試料中の、APOC1のレベル、CD14のレベル、SELLのレベル、及びQSOX1のレベルを測定するための試薬と、前記対象が活性なＴＢを有するか否かを決定するための、キットの使用方法の指示書とを含む、前記キット。
(908)  活性なＴＢを有する対象における治療の有効性を監視するキットであって、対象試料中の、APOC1のレベル、CD14のレベル、SELLのレベル、及びQSOX1のレベルを測定するための試薬と、前記治療の有効性を監視するための、キットの使用方法の指示書とを含む、前記キット。
(909)  対象が活性な結核（ＴＢ）を有するか否かを決定するためのキットであって、対象試料中の、QSOX1のレベル、SEPP1のレベル、SELLのレベル、及びAPOC1のレベルを測定するための試薬と、前記対象が活性なＴＢを有するか否かを決定するための、キットの使用方法の指示書とを含む、前記キット。
(910)  活性なＴＢを有する対象における治療の有効性を監視するキットであって、対象試料中の、QSOX1のレベル、SEPP1のレベル、SELLのレベル、及びAPOC1のレベルを測定するための試薬と、前記治療の有効性を監視するための、キットの使用方法の指示書とを含む、前記キット。
(911)  対象が活性な結核（ＴＢ）を有するか否かを決定するためのキットであって、対象試料中の、LUMのレベル、APOC1のレベル、SELLのレベル、及びQSOX1のレベルを測定するための試薬と、前記対象が活性なＴＢを有するか否かを決定するための、キットの使用方法の指示書とを含む、前記キット。
(912)  活性なＴＢを有する対象における治療の有効性を監視するキットであって、対象試料中の、LUMのレベル、APOC1のレベル、SELLのレベル、及びQSOX1のレベルを測定するための試薬と、前記治療の有効性を監視するための、キットの使用方法の指示書とを含む、前記キット。
(913)  対象が活性な結核（ＴＢ）を有するか否かを決定するためのキットであって、対象試料中の、CD14のレベル、GP1BAのレベル、SELLのレベル、及びQSOX1のレベルを測定するための試薬と、前記対象が活性なＴＢを有するか否かを決定するための、キットの使用方法の指示書とを含む、前記キット。
(914)  活性なＴＢを有する対象における治療の有効性を監視するキットであって、対象試料中の、CD14のレベル、GP1BAのレベル、SELLのレベル、及びQSOX1のレベルを測定するための試薬と、前記治療の有効性を監視するための、キットの使用方法の指示書とを含む、前記キット。
(915)  対象が活性な結核（ＴＢ）を有するか否かを決定するためのキットであって、対象試料中の、GP1BAのレベル、PEPDのレベル、SELLのレベル、及びLUMのレベルを測定するための試薬と、前記対象が活性なＴＢを有するか否かを決定するための、キットの使用方法の指示書とを含む、前記キット。
(916)  活性なＴＢを有する対象における治療の有効性を監視するキットであって、対象試料中の、GP1BAのレベル、PEPDのレベル、SELLのレベル、及びLUMのレベルを測定するための試薬と、前記治療の有効性を監視するための、キットの使用方法の指示書とを含む、前記キット。
(917)  対象が活性な結核（ＴＢ）を有するか否かを決定するためのキットであって、対象試料中の、QSOX1のレベル、APOC1のレベル、SELLのレベル、及びTNXBのレベルを測定するための試薬と、前記対象が活性なＴＢを有するか否かを決定するための、キットの使用方法の指示書とを含む、前記キット。
(918)  活性なＴＢを有する対象における治療の有効性を監視するキットであって、対象試料中の、QSOX1のレベル、APOC1のレベル、SELLのレベル、及びTNXBのレベルを測定するための試薬と、前記治療の有効性を監視するための、キットの使用方法の指示書とを含む、前記キット。
(919)  対象が活性な結核（ＴＢ）を有するか否かを決定するためのキットであって、対象試料中の、GP1BAのレベル、PEPDのレベル、SELLのレベル、及びSEPP1のレベルを測定するための試薬と、前記対象が活性なＴＢを有するか否かを決定するための、キットの使用方法の指示書とを含む、前記キット。
(920)  活性なＴＢを有する対象における治療の有効性を監視するキットであって、対象試料中の、GP1BAのレベル、PEPDのレベル、SELLのレベル、及びSEPP1のレベルを測定するための試薬と、前記治療の有効性を監視するための、キットの使用方法の指示書とを含む、前記キット。
(921)  対象が活性な結核（ＴＢ）を有するか否かを決定するためのキットであって、対象試料中の、QSOX1のレベル、SEPP1のレベル、SELLのレベル、及びTNXBのレベルを測定するための試薬と、前記対象が活性なＴＢを有するか否かを決定するための、キットの使用方法の指示書とを含む、前記キット。
(922)  活性なＴＢを有する対象における治療の有効性を監視するキットであって、対象試料中の、QSOX1のレベル、SEPP1のレベル、SELLのレベル、及びTNXBのレベルを測定するための試薬と、前記治療の有効性を監視するための、キットの使用方法の指示書とを含む、前記キット。
(923)  対象が活性な結核（ＴＢ）を有するか否かを決定するためのキットであって、対象試料中の、SEPP1のレベル、LUMのレベル、SELLのレベル、及びQSOX1のレベルを測定するための試薬と、前記対象が活性なＴＢを有するか否かを決定するための、キットの使用方法の指示書とを含む、前記キット。
(924)  活性なＴＢを有する対象における治療の有効性を監視するキットであって、対象試料中の、SEPP1のレベル、LUMのレベル、SELLのレベル、及びQSOX1のレベルを測定するための試薬と、前記治療の有効性を監視するための、キットの使用方法の指示書とを含む、前記キット。
(925)  対象が活性な結核（ＴＢ）を有するか否かを決定するためのキットであって、対象試料中の、COMPのレベル、SEPP1のレベル、SELLのレベル、及びGP1BAのレベルを測定するための試薬と、前記対象が活性なＴＢを有するか否かを決定するための、キットの使用方法の指示書とを含む、前記キット。
(926)  活性なＴＢを有する対象における治療の有効性を監視するキットであって、対象試料中の、COMPのレベル、SEPP1のレベル、SELLのレベル、及びGP1BAのレベルを測定するための試薬と、前記治療の有効性を監視するための、キットの使用方法の指示書とを含む、前記キット。
(927)  対象が活性な結核（ＴＢ）を有するか否かを決定するためのキットであって、対象試料中の、APOC1のレベル、PEPDのレベル、SELLのレベル、及びGP1BAのレベルを測定するための試薬と、前記対象が活性なＴＢを有するか否かを決定するための、キットの使用方法の指示書とを含む、前記キット。
(928)  活性なＴＢを有する対象における治療の有効性を監視するキットであって、対象試料中の、APOC1のレベル、PEPDのレベル、SELLのレベル、及びGP1BAのレベルを測定するための試薬と、前記治療の有効性を監視するための、キットの使用方法の指示書とを含む、前記キット。
(929)  対象が活性な結核（ＴＢ）を有するか否かを決定するためのキットであって、対象試料中の、QSOX1のレベル、COMPのレベル、SELLのレベル、及びSEPP1のレベルを測定するための試薬と、前記対象が活性なＴＢを有するか否かを決定するための、キットの使用方法の指示書とを含む、前記キット。
(930)  活性なＴＢを有する対象における治療の有効性を監視するキットであって、対象試料中の、QSOX1のレベル、COMPのレベル、SELLのレベル、及びSEPP1のレベルを測定するための試薬と、前記治療の有効性を監視するための、キットの使用方法の指示書とを含む、前記キット。
(931)  対象が活性な結核（ＴＢ）を有するか否かを決定するためのキットであって、対象試料中の、COMPのレベル、SEPP1のレベル、SELLのレベル、及びLUMのレベルを測定するための試薬と、前記対象が活性なＴＢを有するか否かを決定するための、キットの使用方法の指示書とを含む、前記キット。
(932)  活性なＴＢを有する対象における治療の有効性を監視するキットであって、対象試料中の、COMPのレベル、SEPP1のレベル、SELLのレベル、及びLUMのレベルを測定するための試薬と、前記治療の有効性を監視するための、キットの使用方法の指示書とを含む、前記キット。
(933)  対象が活性な結核（ＴＢ）を有するか否かを決定するためのキットであって、対象試料中の、CD14のレベル、QSOX1のレベル、SELLのレベル、及びSEPP1のレベルを測定するための試薬と、前記対象が活性なＴＢを有するか否かを決定するための、キットの使用方法の指示書とを含む、前記キット。
(934)  活性なＴＢを有する対象における治療の有効性を監視するキットであって、対象試料中の、CD14のレベル、QSOX1のレベル、SELLのレベル、及びSEPP1のレベルを測定するための試薬と、前記治療の有効性を監視するための、キットの使用方法の指示書とを含む、前記キット。
(935)  対象が活性な結核（ＴＢ）を有するか否かを決定するためのキットであって、対象試料中の、COMPのレベル、SEPP1のレベル、SELLのレベル、及びTNXBのレベルを測定するための試薬と、前記対象が活性なＴＢを有するか否かを決定するための、キットの使用方法の指示書とを含む、前記キット。
(936)  活性なＴＢを有する対象における治療の有効性を監視するキットであって、対象試料中の、COMPのレベル、SEPP1のレベル、SELLのレベル、及びTNXBのレベルを測定するための試薬と、前記治療の有効性を監視するための、キットの使用方法の指示書とを含む、前記キット。
(937)  対象が活性な結核（ＴＢ）を有するか否かを決定するためのキットであって、対象試料中の、APOC1のレベル、CD14のレベル、GP1BAのレベル、及びQSOX1のレベルを測定するための試薬と、前記対象が活性なＴＢを有するか否かを決定するための、キットの使用方法の指示書とを含む、前記キット。
(938)  活性なＴＢを有する対象における治療の有効性を監視するキットであって、対象試料中の、APOC1のレベル、CD14のレベル、GP1BAのレベル、及びQSOX1のレベルを測定するための試薬と、前記治療の有効性を監視するための、キットの使用方法の指示書とを含む、前記キット。
(939)  対象が活性な結核（ＴＢ）を有するか否かを決定するためのキットであって、対象試料中の、CD14のレベル、QSOX1のレベル、SELLのレベル、及びTNXBのレベルを測定するための試薬と、前記対象が活性なＴＢを有するか否かを決定するための、キットの使用方法の指示書とを含む、前記キット。
(940)  活性なＴＢを有する対象における治療の有効性を監視するキットであって、対象試料中の、CD14のレベル、QSOX1のレベル、SELLのレベル、及びTNXBのレベルを測定するための試薬と、前記治療の有効性を監視するための、キットの使用方法の指示書とを含む、前記キット。
(941)  対象が活性な結核（ＴＢ）を有するか否かを決定するためのキットであって、対象試料中の、APOC1のレベル、SEPP1のレベル、SELLのレベル、及びTNXBのレベルを測定するための試薬と、前記対象が活性なＴＢを有するか否かを決定するための、キットの使用方法の指示書とを含む、前記キット。
(942)  活性なＴＢを有する対象における治療の有効性を監視するキットであって、対象試料中の、APOC1のレベル、SEPP1のレベル、SELLのレベル、及びTNXBのレベルを測定するための試薬と、前記治療の有効性を監視するための、キットの使用方法の指示書とを含む、前記キット。
(943)  対象が活性な結核（ＴＢ）を有するか否かを決定するためのキットであって、対象試料中の、APOC1のレベル、GP1BAのレベル、SELLのレベル、及びQSOX1のレベルを測定するための試薬と、前記対象が活性なＴＢを有するか否かを決定するための、キットの使用方法の指示書とを含む、前記キット。
(944)  活性なＴＢを有する対象における治療の有効性を監視するキットであって、対象試料中の、APOC1のレベル、GP1BAのレベル、SELLのレベル、及びQSOX1のレベルを測定するための試薬と、前記治療の有効性を監視するための、キットの使用方法の指示書とを含む、前記キット。
(945)  対象が活性な結核（ＴＢ）を有するか否かを決定するためのキットであって、対象試料中の、CD14のレベル、PEPDのレベル、APOC1のレベル、及びGP1BAのレベルを測定するための試薬と、前記対象が活性なＴＢを有するか否かを決定するための、キットの使用方法の指示書とを含む、前記キット。
(946)  活性なＴＢを有する対象における治療の有効性を監視するキットであって、対象試料中の、CD14のレベル、PEPDのレベル、APOC1のレベル、及びGP1BAのレベルを測定するための試薬と、前記治療の有効性を監視するための、キットの使用方法の指示書とを含む、前記キット。
(947)  対象が活性な結核（ＴＢ）を有するか否かを決定するためのキットであって、対象試料中の、COMPのレベル、CD14のレベル、SELLのレベル、及びGP1BAのレベルを測定するための試薬と、前記対象が活性なＴＢを有するか否かを決定するための、キットの使用方法の指示書とを含む、前記キット。
(948)  活性なＴＢを有する対象における治療の有効性を監視するキットであって、対象試料中の、COMPのレベル、CD14のレベル、SELLのレベル、及びGP1BAのレベルを測定するための試薬と、前記治療の有効性を監視するための、キットの使用方法の指示書とを含む、前記キット。
(949)  対象が活性な結核（ＴＢ）を有するか否かを決定するためのキットであって、対象試料中の、CD14のレベル、GP1BAのレベル、TNXBのレベル、及びAPOC1のレベルを測定するための試薬と、前記対象が活性なＴＢを有するか否かを決定するための、キットの使用方法の指示書とを含む、前記キット。
(950)  活性なＴＢを有する対象における治療の有効性を監視するキットであって、対象試料中の、CD14のレベル、GP1BAのレベル、TNXBのレベル、及びAPOC1のレベルを測定するための試薬と、前記治療の有効性を監視するための、キットの使用方法の指示書とを含む、前記キット。
(951)  対象が活性な結核（ＴＢ）を有するか否かを決定するためのキットであって、対象試料中の、APOC1のレベル、CD14のレベル、COMPのレベル、及びGP1BAのレベルを測定するための試薬と、前記対象が活性なＴＢを有するか否かを決定するための、キットの使用方法の指示書とを含む、前記キット。
(952)  活性なＴＢを有する対象における治療の有効性を監視するキットであって、対象試料中の、APOC1のレベル、CD14のレベル、COMPのレベル、及びGP1BAのレベルを測定するための試薬と、前記治療の有効性を監視するための、キットの使用方法の指示書とを含む、前記キット。
(953)  対象が活性な結核（ＴＢ）を有するか否かを決定するためのキットであって、対象試料中の、COMP1のレベル、QSOX1のレベル、SELLのレベル、及びTNXBのレベルを測定するための試薬と、前記対象が活性なＴＢを有するか否かを決定するための、キットの使用方法の指示書とを含む、前記キット。
(954)  活性なＴＢを有する対象における治療の有効性を監視するキットであって、対象試料中の、COMP1のレベル、QSOX1のレベル、SELLのレベル、及びTNXBのレベルを測定するための試薬と、前記治療の有効性を監視するための、キットの使用方法の指示書とを含む、前記キット。
(955)  対象が活性な結核（ＴＢ）を有するか否かを決定するためのキットであって、対象試料中の、GP1BAのレベル、QSOX1のレベル、SELLのレベル、及びTNXBのレベルを測定するための試薬と、前記対象が活性なＴＢを有するか否かを決定するための、キットの使用方法の指示書とを含む、前記キット。
(956)  活性なＴＢを有する対象における治療の有効性を監視するキットであって、対象試料中の、GP1BAのレベル、QSOX1のレベル、SELLのレベル、及びTNXBのレベルを測定するための試薬と、前記治療の有効性を監視するための、キットの使用方法の指示書とを含む、前記キット。
(957)  対象が活性な結核（ＴＢ）を有するか否かを決定するためのキットであって、対象試料中の、QSOX1のレベル、LUMのレベル、SELLのレベル、及びTNXBのレベルを測定するための試薬と、前記対象が活性なＴＢを有するか否かを決定するための、キットの使用方法の指示書とを含む、前記キット。
(958)  活性なＴＢを有する対象における治療の有効性を監視するキットであって、対象試料中の、QSOX1のレベル、LUMのレベル、SELLのレベル、及びTNXBのレベルを測定するための試薬と、前記治療の有効性を監視するための、キットの使用方法の指示書とを含む、前記キット。
(959)  対象が活性な結核（ＴＢ）を有するか否かを決定するためのキットであって、対象試料中の、GP1BAのレベル、QSOX1のレベル、SELLのレベル、及びSEPP1のレベルを測定するための試薬と、前記対象が活性なＴＢを有するか否かを決定するための、キットの使用方法の指示書とを含む、前記キット。
(960)  活性なＴＢを有する対象における治療の有効性を監視するキットであって、対象試料中の、GP1BAのレベル、QSOX1のレベル、SELLのレベル、及びSEPP1のレベルを測定するための試薬と、前記治療の有効性を監視するための、キットの使用方法の指示書とを含む、前記キット。
(961)  対象が活性な結核（ＴＢ）を有するか否かを決定するためのキットであって、対象試料中の、APOC1のレベル、LUMのレベル、SELLのレベル、及びSEPP1のレベルを測定するための試薬と、前記対象が活性なＴＢを有するか否かを決定するための、キットの使用方法の指示書とを含む、前記キット。
(962)  活性なＴＢを有する対象における治療の有効性を監視するキットであって、対象試料中の、APOC1のレベル、LUMのレベル、SELLのレベル、及びSEPP1のレベルを測定するための試薬と、前記治療の有効性を監視するための、キットの使用方法の指示書とを含む、前記キット。
(963)  対象が活性な結核（ＴＢ）を有するか否かを決定するためのキットであって、対象試料中の、APOC1のレベル、CD14のレベル、GP1BAのレベル、及びLUMのレベルを測定するための試薬と、前記対象が活性なＴＢを有するか否かを決定するための、キットの使用方法の指示書とを含む、前記キット。
(964)  活性なＴＢを有する対象における治療の有効性を監視するキットであって、対象試料中の、APOC1のレベル、CD14のレベル、GP1BAのレベル、及びLUMのレベルを測定するための試薬と、前記治療の有効性を監視するための、キットの使用方法の指示書とを含む、前記キット。
(965)  対象が活性な結核（ＴＢ）を有するか否かを決定するためのキットであって、対象試料中の、SEPP1のレベル、TNXBのレベル、SELLのレベル、及びGP1BAのレベルを測定するための試薬と、前記対象が活性なＴＢを有するか否かを決定するための、キットの使用方法の指示書とを含む、前記キット。
(966)  活性なＴＢを有する対象における治療の有効性を監視するキットであって、対象試料中の、SEPP1のレベル、TNXBのレベル、SELLのレベル、及びGP1BAのレベルを測定するための試薬と、前記治療の有効性を監視するための、キットの使用方法の指示書とを含む、前記キット。
(967)  対象が活性な結核（ＴＢ）を有するか否かを決定するためのキットであって、対象試料中の、CD14のレベル、LUMのレベル、SELLのレベル、及びSEPP1のレベルを測定するための試薬と、前記対象が活性なＴＢを有するか否かを決定するための、キットの使用方法の指示書とを含む、前記キット。
(968)  活性なＴＢを有する対象における治療の有効性を監視するキットであって、対象試料中の、CD14のレベル、LUMのレベル、SELLのレベル、及びSEPP1のレベルを測定するための試薬と、前記治療の有効性を監視するための、キットの使用方法の指示書とを含む、前記キット。
(969)  対象が活性な結核（ＴＢ）を有するか否かを決定するためのキットであって、対象試料中の、CD14のレベル、COMPのレベル、SELLのレベル、及びTXNBのレベルを測定するための試薬と、前記対象が活性なＴＢを有するか否かを決定するための、キットの使用方法の指示書とを含む、前記キット。
(970)  活性なＴＢを有する対象における治療の有効性を監視するキットであって、対象試料中の、CD14のレベル、COMPのレベル、SELLのレベル、及びTXNBのレベルを測定するための試薬と、前記治療の有効性を監視するための、キットの使用方法の指示書とを含む、前記キット。
(971)  対象が活性な結核（ＴＢ）を有するか否かを決定するためのキットであって、対象試料中の、CD14のレベル、SEPP1のレベル、SELLのレベル、及びTNXBのレベルを測定するための試薬と、前記対象が活性なＴＢを有するか否かを決定するための、キットの使用方法の指示書とを含む、前記キット。
(972)  活性なＴＢを有する対象における治療の有効性を監視するキットであって、対象試料中の、CD14のレベル、SEPP1のレベル、SELLのレベル、及びTNXBのレベルを測定するための試薬と、前記治療の有効性を監視するための、キットの使用方法の指示書とを含む、前記キット。
(973)  対象が活性な結核（ＴＢ）を有するか否かを決定するためのキットであって、対象試料中の、LUMのレベル、GP1BAのレベル、SELLのレベル、及びSEPP1のレベルを測定するための試薬と、前記対象が活性なＴＢを有するか否かを決定するための、キットの使用方法の指示書とを含む、前記キット。
(974)  活性なＴＢを有する対象における治療の有効性を監視するキットであって、対象試料中の、LUMのレベル、GP1BAのレベル、SELLのレベル、及びSEPP1のレベルを測定するための試薬と、前記治療の有効性を監視するための、キットの使用方法の指示書とを含む、前記キット。
(975)  対象が活性な結核（ＴＢ）を有するか否かを決定するためのキットであって、対象試料中の、COMPのレベル、SEPP1のレベル、SELLのレベル、及びCD14のレベルを測定するための試薬と、前記対象が活性なＴＢを有するか否かを決定するための、キットの使用方法の指示書とを含む、前記キット。
(976)  活性なＴＢを有する対象における治療の有効性を監視するキットであって、対象試料中の、COMPのレベル、SEPP1のレベル、SELLのレベル、及びCD14のレベルを測定するための試薬と、前記治療の有効性を監視するための、キットの使用方法の指示書とを含む、前記キット。
(977)  対象が活性な結核（ＴＢ）を有するか否かを決定するためのキットであって、対象試料中の、LUMのレベル、SEPP1のレベル、SELLのレベル、及びTNXBのレベルを測定するための試薬と、前記対象が活性なＴＢを有するか否かを決定するための、キットの使用方法の指示書とを含む、前記キット。
(978)  活性なＴＢを有する対象における治療の有効性を監視するキットであって、対象試料中の、LUMのレベル、SEPP1のレベル、SELLのレベル、及びTNXBのレベルを測定するための試薬と、前記治療の有効性を監視するための、キットの使用方法の指示書とを含む、前記キット。
(979)  対象が活性な結核（ＴＢ）を有するか否かを決定するためのキットであって、対象試料中の、APOC1のレベル、CD14のレベル、SELLのレベル、及びTNXBのレベルを測定するための試薬と、前記対象が活性なＴＢを有するか否かを決定するための、キットの使用方法の指示書とを含む、前記キット。
(980)  活性なＴＢを有する対象における治療の有効性を監視するキットであって、対象試料中の、APOC1のレベル、CD14のレベル、SELLのレベル、及びTNXBのレベルを測定するための試薬と、前記治療の有効性を監視するための、キットの使用方法の指示書とを含む、前記キット。
(981)  対象が活性な結核（ＴＢ）を有するか否かを決定するためのキットであって、対象試料中の、CD14のレベル、GP1BAのレベル、SELLのレベル、及びTXNBのレベルを測定するための試薬と、前記対象が活性なＴＢを有するか否かを決定するための、キットの使用方法の指示書とを含む、前記キット。
(982)  活性なＴＢを有する対象における治療の有効性を監視するキットであって、対象試料中の、CD14のレベル、GP1BAのレベル、SELLのレベル、及びTXNBのレベルを測定するための試薬と、前記治療の有効性を監視するための、キットの使用方法の指示書とを含む、前記キット。
(983)  対象が活性な結核（ＴＢ）を有するか否かを決定するためのキットであって、対象試料中の、APOC1のレベル、CD14のレベル、GP1BAのレベル、及びSEPP1のレベルを測定するための試薬と、前記対象が活性なＴＢを有するか否かを決定するための、キットの使用方法の指示書とを含む、前記キット。
(984)  活性なＴＢを有する対象における治療の有効性を監視するキットであって、対象試料中の、APOC1のレベル、CD14のレベル、GP1BAのレベル、及びSEPP1のレベルを測定するための試薬と、前記治療の有効性を監視するための、キットの使用方法の指示書とを含む、前記キット。
(985)  対象が活性な結核（ＴＢ）を有するか否かを決定するためのキットであって、対象試料中の、APOC1のレベル、CD14のレベル、SELLのレベル、及びLUMのレベルを測定するための試薬と、前記対象が活性なＴＢを有するか否かを決定するための、キットの使用方法の指示書とを含む、前記キット。
(986)  活性なＴＢを有する対象における治療の有効性を監視するキットであって、対象試料中の、APOC1のレベル、CD14のレベル、SELLのレベル、及びLUMのレベルを測定するための試薬と、前記治療の有効性を監視するための、キットの使用方法の指示書とを含む、前記キット。
(987)  対象が活性な結核（ＴＢ）を有するか否かを決定するためのキットであって、対象試料中の、APOC1のレベル、COMPのレベル、SELLのレベル、及びGP1BAのレベルを測定するための試薬と、前記対象が活性なＴＢを有するか否かを決定するための、キットの使用方法の指示書とを含む、前記キット。
(988)  活性なＴＢを有する対象における治療の有効性を監視するキットであって、対象試料中の、APOC1のレベル、COMPのレベル、SELLのレベル、及びGP1BAのレベルを測定するための試薬と、前記治療の有効性を監視するための、キットの使用方法の指示書とを含む、前記キット。
(989)  対象が活性な結核（ＴＢ）を有するか否かを決定するためのキットであって、対象試料中の、APOC1のレベル、CD14のレベル、SELLのレベル、及びCOMPのレベルを測定するための試薬と、前記対象が活性なＴＢを有するか否かを決定するための、キットの使用方法の指示書とを含む、前記キット。
(990)  活性なＴＢを有する対象における治療の有効性を監視するキットであって、対象試料中の、APOC1のレベル、CD14のレベル、SELLのレベル、及びCOMPのレベルを測定するための試薬と、前記治療の有効性を監視するための、キットの使用方法の指示書とを含む、前記キット。
(991)  対象が活性な結核（ＴＢ）を有するか否かを決定するためのキットであって、対象試料中の、LUMのレベル、APOC1のレベル、CD14のレベル、及びPEPDのレベルを測定するための試薬と、前記対象が活性なＴＢを有するか否かを決定するための、キットの使用方法の指示書とを含む、前記キット。
(992)  活性なＴＢを有する対象における治療の有効性を監視するキットであって、対象試料中の、LUMのレベル、APOC1のレベル、CD14のレベル、及びPEPDのレベルを測定するための試薬と、前記治療の有効性を監視するための、キットの使用方法の指示書とを含む、前記キット。
(993)  対象が活性な結核（ＴＢ）を有するか否かを決定するためのキットであって、対象試料中の、COMPのレベル、LUMのレベル、SELLのレベル、及びTNXBのレベルを測定するための試薬と、前記対象が活性なＴＢを有するか否かを決定するための、キットの使用方法の指示書とを含む、前記キット。
(994)  活性なＴＢを有する対象における治療の有効性を監視するキットであって、対象試料中の、COMPのレベル、LUMのレベル、SELLのレベル、及びTNXBのレベルを測定するための試薬と、前記治療の有効性を監視するための、キットの使用方法の指示書とを含む、前記キット。
(995)  対象が活性な結核（ＴＢ）を有するか否かを決定するためのキットであって、対象試料中の、GP1BAのレベル、CD14のレベル、SELLのレベル、及びSEPP1のレベルを測定するための試薬と、前記対象が活性なＴＢを有するか否かを決定するための、キットの使用方法の指示書とを含む、前記キット。
(996)  活性なＴＢを有する対象における治療の有効性を監視するキットであって、対象試料中の、GP1BAのレベル、CD14のレベル、SELLのレベル、及びSEPP1のレベルを測定するための試薬と、前記治療の有効性を監視するための、キットの使用方法の指示書とを含む、前記キット。
(997)  対象が活性な結核（ＴＢ）を有するか否かを決定するためのキットであって、対象試料中の、CD14のレベル、LUMのレベル、SELLのレベル、及びTNXBのレベルを測定するための試薬と、前記対象が活性なＴＢを有するか否かを決定するための、キットの使用方法の指示書とを含む、前記キット。
(998)  活性なＴＢを有する対象における治療の有効性を監視するキットであって、対象試料中の、CD14のレベル、LUMのレベル、SELLのレベル、及びTNXBのレベルを測定するための試薬と、前記治療の有効性を監視するための、キットの使用方法の指示書とを含む、前記キット。
(999)  対象が活性な結核（ＴＢ）を有するか否かを決定するためのキットであって、対象試料中の、GP1BAのレベル、CD14のレベル、SELLのレベル、及びLUMのレベルを測定するための試薬と、前記対象が活性なＴＢを有するか否かを決定するための、キットの使用方法の指示書とを含む、前記キット。
(1000)  活性なＴＢを有する対象における治療の有効性を監視するキットであって、対象試料中の、GP1BAのレベル、CD14のレベル、SELLのレベル、及びLUMのレベルを測定するための試薬と、前記治療の有効性を監視するための、キットの使用方法の指示書とを含む、前記キット。
(1001)  対象が活性な結核（ＴＢ）を有するか否かを決定するためのキットであって、対象試料中の、APOC1のレベル、COMPのレベル、SELLのレベル、及びLUMのレベルを測定するための試薬と、前記対象が活性なＴＢを有するか否かを決定するための、キットの使用方法の指示書とを含む、前記キット。
(1002)  活性なＴＢを有する対象における治療の有効性を監視するキットであって、対象試料中の、APOC1のレベル、COMPのレベル、SELLのレベル、及びLUMのレベルを測定するための試薬と、前記治療の有効性を監視するための、キットの使用方法の指示書とを含む、前記キット。
(1003)  対象が活性な結核（ＴＢ）を有するか否かを決定するためのキットであって、対象試料中の、APOC1のレベル、COMPのレベル、SELLのレベル、及びTNXBのレベルを測定するための試薬と、前記対象が活性なＴＢを有するか否かを決定するための、キットの使用方法の指示書とを含む、前記キット。
(1004)  活性なＴＢを有する対象における治療の有効性を監視するキットであって、対象試料中の、APOC1のレベル、COMPのレベル、SELLのレベル、及びTNXBのレベルを測定するための試薬と、前記治療の有効性を監視するための、キットの使用方法の指示書とを含む、前記キット。
(1005)  対象が活性な結核（ＴＢ）を有するか否かを決定するためのキットであって、対象試料中の、COMPのレベル、SEPP1のレベル、CD14のレベル、及びGP1BAのレベルを測定するための試薬と、前記対象が活性なＴＢを有するか否かを決定するための、キットの使用方法の指示書とを含む、前記キット。
(1006)  活性なＴＢを有する対象における治療の有効性を監視するキットであって、対象試料中の、COMPのレベル、SEPP1のレベル、CD14のレベル、及びGP1BAのレベルを測定するための試薬と、前記治療の有効性を監視するための、キットの使用方法の指示書とを含む、前記キット。
(1007)  対象が活性な結核（ＴＢ）を有するか否かを決定するためのキットであって、対象試料中の、CD14のレベル、LUMのレベル、SEPP1のレベル、及びGP1BAのレベルを測定するための試薬と、前記対象が活性なＴＢを有するか否かを決定するための、キットの使用方法の指示書とを含む、前記キット。
(1008)  活性なＴＢを有する対象における治療の有効性を監視するキットであって、対象試料中の、CD14のレベル、LUMのレベル、SEPP1のレベル、及びGP1BAのレベルを測定するための試薬と、前記治療の有効性を監視するための、キットの使用方法の指示書とを含む、前記キット。
(1009)  対象が活性な結核（ＴＢ）を有するか否かを決定するためのキットであって、対象試料中の、CD14のレベル、GP1BAのレベル、TNXBのレベル、及びSEPP1のレベルを測定するための試薬と、前記対象が活性なＴＢを有するか否かを決定するための、キットの使用方法の指示書とを含む、前記キット。
(1010)  活性なＴＢを有する対象における治療の有効性を監視するキットであって、対象試料中の、CD14のレベル、GP1BAのレベル、TNXBのレベル、及びSEPP1のレベルを測定するための試薬と、前記治療の有効性を監視するための、キットの使用方法の指示書とを含む、前記キット。
(1011)  対象が活性な結核（ＴＢ）を有するか否かを決定するためのキットであって、対象試料中の、APOC1のレベル、CD14のレベル、QSOX1のレベル、及びSEPP1のレベルを測定するための試薬と、前記対象が活性なＴＢを有するか否かを決定するための、キットの使用方法の指示書とを含む、前記キット。
(1012)  活性なＴＢを有する対象における治療の有効性を監視するキットであって、対象試料中の、APOC1のレベル、CD14のレベル、QSOX1のレベル、及びSEPP1のレベルを測定するための試薬と、前記治療の有効性を監視するための、キットの使用方法の指示書とを含む、前記キット。
(1013)  対象が活性な結核（ＴＢ）を有するか否かを決定するためのキットであって、対象試料中の、APOC1のレベル、CD14のレベル、COMPのレベル、及びPEPDのレベルを測定するための試薬と、前記対象が活性なＴＢを有するか否かを決定するための、キットの使用方法の指示書とを含む、前記キット。
(1014)  活性なＴＢを有する対象における治療の有効性を監視するキットであって、対象試料中の、APOC1のレベル、CD14のレベル、COMPのレベル、及びPEPDのレベルを測定するための試薬と、前記治療の有効性を監視するための、キットの使用方法の指示書とを含む、前記キット。
(1015)  対象が活性な結核（ＴＢ）を有するか否かを決定するためのキットであって、対象試料中の、COMPのレベル、GP1BAのレベル、SELLのレベル、及びTNXBのレベルを測定するための試薬と、前記対象が活性なＴＢを有するか否かを決定するための、キットの使用方法の指示書とを含む、前記キット。
(1016)  活性なＴＢを有する対象における治療の有効性を監視するキットであって、対象試料中の、COMPのレベル、GP1BAのレベル、SELLのレベル、及びTNXBのレベルを測定するための試薬と、前記治療の有効性を監視するための、キットの使用方法の指示書とを含む、前記キット。
(1017)  対象が活性な結核（ＴＢ）を有するか否かを決定するためのキットであって、対象試料中の、APOC1のレベル、CD14のレベル、LUMのレベル、及びQSOX1のレベルを測定するための試薬と、前記対象が活性なＴＢを有するか否かを決定するための、キットの使用方法の指示書とを含む、前記キット。
(1018)  活性なＴＢを有する対象における治療の有効性を監視するキットであって、対象試料中の、APOC1のレベル、CD14のレベル、LUMのレベル、及びQSOX1のレベルを測定するための試薬と、前記治療の有効性を監視するための、キットの使用方法の指示書とを含む、前記キット。
(1019)  対象が活性な結核（ＴＢ）を有するか否かを決定するためのキットであって、対象試料中の、APOC1のレベル、CD14のレベル、PEPDのレベル、及びTNXBのレベルを測定するための試薬と、前記対象が活性なＴＢを有するか否かを決定するための、キットの使用方法の指示書とを含む、前記キット。
(1020)  活性なＴＢを有する対象における治療の有効性を監視するキットであって、対象試料中の、APOC1のレベル、CD14のレベル、PEPDのレベル、及びTNXBのレベルを測定するための試薬と、前記治療の有効性を監視するための、キットの使用方法の指示書とを含む、前記キット。
(1021)  対象が活性な結核（ＴＢ）を有するか否かを決定するためのキットであって、対象試料中の、CD14のレベル、APOEのレベル、SELLのレベル、及びTNXBのレベルを測定するための試薬と、前記対象が活性なＴＢを有するか否かを決定するための、キットの使用方法の指示書とを含む、前記キット。
(1022)  活性なＴＢを有する対象における治療の有効性を監視するキットであって、対象試料中の、CD14のレベル、APOEのレベル、SELLのレベル、及びTNXBのレベルを測定するための試薬と、前記治療の有効性を監視するための、キットの使用方法の指示書とを含む、前記キット。
(1023)  対象が活性な結核（ＴＢ）を有するか否かを決定するためのキットであって、対象試料中の、CD14のレベル、APOEのレベル、SELLのレベル、及びCOMPのレベルを測定するための試薬と、前記対象が活性なＴＢを有するか否かを決定するための、キットの使用方法の指示書とを含む、前記キット。
(1024)  活性なＴＢを有する対象における治療の有効性を監視するキットであって、対象試料中の、CD14のレベル、APOEのレベル、SELLのレベル、及びCOMPのレベルを測定するための試薬と、前記治療の有効性を監視するための、キットの使用方法の指示書とを含む、前記キット。
(1025)  対象が活性な結核（ＴＢ）を有するか否かを決定するためのキットであって、対象試料中の、CD14のレベル、APOEのレベル、SELLのレベル、及びLUMのレベルを測定するための試薬と、前記対象が活性なＴＢを有するか否かを決定するための、キットの使用方法の指示書とを含む、前記キット。
(1026)  活性なＴＢを有する対象における治療の有効性を監視するキットであって、対象試料中の、CD14のレベル、APOEのレベル、SELLのレベル、及びLUMのレベルを測定するための試薬と、前記治療の有効性を監視するための、キットの使用方法の指示書とを含む、前記キット。
(1027)  対象が活性な結核（ＴＢ）を有するか否かを決定するためのキットであって、対象試料中の、CD14のレベル、APOEのレベル、SELLのレベル、及びPGLYRP2のレベルを測定するための試薬と、前記対象が活性なＴＢを有するか否かを決定するための、キットの使用方法の指示書とを含む、前記キット。
(1028)  活性なＴＢを有する対象における治療の有効性を監視するキットであって、対象試料中の、CD14のレベル、APOEのレベル、SELLのレベル、及びPGLYRP2のレベルを測定するための試薬と、前記治療の有効性を監視するための、キットの使用方法の指示書とを含む、前記キット。
(1029)  対象が活性な結核（ＴＢ）を有するか否かを決定するためのキットであって、対象試料中の、CD14のレベル、APOEのレベル、SELLのレベル、及びHABP2のレベルを測定するための試薬と、前記対象が活性なＴＢを有するか否かを決定するための、キットの使用方法の指示書とを含む、前記キット。
(1030)  活性なＴＢを有する対象における治療の有効性を監視するキットであって、対象試料中の、CD14のレベル、APOEのレベル、SELLのレベル、及びHABP2のレベルを測定するための試薬と、前記治療の有効性を監視するための、キットの使用方法の指示書とを含む、前記キット。
(1031)  対象が活性な結核（ＴＢ）を有するか否かを決定するためのキットであって、対象試料中の、CD14のレベル、APOEのレベル、SELLのレベル、及びLRG1のレベルを測定するための試薬と、前記対象が活性なＴＢを有するか否かを決定するための、キットの使用方法の指示書とを含む、前記キット。
(1032)  活性なＴＢを有する対象における治療の有効性を監視するキットであって、対象試料中の、CD14のレベル、APOEのレベル、SELLのレベル、及びLRG1のレベルを測定するための試薬と、前記治療の有効性を監視するための、キットの使用方法の指示書とを含む、前記キット。
(1033)  対象が活性な結核（ＴＢ）を有するか否かを決定するためのキットであって、対象試料中の、CD14のレベル、APOEのレベル、SELLのレベル、及びQSOX1のレベルを測定するための試薬と、前記対象が活性なＴＢを有するか否かを決定するための、キットの使用方法の指示書とを含む、前記キット。
(1034)  活性なＴＢを有する対象における治療の有効性を監視するキットであって、対象試料中の、CD14のレベル、APOEのレベル、SELLのレベル、及びQSOX1のレベルを測定するための試薬と、前記治療の有効性を監視するための、キットの使用方法の指示書とを含む、前記キット。
(1035)  対象が活性な結核（ＴＢ）を有するか否かを決定するためのキットであって、対象試料中の、CD14のレベル、APOEのレベル、SELLのレベル、及びS100A8のレベルを測定するための試薬と、前記対象が活性なＴＢを有するか否かを決定するための、キットの使用方法の指示書とを含む、前記キット。
(1036)  活性なＴＢを有する対象における治療の有効性を監視するキットであって、対象試料中の、CD14のレベル、APOEのレベル、SELLのレベル、及びS100A8のレベルを測定するための試薬と、前記治療の有効性を監視するための、キットの使用方法の指示書とを含む、前記キット。
(1037)  対象が活性な結核（ＴＢ）を有するか否かを決定するためのキットであって、対象試料中の、CD14のレベル、APOEのレベル、及びAPOC3のレベルを測定するための試薬と、前記対象が活性なＴＢを有するか否かを決定するための、キットの使用方法の指示書とを含む、前記キット。
(1038)  活性なＴＢを有する対象における治療の有効性を監視するキットであって、対象試料中の、CD14のレベル、APOEのレベル、及びAPOC3のレベルを測定するための試薬と、前記治療の有効性を監視するための、キットの使用方法の指示書とを含む、前記キット。
(1039)  対象が活性な結核（ＴＢ）を有するか否かを決定するためのキットであって、対象試料中の、CD14のレベル、APOEのレベル、APOC3のレベル、及びPGLYRP2のレベルを測定するための試薬と、前記対象が活性なＴＢを有するか否かを決定するための、キットの使用方法の指示書とを含む、前記キット。
(1040)  活性なＴＢを有する対象における治療の有効性を監視するキットであって、対象試料中の、CD14のレベル、APOEのレベル、APOC3のレベル、及びPGLYRP2のレベルを測定するための試薬と、前記治療の有効性を監視するための、キットの使用方法の指示書とを含む、前記キット。
(1041)  対象が活性な結核（ＴＢ）を有するか否かを決定するためのキットであって、対象試料中の、CD14のレベル、APOEのレベル、APOC3のレベル、及びSELLのレベルを測定するための試薬と、前記対象が活性なＴＢを有するか否かを決定するための、キットの使用方法の指示書とを含む、前記キット。
(1042)  活性なＴＢを有する対象における治療の有効性を監視するキットであって、対象試料中の、CD14のレベル、APOEのレベル、APOC3のレベル、及びSELLのレベルを測定するための試薬と、前記治療の有効性を監視するための、キットの使用方法の指示書とを含む、前記キット。
(1043)  対象が活性な結核（ＴＢ）を有するか否かを決定するためのキットであって、対象試料中の、CD14のレベル、APOEのレベル、APOC3のレベル、及びHABP2のレベルを測定するための試薬と、前記対象が活性なＴＢを有するか否かを決定するための、キットの使用方法の指示書とを含む、前記キット。
(1044)  活性なＴＢを有する対象における治療の有効性を監視するキットであって、対象試料中の、CD14のレベル、APOEのレベル、APOC3のレベル、及びHABP2のレベルを測定するための試薬と、前記治療の有効性を監視するための、キットの使用方法の指示書とを含む、前記キット。
(1045)  対象が活性な結核（ＴＢ）を有するか否かを決定するためのキットであって、対象試料中の、LCP1のレベル及びPFN1のレベルを測定するための試薬と、前記対象が活性なＴＢを有するか否かを決定するための、キットの使用方法の指示書とを含む、前記キット。
(1046)  活性なＴＢを有する対象における治療の有効性を監視するキットであって、対象試料中の、LCP1のレベル及びPFN1のレベルを測定するための試薬と、前記治療の有効性を監視するための、キットの使用方法の指示書とを含む、前記キット。
(1047)  対象が活性な結核（ＴＢ）を有するか否かを決定するためのキットであって、対象試料中の、LCP1のレベル及びVASNのレベルを測定するための試薬と、前記対象が活性なＴＢを有するか否かを決定するための、キットの使用方法の指示書とを含む、前記キット。
(1048)  活性なＴＢを有する対象における治療の有効性を監視するキットであって、対象試料中の、LCP1のレベル及びVASNのレベルを測定するための試薬と、前記治療の有効性を監視するための、キットの使用方法の指示書とを含む、前記キット。
(1049)  対象が活性な結核（ＴＢ）を有するか否かを決定するためのキットであって、対象試料中の、VASNのレベル及びPFN1のレベルを測定するための試薬と、前記対象が活性なＴＢを有するか否かを決定するための、キットの使用方法の指示書とを含む、前記キット。
(1050)  活性なＴＢを有する対象における治療の有効性を監視するキットであって、対象試料中の、VASNのレベル及びPFN1のレベルを測定するための試薬と、前記治療の有効性を監視するための、キットの使用方法の指示書とを含む、前記キット。
(1051)  対象が活性な結核（ＴＢ）を有するか否かを決定するためのキットであって、対象試料中の、LCP1のレベル、VASNのレベル、及びPFN1のレベルを測定するための試薬と、前記対象が活性なＴＢを有するか否かを決定するための、キットの使用方法の指示書とを含む、前記キット。
(1052)  活性なＴＢを有する対象における治療の有効性を監視するキットであって、対象試料中の、LCP1のレベル、VASNのレベル、及びPFN1のレベルを測定するための試薬と、前記治療の有効性を監視するための、キットの使用方法の指示書とを含む、前記キット。
(1053)  対象が活性な結核（ＴＢ）を有するか否かを決定するためのキットであって、対象試料中の、CD14のレベル、CPN2のレベル、及びPFN1のレベルを測定するための試薬と、前記対象が活性なＴＢを有するか否かを決定するための、キットの使用方法の指示書とを含む、前記キット。
(1054)  活性なＴＢを有する対象における治療の有効性を監視するキットであって、対象試料中の、CD14のレベル、CPN2のレベル、及びPFN1のレベルを測定するための試薬と、前記治療の有効性を監視するための、キットの使用方法の指示書とを含む、前記キット。
(1055)  対象が活性な結核（ＴＢ）を有するか否かを決定するためのキットであって、対象試料中の、CD14のレベル、CPN2のレベル、及びTAGLN2のレベルを測定するための試薬と、前記対象が活性なＴＢを有するか否かを決定するための、キットの使用方法の指示書とを含む、前記キット。
(1056)  活性なＴＢを有する対象における治療の有効性を監視するキットであって、対象試料中の、CD14のレベル、CPN2のレベル、及びTAGLN2のレベルを測定するための試薬と、前記治療の有効性を監視するための、キットの使用方法の指示書とを含む、前記キット。
(1057)  対象が活性な結核（ＴＢ）を有するか否かを決定するためのキットであって、対象試料中の、CD14のレベル、PGLYRP2のレベル、及びPFN1のレベルを測定するための試薬と、前記対象が活性なＴＢを有するか否かを決定するための、キットの使用方法の指示書とを含む、前記キット。
(1058)  活性なＴＢを有する対象における治療の有効性を監視するキットであって、対象試料中の、CD14のレベル、PGLYRP2のレベル、及びPFN1のレベルを測定するための試薬と、前記治療の有効性を監視するための、キットの使用方法の指示書とを含む、前記キット。
(1059)  対象が活性な結核（ＴＢ）を有するか否かを決定するためのキットであって、対象試料中の、CD14のレベル、CPN2のレベル、及びIGFBP6のレベルを測定するための試薬と、前記対象が活性なＴＢを有するか否かを決定するための、キットの使用方法の指示書とを含む、前記キット。
(1060)  活性なＴＢを有する対象における治療の有効性を監視するキットであって、対象試料中の、CD14のレベル、CPN2のレベル、及びIGFBP6のレベルを測定するための試薬と、前記治療の有効性を監視するための、キットの使用方法の指示書とを含む、前記キット。
(1061)  対象が活性な結核（ＴＢ）を有するか否かを決定するためのキットであって、対象試料中の、CD14のレベル、PGLYRP2のレベル、及びTAGLN2のレベルを測定するための試薬と、前記対象が活性なＴＢを有するか否かを決定するための、キットの使用方法の指示書とを含む、前記キット。
(1062)  活性なＴＢを有する対象における治療の有効性を監視するキットであって、対象試料中の、CD14のレベル、PGLYRP2のレベル、及びTAGLN2のレベルを測定するための試薬と、前記治療の有効性を監視するための、キットの使用方法の指示書とを含む、前記キット。
(1063)  対象が活性な結核（ＴＢ）を有するか否かを決定するためのキットであって、対象試料中の、CD14のレベル、VASNのレベル、及びTAGLN2のレベルを測定するための試薬と、前記対象が活性なＴＢを有するか否かを決定するための、キットの使用方法の指示書とを含む、前記キット。
(1064)  活性なＴＢを有する対象における治療の有効性を監視するキットであって、対象試料中の、CD14のレベル、VASNのレベル、及びTAGLN2のレベルを測定するための試薬と、前記治療の有効性を監視するための、キットの使用方法の指示書とを含む、前記キット。
(1065)  対象が活性な結核（ＴＢ）を有するか否かを決定するためのキットであって、対象試料中の、VASNのレベル、PGLYRP2のレベル、及びTAGLN2のレベルを測定するための試薬と、前記対象が活性なＴＢを有するか否かを決定するための、キットの使用方法の指示書とを含む、前記キット。
(1066)  活性なＴＢを有する対象における治療の有効性を監視するキットであって、対象試料中の、VASNのレベル、PGLYRP2のレベル、及びTAGLN2のレベルを測定するための試薬と、前記治療の有効性を監視するための、キットの使用方法の指示書とを含む、前記キット。
(1067)  対象が活性な結核（ＴＢ）を有するか否かを決定するためのキットであって、対象試料中の、PFN1のレベル、PGLYRP2のレベル、及びVASNのレベルを測定するための試薬と、前記対象が活性なＴＢを有するか否かを決定するための、キットの使用方法の指示書とを含む、前記キット。
(1068)  活性なＴＢを有する対象における治療の有効性を監視するキットであって、対象試料中の、PFN1のレベル、PGLYRP2のレベル、及びVASNのレベルを測定するための試薬と、前記治療の有効性を監視するための、キットの使用方法の指示書とを含む、前記キット。
(1069)  対象が活性な結核（ＴＢ）を有するか否かを決定するためのキットであって、対象試料中の、CD14のレベル、CPN2のレベル、PFN1のレベル、及びPGLYRP2のレベルを測定するための試薬と、前記対象が活性なＴＢを有するか否かを決定するための、キットの使用方法の指示書とを含む、前記キット。
(1070)  活性なＴＢを有する対象における治療の有効性を監視するキットであって、対象試料中の、CD14のレベル、CPN2のレベル、PFN1のレベル、及びPGLYRP2のレベルを測定するための試薬と、前記治療の有効性を監視するための、キットの使用方法の指示書とを含む、前記キット。
(1071)  対象が活性な結核（ＴＢ）を有するか否かを決定するためのキットであって、対象試料中の、CD14のレベル、CPN2のレベル、IGFBP6のレベル、及びTAGLN2のレベルを測定するための試薬と、前記対象が活性なＴＢを有するか否かを決定するための、キットの使用方法の指示書とを含む、前記キット。
(1072)  活性なＴＢを有する対象における治療の有効性を監視するキットであって、対象試料中の、CD14のレベル、CPN2のレベル、IGFBP6のレベル、及びTAGLN2のレベルを測定するための試薬と、前記治療の有効性を監視するための、キットの使用方法の指示書とを含む、前記キット。
(1073)  対象が活性な結核（ＴＢ）を有するか否かを決定するためのキットであって、対象試料中の、CD14のレベル、CPN2のレベル、PFN1のレベル、及びIGFBP6のレベルを測定するための試薬と、前記対象が活性なＴＢを有するか否かを決定するための、キットの使用方法の指示書とを含む、前記キット。
(1074)  活性なＴＢを有する対象における治療の有効性を監視するキットであって、対象試料中の、CD14のレベル、CPN2のレベル、PFN1のレベル、及びIGFBP6のレベルを測定するための試薬と、前記治療の有効性を監視するための、キットの使用方法の指示書とを含む、前記キット。
(1075)  対象が活性な結核（ＴＢ）を有するか否かを決定するためのキットであって、対象試料中の、CD14のレベル、CPN2のレベル、PFN1のレベル、及びTAGLN2のレベルを測定するための試薬と、前記対象が活性なＴＢを有するか否かを決定するための、キットの使用方法の指示書とを含む、前記キット。
(1076)  活性なＴＢを有する対象における治療の有効性を監視するキットであって、対象試料中の、CD14のレベル、CPN2のレベル、PFN1のレベル、及びTAGLN2のレベルを測定するための試薬と、前記治療の有効性を監視するための、キットの使用方法の指示書とを含む、前記キット。
(1077)  対象が活性な結核（ＴＢ）を有するか否かを決定するためのキットであって、対象試料中の、CD14のレベル、CPN2のレベル、TAGLN2のレベル、及びPGLYRP2のレベルを測定するための試薬と、前記対象が活性なＴＢを有するか否かを決定するための、キットの使用方法の指示書とを含む、前記キット。
(1078)  活性なＴＢを有する対象における治療の有効性を監視するキットであって、対象試料中の、CD14のレベル、CPN2のレベル、TAGLN2のレベル、及びPGLYRP2のレベルを測定するための試薬と、前記治療の有効性を監視するための、キットの使用方法の指示書とを含む、前記キット。
(1079)  対象が活性な結核（ＴＢ）を有するか否かを決定するためのキットであって、対象試料中の、CD14のレベル、CPN2のレベル、PFN1のレベル、及びSEPP1のレベルを測定するための試薬と、前記対象が活性なＴＢを有するか否かを決定するための、キットの使用方法の指示書とを含む、前記キット。
(1080)  活性なＴＢを有する対象における治療の有効性を監視するキットであって、対象試料中の、CD14のレベル、CPN2のレベル、IPFN1のレベル、及びSEPP1のレベルを測定するための試薬と、前記治療の有効性を監視するための、キットの使用方法の指示書とを含む、前記キット。
(1081)  対象が活性な結核（ＴＢ）を有するか否かを決定するためのキットであって、対象試料中の、CD14のレベル、CPN2のレベル、PFN1のレベル、及びVASNのレベルを測定するための試薬と、前記対象が活性なＴＢを有するか否かを決定するための、キットの使用方法の指示書とを含む、前記キット。
(1082)  活性なＴＢを有する対象における治療の有効性を監視するキットであって、対象試料中の、CD14のレベル、CPN2のレベル、PFN1のレベル、及びVASNのレベルを測定するための試薬と、前記治療の有効性を監視するための、キットの使用方法の指示書とを含む、前記キット。
(1083)  対象が活性な結核（ＴＢ）を有するか否かを決定するためのキットであって、対象試料中の、CD14のレベル、IGFBP6のレベル、VASNのレベル、及びTAGLN2のレベルを測定するための試薬と、前記対象が活性なＴＢを有するか否かを決定するための、キットの使用方法の指示書とを含む、前記キット。
(1084)  活性なＴＢを有する対象における治療の有効性を監視するキットであって、対象試料中の、CD14のレベル、IGFBP6のレベル、VASNのレベル、及びTAGLN2のレベルを測定するための試薬と、前記治療の有効性を監視するための、キットの使用方法の指示書とを含む、前記キット。
(1085)  対象が活性な結核（ＴＢ）を有するか否かを決定するためのキットであって、対象試料中の、CD14のレベル、CPN2のレベル、SEPP1のレベル、及びTAGLN2のレベルを測定するための試薬と、前記対象が活性なＴＢを有するか否かを決定するための、キットの使用方法の指示書とを含む、前記キット。
(1086)  活性なＴＢを有する対象における治療の有効性を監視するキットであって、対象試料中の、CD14のレベル、CPN2のレベル、SEPP1のレベル、及びTAGLN2のレベルを測定するための試薬と、前記治療の有効性を監視するための、キットの使用方法の指示書とを含む、前記キット。
(1087)  対象が活性な結核（ＴＢ）を有するか否かを決定するためのキットであって、対象試料中の、CD14のレベル、CPN2のレベル、VASNのレベル、及びTAGLN2のレベルを測定するための試薬と、前記対象が活性なＴＢを有するか否かを決定するための、キットの使用方法の指示書とを含む、前記キット。
(1088)  活性なＴＢを有する対象における治療の有効性を監視するキットであって、対象試料中の、CD14のレベル、CPN2のレベル、VASNのレベル、及びTAGLN2のレベルを測定するための試薬と、前記治療の有効性を監視するための、キットの使用方法の指示書とを含む、前記キット。
(1089)  対象が活性な結核（ＴＢ）を有するか否かを決定するためのキットであって、対象試料中の、PGLYRP2のレベル、CPN2のレベル、TAGLN2のレベル、及びVASNのレベルを測定するための試薬と、前記対象が活性なＴＢを有するか否かを決定するための、キットの使用方法の指示書とを含む、前記キット。
(1090)  活性なＴＢを有する対象における治療の有効性を監視するキットであって、対象試料中の、PGLYRP2のレベル、CPN2のレベル、TAGLN2のレベル、及びVASNのレベルを測定するための試薬と、前記治療の有効性を監視するための、キットの使用方法の指示書とを含む、前記キット。
(1091)  対象が活性な結核（ＴＢ）を有するか否かを決定するためのキットであって、対象試料中の、CD14のレベル、VASNのレベル、PFN1のレベル、及びIGFBP6のレベルを測定するための試薬と、前記対象が活性なＴＢを有するか否かを決定するための、キットの使用方法の指示書とを含む、前記キット。
(1092)  活性なＴＢを有する対象における治療の有効性を監視するキットであって、対象試料中の、CD14のレベル、VASNのレベル、PFN1のレベル、及びIGFBP6のレベルを測定するための試薬と、前記治療の有効性を監視するための、キットの使用方法の指示書とを含む、前記キット。
(1093)  対象が活性な結核（ＴＢ）を有するか否かを決定するためのキットであって、対象試料中の、CD14のレベル、CPN2のレベル、IGFBP6のレベル、及びPGLYRP2のレベルを測定するための試薬と、前記対象が活性なＴＢを有するか否かを決定するための、キットの使用方法の指示書とを含む、前記キット。
(1094)  活性なＴＢを有する対象における治療の有効性を監視するキットであって、対象試料中の、CD14のレベル、CPN2のレベル、IGFBP6のレベル、及びPGLYRP2のレベルを測定するための試薬と、前記治療の有効性を監視するための、キットの使用方法の指示書とを含む、前記キット。
(1095)  対象が活性な結核（ＴＢ）を有するか否かを決定するためのキットであって、対象試料中の、CD14のレベル、IGFBP6のレベル、PFN1のレベル、及びPGLYRP2のレベルを測定するための試薬と、前記対象が活性なＴＢを有するか否かを決定するための、キットの使用方法の指示書とを含む、前記キット。
(1096)  活性なＴＢを有する対象における治療の有効性を監視するキットであって、対象試料中の、CD14のレベル、IGFBP6のレベル、PFN1のレベル、及びPGLYRP2のレベルを測定するための試薬と、前記治療の有効性を監視するための、キットの使用方法の指示書とを含む、前記キット。
(1097)  対象が活性な結核（ＴＢ）を有するか否かを決定するためのキットであって、対象試料中の、CD14のレベル、PGLYRP2のレベル、PFN1のレベル、及びVASNのレベルを測定するための試薬と、前記対象が活性なＴＢを有するか否かを決定するための、キットの使用方法の指示書とを含む、前記キット。
(1098)  活性なＴＢを有する対象における治療の有効性を監視するキットであって、対象試料中の、CD14のレベル、PGLYRP2のレベル、PFN1のレベル、及びVASNのレベルを測定するための試薬と、前記治療の有効性を監視するための、キットの使用方法の指示書とを含む、前記キット。
(1099)  対象が活性な結核（ＴＢ）を有するか否かを決定するためのキットであって、対象試料中の、CD14のレベル、IGFBP6のレベル、PGLYRP2のレベル、及びTAGLN2のレベルを測定するための試薬と、前記対象が活性なＴＢを有するか否かを決定するための、キットの使用方法の指示書とを含む、前記キット。
(1100)  活性なＴＢを有する対象における治療の有効性を監視するキットであって、対象試料中の、CD14のレベル、IGFBP6のレベル、PGLYRP2のレベル、及びTAGLN2のレベルを測定するための試薬と、前記治療の有効性を監視するための、キットの使用方法の指示書とを含む、前記キット。
(1101)  対象が活性な結核（ＴＢ）を有するか否かを決定するためのキットであって、対象試料中の、CD14のレベル、CPN2のレベル、IGFBP6のレベル、及びSEPP1のレベルを測定するための試薬と、前記対象が活性なＴＢを有するか否かを決定するための、キットの使用方法の指示書とを含む、前記キット。
(1102)  活性なＴＢを有する対象における治療の有効性を監視するキットであって、対象試料中の、CD14のレベル、CPN2のレベル、IGFBP6のレベル、及びSEPP1のレベルを測定するための試薬と、前記治療の有効性を監視するための、キットの使用方法の指示書とを含む、前記キット。
(1103)  対象が活性な結核（ＴＢ）を有するか否かを決定するためのキットであって、対象試料中の、CD14のレベル、PFN1のレベル、PGLYRP2のレベル、及びSEPP1のレベルを測定するための試薬と、前記対象が活性なＴＢを有するか否かを決定するための、キットの使用方法の指示書とを含む、前記キット。
(1104)  活性なＴＢを有する対象における治療の有効性を監視するキットであって、対象試料中の、CD14のレベル、PFN1のレベル、PGLYRP2のレベル、及びSEPP1のレベルを測定するための試薬と、前記治療の有効性を監視するための、キットの使用方法の指示書とを含む、前記キット。
(1105)  対象が活性な結核（ＴＢ）を有するか否かを決定するためのキットであって、対象試料中の、CD14のレベル、CPN2のレベル、IGFBP6のレベル、及びVASNのレベルを測定するための試薬と、前記対象が活性なＴＢを有するか否かを決定するための、キットの使用方法の指示書とを含む、前記キット。
(1106)  活性なＴＢを有する対象における治療の有効性を監視するキットであって、対象試料中の、CD14のレベル、CPN2のレベル、IGFBP6のレベル、及びVASNのレベルを測定するための試薬と、前記治療の有効性を監視するための、キットの使用方法の指示書とを含む、前記キット。
(1107)  対象が活性な結核（ＴＢ）を有するか否かを決定するためのキットであって、対象試料中の、CD14のレベル、PGLYRP2のレベル、VASNのレベル、及びTAGLN2のレベルを測定するための試薬と、前記対象が活性なＴＢを有するか否かを決定するための、キットの使用方法の指示書とを含む、前記キット。
(1108)  活性なＴＢを有する対象における治療の有効性を監視するキットであって、対象試料中の、CD14のレベル、PGLYRP2のレベル、VASNのレベル、及びTAGLN2のレベルを測定するための試薬と、前記治療の有効性を監視するための、キットの使用方法の指示書とを含む、前記キット。
(1109)  対象が活性な結核（ＴＢ）を有するか否かを決定するためのキットであって、対象試料中の、PGLYRP2のレベル、CD14のレベル、TAGLN2のレベル、及びPFN1のレベルを測定するための試薬と、前記対象が活性なＴＢを有するか否かを決定するための、キットの使用方法の指示書とを含む、前記キット。
(1110)  活性なＴＢを有する対象における治療の有効性を監視するキットであって、対象試料中の、PGLYRP2のレベル、CD14のレベル、TAGLN2のレベル、及びPFN1のレベルを測定するための試薬と、前記治療の有効性を監視するための、キットの使用方法の指示書とを含む、前記キット。
(1111)  対象が活性な結核（ＴＢ）を有するか否かを決定するためのキットであって、対象試料中の、CD14のレベル、SEPP1のレベル、PFN1のレベル、及びIGFBP6のレベルを測定するための試薬と、前記対象が活性なＴＢを有するか否かを決定するための、キットの使用方法の指示書とを含む、前記キット。
(1112)  活性なＴＢを有する対象における治療の有効性を監視するキットであって、対象試料中の、CD14のレベル、SEPP1のレベル、PFN1のレベル、及びIGFBP6のレベルを測定するための試薬と、前記治療の有効性を監視するための、キットの使用方法の指示書とを含む、前記キット。
(1113)  対象が活性な結核（ＴＢ）を有するか否かを決定するためのキットであって、対象試料中の、CD14のレベル、PFN1のレベル、TAGLN2のレベル、及びVASNのレベルを測定するための試薬と、前記対象が活性なＴＢを有するか否かを決定するための、キットの使用方法の指示書とを含む、前記キット。
(1114)  活性なＴＢを有する対象における治療の有効性を監視するキットであって、対象試料中の、CD14のレベル、PFN1のレベル、TAGLN2のレベル、及びVASNのレベルを測定するための試薬と、前記治療の有効性を監視するための、キットの使用方法の指示書とを含む、前記キット。
(1115)  対象が活性な結核（ＴＢ）を有するか否かを決定するためのキットであって、対象試料中の、CD14のレベル、IGFBP6のレベル、SEPP1のレベル、及びTAGLN2のレベルを測定するための試薬と、前記対象が活性なＴＢを有するか否かを決定するための、キットの使用方法の指示書とを含む、前記キット。
(1116)
活性なＴＢを有する対象における治療の有効性を監視するキットであって、対象試料中の、CD14のレベル、SEPP1のレベル、及びTAGLN2のレベルを測定するための試薬と、前記治療の有効性を監視するための、キットの使用方法の指示書とを含む、前記キット。
(1117)  対象が活性な結核（ＴＢ）を有するか否かを決定するためのキットであって、対象試料中の、IGFBP6のレベル、PGLYRP2のレベル、PFN1のレベル、及びVASNのレベルを測定するための試薬と、前記対象が活性なＴＢを有するか否かを決定するための、キットの使用方法の指示書とを含む、前記キット。
(1118)  活性なＴＢを有する対象における治療の有効性を監視するキットであって、対象試料中の、IGFBP6のレベル、PGLYRP2のレベル、PFN1のレベル、及びVASNのレベルを測定するための試薬と、前記治療の有効性を監視するための、キットの使用方法の指示書とを含む、前記キット。
(1119)  対象が活性な結核（ＴＢ）を有するか否かを決定するためのキットであって、対象試料中の、CPN2のレベル、PFN1のレベル、PGLYRP2のレベル、及びVASNのレベルを測定するための試薬と、前記対象が活性なＴＢを有するか否かを決定するための、キットの使用方法の指示書とを含む、前記キット。
(1120)  活性なＴＢを有する対象における治療の有効性を監視するキットであって、対象試料中の、CPN2のレベル、PFN1のレベル、PGLYRP2のレベル、及びVASNのレベルを測定するための試薬と、前記治療の有効性を監視するための、キットの使用方法の指示書とを含む、前記キット。
(1121)  対象が活性な結核（ＴＢ）を有するか否かを決定するためのキットであって、対象試料中の、CD14のレベル、SEPP1のレベル、PGLYRP2のレベル、及びTAGLN2のレベルを測定するための試薬と、前記対象が活性なＴＢを有するか否かを決定するための、キットの使用方法の指示書とを含む、前記キット。
(1122)  活性なＴＢを有する対象における治療の有効性を監視するキットであって、対象試料中の、CD14のレベル、SEPP1のレベル、PGLYRP2のレベル、及びTAGLN2のレベルを測定するための試薬と、前記治療の有効性を監視するための、キットの使用方法の指示書とを含む、前記キット。
(1123)  対象が活性な結核（ＴＢ）を有するか否かを決定するためのキットであって、対象試料中の、PFN1のレベル、CPN2のレベル、IGFBP6のレベル、及びPGLYRP2のレベルを測定するための試薬と、前記対象が活性なＴＢを有するか否かを決定するための、キットの使用方法の指示書とを含む、前記キット。
(1124)  活性なＴＢを有する対象における治療の有効性を監視するキットであって、対象試料中の、PFN1のレベル、CPN2のレベル、IGFBP6のレベル、及びPGLYRP2のレベルを測定するための試薬と、前記治療の有効性を監視するための、キットの使用方法の指示書とを含む、前記キット。
(1125)  対象が活性な結核（ＴＢ）を有するか否かを決定するためのキットであって、対象試料中の、CD14のレベル、PFN1のレベル、IGFBP6のレベル、及びTAGLN2のレベルを測定するための試薬と、前記対象が活性なＴＢを有するか否かを決定するための、キットの使用方法の指示書とを含む、前記キット。
(1126)  活性なＴＢを有する対象における治療の有効性を監視するキットであって、対象試料中の、CD14のレベル、PFN1のレベル、IGFBP6のレベル、及びTAGLN2のレベルを測定するための試薬と、前記治療の有効性を監視するための、キットの使用方法の指示書とを含む、前記キット。
(1127)  対象が活性な結核（ＴＢ）を有するか否かを決定するためのキットであって、対象試料中の、PFN1のレベル、CPN2のレベル、PGLYRP2のレベル、及びTAGLN2のレベルを測定するための試薬と、前記対象が活性なＴＢを有するか否かを決定するための、キットの使用方法の指示書とを含む、前記キット。
(1128)  活性なＴＢを有する対象における治療の有効性を監視するキットであって、対象試料中の、PFN1のレベル、CPN2のレベル、PGLYRP2のレベル、及びTAGLN2のレベルを測定するための試薬と、前記治療の有効性を監視するための、キットの使用方法の指示書とを含む、前記キット。
(1129)  対象が活性な結核（ＴＢ）を有するか否かを決定するためのキットであって、対象試料中の、CD14のレベル、PFN1のレベル、VASNのレベル、及びSEPP1のレベルを測定するための試薬と、前記対象が活性なＴＢを有するか否かを決定するための、キットの使用方法の指示書とを含む、前記キット。
(1130)  活性なＴＢを有する対象における治療の有効性を監視するキットであって、対象試料中の、CD14のレベル、PFN1のレベル、VASNのレベル、及びSEPP1のレベルを測定するための試薬と、前記治療の有効性を監視するための、キットの使用方法の指示書とを含む、前記キット。
(1131)  対象が活性な結核（ＴＢ）を有するか否かを決定するためのキットであって、対象試料中の、SEPP1のレベル、CD14のレベル、TAGLN2のレベル、及びVASNのレベルを測定するための試薬と、前記対象が活性なＴＢを有するか否かを決定するための、キットの使用方法の指示書とを含む、前記キット。
(1132)  活性なＴＢを有する対象における治療の有効性を監視するキットであって、対象試料中の、SEPP1のレベル、CD14のレベル、TAGLN2のレベル、及びVASNのレベルを測定するための試薬と、前記治療の有効性を監視するための、キットの使用方法の指示書とを含む、前記キット。
(1133)  対象が活性な結核（ＴＢ）を有するか否かを決定するためのキットであって、対象試料中の、CPN2のレベル、PGLYRP2のレベル、TAGLN2のレベル、及びIGFBP6のレベルを測定するための試薬と、前記対象が活性なＴＢを有するか否かを決定するための、キットの使用方法の指示書とを含む、前記キット。
(1134)  活性なＴＢを有する対象における治療の有効性を監視するキットであって、対象試料中の、CPN2のレベル、PGLYRP2のレベル、TAGLN2のレベル、及びIGFBP6のレベルを測定するための試薬と、前記治療の有効性を監視するための、キットの使用方法の指示書とを含む、前記キット。
(1135)  対象が活性な結核（ＴＢ）を有するか否かを決定するためのキットであって、対象試料中の、PGLYRP2のレベル、PFN1のレベル、TAGLN2のレベル、及びVASNのレベルを測定するための試薬と、前記対象が活性なＴＢを有するか否かを決定するための、キットの使用方法の指示書とを含む、前記キット。
(1136)  活性なＴＢを有する対象における治療の有効性を監視するキットであって、対象試料中の、PGLYRP2のレベル、PFN1のレベル、TAGLN2のレベル、及びVASNのレベルを測定するための試薬と、前記治療の有効性を監視するための、キットの使用方法の指示書とを含む、前記キット。
(1137)  対象が活性な結核（ＴＢ）を有するか否かを決定するためのキットであって、対象試料中の、PFN1のレベル、PGLYRP2のレベル、SEPP1のレベル、及びVASNのレベルを測定するための試薬と、前記対象が活性なＴＢを有するか否かを決定するための、キットの使用方法の指示書とを含む、前記キット。
(1138)  活性なＴＢを有する対象における治療の有効性を監視するキットであって、対象試料中の、PFN1のレベル、PGLYRP2のレベル、SEPP1のレベル、及びVASNのレベルを測定するための試薬と、前記治療の有効性を監視するための、キットの使用方法の指示書とを含む、前記キット。
(1139)  対象が活性な結核（ＴＢ）を有するか否かを決定するためのキットであって、対象試料中の、CD14のレベル、PGLYRP2のレベル、CPN2のレベル、及びSEPP1のレベルを測定するための試薬と、前記対象が活性なＴＢを有するか否かを決定するための、キットの使用方法の指示書とを含む、前記キット。
(1140)  活性なＴＢを有する対象における治療の有効性を監視するキットであって、対象試料中の、CD14のレベル、PGLYRP2のレベル、CPN2のレベル、及びSEPP1のレベルを測定するための試薬と、前記治療の有効性を監視するための、キットの使用方法の指示書とを含む、前記キット。
(1141)  対象が活性な結核（ＴＢ）を有するか否かを決定するためのキットであって、対象試料中の、CPN2のレベル、CD14のレベル、PGLYRP2のレベル、及びVASNのレベルを測定するための試薬と、前記対象が活性なＴＢを有するか否かを決定するための、キットの使用方法の指示書とを含む、前記キット。
(1142)  活性なＴＢを有する対象における治療の有効性を監視するキットであって、対象試料中の、CPN2のレベル、CD14のレベル、PGLYRP2のレベル、及びVASNのレベルを測定するための試薬と、前記治療の有効性を監視するための、キットの使用方法の指示書とを含む、前記キット。
(1143)  対象が活性な結核（ＴＢ）を有するか否かを決定するためのキットであって、対象試料中の、LCP1のレベル、VASNのレベル、PFN1のレベル、及びIGFBP6のレベルを測定するための試薬と、前記対象が活性なＴＢを有するか否かを決定するための、キットの使用方法の指示書とを含む、前記キット。
(1144)  活性なＴＢを有する対象における治療の有効性を監視するキットであって、対象試料中の、LCP1のレベル、VASNのレベル、PFN1のレベル、及びIGFBP6のレベルを測定するための試薬と、前記治療の有効性を監視するための、キットの使用方法の指示書とを含む、前記キット。
(1145)  対象が活性な結核（ＴＢ）を有するか否かを決定するためのキットであって、対象試料中の、LCP1のレベル、VASNのレベル、PFN1のレベル、及びLRG1のレベルを測定するための試薬と、前記対象が活性なＴＢを有するか否かを決定するための、キットの使用方法の指示書とを含む、前記キット。
(1146)  活性なＴＢを有する対象における治療の有効性を監視するキットであって、対象試料中の、LCP1のレベル、VASNのレベル、PFN1のレベル、及びLRG1のレベルを測定するための試薬と、前記治療の有効性を監視するための、キットの使用方法の指示書とを含む、前記キット。
(1147)  対象が活性な結核（ＴＢ）を有するか否かを決定するためのキットであって、対象試料中の、LCP1のレベル、VASNのレベル、PFN1のレベル、及びPGLYRP2のレベルを測定するための試薬と、前記対象が活性なＴＢを有するか否かを決定するための、キットの使用方法の指示書とを含む、前記キット。
(1148)  活性なＴＢを有する対象における治療の有効性を監視するキットであって、対象試料中の、LCP1のレベル、VASNのレベル、PFN1のレベル、及びPGLYRP2のレベルを測定するための試薬と、前記治療の有効性を監視するための、キットの使用方法の指示書とを含む、前記キット。
(1149)  対象が活性な結核（ＴＢ）を有するか否かを決定するためのキットであって、対象試料中の、LCP1のレベル、VASNのレベル、PFN1のレベル、及びAPOA4のレベルを測定するための試薬と、前記対象が活性なＴＢを有するか否かを決定するための、キットの使用方法の指示書とを含む、前記キット。
(1150)  活性なＴＢを有する対象における治療の有効性を監視するキットであって、対象試料中の、LCP1のレベル、VASNのレベル、PFN1のレベル、及びAPOA4のレベルを測定するための試薬と、前記治療の有効性を監視するための、キットの使用方法の指示書とを含む、前記キット。
(1151)  対象が活性な結核（ＴＢ）を有するか否かを決定するためのキットであって、対象試料中の、LCP1のレベル、VASNのレベル、PFN1のレベル、及びBCHEのレベルを測定するための試薬と、前記対象が活性なＴＢを有するか否かを決定するための、キットの使用方法の指示書とを含む、前記キット。
(1152)  活性なＴＢを有する対象における治療の有効性を監視するキットであって、対象試料中の、LCP1のレベル、VASNのレベル、PFN1のレベル、及びBCHEのレベルを測定するための試薬と、前記治療の有効性を監視するための、キットの使用方法の指示書とを含む、前記キット。
(1153)  対象が活性な結核（ＴＢ）を有するか否かを決定するためのキットであって、対象試料中の、LCP1のレベル、VASNのレベル、PFN1のレベル、及びPI16のレベルを測定するための試薬と、前記対象が活性なＴＢを有するか否かを決定するための、キットの使用方法の指示書とを含む、前記キット。
(1154)  活性なＴＢを有する対象における治療の有効性を監視するキットであって、対象試料中の、LCP1のレベル、VASNのレベル、PFN1のレベル、及びPI16のレベルを測定するための試薬と、前記治療の有効性を監視するための、キットの使用方法の指示書とを含む、前記キット。
(1155)  対象が活性な結核（ＴＢ）を有するか否かを決定するためのキットであって、対象試料中の、LCP1のレベル、VASNのレベル、PFN1のレベル、及びSEPP1のレベルを測定するための試薬と、前記対象が活性なＴＢを有するか否かを決定するための、キットの使用方法の指示書とを含む、前記キット。
(1156)  活性なＴＢを有する対象における治療の有効性を監視するキットであって、対象試料中の、LCP1のレベル、VASNのレベル、PFN1のレベル、及びSEPP1のレベルを測定するための試薬と、前記治療の有効性を監視するための、キットの使用方法の指示書とを含む、前記キット。
(1157)  対象が活性な結核（ＴＢ）を有するか否かを決定するためのキットであって、対象試料中の、LCP1のレベル、VASNのレベル、PFN1のレベル、及びAPOA1のレベルを測定するための試薬と、前記対象が活性なＴＢを有するか否かを決定するための、キットの使用方法の指示書とを含む、前記キット。
(1158)  活性なＴＢを有する対象における治療の有効性を監視するキットであって、対象試料中の、LCP1のレベル、VASNのレベル、PFN1のレベル、及びAPOA1のレベルを測定するための試薬と、前記治療の有効性を監視するための、キットの使用方法の指示書とを含む、前記キット。
(1159)  対象が活性な結核（ＴＢ）を有するか否かを決定するためのキットであって、対象試料中の、LCP1のレベル、VASNのレベル、PFN1のレベル、及びIGFALSのレベルを測定するための試薬と、前記対象が活性なＴＢを有するか否かを決定するための、キットの使用方法の指示書とを含む、前記キット。
(1160)  活性なＴＢを有する対象における治療の有効性を監視するキットであって、対象試料中の、LCP1のレベル、VASNのレベル、PFN1のレベル、及びIGFALSのレベルを測定するための試薬と、前記治療の有効性を監視するための、キットの使用方法の指示書とを含む、前記キット。
(1161)  対象が活性な結核（ＴＢ）を有するか否かを決定するためのキットであって、対象試料中の、LCP1のレベル、VASNのレベル、PFN1のレベル、及びCD14のレベルを測定するための試薬と、前記対象が活性なＴＢを有するか否かを決定するための、キットの使用方法の指示書とを含む、前記キット。
(1162)  活性なＴＢを有する対象における治療の有効性を監視するキットであって、対象試料中の、LCP1のレベル、VASNのレベル、PFN1のレベル、及びCD14のレベルを測定するための試薬と、前記治療の有効性を監視するための、キットの使用方法の指示書とを含む、前記キット。
(1163)  対象が活性な結核（ＴＢ）を有するか否かを決定するためのキットであって、対象試料中の、LCP1のレベル、VASNのレベル、PFN1のレベル、及びTAGLN2のレベルを測定するための試薬と、前記対象が活性なＴＢを有するか否かを決定するための、キットの使用方法の指示書とを含む、前記キット。
(1164)  活性なＴＢを有する対象における治療の有効性を監視するキットであって、対象試料中の、LCP1のレベル、VASNのレベル、PFN1のレベル、及びTAGLN2のレベルを測定するための試薬と、前記治療の有効性を監視するための、キットの使用方法の指示書とを含む、前記キット。
(1165)  対象が活性な結核（ＴＢ）を有するか否かを決定するためのキットであって、対象試料中の、LCP1のレベル及びTAGLN2のレベルを測定するための試薬と、前記対象が活性なＴＢを有するか否かを決定するための、キットの使用方法の指示書とを含む、前記キット。
(1166)  活性なＴＢを有する対象における治療の有効性を監視するキットであって、対象試料中の、LCP1のレベル及びTAGLN2のレベルを測定するための試薬と、前記治療の有効性を監視するための、キットの使用方法の指示書とを含む、前記キット。
(1167)  対象が活性な結核（ＴＢ）を有するか否かを決定するためのキットであって、対象試料中の、LCP1のレベル、VASNのレベル、及びTAGLN2のレベルを測定するための試薬と、前記対象が活性なＴＢを有するか否かを決定するための、キットの使用方法の指示書とを含む、前記キット。
(1168)  活性なＴＢを有する対象における治療の有効性を監視するキットであって、対象試料中の、LCP1のレベル、VASNのレベル、及びTAGLN2のレベルを測定するための試薬と、前記治療の有効性を監視するための、キットの使用方法の指示書とを含む、前記キット。
(1169)  対象が活性な結核（ＴＢ）を有するか否かを決定するためのキットであって、対象試料中の、LCP1のレベル、VASNのレベル、TAGLN2のレベル、及びIGFBP6のレベルを測定するための試薬と、前記対象が活性なＴＢを有するか否かを決定するための、キットの使用方法の指示書とを含む、前記キット。
(1170)  活性なＴＢを有する対象における治療の有効性を監視するキットであって、対象試料中の、LCP1のレベル、VASNのレベル、TAGLN2のレベル、及びIGFBP6のレベルを測定するための試薬と、前記治療の有効性を監視するための、キットの使用方法の指示書とを含む、前記キット。
(1171)  対象が活性な結核（ＴＢ）を有するか否かを決定するためのキットであって、対象試料中の、LCP1のレベル、VASNのレベル、TAGLN2のレベル、及びLRG1のレベルを測定するための試薬と、前記対象が活性なＴＢを有するか否かを決定するための、キットの使用方法の指示書とを含む、前記キット。
(1172)  活性なＴＢを有する対象における治療の有効性を監視するキットであって、対象試料中の、LCP1のレベル、VASNのレベル、TAGLN2のレベル、及びLRG1のレベルを測定するための試薬と、前記治療の有効性を監視するための、キットの使用方法の指示書とを含む、前記キット。
(1173)  対象が活性な結核（ＴＢ）を有するか否かを決定するためのキットであって、対象試料中の、LCP1のレベル、VASNのレベル、TAGLN2のレベル、及びSEPP1のレベルを測定するための試薬と、前記対象が活性なＴＢを有するか否かを決定するための、キットの使用方法の指示書とを含む、前記キット。
(1174)  活性なＴＢを有する対象における治療の有効性を監視するキットであって、対象試料中の、LCP1のレベル、VASNのレベル、TAGLN2のレベル、及びSEPP1のレベルを測定するための試薬と、前記治療の有効性を監視するための、キットの使用方法の指示書とを含む、前記キット。
(1175)  対象が活性な結核（ＴＢ）を有するか否かを決定するためのキットであって、対象試料中の、LCP1のレベル及びPGLYRP2のレベルを測定するための試薬と、前記対象が活性なＴＢを有するか否かを決定するための、キットの使用方法の指示書とを含む、前記キット。
(1176)  活性なＴＢを有する対象における治療の有効性を監視するキットであって、対象試料中の、LCP1のレベル及びPGLYRP2のレベルを測定するための試薬と、前記治療の有効性を監視するための、キットの使用方法の指示書とを含む、前記キット。
(1177)  対象が活性な結核（ＴＢ）を有するか否かを決定するためのキットであって、対象試料中の、LCP1のレベル、VASNのレベル、及びPGLYRP2のレベルを測定するための試薬と、前記対象が活性なＴＢを有するか否かを決定するための、キットの使用方法の指示書とを含む、前記キット。
(1178)  活性なＴＢを有する対象における治療の有効性を監視するキットであって、対象試料中の、LCP1のレベル、VASNのレベル、及びPGLYRP2のレベルを測定するための試薬と、前記治療の有効性を監視するための、キットの使用方法の指示書とを含む、前記キット。
(1179)  対象が活性な結核（ＴＢ）を有するか否かを決定するためのキットであって、対象試料中の、LCP1のレベル、VASNのレベル、PGLYRP2のレベル、及びPFN1のレベルを測定するための試薬と、前記対象が活性なＴＢを有するか否かを決定するための、キットの使用方法の指示書とを含む、前記キット。
(1180)  活性なＴＢを有する対象における治療の有効性を監視するキットであって、対象試料中の、LCP1のレベル、VASNのレベル、PGLYRP2のレベル、及びPFN1のレベルを測定するための試薬と、前記治療の有効性を監視するための、キットの使用方法の指示書とを含む、前記キット。
(1181)  対象が活性な結核（ＴＢ）を有するか否かを決定するためのキットであって、対象試料中の、LCP1のレベル、VASNのレベル、PGLYRP2のレベル、及びTAGLN2のレベルを測定するための試薬と、前記対象が活性なＴＢを有するか否かを決定するための、キットの使用方法の指示書とを含む、前記キット。
(1182)  活性なＴＢを有する対象における治療の有効性を監視するキットであって、対象試料中の、LCP1のレベル、VASNのレベル、PGLYRP2のレベル、及びTAGLN2のレベルを測定するための試薬と、前記治療の有効性を監視するための、キットの使用方法の指示書とを含む、前記キット。
(1183)  対象が活性な結核（ＴＢ）を有するか否かを決定するためのキットであって、対象試料中の、PFN1のレベル及びPI16のレベルを測定するための試薬と、前記対象が活性なＴＢを有するか否かを決定するための、キットの使用方法の指示書とを含む、前記キット。
(1184)  活性なＴＢを有する対象における治療の有効性を監視するキットであって、対象試料中の、PFN1のレベル及びPI16のレベルを測定するための試薬と、前記治療の有効性を監視するための、キットの使用方法の指示書とを含む、前記キット。
(1185)  対象が活性な結核（ＴＢ）を有するか否かを決定するためのキットであって、対象試料中の、PFN1のレベル及びPON1のレベルを測定するための試薬と、前記対象が活性なＴＢを有するか否かを決定するための、キットの使用方法の指示書とを含む、前記キット。
(1186)  活性なＴＢを有する対象における治療の有効性を監視するキットであって、対象試料中の、PFN1のレベル及びPON1のレベルを測定するための試薬と、前記治療の有効性を監視するための、キットの使用方法の指示書とを含む、前記キット。
(1187)  対象が活性な結核（ＴＢ）を有するか否かを決定するためのキットであって、対象試料中の、PFN1のレベル及びPTGDSのレベルを測定するための試薬と、前記対象が活性なＴＢを有するか否かを決定するための、キットの使用方法の指示書とを含む、前記キット。
(1188)  活性なＴＢを有する対象における治療の有効性を監視するキットであって、対象試料中の、PFN1のレベル及びPTGDSのレベルを測定するための試薬と、前記治療の有効性を監視するための、キットの使用方法の指示書とを含む、前記キット。
(1189)  対象が活性な結核（ＴＢ）を有するか否かを決定するためのキットであって、対象試料中の、PI16のレベル及びPON1のレベルを測定するための試薬と、前記対象が活性なＴＢを有するか否かを決定するための、キットの使用方法の指示書とを含む、前記キット。
(1190)  活性なＴＢを有する対象における治療の有効性を監視するキットであって、対象試料中の、PI16のレベル及びPON1のレベルを測定するための試薬と、前記治療の有効性を監視するための、キットの使用方法の指示書とを含む、前記キット。
(1191)  対象が活性な結核（ＴＢ）を有するか否かを決定するためのキットであって、対象試料中の、PI16のレベル及びPTGDSのレベルを測定するための試薬と、前記対象が活性なＴＢを有するか否かを決定するための、キットの使用方法の指示書とを含む、前記キット。
(1192)  活性なＴＢを有する対象における治療の有効性を監視するキットであって、対象試料中の、PI16のレベル及びPTGDSのレベルを測定するための試薬と、前記治療の有効性を監視するための、キットの使用方法の指示書とを含む、前記キット。
(1193)  対象が活性な結核（ＴＢ）を有するか否かを決定するためのキットであって、対象試料中の、PON1のレベル及びPTGDSのレベルを測定するための試薬と、前記対象が活性なＴＢを有するか否かを決定するための、キットの使用方法の指示書とを含む、前記キット。
(1194)  活性なＴＢを有する対象における治療の有効性を監視するキットであって、対象試料中の、PON1のレベル及びPTGDSのレベルを測定するための試薬と、前記治療の有効性を監視するための、キットの使用方法の指示書とを含む、前記キット。
(1195)  対象が活性な結核（ＴＢ）を有するか否かを決定するためのキットであって、対象試料中の、PFN1のレベル、PI16のレベル、及びPON1のレベルを測定するための試薬と、前記対象が活性なＴＢを有するか否かを決定するための、キットの使用方法の指示書とを含む、前記キット。
(1196)  活性なＴＢを有する対象における治療の有効性を監視するキットであって、対象試料中の、PFN1のレベル、PI16のレベル、及びPON1のレベルを測定するための試薬と、前記治療の有効性を監視するための、キットの使用方法の指示書とを含む、前記キット。
(1197)  対象が活性な結核（ＴＢ）を有するか否かを決定するためのキットであって、対象試料中の、PFN1のレベル、PI16のレベル、及びPTGDSのレベルを測定するための試薬と、前記対象が活性なＴＢを有するか否かを決定するための、キットの使用方法の指示書とを含む、前記キット。
(1198)  活性なＴＢを有する対象における治療の有効性を監視するキットであって、対象試料中の、PFN1のレベル、PI16のレベル、及びPTGDSのレベルを測定するための試薬と、前記治療の有効性を監視するための、キットの使用方法の指示書とを含む、前記キット。
(1199)  対象が活性な結核（ＴＢ）を有するか否かを決定するためのキットであって、対象試料中の、PON1のレベル、PI16のレベル、及びPTGDSのレベルを測定するための試薬と、前記対象が活性なＴＢを有するか否かを決定するための、キットの使用方法の指示書とを含む、前記キット。
(1200)  活性なＴＢを有する対象における治療の有効性を監視するキットであって、対象試料中の、PON1のレベル、PI16のレベル、及びPTGDSのレベルを測定するための試薬と、前記治療の有効性を監視するための、キットの使用方法の指示書とを含む、前記キット。
(1201)  対象が活性な結核（ＴＢ）を有するか否かを決定するためのキットであって、対象試料中の、PFN1のレベル、PON1のレベル、及びPTGDSのレベルを測定するための試薬と、前記対象が活性なＴＢを有するか否かを決定するための、キットの使用方法の指示書とを含む、前記キット。
(1202)  活性なＴＢを有する対象における治療の有効性を監視するキットであって、対象試料中の、PFN1のレベル、PON1のレベル、及びPTGDSのレベルを測定するための試薬と、前記治療の有効性を監視するための、キットの使用方法の指示書とを含む、前記キット。
(1203)  対象が活性な結核（ＴＢ）を有するか否かを決定するためのキットであって、対象試料中の、PFN1のレベル、PI16のレベル、PON1のレベル、及びPTGDSのレベルを測定するための試薬と、前記対象が活性なＴＢを有するか否かを決定するための、キットの使用方法の指示書とを含む、前記キット。
(1204)  活性なＴＢを有する対象における治療の有効性を監視するキットであって、対象試料中の、PFN1のレベル、PI16のレベル、PON1のレベル、及びPTGDSのレベルを測定するための試薬と、前記治療の有効性を監視するための、キットの使用方法の指示書とを含む、前記キット。
(1205)  対象が活性な結核（ＴＢ）を有するか否かを決定するためのキットであって、対象試料中の、VASNのレベル及びTAGLN2のレベルを測定するための試薬と、前記対象が活性なＴＢを有するか否かを決定するための、キットの使用方法の指示書とを含む、前記キット。
(1206)  活性なＴＢを有する対象における治療の有効性を監視するキットであって、対象試料中の、VASNのレベル及びTAGLN2のレベルを測定するための試薬と、前記治療の有効性を監視するための、キットの使用方法の指示書とを含む、前記キット。
(1207)  対象が活性な結核（ＴＢ）を有するか否かを決定するためのキットであって、対象試料中の、VASNのレベル及びPGLYRP2のレベルを測定するための試薬と、前記対象が活性なＴＢを有するか否かを決定するための、キットの使用方法の指示書とを含む、前記キット。
(1208)  活性なＴＢを有する対象における治療の有効性を監視するキットであって、対象試料中の、VASNのレベル及びPGLYRP2のレベルを測定するための試薬と、前記治療の有効性を監視するための、キットの使用方法の指示書とを含む、前記キット。
(1209)  前記対象から得られた試料中の、表１に列挙する１又は複数のマーカーのレベルを測定するための試薬をさらに含む(813)〜(1208)のいずれかに記載のキット。
(1210)  前記対象から得られた試料中の、APOE, SELL, TNXB, COMP, LUM, PGLYRP2, HABP2, LRG1, QSOX1, S100A8, APOC3, LCP1, VASN, PFN1, IGFBP6, LRG1, PGLYRP2, APOA4, BCHE, PI16, SEPP1, APOA1, IGFALS, CD14, TAGLN2, CPN2, APOC1, PEPD, GP1BA及びPTGDSから成る群より選ばれる１又は複数の追加マーカーのレベルを測定するための試薬をさらに含む(813)〜(1208)のいずれかに記載のキット。
(1211)  前記試料は、ＨＩＶ−対象からである、(813)〜(1044)、(1209)、及び(1210)のいずれかに記載のキット。
(1212)  前記試料は、ＨＩＶ＋対象からである、(813)、(814)、(1045)〜(1210)のいずれかに記載のキット。
(1213)  前記対象が北アメリカ又は欧州に居住する、(813)〜(1212)のいずれかに記載のキット。
(1214)  対象が活性な結核（ＴＢ）を有するか否かを決定する方法であって、
前記対象から得られた試料中の、CD14のレベル、APOEのレベル、SELLのレベル、及びTNXBのレベルを測定することと；
対象試料中のCD14のレベル、APOEのレベル、SELLのレベル、及びTNXBのレベルを、対照試料中のCD14のレベル、APOEのレベル、SELLのレベル、及びTNXBのレベルと比較することとを含み、前記対象試料中のCD14のレベル、APOEのレベル、SELLのレベル、及びTNXBのレベルと前記対照試料中のCD14のレベル、APOEのレベル、SELLのレベル、及びTNXBのレベルとの差が、前記対象が活性なＴＢを有することを示す、前記方法。
(1215)  活性な結核（ＴＢ）を有する対象における治療の有効性を監視する方法であって、
前記治療の開始前に、前記対象から得られた第１の試料中の、CD14のレベル、APOEのレベル、SELLのレベル、及びTNXBのレベルを測定することと；
前記治療の少なくとも一部が投与された後に前記対象から得られた第２の試料中の、CD14のレベル、APOEのレベル、SELLのレベル、及びTNXBのレベルを測定することと；
前記第１の試料中のCD14のレベル、APOEのレベル、SELLのレベル、及びTNXBのレベルを前記第２の試料中のCD14のレベル、APOEのレベル、SELLのレベル、及びTNXBのレベルと比較することとを含み、前記第１の試料中のCD14のレベル、APOEのレベル、SELLのレベル、及びTNXBのレベルと前記第２の試料中のCD14のレベル、APOEのレベル、SELLのレベル、及びTNXBのレベルの差が、前記治療が有効であることを示す、前記方法。
(1216)  活性な結核（ＴＢ）マーカーの同定方法であって、
活性なＴＢを有するＨＩＶ＋の対象からの試料中で区別的に発現するタンパク質を同定し、活性なＴＢを有するＨＩＶ−の対象からの試料中で区別的に発現するタンパク質を同定し、それによって、活性なＴＢマーカーの暫定的なリストを生成させることと；
１又は複数の暫定的マーカーの対照試料中のレベルを測定することと；
該１又は複数の暫定的マーカーの被検試料中のレベルを測定することとを含み、あるマーカーの対照試料中のレベルと被検試料中のレベルの差により、該マーカーが活性なＴＢマーカーとして同定される、前記方法。
(1217)  対象が活性な結核（ＴＢ）を有するか否かを決定する方法であって、
前記対象から得られた試料中の、表３、４、６、７、８、１０、１１、及び１２のいずれか1つに記載されたマーカーの前記組合せのいずれか1つにおける各マーカーのレベルを測定することと；
対象試料中の前記組合せの各マーカーのレベルを対照試料中の前記組合せの各マーカーのレベルと比較することとを含み、対象試料中の前記組合せの全マーカーのレベルと対照試料中の前記組合せの全マーカーのレベルの差が、前記対象が活性なＴＢを有することを示す、前記方法。
(1218)  活性な結核（ＴＢ）を有する対象における治療の有効性を監視する方法であって、
前記治療の開始前に、前記対象から得られた第１の試料中の、表３、４、６、７、８、１０、１１、及び１２のいずれか1つに記載されたマーカーの前記組合せのいずれか1つのレベルを測定することと；
前記治療の少なくとも一部が投与された後に前記対象から得られた第２の試料中の、前記組合せの各マーカーのレベルを測定することと；
前記第１の試料中の前記組合せの各マーカーのレベルを前記第２の試料中の前記組合せの各マーカーのレベルと比較することとを含み、前記第１の試料中の前記組合せの全マーカーのレベルと前記第２の試料中の前記組合せの全マーカーのレベルの差が、前記治療が有効であることを示す、前記方法。
(1219)  活性な結核（ＴＢ）を有する対象を治療するために有用な化合物を同定する方法であって、
前記対象から得られた試料のアリコートを、化合物のライブラリーの各メンバーと接触させることと;
前記化合物のライブラリーのメンバーが、各アリコート中の表３、４、６、７、８、１０、１１、及び１２のいずれか1つに記載されたマーカーの前記組合せのいずれか1つにおける各マーカーのレベル及び／又は活性に与える影響を測定することと；
対照試料中の、前記組合せの各マーカーのレベル及び／又は活性と比較して、アリコート中の前記組合せの各マーカーのレベル及び／又は活性を調節する化合物のライブラリーのメンバーを選択し、それによって、活性なＴＢを有する対象を治療するために有用な化合物を同定することを含む、前記方法。
(1220)  活性な結核（ＴＢ）を有する対象を治療する方法であって、表３、４、６、７、８、１０、１１、及び１２のいずれか1つに記載されたマーカーの前記組合せのいずれか1つにおける各マーカーの発現及び／又は活性を調節する剤の有効量を前記対象に投与し、それによって前記対象を治療することを含む、前記方法。
(1221)  マーカーの前記組合せが、約０．８５から約１．００の曲線下面積（ＡＵＣ）を有する、(1217)〜(1220)のいずれかに記載の方法。
(1222)  対象が活性な結核（ＴＢ）を有するか否かを決定するためのキットであって、対象試料中の、表３、４、６、７、８、１０、１１、及び１２のいずれか1つに記載されたマーカーの前記組合せのいずれか1つにおける各マーカーのレベルを測定するための試薬と、前記対象が活性なＴＢを有するか否かを決定するための、キットの使用方法の指示書とを含む、前記キット。
(1223)  活性なＴＢを有する対象における治療の有効性を監視するキットであって、対象試料中の、表３、４、６、７、８、１０、１１、及び１２のいずれか1つに記載されたマーカーの前記組合せのいずれか1つにおける各マーカーのレベルを測定するための試薬と、前記治療の有効性を監視するための、キットの使用方法の指示書とを含む、前記キット。
(1224)
マーカーの前記組合せが、約０．８５から約１．００の曲線下面積（ＡＵＣ）を有する、(1222)又は(1223)に記載のキット。
(1225)  対象が活性な結核（ＴＢ）を有するか否かを決定する方法であって、
前記対象から得られた試料中の、表１に列挙する１又は複数のマーカーのレベルを測定することと；
対象試料中の１又は複数のマーカーのレベルを、対照試料中の１又は複数のマーカーのレベルと比較することとを含み、前記対象試料中の１又は複数のマーカーのレベルと前記対照試料中の１又は複数のマーカーのレベルの差が、前記対象が活性なＴＢを有することを示す、前記方法。
(1226)  活性な結核（ＴＢ）を有する対象における治療の有効性を監視する方法であって、
前記治療の開始前に、前記対象から得られた第１の試料中の、表１に列挙する１又は複数のマーカーのレベルを測定することと；
前記治療の少なくとも一部が投与された後に前記対象から得られた第２の試料中の、表１に列挙する１又は複数のマーカーのレベルを測定することと；
前記第１の試料中の前記１又は複数のマーカーのレベルを前記第２の試料中の前記１又は複数のマーカーのレベルと比較することとを含み、前記第１の試料中の前記１又は複数のマーカーのレベルと前記第２の試料中の前記１又は複数のマーカーのレベルの差が、前記治療が有効であることを示す、前記方法。
(1227)  前記対象試料中のレベルは、質量分析又は免疫測定により測定される、(1225)又は(1226)に記載の方法。
(1228)  前記対象から得られた前記試料は、液体試料又は組織試料である、(1225)又は(1226)に記載の方法。
(1229)  前記対象は、ＨＩＶ陰性（ＨＩＶ−）又はＨＩＶ陽性（ＨＩＶ＋）である、(1225)又は(1226)に記載の方法。
(1230)  前記対象が北アメリカ又は欧州に居住する、(1225)又は(1226)に記載の方法。
(1231)  前記１又は複数のマーカーは、APOE, SELL, TNXB, COMP, LUM, PGLYRP2, HABP2, LRG1, QSOX1, S100A8, APOC3, LCP1, VASN, PFN1, IGFBP6, LRG1, PGLYRP2, APOA4, BCHE, PI16, SEPP1, APOA1, IGFALS, CD14, TAGLN2, CPN2, APOC1, PEPD, GP1BA及びPTGDSから成る群より選ばれる(1225)又は(1226)に記載の方法。
(1232)  CPB2, GP1BA, GP5, GPX3, PROCR, VWF, ATRN, CD14, DBH, SELL, VCAM1, S100A8, S100A9, CD163, CPN1, FCN3, HIST2H2BE, KNG1, MASP1, MASP2, PROS1, YWHAZ, CA1, ORM1, PDLIM1, PGLYRP2, LCAT, LPA, PCSK9, PON1, PTGDS, APOA1, APOA4, APOC1, APOC3, APOE,  ANPEP, BCHE, BTD, CDH5, CLEC3B, CLU, CNTN1, ECM1, GPLD1, HABP2, HGFAC, HYOU1, IGFALS, IGFBP3, IGFBP6, LCP1, LGALS3BP, LUM, MINPP1, MST1, NCAM1, NID1, PEPD, PFN1, PRG4, QSOX1, SEPP1, SHBG, SPARC, TGFBI, THBS1, TLN1, TNXB, VASN, VTN, YWHAE, CA2, CKM, CNDP1, COMP, IGF2, LRG1, PI16, PRDX2, PTPRG, SPP2, TAGLN2, ZYX, MTB81, MTB51, CACNA2D1, CPN2及びMAN1A1から成る群より選ばれる１又は複数のマーカーのレベルを測定することをさらに含む(1231)に記載の方法。
(1233)  対象が活性な結核（ＴＢ）を有するか否かを決定するためのキットであって、対象試料中の、表１に列挙する１又は複数のマーカーのレベルを測定するための試薬と、前記対象が活性なＴＢを有するか否かを決定するための、キットの使用方法の指示書とを含む、前記キット。
(1234)  活性なＴＢを有する対象における治療の有効性を監視するキットであって、対象試料中の、表１に列挙する１又は複数のマーカーのレベルを測定するための試薬と、前記治療の有効性を監視するための、キットの使用方法の指示書とを含む、前記キット。
(1235)  前記対象から得られた試料中の、APOE, SELL, TNXB, COMP, LUM, PGLYRP2, HABP2, LRG1, QSOX1, S100A8, APOC3, LCP1, VASN, PFN1, IGFBP6, LRG1, PGLYRP2, APOA4, BCHE, PI16, SEPP1, APOA1, IGFALS, CD14, TAGLN2, CPN2, APOC1, PEPD, GP1BA 及び PTGDSから成る群より選ばれる１又は複数の追加マーカーのレベルを測定するための試薬をさらに含む(1233)又は(1234)に記載のキット。
(1236)  前記試料は、ＨＩＶ−対象又はＨＩＶ＋対象からである、(1233)又は(1234)に記載のキット。
(1237)  前記対象が北アメリカ又は欧州に居住する、(1233)又は(1234)に記載のキット。
(1238)  対象が活性な結核（ＴＢ）を有するか否かを決定する方法であって、
前記対象から得られた試料中の、表３、４、６、７、８、１０、１１、及び１２のいずれか1つに記載されたマーカーの前記組合せのいずれか1つにおける各マーカーのレベルを測定することと；
対象試料中の前記組合せの各マーカーのレベルを対照試料中の前記組合せの各マーカーのレベルと比較することとを含み、対象試料中の前記組合せの全マーカーのレベルと対照試料中の前記組合せの全マーカーのレベルの差が、前記対象が活性なＴＢを有することを示す、前記方法。
(1239)  活性な結核（ＴＢ）を有する対象における治療の有効性を監視する方法であって、
前記治療の開始前に、前記対象から得られた第１の試料中の、表３、４、６、７、８、１０、１１、及び１２のいずれか1つに記載されたマーカーの前記組合せのいずれか1つのレベルを測定することと；
前記治療の少なくとも一部が投与された後に前記対象から得られた第２の試料中の、前記組合せの各マーカーのレベルを測定することと；
前記第１の試料中の前記組合せの各マーカーのレベルを前記第２の試料中の前記組合せの各マーカーのレベルと比較することとを含み、前記第１の試料中の前記組合せの全マーカーのレベルと前記第２の試料中の前記組合せの全マーカーのレベルの差が、前記治療が有効であることを示す、前記方法。
(1240)  マーカーの前記組合せが、約０．８５から約１．００の曲線下面積（ＡＵＣ）を有する、(1238)又は(1239)に記載の方法。
(1241)  対象が活性な結核（ＴＢ）を有するか否かを決定するためのキットであって、対象試料中の、表３、４、６、７、８、１０、１１、及び１２のいずれか1つに記載されたマーカーの前記組合せのいずれか1つにおける各マーカーのレベルを測定するための試薬と、前記対象が活性なＴＢを有するか否かを決定するための、キットの使用方法の指示書とを含む、前記キット。
(1242)
活性なＴＢを有する対象における治療の有効性を監視するキットであって、対象試料中の、表３、４、６、７、８、１０、１１、及び１２のいずれか1つに記載されたマーカーの前記組合せのいずれか1つにおける各マーカーのレベルを測定するための試薬と、前記治療の有効性を監視するための、キットの使用方法の指示書とを含む、前記キット。
(1243)  マーカーの前記組合せが、約０．８５から約１．００の曲線下面積（ＡＵＣ）を有する、(1238)又は(1239)に記載のキット。
【手続補正２】
【補正対象書類名】特許請求の範囲
【補正対象項目名】全文
【補正方法】変更
【補正の内容】
【特許請求の範囲】
【請求項１】
対象が活性な結核（ＴＢ）を有するか否かを決定する方法であって、
前記対象から得られた試料中の、SELL, QSOX1, CD14, PEPD, PFN1, CPN2, TAGLN2, VASN, PGLYRP2, IGFBP6, SEPP1, 及びLGALS3BPから成る群より選ばれる３又は複数のマーカーのレベルを測定することと；
対象試料中の３又は複数のマーカーのレベルを、対照試料中の３又は複数のマーカーのレベルと比較することとを含み、前記対象試料中の３又は複数のマーカーのレベルと前記対照試料中の３又は複数のマーカーのレベルの差が、前記対象が活性なＴＢを有することを示す、前記方法。
【請求項２】
活性な結核（ＴＢ）を有する対象における治療の有効性を監視する方法であって、
前記治療の開始前に、前記対象から得られた第１の試料中の、SELL, PEPD, QSOX1, CD14, PFN1, CPN2, TAGLN2, VASN, PGLYRP2, IGFBP6, SEPP1, 及びLGALS3BPから成る群より選ばれる３又は複数のマーカーのレベルを測定することと；
前記治療の少なくとも一部が投与された後に前記対象から得られた第２の試料中の、３又は複数のマーカーのレベルを測定することと；
前記第１の試料中の前記３又は複数のマーカーのレベルを前記第２の試料中の前記３又は複数のマーカーのレベルと比較することとを含み、前記第１の試料中の前記３又は複数のマーカーのレベルと前記第２の試料中の前記３又は複数のマーカーのレベルの差が、前記治療が有効であることを示す、前記方法。
【請求項３】
前記対象試料中のレベルは、質量分析又は免疫測定により測定される、請求項１又は２に記載の方法。
【請求項４】
前記対象から得られた前記試料は、液体試料又は組織試料である、請求項１又は２に記載の方法。
【請求項５】
前記対象は、ＨＩＶ陰性（ＨＩＶ−）又はＨＩＶ陽性（ＨＩＶ＋）である、請求項１又は２に記載の方法。
【請求項６】
前記対象が北アメリカ又は欧州に居住する、請求項１又は２に記載の方法。
【請求項７】
CPB2, GP1BA, GP5, GPX3, PROCR, VWF, ATRN, CD14, DBH, SELL, VCAM1, S100A8, S100A9, CD163, CPN1, FCN3, HIST2H2BE, KNG1, MASP1, MASP2, PROS1, YWHAZ, CA1, ORM1, PDLIM1, PGLYRP2, LCAT, LPA, PCSK9, PON1, PTGDS, APOA1, APOA4, APOC1, APOC3, APOE,  ANPEP, BCHE, BTD, CDH5, CLEC3B, CLU, CNTN1, ECM1, GPLD1, HABP2, HGFAC, HYOU1, IGFALS, IGFBP3, IGFBP6, LCP1, LGALS3BP, LUM, MINPP1, MST1, NCAM1, NID1, PEPD, PFN1, PRG4, QSOX1, SEPP1, SHBG, SPARC, TGFBI, THBS1, TLN1, TNXB, VASN, VTN, YWHAE, CA2, CKM, CNDP1, COMP, IGF2, LRG1, PI16, PRDX2, PTPRG, SPP2, TAGLN2, ZYX, MTB81, MTB51, CACNA2D1, CPN2及びMAN1A1から成る群より選ばれる１又は複数のマーカーのレベルを測定することをさらに含む請求項１又は２に記載の方法。
【請求項８】
対象が活性な結核（ＴＢ）を有するか否かを決定するためのキットであって、対象試料中の、SELL, PEPD, QSOX1, CD14, PFN1, CPN2, TAGLN2, VASN, PGLYRP2, IGFBP6, SEPP1,及びLGALS3BPから成る群より選ばれる３又は複数のマーカーのレベルを測定するための試薬と、前記対象が活性なＴＢを有するか否かを決定するための、キットの使用方法の指示書とを含む、前記キット。
【請求項９】
活性なＴＢを有する対象における治療の有効性を監視するキットであって、対象試料中の、SELL, PEPD, QSOX1, CD14, PFN1, CPN2, TAGLN2, VASN, PGLYRP2, IGFBP6, SEPP1,及びLGALS3BPから成る群より選ばれる３又は複数のマーカーのレベルを測定するための試薬と、前記治療の有効性を監視するための、キットの使用方法の指示書とを含む、前記キット。
【請求項１０】
前記対象から得られた試料中の、CPB2, GP1BA, GP5, GPX3, PROCR, VWF, ATRN, CD14, DBH, SELL, VCAM1, S100A8, S100A9, CD163, CPN1, FCN3, HIST2H2BE, KNG1, MASP1, MASP2, PROS1, YWHAZ, CA1, ORM1, PDLIM1, PGLYRP2, LCAT, LPA, PCSK9, PON1, PTGDS, APOA1, APOA4, APOC1, APOC3, APOE, ANPEP, BCHE, BTD, CDH5, CLEC3B, CLU, CNTN1, ECM1, GPLD1, HABP2, HGFAC, HYOU1, IGFALS, IGFBP3, IGFBP6, LCP1, LGALS3BP, LUM, MINPP1, MST1, NCAM1, NID1, PEPD, PFN1, PRG4, QSOX1, SEPP1, SHBG, SPARC, TGFBI, THBS1, TLN1, TNXB, VASN, VTN, YWHAE, CA2, CKM, CNDP1, COMP, IGF2, LRG1, PI16, PRDX2, PTPRG, SPP2, TAGLN2, ZYX, MTB81, MTB51, CACNA2D1, 及びMAN1A1から成る群より選ばれる１又は複数の追加マーカーのレベルを測定するための試薬をさらに含む請求項８又は９に記載のキット。
【請求項１１】
前記試料は、ＨＩＶ−対象又はＨＩＶ＋対象からである、請求項８又は９に記載のキット。
【請求項１２】
前記対象が北アメリカ又は欧州に居住する、請求項８又は９に記載のキット。
【請求項１３】
マーカーの前記組合せが、約０．８５から約１．００の曲線下面積（ＡＵＣ）を有する、請求項１又は２に記載の方法。
【請求項１４】
マーカーの前記組合せが、約０．８５から約１．００の曲線下面積（ＡＵＣ）を有する、請求項８又は９に記載のキット。
【請求項１５】
対象試料又は対照試料から生物学的試料を得るための試薬をさらに含む、請求項８又は９に記載のキット。